(57)【要約】散乱光で検出可能な粒子標識を使用する分析において、１つまたは複数の検体を特異的に検出するためのダイナミックレンジを拡大する方法。該方法では、低濃度側および高濃度側のいずれかまたは両方にダイナミックレンジを拡張するために、検出技術および／または信号処理の様々な方式を利用する。
2005507489.tif 000002
【特許請求の範囲】
【請求項１】
複数のサイトで光散乱粒子から集光した光を信号として使用する検体分析において拡張線形ダイナミックレンジを提供するための方法であって、
（ａ）センサーによって生成される信号が、極端な集積光強度を有する１つまたは複数のサイトで検出された集積光強度に線形に比例するように、複数のサイトからの集積光を２つ以上の露光時間を用いてセンサーで検出し、かつ
（ｂ）異なる露光時間のうちの少なくとも２つの露光時間による信号を合成して、極端な集積光強度を有する１つまたは複数のサイトからの光を定量することによって、拡張線形ダイナミックレンジを提供することを含む方法。
【請求項２】
光散乱粒子から集光した光を使用する検体分析において拡張ダイナミックレンジを提供するための方法であって、
（ａ）個々の画素または画素群からの信号の非破壊的読出しを提供するセンサーを用いて、単一露光時間に対して集積光を検出し、
（ｂ）飽和状態に近づく任意の画素がリセットされるような時間間隔で画素からの信号を読み出し、かつ
（ｃ）リセットされた画素毎に前記時間間隔で読み出された信号を合成して、検出された集積光を定量することによって、拡張ダイナミックレンジを提供することを含む方法。
【請求項３】
光散乱粒子からの光を信号として使用する検体分析において拡張線形ダイナミックレンジを提供するための方法であって、
（ａ）集積光をセンサーで検出し、センサーによって生成された信号が検出された集積光に線形に比例する程度まで、１つまたは複数の分析サイトからの集積光の強度を１つまたは複数の光フィルターによって低減し、かつ
（ｂ）前記１つまたは複数のフィルターが透過させた光によって決定づけられる係数で信号を拡大縮小して、１つまたは複数のサイトからの集積光を定量することによって、拡張ダイナミックレンジを提供することを含む方法。
【請求項４】
光散乱粒子から集光した光を信号として使用する検体分析において拡張線形ダイナミックレンジを提供するための方法であって、
（ａ）複数のサイトからの集積光強度をセンサーで検出し、
（ｂ）センサーによって生成された信号が、高集積光強度を有する１つまたは複数のサイトで検出された集積光に線形に比例するように、１つまたは複数の光フィルターを使用して検出を繰り返し、かつ
（ｃ）前記１つまたは複数のサイトからの信号を前記１つまたは複数のフィルターが透過させた光に基づく係数で拡大縮小して、１つまたは複数のサイトからの集積光を定量することによって、拡張ダイナミックレンジを提供することを含む方法。
【請求項５】
複数のサイトで光散乱粒子から収集した光を信号として使用する検体分析において拡張線形ダイナミックレンジを提供するための方法であって、
（ａ）複数のサイトからの集積光をセンサーで検出し、
（ｂ）低集積光強度を有する１つまたは複数のサイトにおける粒子の数をカウントし、センサーによって生成された信号は、低集積光強度を有する１つまたは複数のサイトで検出された集積光に線形に比例せず、かつ
（ｃ）低集積光強度を有する１つまたは複数のサイトに対して該サイトの粒子の数で集積光強度からの信号を正規化することによって、拡張線形ダイナミックレンジを提供することを含む方法。
【請求項６】
あるサイトの光散乱粒子から集光した光を信号として使用する検体分析において拡張ダイナミックレンジを提供するための方法において、前記光散乱粒子から集光した光は、該サイトの粒子の数に線形に比例しない方法であって、
（ａ）集積光をセンサーで検出し、
（ｂ）集積光強度と光散乱粒子の数との関係を示す標準曲線を生成し、かつ
（ｃ）標準曲線を適用して、検出された集積光に基づくサイトの粒子の数を計算することによって、検体分析の拡張ダイナミックレンジを提供することを含む方法。
【請求項７】
工程（ｂ）は、露光時間に基づく変換係数によって信号を拡大縮小することを含む、請求項１に記載の方法。
【請求項８】
露光時間は、少なくとも１０ミリ秒、１００ミリ秒、１秒、１０秒、１０００秒および３６００秒よりなる群から選択される、請求項１に記載の方法。
【請求項９】
少なくとも２つ、３つ、４つ、５つまたは６つの異なる露光時間の合計を用いて集積光を検出する、請求項１に記載の方法。
【請求項１０】
個々の画素または画素群によって検出される集積光は、１つまたは複数の分析サイトからのものである、請求項２に記載の方法。
【請求項１１】
工程（ｃ）は、前記時間間隔で読み出される信号を合計し、または前記時間間隔で読み出される信号を平均化する、請求項２に記載の方法。
【請求項１２】
記録された時間間隔で個々の画素または画素群をリセットする、請求項２に記載の方法。
【請求項１３】
個々の画素または画素群をランダムにまたは個別にリセットすることができる、請求項２に記載の方法。
【請求項１４】
個々の画素または画素群をリセットする時間間隔は、画素により生成される信号をセンサーの線形応答レンジ内に維持するように選択される、請求項２に記載の方法。
【請求項１５】
センサーは電荷注入デバイスである、請求項２に記載の方法。
【請求項１６】
フィルターが透過させる光は、白色光源を使用して測定される、請求項３または４に記載の方法。
【請求項１７】
信号を拡大縮小するための係数は、フィルターに対する透過曲線から計算される、請求項３または４に記載の方法。
【請求項１８】
信号の拡大縮小は、
（ａ）画像を収集するのに使用される１つまたは複数のフィルターの波長依存透過曲線により分析のそれを分割する工程と、
（ｂ）飽和した画素からの値をゼロに設定する工程と、
（ｃ）２つ以上の信号を合成する工程とを含む、請求項３または４に記載の方法。
【請求項１９】
１つまたは複数のフィルターは、長域フィルター、短域フィルター、帯域干渉フィルター、フィルター・ホイール、中性密度フィルター、カラー・フィルター、ノッチ・フィルター、スーパーノッチ・フィルター、スーパーノッチ・プラス・フィルターおよびフィルター・モノクロメータよりなる群から選択される、請求項３または４に記載の方法。
【請求項２０】
１つまたは複数のフィルターが透過させる光の量は、フィルターに入射する光の１％、３．２％、６．３％、１０％、１３％、１６％、２０％、２５％、３２％、４０％、５０％、６３％、７０％および８０％よりなる群から選択される、請求項３または４に記載の方法。
【請求項２１】
１つまたは複数のサイトの倍率を上げることによって粒子をカウントする、請求項６に記載の方法。
【請求項２２】
粒子は複数の視野でカウントされ、カウントされた視野は１つまたは複数のサイトの統計的に有効な部分を構成する、請求項６に記載の方法。
【請求項２３】
標準曲線は、単位面積または単位体積当たりの粒子の数が異なるサイトを含む希釈系列から生成される、請求項６に記載の方法。
【請求項２４】
希釈系列を含むサイトは、すべて同一の物理的形態の検体分析に関連づけられる、請求項２３に記載の方法。
【請求項２５】
標準曲線は、１つまたは複数のデコンボルーション方程式に対する当てはめから解析的に生成される、請求項６に記載の方法。
【請求項２６】
検体分析は複数の分析サイトを使用する、請求項３に記載の方法。
【請求項２７】
光散乱粒子からの光は、光散乱粒子によって散乱される粒子、光散乱粒子上の蛍光体によって出射される粒子、またはその両方を含む、請求項１、２、３、４、５または６のいずれか１項に記載の方法。
【請求項２８】
１つのサイトにおける極端な集積光強度は、高集積光強度、低集積光強度、または２つ以上の信号が該サイトから検出されるその両方である、請求項１に記載の方法。
【請求項２９】
拡張ダイナミックレンジは、少なくとも４、５、６または７桁にわたって定量される集積光強度を含む、請求項１、２、３、４、５または６のいずれか１項に記載の方法。
【請求項３０】
ダイナミックレンジは、ダイナミックレンジの拡張を伴わない分析のダイナミックレンジに対して少なくとも１桁拡張され、拡張ダイナミックレンジは線形になる、請求項１、２、３、４、５または６のいずれか１項に記載の方法。
【請求項３１】
合成信号で１つまたは複数のサイトの画像を形成することをさらに含む、請求項１、２、３、４、５または６のいずれか１項に記載の方法。
【請求項３２】
画像の形成は、画像の背景部を識別する工程と、画像の背景部に対応する信号を除去する工程とを含む、請求項３１に記載の方法。
【請求項３３】
センサーは、カメラ、写真フィルム、ビデオ・カメラ、電荷結合素子、電荷注入デバイス、フォトダイオード、フォトダイオード・アレイおよび光電増倍管よりなる群から選択される、請求項１、２、３、４、５または６のいずれか１項に記載の方法。
【請求項３４】
前記複数のサイトは個別的アドレス可能サイトである、請求項１、２、３、４、５または６のいずれか１項に記載の方法。
【請求項３５】
前記複数のサイトは、スライド、膜、フィルター、試験管、バイアル、マイクロタイター・プレート、マイクロアレイ、小容量デバイスまたはゲルよりなる群から選択される物理的形態に関連づけられる、請求項１、２、３、４、５または６のいずれか１項に記載の方法。
【請求項３６】
前記複数のサイトは、組織、組織切片、細胞培養、細胞、細胞オルガネラ、染色体調製物および染色体よりなる群から選択される試料中に存在する、請求項１、２、３、４、５または６のいずれか１項に記載の方法。
【請求項３７】
工程（ｂ）は、検出される光のスペクトルの背景部に対応する信号を除去することを含む、請求項１に記載の方法。
【発明の詳細な説明】
【技術分野】
【０００１】
本出願は、検体分析における信号の検出においてダイナミックレンジを拡張する方法に関する。
【背景技術】
【０００２】
本出願は、Juan Yguerabide，Evangelina Yguerabide，Laurence WardenおよびTodd Petersonを発明人とする、２００１年２月２３日に出願された「Methods For Providing Extended Dynamic Range In Analyte Assays（検体分析において拡張ダイナミックレンジを提供する方法）」という名称の先願の米国仮出願番号６０／２７１，０８９に基づく利益を主張するものであり、この先願は、図面も含めた全体として、参照により本明細書に組み込まれるものである。
【０００３】
いくつかの既存の検出方法を以下に簡単に説明する。これらは、特許請求する発明の詳細を理解する上で読者の助けとなる関連技術の概要でもある。これらの引用技術は、いずれも請求項に対する先行技術であることを承認するものではない。これらの引用技術は、本発明を実践するのに利用される該技術における一般的な手順および方法をここに再度記載しなくともよいように、参照により本出願に組み込んでいるものである。特に、出願人は、「結合対（Ｂｉｎｄｉｎｇ  Ｐａｉｒ）」法の一般的な方法、および光散乱測定法に関連するセクションを本明細書に組み込むものとする。
【０００４】
高感度検体分析
結合対（配位子受容体、分子識別結合等としても知られる）技術は、生物医学の分析の多くの用途において重要な役割を果たし、環境科学、獣医学、医薬研究、ならびに食品および水の品質管理等の分野において重要性を増しつつある。低濃度の検体の検出では（分析試料に対する検体の濃度が約１ピコモル未満の場合は）、蛍光、発光、化学発光または電気化学発光標識および検出法がしばしば使用される。
【０００５】
診断の分野における低濃度の検体の検出には、化学発光法や電気化学発光法が広く利用されている。これら化学発光法や電気化学発光法は、発光分子または光子生成事象を何倍にも増幅して「信号増幅」させ、次いで低濃度検体の検出を可能にすることによって低濃度の検体を検出する手段を提供する。
【０００６】
さらに、ポリメラーゼ連鎖反応（ＰＣＲ）および他の関連技術が、試料における核酸検体の数を増幅するのに広く利用されてきた。最もよく知られた検出手段によって検体を検出することができるように、適切な酵素、試薬および温度サイクル法を付加することによって、核酸検体分子の数を増幅する。新しい信号生成および検出システムの開発、ならびに信号および検体分子増幅を利用した新しいタイプの試験キットおよび計測器の開発における高レベルな商業活動は、高感度検出法の重要性および必要性を実証するものである。
【０００７】
しかしながら、上記の信号および検体分子増幅法は、これらの方法による検体の検出を複雑で、困難で、時間がかかり、高価なものにするいくつかの制限を伴う。化学または酵素反応の干渉、汚染、複雑かつ工程の多い手順、単一工程の「均一」（非分離）形式に対する適応性の限界、ならびに高価で高精度な計測器の必要性の問題は、当業者が絶えず改善しようと努めている問題である。
【０００８】
したがって、使い易く、定量的で、多検体型で、かつ安価な検体検出手順および計測器が大いに必要とされている。当該手順、試験キットおよび計測器は、現行の信号および検体分子増幅方法の欠点および限界を克服するとともに、研究、個々の治療状況（医院、応急室、野外など）、ならびに高処理能力試験用途に役立つことになる。
【０００９】
本発明の目的は、これまで可能であった手段よりも、試料中の低濃度の１つまたは複数の検体を容易に検出する新しい手段を提供することである。本発明は、信号または検体分子の増幅を必要とせずに低濃度の検体を検出することができる。
【００１０】
本発明は、手順を単純化するとともに、工程および試薬の量および種類を減じることが可能な検体検出のための信号および検出システムを提供する。本発明は、試料中の単一または複数の検体の定量的検出を可能にする。本発明は、異なる試験の数、および分析する試料物質の量を実質的に減少させる。このように個々の試験の数を減少させることによって、コストおよび廃棄物生成量、特に処理しなければならない医療関連廃棄物の生成量が減少する。
【００１１】
光散乱検出法および光散乱粒子の特性
粒子による光散乱の現象、診断測定における粒状標識の使用、および診断測定における光散乱法の使用に関する多くの情報が存在し、以下の関連技術の説明においてこれらの情報を記述するが、これらの情報はいずれも、本出願に係る請求項に対する先行技術であると認めるものではない。この技術は、特許請求する発明の新規性および実用性を理解するための背景として示されるものである。
【００１２】
光散乱の一般的な研究は広範な分野を含む。光散乱の現象は、ほぼ過去１００年間にわたって集中的に研究され、人間の取組みの様々な側面に対する光散乱の知識の応用は幅広く、多様化している。
【００１３】
入射放射線の波長の約２０分の１以下の粒径の小さく、均一で光吸収性のない球状粒子による光散乱の古典的な理論は、本来レイリーによって展開された。後に、粒径および組成が任意の均一な球状粒子による光散乱のより一般的な現象学的理論が、ミーによって展開された。ミーの理論は、光吸収性粒子と光非吸収性粒子の両方に適用される。ミーの理論から、粒子が入射光の波長よりはるかに小さければ、光を吸収する粒子に適用されるようにレイリーの式を容易に一般化できることも証明された。これら粒径の小さな粒子に対しては、ミーの理論と、一般化されたレイリーの理論は同様の結果を与える。光散乱（弾性）を古典的または量子力学的観点からとらえることができる。古典的な観点を通じて優れた定量的記述を得ることができる。
【００１４】
歴史的背景、ならびに散乱光および他の電磁放射線の基本的理論の説明が以下の参考文献に記載されている：
「Absorption and scattering of Light by Small Particles」（１９８３）、c.f.Bohren,d.r.Huffman,John Wiley and Sons；「The Scattering of Light and Other Electromagnetic Radiation」（１９６９）、M.Kerker,Academic Press。
【００１５】
光散乱の現象についてのさらなる背景情報は、以下の出版物に見いだすことが可能である。
【００１６】
Zsigmondy、「Colloids and the Ultramicroscope-A Manual of Colloid Chemistry and Ultramicroscopy」、１９１４、John Wiley & Sons,Inc.には、金粒子および他のタイプの粒子の様々な光散乱特性が記載されている。
【００１７】
Hunter、「Foundation of Colloid Science」、Ｖｏｌ、Ｉ、１０５、１９９１には、粒子の観察における光学顕微鏡、限外顕微鏡および電子顕微鏡の使用について記載されている。
【００１８】
Shaw他．、「Introduction to Colloid and Surface Chemistry」、２ｎｄ  ｅｄ．、４１、１９７０には、コロイドの光学特性、ならびに電子顕微鏡、および暗視野顕微鏡、例えば限外顕微鏡の使用について記載されている。
【００１９】
Stolz,SpringerTracts,Ｖｏｌ．１３０には、時間分解光散乱手法が記載されている。
【００２０】
Klein and Metz、５「Photographic Science and Engineering」５−１１、１９６１には、ゼラチンにおけるコロイド銀粒子の色について記載されている。
【００２１】
Eversole and Broida、１５「Physical Review」１６４４−１６５４、１９７７には、銀、金および銅の如き様々な金属粒子からの光散乱に対する粒径および形状の影響が記載されている。
【００２２】
Kreibig and Zacharias、２３１「Z.Physik」１２８−１４３、１９７０には、球状の金および銀微粒子における表面プラズマ共鳴について記載されている。
【００２３】
Bloemer他．、３７「Physical Review」８０１５−８０２１、１９８８には、マイクロメートル以下の粒径の銀針の光学的特性について記載されており、当該針の使用については、導波管を拡散する光を偏光させる金属微粒子の表面プラズモン共鳴が記載された米国特許第５，１５１，９５６号（Bloemer）に記載されている。
【００２４】
Wiegel、１３６「Zeitschrift fur Physik」、Ｂｄ．６４２−６５３、１９５４には、銀コロイドの色および電子顕微鏡の使用について記載されている。
【００２５】
粒子の使用、光散乱および他の検体検出法
過去約３５年間にわたって、金および銀を含む金属粒子は、多くの異なるタイプの分析および／または診断用途におけるコントラスト増強剤および光吸収標識として使用されてきた。これらの用途の大部分は、金または銀強化金粒子をマーカーとして使用して、細胞、準細胞および組織の構造的側面を研究する細胞免疫化学の研究の範疇に含まれる。これらの研究では、走査、透過およびＢＥＩ（Ｂａｃｋｓｃａｔｔｅｒｅｄ  Ｅｌｅｃｔｒｏｎ  Ｉｍａｇｉｎｇ：背景電子撮像）を含む電子顕微鏡技術によって金属粒子を通常検出、特定する。これらの方法は、金属の電子密度が高い性質、または金属の原子数が多いことを利用して、高密度の金属によって生成される多数の２次電子および逆散乱電子により、金粒子を検出するものである（Hayat,Immunogold-silver staining reference Ｐａｇｅ  １、Ｃｈａｐｔｅｒｓ  １、６、１５；Hayat,Colloid Gold reference Ｃｈａｐｔｅｒｓ  １、５、７他を参照のこと）。
【００２６】
光学顕微鏡の研究における金および銀強化金粒子の使用についてのいくつかの報告が提示されている。例えば、１９７８年に、光学顕微鏡による検出に免疫金染色剤として金粒子が使用された。１９９５年に出版された光学顕微鏡での金粒子の使用に対する考察（Hayat,Immunogold-Silver Staining Reference  Ｐａｇｅ  ３を参照）では、この１９７８年の試みについて議論し、以下のように分析している。
【００２７】
「Geoghehan他（１９７８年）は、パラフィン切片を用いた光学顕微鏡免疫金染色に赤またはピンク色のコロイド金のゾルを初めて使用した。準薄樹脂切片において、１４ｎｍ程度の小さな金粒子から散乱する赤色の光が、光学顕微鏡における高濃度の標識抗原を含む細胞オルガネラに認められた（LucocqおよびRoth、１９８４年）。光学顕微鏡における免疫金染色の感度は、他の細胞免疫化学技術に比べて劣っているため、前者は一般的な承認を得られなかった。金の堆積物のピンク色を視覚化するのは困難である」。
【００２８】
このパラグラフは、診断および分析試験に対する金および他の金属粒子の光散乱特性の理解の状態を示す指標になる。該パラグラフは、具体的には、「準薄樹脂切片において、光学顕微鏡における高濃度の標識抗原を含むオルガネラに１４ｎｍ程度の小さな金粒子からの赤色光の散乱が認められた」と述べている。
【００２９】
しかしながら、白色光の照明では、１４ｎｍの金粒子からの散乱光はほぼ緑色になる。光学顕微鏡では粒子は赤色に見えるため、このことは、純粋の光散乱以外の作用が検出されていることを示唆するものである。おそらく、光学顕微鏡で観察される赤色は、ほとんどが透過光であって散乱光ではない。金粒子が細胞、組織切片または他の表面の対象部位に十分に蓄積されると、透過光による赤色が認められることになる（J.Roth（１９８３）Immunocytochemistryに:217；およびDewaele他（１９８３）in「Techniques in Immunochemistry」Ｖｏｌ２ｐｌ、Eds.Bullock and Petrusz,Academic Pressも参照のこと）。
【００３０】
上記引用において述べたように、光学顕微鏡における免疫金染色の感度は他の方法より劣っていると考えられており、光学顕微鏡検出のためのマーカーとしての金粒子の使用は、一般的には受け入れられなかった。１９９５年の考察書の第１２章のｐ１９８（Gao）における同一のテーマに対する記述を以下に引用する。
【００３１】
「コロイド金は、電子密度が高い性質、および二次電子放射特性を有するため、当初は電子顕微鏡（ＥＭ）のためのマーカーとしてしか使用されなかった（Horisberger、１９７９年）。光学顕微鏡（ＬＭ）においてコロイド金を直接視覚化することには限界があった。コロイド金は、サイズが小さいため光学顕微鏡レベルでは検出されないが、高濃度の免疫金細胞を使用すれば、この試薬により赤に染色することができる（Geoghegan他、１９７８年；Roth、１９８２年；Holgate他、１９８３年）」。
【００３２】
上記引用のいずれにおいても述べられているように、光学顕微鏡によるコロイド金の検出の感度は低いと考えられていた。この認識された欠点を克服するために、金粒子の銀強化方法が開発された。１９９５年の考察書からの他の引用文を以下に示す。
【００３３】
「光学顕微鏡に対する免疫金染色についての真の画期的発明は、５ミクロンのパラフィン切片において免疫グロビンに結合するコロイド金粒子（２０ｎｍ）の銀強化の導入によるものであった（Holgate他、１９８３年）。このアプローチによって、光学顕微鏡における抗原検出性の感度、効率および精度が著しく高められた。ＩＧＳＳを使用して、径が１ｎｍ程度の金粒子を光学顕微鏡において視覚化することができる。ＩＧＳＳを施した薄切片は、特に位相差またはエピ偏光照明を利用することによって光学顕微鏡でも観察することが可能である（Stierhof他、１９９２年）」。
【００３４】
金粒子の銀強化法は広く使用されている。該強化方法は、マーカー金粒子をより大きな金属粒子、または径がミクロン以上のさらに大きな構造体に変換する。これらの構造体は主に銀で構成され、当該拡大粒子を明視野光学顕微鏡においてより容易に視覚的に検出することが可能になる。単一拡大粒子は、高解像度レーザ共焦点エピ偏光光学顕微鏡（Ｉｄ．２６および２０３）によって視覚化された。
【００３５】
しかしながら、銀強化技術を用いても、他の方法の感度および特定性におよばないであろうということが当業者によって指摘されている。例えば、Vener,t.I.他「Analytical Biochemistry  １９８：３０８−３１１（１９９１）において、著者は、ラテックス・ハイブリダイゼーション分析（ＬＨＡ）と呼ばれる新しい高感度検体検出法について論じている。この方法において、彼らは、数多くの高蛍光染料分子で満たされた径が１．８ミクロンの大きなポリマー粒子を検体トレーサーとして使用し、蛍光信号により結合検体を検出する。この文献からの抜粋を以下に示す。
【００３６】
「ＬＨＡのメリットを評価するために、我々の技術と、文献に記載された他の２つの間接的な非放射性技術とを比較した。比較対象となる最も適切な技術は、競合的な粒子技術であるという理由から、ハイブリダイゼーション信号の銀強化を伴うストレプタビジン・コロイド金法である。しかしながら、この方法は、銀強化の追加的な工程を有するものの、さほど感度が高くない。この方法により８ｐｇのλファージＤＮＡが検出されるのに比べて、ナイロン膜上のＬＨＡにより０．６ｐｇまたは２×１０４分子のλＤＮＡが検出される」。
【００３７】
Stimpson他．、Proc.Natl.Sci.USA，９２：６３７９−６３８３、Ｊｕｌｙ  １９９５には、ＤＮＡハイブリダイゼーションの検出のためのリアルタイム検出法が記載されている。著者は、ターゲットＤＮＡ上の粒状標識の使用について、
「導波管の消散波（エバネセント波）によって照明されたときに光散乱源として作用し、表面に結合した標識のみが信号を生成する。．．．導波管によって生成された渉散波を使用して、導波管表面に配置された複数のＤＮＡ捕獲ゾーンに吸収される粒状標識からの光を散乱させる。渉散波は、単に導波管表面から数百ナノメートルに伸びるだけであるため、未結合／解離標識は、光を散乱せず、洗浄工程は必要とされない。信号強度は、表面結合を測定するのに十分であり、光散乱標識の脱離をリアルタイムで調べることができる。すなわち、検出はレート制限がない。チップ上のハイブリダイゼーション・パターンを目視評価するか、または１／３０秒の８ビット・ビデオ・フレーム・グラバを備えた標準的なＣＣＤカメラを使用することによって定量分析用に取得することができる」と記載している。
【００３８】
７０ナノメートル経の金粒子および２００ナノメートル経のセレニウム粒子を用いて実験が行われた。セレニウム粒子のほうがより強い信号が観察された。著者は、以下のことを示している。
【００３９】
「単独ベースの識別に十分な導波信号は、４ｎｍと４０ｎｍの間のＤＮＡで生成されたため、蛍光信号系と同等である」。
【００４０】
この方法は、導波管および消散型照明を使用している。加えて、該方法は、現行の蛍光ベースの検出システムと同程度の感度を有する。径が７０ｎｍ以上の粒子が好ましいと言われている。これは、米国特許第５，５９９，６８８号（Stimpson他）にも記載されている。
【００４１】
米国特許第５，０１７，００９号（Schutt他）には、リガンドまたは不均質な形のリガンド結合パートナを検出するための免疫測定システムが記載されている。該システムは、
「免疫反応によって界面に運ばれたコロイド状金粒子の存在によって乱された消散波からの逆散乱光の検出に基づいている。臨界角より大きい背面角に検出器を配置することによって、優れた信号／雑音比が保証される」。
【００４２】
著者は、記載の免疫測定システムは、散乱された全内部反射、すなわち消散波の伝搬を利用したものであると説明している。彼らは、コロイド状金の存在によって消散波の伝搬が妨害されて散乱光が生じ、それを光電子増倍管または他の光センサーによって検出して応答信号を与えることができることを示している。彼らは、彼らの発明の重要な態様は、検出器の物理的な位置であることを示している。
【００４３】
「理想的には、検出器を臨界角より大きい角度に配置し、光源に向かって散乱する光のみが検出される位置に配置する。このような位置に配置することにより、大容量液体媒体内の上位散乱光の検出が理想的に回避される」。
【００４４】
入射光線の全内部反射を用いて、消散波モードの照明を生成し、光透過面に対して検出を行う。特殊な装置を使用することが好ましい。
【００４５】
米国特許第４，３１３，７３４号（Leuvering）には、「径が少なくとも５ｎｍの、金属、金属化合物、または金属もしくは金属化合物を塗布したポリマー核の」粒子を結合させることによって得られる標識化合物を使用することによって特定の結合タンパク質を検出する方法が記載されている。該方法は、ハプテン、抗原および抗体の如き免疫化学化合物の推定に特に適していると言われる。金属粒子は、電子顕微鏡検査におけるコントラスト強化標識として既に使用されていると言われているが、免疫測定での使用は、
「これまでにまだ報告されておらず、驚いたことには可能であることが証明された。
【００４６】
開発された即効的な発明による金属ゾル粒子免疫化学技術は、既知のラジオおよび酵素免疫技術より高感度でありうるばかりでなく、異なる化学組成のゾル粒子を標識として利用することにより、同時に同一の試験媒体における２つ以上の免疫成分を実証し、確定することを更に可能にするものである」。
【００４７】
金属の例としては、白金、金、銀、銅、およびそれらの塩が挙げられる。
【００４８】
「金属、および／または反応混合物の特定相に凝集体を含む成形金属の物理的特性および／または濃度の測定は、それ自体知られている多くの技術を用いて行うことができる。これらの技術の例としては、物理化学的変化によって色を更に変化させるいくつかの分散物の強い色を利用する比色定量；金属ゲルが着色する上述の事実に鑑みて既に定量にしばしば応用されている視覚的方法；フレーム放射分光測光、または同時測定を可能にする他のプラズマ放射分光測光法、および高感度なフレームレス原子吸光分析法を挙げることができる」。
【００４９】
フレーム放射分光測光または他のプラズマ分光測光法を用いることによって、試料中の２つ以上の検体を検出するのが好ましい。最高の感度に対する好ましい検出法は、フレームレス原子吸光分析によるものである。
【００５０】
米国特許第５，３５０，６９７号（Swope他）には、光を臨界角より小さい角度で試料に誘導するように光源を配置することによって散乱光を測定する装置が記載されている。臨界角の範囲外の散乱光を検出する検出器が配置される。
【００５１】
米国特許第４，４８０，０４２号（Craig他）には、光散乱免疫測定における高屈折率粒状試薬の使用が記載されている。好ましい粒子は、ポリマー物質から構成される。生物学的対象の化合物の濃度は、粒子凝集、または凝集の抑制によって生じる濁度変化を測定することによって求められる。好ましい粒子は、径が約０．１μより小さく、０．０３μより大きいものとする。「３４０ｎｍのような短波長のほうが、４００ｎｍのような長波長より信号差が大きくなる」。
【００５２】
米国特許第４，８５１，３２９号（Cohen他）および米国特許５，２８６，４５２号（Hansen）には、光学的パルス粒径分析によって、または光学的流動粒子分析装置を使用することによって凝集粒子を検出する方法が記載されている。これらのシステムは、抗原または抗体濃度の測定に有用であると言われている。これらの方法には、精巧な装置、および特殊な信号処理手段が用いられる。好ましい粒径は、Ｃｏｈｅｎの方法では約０．１から１ミクロンで、Hansenの方法では約０．５から約７．０ミクロンである。
【００５３】
Okano他、Analytical Biochemistry  ２０２：１２０、１９９２には、倒立光学顕微鏡でカウントすることができる微粒子を利用して不均質なサンドウィッチ免疫測定が記載されている。該微粒子は、径がおよそ０．７６ミクロンで、アクリル酸エステルから製造されたカルボキシル化微粒子であった。
【００５４】
米国特許第３，９７５，０８４号（Block）、米国特許第５，２７４，４３１号（Kuroda）、米国特許第５，３０５，０７３号（Ford，Jr）、米国特許第５，２５７，０８７号（Furuya）、および米国特許第５，３１１，２７５号（Taniguchi他）には、他の粒子検出方法が記載されている。
【００５５】
Geoghegan他、Immunological Communications  ７：１−１２、１９７８には、他の抗体の間接的な検出に向けてウサギの抗ヤギＩｇＧを標識するためのコロイド金の使用が記載されている。光および電子顕微鏡を使用して標識粒子が検出された。金粒子は、平均粒径が１８から２０ナノメートルで、明視野光学顕微鏡が使用された。電子顕微鏡では、アラルダイト銀−金薄切片が使用された。免疫蛍光とコロイド金明視野法によって同様の比率の表面標識細胞が認められた。電子顕微鏡法によって細胞当たり１から５個の粒子を検出することが可能であったが、著者は以下のように述べている。
【００５６】
「このような少量の標識は、蛍光または明視野顕微鏡法によって検出されておらず、ＧＡＤおよびＧＡＭ上の低レベルの表面免疫グロブリン（Ｓ．Ｉｇ）が細胞を処理した非特定かつＦｃ受容体結合性のＧＡＤおよびＧＡＭを表しうる」。
【００５７】
米国特許第５，０７９，１７２号（Hari他）には、抗体反応に金粒子を使用すること、および電子顕微鏡を使用してこれらの粒子を検出することが記載されている。１５ナノメートルの金粒子が例示されている。好ましい方法では、電子顕微鏡が使用される。
【００５８】
米国特許第４，４２０，５５８号（De Mey他）には、金標識抗体で標識された細胞を数える明視野光学顕微鏡法の使用が記載されている。該方法は、明視野構成の光学顕微鏡を使用し、油浸レンズによる５００倍以上の倍率を用いて、金標識ペルオキシダーゼ陰性細胞をカウントする。標識表面の視覚化は、金粒子の凝集特性に基づき、それらは、指定された雰囲気において大規模なパッチ形成を生じるが、細胞表面上のこれらのパッチは記載の方法によって解決可能である。４０ナノメートルの菌が最適な結果を与えることが確認された。
【００５９】
米国特許第４，４４６，２３８号（De Mey他）には、組織切片において赤色マーカーとしての金標識免疫グロブリンを局在化させる同様の明視野光学顕微鏡免疫組織化学法が記載されている。免疫金染色（ＩＧＳ）法について著者は以下のように述べている。
【００６０】
「どちらの手順においても、最終生成物は、抗原含有領域上の多数の金粒体の蓄積物であるため、典型的な赤色のコロイド金のゾルが生成される」。
【００６１】
米国特許第４，７５２，５６７号（DeBrabander他）には、明視野またはエピ偏光学顕微鏡法を用いることによって径が２００ｎｍ未満の単一金属粒子を検出する方法が記載されており、またビデオ・カメラによるコントラストの強化が記載されている。発明人は以下のように述べている。
【００６２】
「典型的には、上述の手順において、採用される金属粒子は約１０ｎｍから約１００ｎｍの径を有する。これは、一般に２００ｎｍ付近であるとされる明視野顕微鏡法の解像度限界をはるかに上回る。したがって、従来知られているどの視覚的光学顕微鏡法も、金属粒子の不動凝集体の検出に応用するには限界があったというのは極めて理にかなっている。単一粒子は、超顕微鏡法、特に電子顕微鏡によってのみ観察可能であった。
【００６３】
今では驚いたことに、得られた画像に電子コントラスト強化を施せば、径が２００ｎｍ未満の単一金属粒子を、可視領域の明視野光学顕微鏡法またはエピ偏光学顕微鏡法によりはっきりと目視することが可能である」。
【００６４】
後続のセクションにおいて、著者は以下のように述べている。
【００６５】
「ゾル粒子免疫測定に基づく既存の診断法と比較すると、この方法ははるかに高感度である。実際、既存の方法は、概して、大量の吸収または懸濁金属粒子による光の吸収または散乱に基づくものである。明らかに、例えば吸取媒体上の色の観察には、多数の粒子の存在が必要である。それとは対照的に、この方法は、単一粒子の観察およびカウントを可能にする。したがって、この方法により、既存の、例えば視覚的または比色分析技術では感度が低すぎて、例えば肝炎の検出ができない用途に対する診断ブロットの開発が大いに促進される」。
【００６６】
Schafer他、Nature  ３５２：４４４−４４８、１９９１には、ビデオ強化微分干渉コントラスト顕微鏡法を用いて観察することが可能なナノメートル・サイズの金の粒子を使用することが記載されている。４０ナノメートル経の金粒子が使用された。
【００６７】
DeBrabander他、Cell Motility及びCytoskeleton  ６：１０５−１１３、１９８６（および米国特許第４，７５２，５６７号）には、超顕微鏡的な金粒子、および明視野ビデオ・コントラスト強化の使用が記載されている。具体的には、５から４０ナノメートル経の金粒子を用いた明視野ビデオ強化コントラスト顕微鏡法によって細胞の観察が行われた。著者は、また、以下のように述べている。
【００６８】
「ガラスまたは細胞に吸収され、または細胞に微注入される、径が１００ナノメートル前後より小さい単一金粒子を光学顕微鏡で見ることはできない。しかしながら、ビデオ・カメラの機能を用いてコントラストを電子的に強化すると容易に視覚化される」。
【００６９】
著者は、偏光および反射光の集合体によるエピ照明、または単色光および単純なカメラを用いた透過明視野照明による「より簡単で明らかにより高感度な方法」の利用によるエピ照明の使用について記載している。著者は、位相差顕微鏡法によって金粒子を容易に検出できることを示している。
【００７０】
「より大きな金（通常は２０から４０ｎｍ）では可能であるが、例えば微小管の如き構造体上のさらに高密度の５ｎｍの金の蓄積物は光学顕微鏡で見ることはできない。それらは、検出可能な赤色を生成しない。最近、これを銀塩による物理的現像によって補正したことで、粒子の径が拡大されて、見やすい黒色染色が生成されている。
【００７１】
我々は、ほぼ分子レベルでリガンドを局在化する方法を記載した。該方法は、背景構造と明確に区別することが可能な個々のマーカーを用いて、光学顕微鏡で初めてこれを可能にするものであるため、新規な方法である。生きた細胞にも適用可能であるため、個々のタンパク質の動的な挙動を追うことが可能である。該方法は、十分に発達した２つの技術、すなわち金標識とビデオ顕微鏡法とを組み合わせた方法だからである。最も優れた１００倍の油浸対物レンズより低価格の安価なビデオ装置によってほとんどの用途をまかなうことができる。これを近代的なデジタル画像操作と組み合わせると、更に多くの可能性が生み出される。いくつかの追加的な利点は注目に値する。標識は個々のマーカーから構成されるため、手動計数も自動（コンピュータ支援）計数も簡単かつ確実である。マーカーのサイズが小さいため、浸透および拡散の問題が最小限に抑えられる。マーカーの充填量を自由に変更できることは、任意の特定用途において非特異的結合を弱めるのに役立つ」。
【００７２】
この方法は、著者により、「微小ビデオ超顕微鏡法、またはショート・ナノビド超顕微鏡法」と名づけられた。同様の技術が「Greets他、Nature  ３５１：７６５−７６６（１９９１）」に記載されている。
【００７３】
光散乱粒子を標識として使用する検体検出が、ＰＣＴ／ＵＳ／９７／０６５８４（ＷＯ９７／４０１８４）（Yguerabide他）およびＰＣＴ／ＵＳ９８／２３１６０（ＷＯ９９／２０７８９）（Yguerabide他）に記載されている。該技術の要素は、Yguerabide＆Yguerabide，Anal．Biochem．２６１：１５７−１７６（１９９８）、およびＡｎａｌ．Ｂｉｏｃｈｅｍ．２６２：１３７−１５６（１９９８）にも記載されている。
【００７４】
分析に光散乱（「プラズモン共振」と称する）標識を利用する方法は、ＰＣＴ／ＵＳ９８／０２９９５（ＷＯ９８／３７４１７）（Schultz他）にも記載されている。Schultz他の文献に記載されている方法は、一般に、個々のプラズモン共振粒子または要素の検出に基づくものである。
【００７５】
米国特許第６，１７１，７９３Ｂ１号（Phillips他）には、蛍光レポーター・グループで標示される遺伝子プローブ・アレイに対する検出器のダイナミックレンジを拡張する方法が記載されている。該方法は、一方の波長における信号強度はアレイのいくつかのサイトに対する検出器のダイナミックレンジを超えうるのに対して、他方の波長における信号強度は検出器のダイナミックレンジ内にある２つの異なる波長におけるアレイ上の複数のサイトから光信号を収集することを含む。アレイ上のすべてのサイトに対する２つの異なる波長における検出器応答のグラフに対する関数適合に基づいて、縮尺率相関関数を計算する。一方の波長において検出器を飽和させる信号を発生したサイトに対しては、検出器が飽和した波長の信号を外挿できるように、それが検出器のダイナミックレンジ内にある他の波長の信号に縮尺率相関関数を適用する。
【００７６】
光散乱法、光散乱粒子の利用、および診断分野での方法についての最新技術についての上述の説明は、現行の検体検出方法の限界、ならびに本発明の新規性および高い有用性を明確に示している。
【特許文献１】
米国仮出願番号６０／２７１，０８９
【非特許文献１】
「Absorption and scattering of Light by Small Particles」(１９８３)，c.f.Bohren，d.r.Huffman，John Wiley and Sons;「The Scattering of Light and Other Electromagnetic Radiation」（１９６９）、M.Kerker,Academic Press。
【非特許文献２】
Zsigmondy、「Colloids and the Ultramicroscope-A Manual of Colloid Chemistry and Ultramicroscopy」、１９１４、John Wiley & Sons,Inc.
【非特許文献３】
Hunter、「Foundation of Colloid Science」、Ｖｏｌ、Ｉ、１０５、１９９１
【非特許文献４】
Shaw他、「Introduction to Colloid and Surface Chemistry」、２ｎｄ  ｅｄ．、４１、１９７０
【非特許文献５】
Stolz、SpringerTracts、Ｖｏｌ．１３０
【非特許文献６】
Klein and Metz、５「Photographic Science and Engineering」５−１１、１９６１
【非特許文献７】
Eversole and Broida,１５「Physical Review」１６４４−１６５４、１９７７
【非特許文献８】
Kreibig and Zacharias,２３１「Z.Physik」１２８−１４３、１９７０
【非特許文献９】
Bloemer他、３７「Physical Review」８０１５−８０２１、１９８８
【特許文献２】
米国特許第５，１５１，９５６号
【非特許文献１０】
Ｗｉｅｇｅｌ、１３６「Zeitschrift fur Physik」、Ｂｄ．６４２−６５３、１９５４
【非特許文献１１】
Hayat、Immunogold-silver Staining reference  Ｐａｇｅ  １、Ｃｈａｐｔｅｒｓ  １、６、１５
【非特許文献１２】
Hayat,Colloid Gold reference、Ｃｈａｐｔｅｒｓ  １、５、７
【非特許文献１３】
J.Roth（１９８３）Immunocytochemistry２：２１７
【非特許文献１４】
Dewaele他（１９８３）「Techniques in Immunochemistry」Ｖｏｌ２ｐｌ、Eds.Bullock and Petrusz,Academic Press
【非特許文献１５】
Vener,T.I.他「Analytical Biochemistry」  １９８：３０８−３１１（１９９１）
【非特許文献１６】
Stimpson他、Proc.Natl.Sci.USA、９２：６３７９−６３８３、Ｊｕｌｙ  １９９５
【特許文献３】
米国特許第５，５９９，６６８号
【特許文献４】
米国特許第５，０１７，００９号
【特許文献５】
米国特許第４，３１３，７３４号
【特許文献６】
米国特許第５，３５０，６９７号
【特許文献７】
米国特許第４，４８０，０４２号
【特許文献８】
米国特許第４，８５１，３２９号
【特許文献９】
米国特許５，２８６，４５２号
【非特許文献１７】
Okano他、Analytical Biochemistry  ２０２：１２０、１９９２
【特許文献１０】
米国特許第３，９７５，０８４号
【特許文献１１】
米国特許第５，２７４，４３１号
【特許文献１２】
米国特許第５，３０５，０７３号
【特許文献１３】
米国特許第５，２５７，０８７号
【特許文献１４】
米国特許第５，３１１，２７５号
【非特許文献１８】
Geoghegan他、Immunological Communications  ７：１−１２、１９７８
【特許文献１５】
米国特許第５，０７９，１７２号
【特許文献１６】
米国特許第４，４２０，５５８号
【特許文献１７】
米国特許第４，４４６，２３８号
【特許文献１８】
米国特許第４，７５２，５６７号
【非特許文献１９】
Schafer他、Nature  ３５２：４４４−４４８、１９９１
【非特許文献２０】
DeBrabander他、Cell MotilityおよびCytoskeleton  ６：１０５−１１３、１９８６
【特許文献１９】
米国特許第４，７５２，５６７号
【非特許文献２１】
Greets他、Nature  ３５１：７６５−７６６（１９９１）
【特許文献２０】
ＰＣＴ／ＵＳ／９７／０６５８４（ＷＯ９７／４０１８４）（Yguerabide他）
【特許文献２１】
ＰＣＴ／ＵＳ９８／２３１６０（ＷＯ９９／２０７８９）（Yguerabide他）
【非特許文献２２】
Yguerabide& Y guerabide、Anal.Biochem.２６１：１５７−１７６（１９９８）
【非特許文献２３】
Yguerabide & Yguerabide,Anal.Biochem.２６２：１３７−１５６（１９９８）
【特許文献２２】
ＰＣＴ／ＵＳ９８／０２９９５（ＷＯ９８／３７４１７）（Schultz他）
【特許文献２３】
米国特許第６，１７１，７９３Ｂ１号
【特許文献２４】
ＷＯ９７／４０１８１
【特許文献２５】
ＷＯ９９／２０７８９
【非特許文献２４】
Immunogold-Silver Staining,Principles,Methods and Applications、ＣＲＣ  Ｐｒｅｓｓ、１９９５年  Ｍ．Ａ．Ｈａｙａｔ編
【非特許文献２５】
M.Horisberger,Scanning Electron Microscopy（１９８１）、２、９−３１
【非特許文献２６】
Heller他（１９６０）、Journal of Polymer Science、４７、２０３−２１７
【非特許文献２７】
Nuzzo他（１９８３）、Journal of the American Chemical Society、１０５、４４８１−４４８３
【非特許文献２８】
Allara他（１９８４）、Langmuir、１：４５−５２
【非特許文献２９】
Bain他（１９８３）、Journal of the American Chemical Society、１１１：３２１−３３５
【特許文献２６】
米国特許第５，４３２，０９９号
【非特許文献３０】
Fodor他、Nature  ３６４：５５５（１９９３）
【特許文献２７】
米国特許第５，５９９，６６８号
【非特許文献３１】
Stimpson他、Proc.Natl.Acad.Sci.、ＵＳＡ、６３７９−６３８３（１９９５）
【非特許文献３２】
Fodor他、Nature  ３６４：５５５（１９９３）
【特許文献２８】
米国特許第５，２０２，２３１号
【特許文献２９】
米国特許第５，５２５，４６４号
【非特許文献３３】
Chee他、Science：２７４、６１０−６１４（１９９６）
【特許文献３０】
米国特許第５，５７８，８３２号
【非特許文献３４】
Fodor他、Nature  ３６４：５５５（１９９３）  Schena他、Science（１９９５）２７０：４６７−４７０
【非特許文献３５】
Shalon他、Genome Research  ６：６３９−６４５
【非特許文献３６】
Hatano他、Anal.Chem.６９：２７１１−２７１６（１９９７）
【非特許文献３７】
Kanota他、Anal.Chem.６９：２７０１−２７１０（１９９７）
【非特許文献３８】
Chemical Reviews Volume  ９７、Ｉｓｓｕｅ  ２（１９９７）
【非特許文献３９】
Lam他、Chemical Reviews  ９７：４１１−４４８（１９９７）
【発明の開示】
【発明が解決しようとする課題】
【００７７】
本発明の目的は、光散乱に基づく診断測定の現行の限界と欠点を克服するばかりでなく、信号および検体分子の増幅のような他の非光散乱法の限界と欠点を克服することである。ここに記載する本願発明は、使用が容易で、検出感度がより高く、以前に比べて、より広い検体濃度範囲にわたる検体の測定が可能である。本発明は、検体検出のための信号生成および検出システムとして、たいていの試料タイプおよび分析形式に広く適用可能である。
【課題を解決するための手段】
【００７８】
本発明は、光散乱粒子から集めた光を利用する方法において、試料内の１つまたは複数の検体を検出、測定する有利な方法を提供する。特に、該方法は、共振光散乱（Ｒｅｓｏｎａｎｃｅ  Ｌｉｇｈｔ  Ｓｃａｔｔｔｅｒｉｎｇ，ＲＬＳ）粒子標識とともに用いられる。ＲＬＳ標識の使用については、ＷＯ９７／４０１８１およびＷＯ９９／２０７８９に記載されており、この文献は、図面を含めた全体が参照により本明細書に組み込まれるものとする。本発明の方法は、検体分析に対するダイナミックレンジを拡張し、複数の個別的なアドレス可能サイトを含む形式で実施される分析に特に有利である。当該形式を採用する分析には、典型的には、マイクロタイター・プレート、スライド・アレイおよびマイクロアレイが使用される。
【００７９】
ＷＯ９７／４０１８１およびＷＯ９９／２０７８９（Ｙｇｕｅｒａｂｉｄｅ他）に記載されているように、ＲＬＳ粒子を標識として使用する方法において、粒子の光散乱特性の検出および／または測定が、試料中の１つまたは複数の検体の存在、および／または存在量、あるいは不存在に関連づけられる。当該方法は、粒径が好ましくは照明光の波長より小さい少なくとも１つの検出可能光散乱粒子に試料中の１つまたは複数の検体を結合させることによってそれらの検体を検出することを含む。この粒子は、粒子により光線から散乱される光が、５００倍未満の倍率で拡大すると人の目によって検出することができる条件で、光線により照明される。次いで、それら１つまたは複数の検体の存在の尺度として、その条件において、粒子から散乱される光を検出する。単に適切な照明を確保することによって、また特定の散乱光の最大限の検出を確保することによって、極めて高感度な検出方法を得ることができる。
【００８０】
多くの分析法の性能において、検出器の「好ましいレンジ」とも呼ばれる、検出が実質的に線形であるダイナミックレンジの幅が広いことは大いに有利である。すなわち、様々な試料からの信号を検出することができ、検体濃度または密度の少なくともいくつかの桁の変動に対して検体の存在を定量することができる。好ましくは、信号は、幅広いレンジ、好ましくは４、５、６，７またはそれより大きい桁にわたって存在する標識粒子の数に比例する。すなわち、標識濃度または密度と信号強度の間に定量可能な、好ましくは直線関係が存在する。当該幅広いダイナミックレンジ、好ましくは線形ダイナミックレンジは、例えば信号検出および／または信号処理における様々な技術によって様々な方式で提供されうる。以下に説明するように、上記の様々な技術は、単独で使用することもできるし、組み合わせて使用することもできる。ダイナミックレンジの拡張は、光散乱粒子標識からの散乱光の電子的検出に特に好適であるが、他のタイプの粒状標識にも適用可能である。例えば、本明細書に記載の、ダイナミックレンジを拡張するための方法を蛍光標識に適用することができるが、小さな蛍光体に対しては、一般には、蛍光体が充填されたビーズ、例えばポリスチレン・ビーズを使用するのが極めて有利である。
【００８１】
多くの検出デバイス、特に電子検出デバイスは、検出光に対して検出デバイスが線形に応答するレンジが限定的で、単一露光で典型的には約３桁または３．５桁に限定され、かつ／または計測器の信号／雑音比が許容可能な制限付きレンジにされる。例えば、非常に弱い信号レベルにおいて、システムからの電子雑音が、定量の精度に有意な支障を来す可能性がある。いくつかの技術は、主に、センサーの固有の限界を補償または克服することにより、検出器が正確な定量を与えうるレンジを拡張することを目的としている。他の技術は、主に、標識自体の特性に固有のダイナミックレンジの限界を克服することを目的としている。
【００８２】
検体分析の範疇において、「ダイナミックレンジ」とは、検体またはその代用物に直接的または間接的に添付された（またはそこから脱離した）特定の標識の存在に基づいた分析において検出することが可能な検体要素の密度もしくは濃度または絶対数のレンジを意味する。ダイナミックレンジは、新たな試料を必要とせずに、単一の分析性能で定量化できるレンジであるのが最も好ましい。
【００８３】
好ましくは、ダイナミックレンジは、標識濃度または密度と信号強度（すなわち応答曲線）の相関関係の直線部で、この場合は、それを「線形ダイナミックレンジ」と呼ぶことができる。この方法では、典型的には、ダイナミックレンジは粒子、好ましくは分析で定量化することが可能な光散乱粒子の濃度または密度レンジによって実証される。概して、ダイナミックレンジは、標識特性およびセンサーの限界に依存するが、他の要因にも影響されうる。ダイナミックレンジに関連して、「拡張」とは、少なくとも４桁を包括するダイナミックレンジを意味する。本発明の方法において、拡張ダイナミックレンジは、好ましくは、粒子計数、または他のダイナミックレンジ拡張技術を用いることなく、単一露光で同じ検出器を使用して同じ分析条件のもとで得られたダイナミックレンジより大きい。
【００８４】
第１の態様において、本発明は、複数のサイトを伴う分析形式で、光放射粒子、好ましくは光散乱粒子を標識として使用する検体分析において、拡張ダイナミックレンジ、好ましくは線形ダイナミックレンジを提供する方法に関する。該方法は、複数のサイトの標識から散乱する集積光をセンサーで検出することを含み、該センサーの応答は、高または低標識カウント、あるいはその両方において非線形になりうる。すなわち、蓄積光は、高光蓄積において非線形になり、また究極的には定量不可能になる信号を生成する。当該高光蓄積（集積信号）は、勿論、低強度信号よりも（高粒子密度に対応する）高強度信号によってより急速に生じる。検出デバイスのための応答レンジ、好ましくは線形応答レンジ内の少なくともいくつかのサイトから信号を提供するように選択される複数の異なる露光時間を用いて検出を行う。少なくとも２つの異なる露光時間を使用し、検出器に対する定量可能な応答レンジ内にあるそれぞれのサイトに対応する結果（すなわち、測定による読出し）を提供するように結果を選択する。
【００８５】
得られる拡張線形ダイナミックレンジは、少なくとも４桁、より好ましくは少なくとも５、６、７またはそれを上回る桁数であるのが好ましい。
【００８６】
好ましい実施形態において、各々のサイトに対する２つ以上の異なる露光時間からの結果を組み合わせて、所定のサイトの複合画像を形成する。異なる露光時間に対してそれらの値を正規化するために、拡大縮小が用いられる。当該組合せは、２つ以上の結果の集合体に対して対的に行うことが可能である。あるいは、対応するすべての読出し（例えば画素）を評価し、好ましいレンジの値を選択することによって上記の組合せを行うことが可能である。
【００８７】
好ましい実施形態において、複数の異なる露光時間は２つの異なる露光時間で、３、４、または５以上の異なる露光時間を利用することもできる。
【００８８】
異なるタイプの光センサーとともに、いくつかの異なる検出器を利用することもできる。好ましくは、センサーは、カメラにおけるセンサーで、好ましくは電子センサー、好ましくはデジタル・センサーである。センサーは、画像センサーであるのが好ましい。特定の用途において、２つまたは３つ以上のセンサーを利用して、例えば異なる強度および／または他の異なる特性の信号を検出するのが望ましいこともある。好ましい実施形態において、検出デバイスは、ＣＣＤセンサー、ＣＩＤセンサーまたはＣＭＯＳセンサーを利用する。好ましい実施形態において、センサーは、非ブルーミングまたはブルーミング抵抗センサーである。
【００８９】
本明細書において他の態様についても記載するように、好ましい実施形態において、個別的にアドレス可能な（位置を特定することが可能な）複数のサイトは、スライド上、チップ上、膜上、ゲル内、アレイ内、マイクロアレイ内、細胞内、細胞上、組織切片内に存在する。
【００９０】
詳細な説明に記載されているように、拡張ダイナミックレンジ、好ましくは線形ダイナミックレンジは、少なくとも４桁、より好ましくは少なくとも５、６または７桁以上とするのが好ましい。好ましい実施形態において、該方法は、単一の露光時間を利用する場合に比べて、ダイナミックレンジ、好ましくは線形ダイナミックレンジをダイナミックレンジ、好ましくは線形ダイナミックレンジに対して少なくとも１桁拡張する。より好ましくは、ダイナミックレンジを少なくとも２または３桁以上拡張する。
【００９１】
好ましい実施形態において、検出デバイスに対する線形応答レンジ内の信号を提供するように異なる露光時間を選択する。好ましくは、コンピュータによって異なる露光時間を選択かつ／または制御して、露光条件を最適化する。
【００９２】
ここでは、また本明細書に記載される他の態様において、様々な方式で複数のサイトの検出を行うことが可能である。例えば、複数のサイトを同時に走査することができ、１つまたは複数の異なるサイトを走査することができ、画像センサー、または複数の異なるセンサーの構成で複数のサイトを一緒に読み取ることができ、または画像センサー、または複数の異なるセンサーの構成で連続的なサイトの部分集合体を読み取ることができるなどの実現可能なサイトの読取り方法がある。画像センサーを使用して、複数の異なるサイトを読み取るときは、センサーは、サイト毎に少なくとも一画素、好ましくは複数の画素で各々のサイトを個別に画像化するのに十分な解像度を有するのが好ましい。
【００９３】
複数の露光時間の技術を、例えば弱信号による各サイトにおける粒子計数、および／または少なくとも１つのサイトから散乱する光がそのサイトの標識粒子の数に正比例しない強信号の非線形レンジにおけるサイトに対する信号のデコンボルーションによる他のダイナミックレンジ拡張技術と組み合わせることが可能である。ここでは、例えば本明細書に記載されているようなこれらの他の技術の様々な実施形態を利用することができる。
【００９４】
「分析形式」とは、標識を検出する、かつ／または検出のために標識を脱離させる様々な物理的形式を採用した分析構成要素の物理的構成または配置を意味する。分析形式は、「試料形式」とも呼ばれる。異なる分析形式には、例えば、スライド、チップ、膜、マイクロタイター・プレート、流動セル、キュベット、試験管、ゲル（例えばポリアクリルアミド・ゲルやアガロース・ゲル）の形式、ならびに小容量デバイス（マイクロリットルからピコリットルの範囲の容量のデバイス）における導管および液溜めを含む、異なる物理的形式が採用される。
【００９５】
ダイナミックレンジを拡張する方法に関連して、「サイト」とは、単一分析における物理的に不連続の空間、領域または位置を意味する。サイトは、分析形式によって決定される物理的形式に関連する。サイトは、不連続サイトが、オペレータまたは装置によって個別に識別されうる「アドレス可能サイト」であるのが好ましい。サイトのアドレス（特定された位置）は、試料および試薬の供給および／または検索、信号の検出、データ解析などのような様々な目的に利用できるが、それらに限定されない。典型的には、非限定的に、サイトは、異なる試料、検体、希釈率、サンプリングおよび／または異なる加工処理の存在に対応する。また、典型的には、異なるサイトは、サイト間の物理的感覚、例えば検体が結合しないプレートまたはチップの部分を有することになる。当該サイトおよびアドレス可能サイトの非限定的な例としては、スポット（マイクロアレイ・スポットを含む）、マイクロタイター・ウェル、ゲル内のスポットまたはバンド、膜またはフィルター上のスポットまたはバンド、小容量デバイスの導管および液溜め、ならびに染色体調製物、染色体またはその断片、区別可能な細胞区画、コンポーネント、オルガネラ、あるいは可視視野、細胞培養または組織切片における明確に異なる細胞が挙げられる。
【００９６】
「スポット」および「フィーチャ」という言葉もサイトを表すのに口語的に用いられる。複数サイトの分析形式に関連して、アレイ上のサイト（すなわちスポット）を表すのに「スポット」という言葉が使用されることになる。「フィーチャ」という言葉もしばしばこのように用いられるが、他の形式を表すのに使用することも可能である。
【００９７】
ここで用いられる「アレイ」とは、単一の物理的形式、例えばスライド、チップまたは膜における複数のサイトを意味する。該物理的形式における複数のサイトの構成は、試料形式または分析形式とも呼ばれる。好ましくは、試料形式は、平滑な試料胆持または試料結合面を有する固相物質である。好ましくは、アレイは、少なくとも４、６、８、１０、２０、５０、１００、２００、４００、８００または１０００、５０００または１００００個の個別的なサイトを含む。
【００９８】
検体分析標識およびこの方法の範疇において、「発光粒子」とは、分析の条件のもとで光を発する粒子を意味する。光を粒子によって発生させる必要があることを意味するものではない。例えば、入射光または蛍光の散乱によって発光させることができる。
【００９９】
同様に、「光散乱粒子」とは、検体分析における標識として有用性を発揮するのに十分な強度で、可視波長の光を散乱する粒子を意味する。例えば、当該粒子は、本明細書に記載されるように、金属または金属状物質を含む。どの粒子もある程度光を散乱することが認識されている。
【０１００】
ここで用いられるように、「集積強度」、「集積光」、「集積信号」および他の同様の言葉は、瞬間的な光強度、または検出器またはセンサーの最小集光期間に検出された光強度ではなく、ある期間にわたって集光された光を意味する。したがって、集光された集積光の量は、集光期間、その期間にわたる平均光強度、および集光器またはセンサーの集光効率に依存することになる。
【０１０１】
本発明は、拡張ダイナミックレンジ、粒状標識を使用する検体分析において、好ましくは線形ダイナミックレンジを提供する方法をも提供する。好ましくは、粒状標識は、散乱光を検出する光散乱粒子である。分析は、複数のサイト、好ましくは個別的にアドレス可能なサイトに対して実施される。該方法は、個別的な画素に対応する非破壊的な信号読出しを与える画像センサーで、複数の異なる信号蓄積時間により、複数の個別的アドレス可能サイトにおける信号を測定することを含む。個別的アドレス可能サイトからの信号は正規化され、それぞれのサイトに対応する正規化信号は、これらのサイトに存在する標識粒子の数の指標を与える。
【０１０２】
好ましくは、画像センサーにおける個別的な画素は、ランダム・アクセス画素である。好ましくは、個別的な画素、または画素群は、個別的に再設定可能である。好ましくは、画像センサーは、電荷注入デバイス・センサー（ＣＩＤセンサー）である。センサーがカメラであれば非常に好ましい。
【０１０３】
該方法の好ましい実施形態において、強信号サイトに対応する画素または画素群は、センサーに対する線形応答レンジ内に信号を維持するように選択される時間間隔または蓄積閾値で再設定される。好ましくは、少なくとも１つの強信号サイトに対応する蓄積信号が読み取られ、複数の蓄積間隔に対して合計または平均化される。複数の蓄積間隔に対して合計すると、センサーに対する適切な応答レンジ内の信号をすべて合算することによって、前記少なくとも１つの強信号サイトに対する全露光時間が長くなる。同様に、複数の蓄積間隔に対して平均化すると、測定に対する統計的有効性が増す。
【０１０４】
本発明は、フィルター、好ましくは光強度低減フィルターを使用する検体分析において、拡張ダイナミックレンジを提供する方法をも提供する。高強度の光を生成するサイトにおいて、フィルタリングを行うことによって、さもなければセンサーを飽和させるセンサー到達光量が低減される。
【０１０５】
本発明は、少なくとも１つの高密度サイトが十分な数の標識粒子を含むため、散乱光信号は標識粒子の数に正比例しない複数の個別的アドレス可能サイトに対応する信号を画像センサーで測定することにより、これらのサイトに粒子、好ましくは光散乱粒子を標識として使用する検体分析において、拡張線形ダイナミックレンジを提供する方法をも提供する。前記少なくとも１つの高密度サイトに対する集積光信号のデコンボルーションを利用することによって、該少なくとも１つの高密度サイトにおける粒子間の相互作用を補正し、分析に対する定量可能レンジを拡張する。デコンボルーション技術は、粒子の密度または濃度が高くなって、粒子が互いに著しく干渉したときの比例的な散乱光信号の損失を調整する。デコンボルーションは、経験的、解析的、またはその組合せでありうる。
【０１０６】
好ましくは、デコンボルーションによって、分析における定量のダイナミックレンジが少なくとも１桁、好ましくは少なくとも２桁拡張される。
【０１０７】
拡張ダイナミックレンジを提供するためのこの技術を組み合わせて利用することも   可能である。例えば、特定の実施形態において、該方法は、複数露光時間技術（あるいは、非破壊的な蓄積信号読出しを提供するセンサーの使用）、フィルタリング技術および／またはデコンボルーションとともに二重粒子計数／集積信号技術の実施形態を含む。特定の実施形態において、該方法は、デコンボルーションとともに複数露光時間技術の実施形態を含む。特定の実施形態において、該方法は、デコンボルーションの技術とともに、蓄積信号の非破壊的読出しを提供するセンサーを利用する技術の実施形態を含む。
【０１０８】
関連する態様において、複数の個別的アドレス可能サイトに発光粒子、好ましくは光散乱粒子を標識として使用して検体分析を行うためのシステム（装置）を提供する。該システムは、個別的アドレス可能サイトに光を提供する照明源と、個別的な画素または画素群の非破壊的読出しを提供する画像センサーとを含む。
【０１０９】
光散乱標識を含むシステムでは、好ましくは、照明光は、（臨界角がその構成に合わせて設計される場合に）入射光に対する臨界角より直角に近い角度でアレイサイトに誘導されるか、または入射光に対して臨界角が設定されない（すなわち、入射光が、界面を通って屈折率の高い媒体から屈折率の低い媒体に達することはない）。
【０１１０】
好ましくは、該システムは、複数の個別的アドレス可能サイトを含むサンプル・アレイ、例えばアレイまたはマイクロアレイ・スライド、チップ、膜、ゲル、マイクロタイター・プレート、または他のアレイ形式を含む。
【０１１１】
好ましくは、個別的な画素または画素群の非破壊的読出しを与えるセンサーは、好ましくはカメラの電荷注入デバイス（ＣＩＤ）センサーで、ランダム画素アクセスが可能なセンサーが好ましい。好ましくは、センサーは、各画素配列寸法に少なくとも５１２画素、例えば５１２×５１２の画素配列、より好ましくは各画素配列寸法に少なくとも１０２４画素、例えば１０２４×１０２４、または１０２４×５１２の画素配列を与える。１つまたは両方の寸法における解像度が高いほうが多くの用途、例えばスポットまたはフィーチャ密度の高い分析媒体に対してより好ましい。
【０１１２】
他の態様において、本発明は、複数の個別的アドレス可能サイトを有する分析媒体に粒子、好ましくは光散乱粒子を標識として使用する検体分析を行うためのシステムを提供する。該システムは、個別的アドレス可能サイトに光を提供する照明源と；画像を形成する、複数の個別的アドレス可能サイトに対する信号読出しを提供する少なくとも１つのセンサー、好ましくは画像センサーとを含む。該少なくとも１つのセンサーは、複数の異なる露光時間に信号読出しを提供することができる。該システムは、センサーから信号を受け取るとともに、不飽和画素値を選択することによって複数の異なる露光時間からの信号を合成（または選択）することにより、複数の個別的アドレス可能サイトに存在する標識粒子の数に対応する信号を提供するように構成されたコンピュータをも含む。
【０１１３】
好ましくは、該システムは、複数の個別的アドレス可能サイトを含むサンプル・アレイ、例えばアレイまたはマイクロアレイ・スライド、チップ、膜、ゲル、マイクロタイター・プレートまたは他のアレイ形式をも含む。
【０１１４】
他の態様において、本発明は、複数の個別的アドレス可能サイトに粒子、好ましくは光散乱粒子を標識として使用する検体分析を行うためのシステムを提供する。該システムは、個別的アドレス可能サイトに光を提供する照明源と；画像を形成する複数の個別的アドレス可能サイトに対する信号読出しを提供する少なくとも１つのセンサー、好ましくは画像センサーと；センサーから信号を受け取るとともに、非線形光散乱応答を、しかも補正可能な応答レンジ内で得るのに十分な粒子密度のサイトからの信号を畳み込むように構成されたコンピュータとを含む。したがって、該デコンボルーションは、複数の個別的アドレス可能サイトに存在する標識粒子の数に対応する信号を提供し、分析のダイナミックレンジを線形光散乱応答レンジからさらに拡張する。
【０１１５】
好ましくは、該システムは、複数の個別的アドレス可能サイトを含むサンプル・アレイ、例えばアレイまたはマイクロアレイ・スライド、チップ、膜、ゲル、マイクロタイター・プレートまたは他のアレイ形式をも含む。
【０１１６】
デコンボルーションを行うために、コンピュータは、デコンボルーションを行うための一連のソフトウェア命令を埋め込んだ記憶媒体を含むのが好ましい。
【０１１７】
拡張ダイナミックレンジを提供するための上記システムは、上述の技術のうちの２つまたは３つの技術を提供するコンポーネントを組み合わせて含むこともできる。したがって、システムは、非破壊的信号読出しを提供するセンサーとともに、デュアル・モード技術（集積信号または粒子計数）を実行するためのコンポーネント、または複数の露光時間を提供するためのコンポーネント、および／またはデコンボルーションを行うためのコンポーネントを組み合わせて含むことができる。同様に、システムは複数の露光を行うためのコンポーネント、およびデコンボルーションを行うためのコンポーネントを組み合わせて含むことができる。同様に、システムは、デコンボルーションを行うためのコンポーネントと組み合わせてデュアル・モード技術のためのコンポーネントを含むことができる。
【０１１８】
典型的には、複数露光技術（および関連コンポーネント）と、非破壊的信号読出しを提供するセンサーの使用は代替えとして扱われるが、単一の方法またはシステムにその両方を含めることも好適である。
【０１１９】
拡張ダイナミックレンジを提供する方法を、例えば本明細書に記載されているようなＲＬＳ粒子標識、ならびに他の粒状標識を利用する検体検出方法の多くの異なる実施形態、および消散波照明を用いた光散乱粒子法と併用することが可能である。
【０１２０】
ここに記載のＲＬＳに基づく方法および関連装置は、粒子からの散乱光のみを最大限に検出するように設計されているため、蛍光体を使用する場合、または当該粒子を上述の方法に使用する場合に比べて何倍も感度が高い。当該粒子は、信号の電子的増幅を何ら必要とすることなく、低倍率の顕微鏡（２から５００倍まで、例えば１０から１００倍の倍率）を使用することによって検出することが可能である。加えて、顕微鏡または撮像システムを一切必要とせず、光が散乱する液相または固相試料の１つまたは複数の光散乱特性を検出する方法が提供される。これらの散乱光特性を用いて、任意の特定試料中に存在する検体の有無または量を測定することができる。
【０１２１】
概して、光源を特定の方法（例えば偏光、レーザまたは高強度）で処理する必要はなく、粒体からの散乱光を検出できるように、誘導すればよいだけである。空間フィルターを使用して、非特異的な光の散乱を抑えることができる。他の計測コンポーネント、および迷光を低減する試料槽で当該フィルターを補強することができる。
【０１２２】
直接光は、多色性または単色性の光、定常光またはパルス光、凝集性または非凝集性の光とすることができる。それは偏光する必要がなく、発光ダイオード（ＬＥＤ）または１２ワット白熱電球などのような低電力光源から生成させることができる。光は、直接光自体が粒子によって散乱されない限り検出器によって観察されないような角度で粒子を含みうる試料に誘導される。該方法および装置はＳｗｏｐｅの方法および装置とは異なり、臨界角度内、好ましくは照明角度内で当該散乱を目視できるという点で優れている。しかしながら、臨界角より大きな角度で、かつ散乱光の前方方向の強度範囲の外側で検出することもできる。この方法を撮像装置、例えば顕微鏡に用いるときは、試料の平面に対して直角な検出器を使用するのが好ましい。
【０１２３】
より使い易くより安価な方法および装置を用いて、特定のタイプの粒子を、非常に低濃度まで、高度な特定性で、かつ幅広い濃度範囲にわたって検出、測定することが可能である。ＲＬＳ粒状標示を使用する方法は、より使い易く、より高感度で、より特定性の高い検体検出を可能にするとともに、従来の検体検出法より低コストである。
【０１２４】
理論的なモデリングおよび物理的実験によって、被覆金属状粒子は、非被覆金属状粒子と比べて同様の光散乱特性を有し、どちらも非金属状粒子に比べて優れた光散乱特性を有することが明らかになった。
【０１２５】
「金属状」粒子とは、金属、金属化合物、金属酸化物、半導体（ＳＣ）、超伝導体からなる任意の粒子または粒子状物質、あるいは少なくとも０．１重量％の金属、金属化合物、金属酸化物、半導体または超伝導体物質を含む混合組成物からなる粒子を意味する。
【０１２６】
「被覆」粒子とは、別の物質の層を表面に有する粒子を意味する。該層は、様々な試料環境において粒子を化学的に安定化させ、かつ／または分子的認識手段によって特定の検体を結合させるために存在する。当該被膜は、例えば、無機および有機化合物、ポリマー、タンパク質、ペプチド、ホルモン、抗体、核酸、受容体などである。
【０１２７】
「非金属状」粒子とは、金属、金属化合物、超伝導体、金属酸化物、半導体から構成されない粒子、または少なくとも０．１重量％の金属、金属組成物、金属酸化物、超伝導体または半導体物質から構成されない混合組成物を意味する。
【０１２８】
さらに以下のことが明らかになった。
【０１２９】
（１）金属状粒子の１つまたは複数の特異的光散乱特性の検出および／または測定によって試料中の１つまたは複数の検体を検出、測定することが可能である。これらの光散乱特性としては、散乱光の強度、波長、色、極性、角度依存性およびＲＩＦＳＬＩＷ（個々の粒子の回転による、散乱光の強度および／または波長の変動（ムラ））が挙げられる。これらの粒子散乱光の１つまたは複数の特性を用いて、試料中の検体に関する情報を提供することが可能である。
【０１３０】
（２）金属状粒子の粒径、および／または形状および／または組成を様々な組合せで変化させることによって、１つまたは複数の光散乱特性を調節して、より容易に検出および測定可能な光散乱信号を生成させることが可能である。
【０１３１】
（３）本明細書に記載のＲＬＳ粒子法による特定の粒径、形状および組成の金属状粒子の照明および検出は、その光散乱特性によって金属状粒子の検出および測定を行う非常に高感度で使い易い方法を与える。該方法は、使い易く安価な装置手段による単一粒子の検出を容易にする。
【０１３２】
（４）ＲＬＳ法を粒子計数および／または集積光強度測定に用いて、幅広い濃度範囲にわたって粒子の検出および測定を行うことができる。
【０１３３】
（５）屈折率増大法を用いることにより、粒子の光散乱特性の向上、および／または非特異的な背景光の低減が可能になる。
【０１３４】
（６）ＲＬＳに対するビデオ・コントラスト強化法を用いることにより、多くの異なるタイプの試料および診断測定形式における検出感度を高めることが可能である。
【０１３５】
（７）マイクロアレイおよびアレイ・チップ形式に広く使用されるような小さな固相領域における検体の高感度検出には、特定のタイプの金属状粒子が他のものより好ましく使用される。ＲＬＳ法を用いることによって、マイクロアレイおよびアレイ・チップ形式の金属状粒子を最も容易に、かつ安価に検出することができる。これらの形式の当該粒子をレーザ走査共焦点顕微鏡法、明視野またはエピ偏光学顕微鏡法、ならびに反射コントラストおよび微分干渉コントラスト顕微鏡法といった方法によって検出することも可能である。しかしながら、これらの方法および装置は、ＲＬＳ法および装置ほど使い易くなく、安価でもない。
【０１３６】
（８）特定の試験キットのための有用な装置および粒子タイプを作製することができる。これらの様々な試験キットおよび関連装置は、消費者用途、野外携帯用途、医院、クリニックおよび救急治療室などの医療用途、研究室、ならびに集中高スループット試験に対する応用に有用である。本発明の上記態様は、多くの異なるタイプの試料および診断測定形式における１つまたは複数の検体の検出を可能にする。
【０１３７】
光照明および検出の方法は、「ＤＬＡＳＬＰＤ」（検出された粒子からのみの散乱光に対して傾斜した直接光）と命名される。
【０１３８】
以下により詳細に述べるように、粒子、光源および光検出機構には多くの種類がある。加えて、使用される粒子も多くの種類のものを適用することが可能である。
【０１３９】
好ましい実施形態において、粒子は、特定の波長、色、偏光、角度依存性、および肉眼または光検出手段で検出可能な散乱光のＲＩＦＳＬＩＷの特定の光散乱信号を生成するのに適した粒径、組成および形状を有する；検出は、粒子を計数する方法、および／または粒子の濃度の測定としての散乱光の強度の測定を含む；粒子は、金属状物質から形成されるか、または非金属状物質を含む混合組成物から形成され、球状、卵形または非対称形である（非対称形とは略球状でないことを意味する）；粒子は、結合剤、ポリマー、反応性化学基、基材分子、ならびに無機および有機化合物が塗布されている；二次的な結合対を用いて、１つまたは複数の光散乱粒子を検体に対応づける；分析形式において２つ以上の粒子を互いに密着させたときの散乱光特性の変化を利用する；金属状物質から構成され、結合剤を結合するように成された基材分子が塗布された粒子試薬を使用する；２つ以上の粒子の光散乱特性を単一粒子から導くことができるように２つ以上の粒子を十分に密着させる分析形式を用いる；いずれか１つの粒子の光散乱特性が変化するように、互いに近接する２つ以上の粒子を分離させる分析形式を用いる；粒子を結合させる分子的相互作用が破壊したときに、１つまたは複数の粒子が分子的相互作用から放出されるように、１つまたは複数の分子的相互作用によって２つ以上の粒子を結合させる分析形式を用いる；化学的または生物学的架橋剤を使用して２つ以上の粒子を架橋させることによって検体の増幅検出を達成する分析形式を用いる；細胞表面受容体、細胞内受容体、細胞内信号タンパク質、Ｇ−タンパク質結合受容体、イオン・チャネル、プロテアーゼおよびタンパク質キナーゼを含む酵素、ＤＮＡ結合タンパク質、核酸およびホルモンを含む薬剤標的物質を使用して新しい薬剤のスクリーニング、同定および特性決定を行う分析形式；磁気ビーズまたは他のビーズを固相として使用し、ビーズに結合した光散乱粒子を検出するか、または検出に先立って溶液に分散させる分析形式；粒子を別の物質で構成して、電場、磁場または関連する電磁場（ＥＭＦ）で配向させる；粒子を磁性または強誘電特性を有する他の粒子に結合させる；磁場および電場をそれぞれ試料に加えて、試料の１つまたは複数の領域に光散乱粒子を集中できるように、使用される光散乱粒子が磁性または光電特性を有する分析形式；照明光線は、他の波長に比べて背景光を低減するように選択された波長を有する。
【０１４０】
特定の実施形態において、照明光は、定常光またはパルス光である；照明光は、凝集性または非凝集性である；照明光は、偏光または非偏光である；同一の光源、または２つ以上の異なる光源からの２つ以上の異なる波長を用いて、試料を照明し、散乱光信号を検出する。
【０１４１】
特定の実施形態において、該方法は、肉眼または光検出器手段によって検出することができる１つまたは複数の散乱光特性をそれぞれ有する複数の異なる粒子を使用することを含む；かつ／または複数の異なる光の波長を照明または検出工程に使用する；屈折率増大法を用いて、非特異的な背景光を低減する；試料および光線散乱光の前方方向の範囲外の角度に検出器を配置する；空間フィルタリング法を使用し、遮断および・または狭帯域フィルターの如き光学フィルターを検出工程に使用して、非特異的な背景光を低減する。
【０１４２】
また、特定の実施形態において、検出に先立ち、自動メタログラフィーによって粒子のサイズを大きくする；照明光線は赤外線が不足している。検体が血清中に存在している。検出に先立って粒子を溶液に分散させる；検出に先立って、粒子を小容量または固相領域に集中させる；時間依存的に表面に結合させるか、または粒子を検出器または検出器の集合体を通過させることによって粒子を検出する；核酸、タンパク質、ペプチド、抗体、抗原物質、薬剤またはターゲットまたは他の結合剤から構成されるアレイまたはマイクロアレイにおいて複数の検体を固相上で検出する；アレイまたはマイクロアレイの異なる領域に結合した光散乱粒子のパターンおよび量を用いて、遺伝子発現およびタンパク質発現レベル、核酸配列の正体、生体またはその細胞または菌株の正体、ならびに薬剤の薬学的特性を測定する；マイクロアレイを液体で覆うか、または乾燥状態にする；細胞表面、細胞溶解物または染色体調整物において単一または複数の検体を検出する；照明光線は多色性の白色光または単色性の光である；検体は、溶液または固相に存在し、あるいは顕微鏡スライド、マイクロタイター・プレート、試験管、毛細管、流動セル、マイクロチャネル・デバイス、キュベット、計量棒または他のプラスチック容器に存在する；粒子は、粒径が１から５００ｎｍ、好ましくは１０から２００ｎｍの金または銀粒子である。検出工程は、電子手段によって散乱された光の増幅を含まない；照明光線は、プリズムまたは他の光誘導システムによって粒子のほうへ誘導される。
【０１４３】
加えて、検出は、少なくともａ×１０の対物レンズを通じて粒子観察することを含むことができる；ビデオ・コントラスト強化法を用いる；光繊維照明および検出を用いる；明視野、レーザ共焦点走査、反射コントラストまたは微分干渉コントラスト顕微鏡検出法を用いる；試料を走査し、試料内の１つまたは複数のサイトにおける散乱高強度を検出する装置を使用する；測定された各々の検出点における検出光散乱信号から試料の１つまたは複数の領域の二次元画像を再現する；試料の１つまたは複数の領域の画像を回収する装置を使用する；画像光検出器で粒子を検出し、試料の１つまたは複数の領域のデジタル画像を画像処理手段によって取得する；直接観測または画像解析方法を用いて、試料中の粒子の１つまたは複数の特性の検出および測定を行う；エッジ検出法を用いて試料内の粒子を識別する；階調または色に基づく強度値、粒径、形状またはこれらの特性の組合せを含む１つまたは複数の検出および測定特性に基づいて、画像化粒子の識別および分類を行う；識別粒子の計数、粒子として識別された画像の全領域における単一画素値の合計、粒子として識別された画像領域毎の中間または平均強度値の合計、またはそれらの組合せによって、試料中の光散乱粒子の量を求める；コンビナトリアル合成分子の検出および生成を行う；組合せまたは他の合成分子に対する固相合成支持体として粒子および／または特殊被膜を使用する；特別に設計された試料槽を使用する；光学的コンポーネントおよび試料槽上の反射防止膜を利用する；野外用途、医院、クリニックおよび病院治療室用の装置を使用する；適切な試験キットに特殊な粒子タイプを提供する。
【０１４４】
本発明の信号生成および検出システムが高感度で使い易いということは、当業者が、信号（標識）または標的検体分子増幅方法を必要とせずに、安価な手段により、試料中の１つまたは複数の検体を極めて低濃度まで検出、測定できることを意味する。
【０１４５】
本発明において異なる粒子タイプからの特定の光散乱信号のレンジが広いということは、当業者が、試料中の１つまたは複数の検体を高度な特定性で検出、測定できることを意味する。
【０１４６】
本発明において２つ以上の異なる粒子タイプの光学的分解能が高いということは、複雑な装置を必要とせずに、試料における非常に単純な複数検体検出（２つ以上の異なる検体の検出）が可能であることを意味する。
【０１４７】
ここに記載される方法および装置は広く利用されることを当業者なら理解するであろう。それらは、信号生成および検出システムを分析システムの一部として使用して、検体の有無を定量かつ／または検出することが望ましいたいていの状況に対して何らかの形で適用可能である。当該検体としては、あらゆるタイプの工業化合物および薬剤化合物、タンパク質、ペプチド、ホルモン、核酸、脂質および炭水化物、ならびにあらゆる種類の生物細胞および生体が挙げられる。本発明の１つまたは他の実施様式を、あらゆるタイプの診断測定に広く用いられるたいていの分析形式に適応させることができる。例えば、これらは、サンドウィッチ型、集合型、間接的または直接的等の異種および同種分析形式を含む。試料タイプは、液相、固相または混合相でありうる。
【０１４８】
本発明の他の特徴および利点は、以下の好ましい実施形態の説明および請求項により明らかになるであろう。
【発明を実施するための最良の形態】
【０１４９】
略語
ここでは、以下の略語を使用する。
【０１５０】
Ｅ−ＥＭＲ−放射電磁放射線
Ｉ−ＥＭＲ−入射電磁放射線
ＥＭＦ−電磁場
ＳＣ−半導体
Ｓｅｃ−秒
Ｑｆ−蛍光量子効率
Ｉａｂｓ−入射光吸収（１秒当たりの吸収光子量）
ＩＯ−入射光強度（１秒当たりの光子量）
Ｍ−モル濃度（１リットル当たりのモル数）
ｍｌ−ミリリットル
ｍＭ−ミリモル
ｇ−グラム
ｍｇ−ミリグラム
ｍｍ−ミリメートル
μｌ−マイクロリットル
ｐＩ−等電点
Ｅｏｒｅ−モル十進法吸光係数（Ｍ−１ｃｍ−１）
Ｃ−モル濃度（Ｍ）
Ｘ−光路長（ｃｍ）
Ｉｆ−蛍光強度（１秒当たりの光子量）
Ｓｅｆｆ−粒子の散乱光率
Ｃａｂｓ−吸収断面積（ｃｍ２）
ＡＣＳＲ−粒子の物理的断面積に対する粒子の吸光断面積の比率
Ｃｓｃａ−散乱断面積（ｃｍ２）
ＳＣＳＲ−粒子の物理的断面積に対する粒子の散乱断面積の比率
ａ−粒子の半径
Ｃｅｘｔ−粒子の散乱吸光断面積（ｃｍ２）
Ｉ−溶液厚Ｘを通過後に溶液を出る１秒当たりの光子量
Ｎ−粒子濃度（粒子数／ｃｍ３）
ｔ−懸濁液の濁度
Ｉｓ−散乱強度（光子量／秒）
ｎ２−物質の屈折率
ｎ２Ｒｅｌ−ｎ２の実成分
ｎ２Ｉｍ−ｎ２の虚成分
ｎ１−媒体の屈折率
ｍ−媒体の屈折率に対する粒体物質の屈折率の比率
ｌ０−入射光波長（ｍｍ）
ＲＩ−屈折率係数
Ｒｅｆｍｅｄ−媒体の屈折率（ｎ１）
ｅｍ−媒体の誘電率
ｎｍ−媒体の屈折率
ａ−被覆粒子の分極率の算定
ｎｍ−ナノメートル
ｃｍ−センチメートル
μ−ミクロン
本発明の方法は、試料中の１つまたは複数の検体の検出および測定方法、特に特定の組成、粒径および形状の特定タイプの粒子（ＲＬＳ粒子）の使用に基づく検体検出および／または定量方法、ならびに１つまたは複数の粒子の光散乱特性の検出および／または測定に有利に適用される。
【０１５１】
ＲＬＳ粒子を利用するここに記載の方法は、従来可能であったものに比べてより使い易く、感度および特定性がより高く、検体のより広い濃度範囲にわたって検出および測定を行うことが可能である。したがって、ここに記載のＲＬＳ粒子法は、信号および標的検体増幅（例えば化学発光およびＰＣＲ）法、蛍光標識および蛍光法、ならびに従来の粒子に基づく分析および光散乱法の使用に比べて多くの利点を有する。該方法は、汎用性があり、診断の分野、ならびに他の分野に広く応用される。該方法は、液相、混合相、固相および固液マイクロアレイ分析形式の試料に対する免疫測定、核酸分析など、すべてではなくてもたいていの標準的な結合対型分析に用いることが可能である。
【０１５２】
本発明の特定の形態の各々の具体的な取組みを明示することによってＲＬＳ粒子法の幅広い有用性を説明するのではなく、当業者が本発明を実践して、すべてではなくてもたいていの検体検出要件を満たす際の主要な要素および検討事項を説明する。このような取組みにより、具体的な方法の実施形態、ならびに具体的な装置および試験キットを提示する。
【０１５３】
ここに記載の開示内容は、当業者が、多くの異なる形態のＲＬＳ粒子法を実践して、すべてではなくてもたいていの試料タイプ、検体タイプ、診断測定形式タイプおよび装置タイプに適合する所望の検体または粒子検出機能を達成することを可能にするものである。該方法は汎用性が高いため、（実験室ではなく）現場、あるいは小規模な医療または分析実験室、寝台、救急治療室、特殊な病院の治療室（心臓治療、集中治療、外傷治療室など）、研究室、または１日当たり大量の試料を処理する施設において１つまたは複数の検体を検出するのに実施することが可能である。何らかの形態で本発明を実践することにより、様々なタイプの安価な装置および試験キットを作製して、具体的な検体診断要件に適応することが可能である。
【０１５４】
ＲＬＳ粒子法には、様々な組合せで実行すると、具体的な取組みに対する検体検出機能を定めるいくつかの特徴がある。これらの特徴のうちの２つの特徴としては、（１）所定の分析形式および試料タイプにおいて高度な加速性および検出性の光散乱特性を有する特定の粒子タイプの使用、および（２）好ましい照明および検出方法に対する特定の粒子タイプの使用が挙げられる。特定の用途においては、屈折率増大法およびビデオ・コントラスト強化法も用いられる。
【０１５５】
金属状粒子の有用な光散乱特性の測定
ＲＬＳ粒子法を十分に理解するのに役立つ情報を以下に示す。それらの式は、本発明を実践し、最適化するのに有用であるが、請求項に対する先行技術であると承認されるものではない。
【０１５６】
ＲＬＳ粒子法の検体の検出のための信号生成および検出システムの開発において、我々が、蛍光パラメータによって異なる粒子タイプの様々な光散乱属性を評価することを可能にする新しい式を展開することが有用であった。これによって、我々は、ε、Ｑｆ、蛍光および吸光スペクトル、放射光強度の観察角度への依存性、および放射光の偏光状態を調べることができた（これらについては以下に説明する）。これらの式により、当業者は、組成、粒径および形状の如き具体的な粒子パラメータを選択して、診断測定または任意の他の用途で使用するときに検出、測定することが可能な望ましい光散乱特性を具現化することができる。読者が新たな式８から式１５を理解できるように、式１から式７を背景情報として提示する。記載されているいずれかの式または光散乱パラメータが請求項に対する先行技術であることを承認するものではない。
【０１５７】
開発された分析法は、粒径、形状、組成および均質性といった様々なパラメータにより多くの異なるタイプの粒子を評価して、分析および診断測定において容易に検出、測定される望ましい光散乱信号を生じる具体的な粒子パラメータの特定構成を判断する当該技術分野の既知のレイリーおよびミーの光散乱理論に基づいている。
【０１５８】
蛍光パラメータの定義
蛍光物質については、式１に示すようにして、１秒間に吸収される光子の数と、光として再放射される吸収光子の割合（Ｑｆ）との積から蛍光強度が求められる。
【０１５９】
Ｉａｂｓ（λ）＝２．３０３Ｉ０（λ）ｅ（λ）Ｃｘ    （１）
上式において、Ｉ０（λ）は波長λの入射光の強度（光子量／秒）、Ｉ（λ）は波長λにおけるモル十進法吸光係数（単位Ｍ−１ｃｍ−１）、Ｃは蛍光体のモル濃度（Ｍ単位）であり、ｘは光路長（ｃｍ）である。
【０１６０】
放射波長λｆおよび吸光波長λｅにおける積分蛍光強度Ｉ（λｆ）（１秒当たり全方向に放射される光子量の合計）は、（光子濃度が低い場合は）以下の式で与えられる。
【０１６１】
Ｉ（λｆ）＝２．３０３Ｉ０（λｅ）Ｑｆ（λｆ）ｅ（λｆ）Ｃｘ    （２）
上記パラメータに関して分析用途での蛍光化合物の有用性を評価することはよく知られた手順である。蛍光分子および蛍光技術の使用は、蛍光分子の光安定性、ならびに非特異的な蛍光、燐光および散乱光の量が多い試料において特定の蛍光放射信号を検出する能力によって制限される。蛍光分子、または蛍光染料から構成される粒子の如き他の蛍光物質の高感度検出では、より高精度な計測が必要とされる。
【０１６２】
光散乱パラメータの定義
粒子の吸収断面積（Ｃａｂｓ）
波長λの単色光線によって照明される粒子について考えてみる。粒子の吸収断面積Ｃａｂｓは、その領域に入射する光子はすべて非可逆的に粒子に吸収されるような粒子を囲む領域の面積（通常、単位ｃｍ２またはμ２で表される）として定義される。Ｃａｂｓの値は、粒径、組成、形状および均質性に依存する。Ｃａｂｓの値は、また、光の波長にも依存し、Ｃａｂｓと波長のグラフは、粒子の純粋な吸収分布を示す。均質的な組成の任意の球状粒子に対するＣａｂｓと波長の分布は、レイリーまたはミーの理論によって計算することが可能である。我々の用語定義では、Ｃａｂｓは非可逆的な光吸収に関連する。吸光断面積Ｃｅｘｔの定義を示す以下のセクションを参照すれば、Ｃａｂｓの性質をより深く理解することができる。
【０１６３】
相対的吸収断面積Ａｃｓｒ
相対的吸収断面積Ａｃｓｒは、粒子のＣａｂｓを粒子の物理的断面積πａ２（ａは粒子の半径）で割った比率、すなわちＡｃｓｒ＝Ｃａｂｓ／πａ２として定義づけられる。Ａｃｓｒは、粒子を囲む領域に入射する光子を不可逆的に吸収する粒子の能力の尺度を与える。Ａｃｓｒは、粒子の組成、形状および粒径、ならびに光の波長に依存する０から６の範囲の値を有することができる。１より大きい値は、粒子がその物理的寸法を上回って、光子を引きつけ、吸収できることを意味する。物理学の文献では、Ａｃｓｒは粒子の吸収効率係数と呼ばれている。Ａｃｓｒは、効率性に関係なく、１より大きい値を有することができるため、このような命名は間違いである。
【０１６４】
粒子の光散乱断面積（Ｃｓｃａ）
散乱粒子に吸収された光の光子（ここでの吸収は可逆的および非可逆的吸収を含む）が（量子力学的観点から）吸収された光子と同じ波長で再放射される限定的な可能性が存在する。再放射された光子は、入射光子の方向と異なる方向で放射されうる。すなわち、入射光子は、吸収および再放射によって散乱される。入射波長における粒子の散乱断面積（Ｃｓｃａ）は、その領域に入射するすべての光子が散乱される（量子力学的観点から、吸収され、次いで再放射される）ような粒子を囲む領域の面積として定義づけられる。Ｃｓｃａは、通常、ｃｍ２またはμ２の単位で表され、粒子の組成物、形状、粒径および均質性、ならびに波長に依存する。均質な組成の任意の球状粒子については、レイリーおよびミーの理論を用いて、光散乱分布Ｃｓｃａと波長の関係を計算することができる。
【０１６５】
粒子の物理的または幾何学的断面積（Ｓｃｓｒ）に対するＣｓｃａの比率
粒子のＣｓｃａを粒子の物理的または幾何学的断面積πａ２（ａ波粒子の吸半径である）で割った比率は、粒子を囲む領域からの光子を引きつけ、吸収し、再放射する粒子の能力の尺度を与える。すなわち、Ｓｃｓｒ＝Ｃｓｃａ／πａ２が成り立つ。物理学の文献では、Ｓｃｓｒは散乱効率係数と呼ばれている。
【０１６６】
Ｓｃｓｒの値は、粒子の組成、形状、均質性および粒径、ならびに光の波長に応じて、１から５またはそれより大きい範囲の値をとりうることが実験的および理論的結果によって証明される。１より大きいＳｃｓｒ値は、粒子がその物理的寸法を上回って、光子を引きつけ、吸収し、次いで再放射できることを意味する。これが可能であるのは、粒子の半径より大きな距離で、粒子と光子の電磁波との電気的相互作用が起こりうるためである。概して、Ｓｃｓｒは、粒径とともに増加する。小さな粒子（４０ｎｍ未満）では、Ｓｃｓｒは１より小さいのに対して、より大きな粒子ではＳｃｓｒは１以上で、さらに大きな粒子については５に達しうる。
【０１６７】
粒子の吸光断面積（Ｃｅｘｔ）
光散乱粒子の吸光断面積Ｃｅｘｔは、粒子の散乱断面積（Ｃｓｃａ）と吸収断面積（Ｃａｂｓ）の和として定義づけられる。
【０１６８】
Ｃｅｘｔ＝Ｃｓｃａ＋Ｃａｂｓ    （３）
Ｃｅｘｔは、通常、単位ｃｍ２またはμ２で表される。
【０１６９】
任意の粒子の吸光断面積Ｃｅｓｔは、通常の吸収分光計における任意の所定の波長で容易に測定することが可能である。Ｎ（粒子数）／ｃｍ３の濃度の粒子の懸濁液に入射する光線の強度をＩ０（光子量／秒）とする。Ｘ（ｃｍ）は溶液の厚さ、Ｉ（光子量／秒）は、距離ｘを移動した後に溶液を出る光の量である。強度とＣｅｘｔの関係は以下の式で与えられる。
【０１７０】
Ｉ（λ）＝Ｉ０（λ）ｅ−ＮＣｅｘｔ（λ）ｘ    （４）
この式は、明らかに、パラメータがλに依存することを示している。光検出器は、それが散乱光を検出しないように配置されるものと想定される。
【０１７１】
粒子が純粋の散乱体である、すなわち光を不可逆的に吸収しないときは、ｃｅｘｔ＝Ｃｓｃａが成り立ち、上式は以下のように表される。
【０１７２】
Ｉ＝Ｉ０ｅ−ＮＣｓｃａｘ    （５）
＝Ｉ０ｅ−ｔｘ    （６）
ただし、ｔ＝ＮＣｓｃａは懸濁液の濁度である。
【０１７３】
モル十進法吸光係数
化学の分野では、溶液中の物質が所定の波長の光を吸収する強度は、Ｍ−１ｃｍ−１（Ｍはモル／リットルを表す）の単位をもつモル十進法吸光係数ｅによって表される。この係数と、実験により求められた吸光度との関係は以下の式で与えられる。
【０１７４】
Ａ（λ）＝ｅ（λ）Ｃｘ    （７）
粒子の光散乱パラメータを調べるために出願人が行った式の展開
次に、ここに記載のＲＬＳ粒子法に用いられる理論的手法について説明する。当業者は、以下の方法を用いて、組成、粒径、形状および均質性といった具体的な粒子パラメータの評価、修正および調整を行って、容易に検出、測定される１つまたは複数の望ましい光散乱特性を導くことができる。試料タイプ、診断形式、および装置手段の限界を考慮する必要がある。例えば、ある用途では、高スループットの試験装置で、非特異的な背景光を多く含む固相試料に対する多検体検出を行うことができるのに対して、他の用途では、医院において、溶液中の単一検体検出が行われる。
【０１７５】
主な関心の対象は、分析および診断測定に使用される粒子タイプの最適化であった。これらのうちのほとんどの用途では、粒子にポリマーやタンパク質などの高分子物質を塗布して、様々な媒体に好適な化学的安定性を付与する。当該技術分野では、そのような塗布剤がいくつか示されてきた。被覆粒子を分析または診断形式に使用できるように、抗体、受容体、ペプチドなどの結合剤を粒子の表面に塗布する。いくつかの用途において、結合剤は、溶液中の粒子を安定化させるとともに、特定の認識結合成分を提供して検体を結合するという点において二重機能を果たす。粒子に抗体の如きタンパク質を塗布することは、当該技術分野で知られている。しかしながら、このＲＬＳ法については、場合によっては粒径および／または形状および／または組成が類似する、異なるタイプの粒子の光散乱信号の１つまたは複数の具体的なパラメータを測定するのに、被覆粒子の１つまたは複数の具体的な光散乱特性の当該光学分割が可能であるかどうかは未知であった。
【０１７６】
粒子表面上の結合剤、（スペクトルの可視領域での）非光吸収性ポリマー、または他の物質の薄い塗布膜の存在が、これらのタイプの物質が塗布されていないタイプの粒子に特有の光散乱特性を著しく変化させないことが、物理的実験および理論的モデルによって明らかになった。
【０１７７】
「薄い塗布膜」とは、粒子の表面に塗布される様々な量および組成の上記物質の単分子膜を意味する。
【０１７８】
被覆または未被覆の粒子懸濁液に対する任意の波長におけるモル十進法吸光係数波、その波長におけるその吸光度を測定することによって求めることが可能である。次いで、その波長におけるモル十進法吸光係数を式（７）および以下の式により計算して、粒子濃度をＮ（粒子数／ｃｍ３）からＣ（Ｍ）に変換することができる。Ｍはモル／リットルである。
【０１７９】
Ｃ（Ｍ）＝１０００Ｎ（粒子数／ｃｍ３）／６．０３×１０２３    （８）
モル十進法吸光係数と吸光断面積Ｃｅｘｔとの関係（または吸光断面積Ｃｅｘｔとモル十進法吸光係数との関係）は以下の式で与えられる。
【０１８０】
ε（Ｍ−１ｃｍ−１）＝[Ｃｅｘｔ(cm2/粒子数)(6.03×1023)]/2.303×1000    （９）
＝2.63×1020Ｃｅｘｔ(cm2/粒子数)    （１０）
または
Ｃｅｘｔ(cm2/粒子数)＝2.303（Ｍ−１ｃｍ−１）×1000／6.03×1023    （１１）
＝3.82×10-21ε（Ｍ−１ｃｍ−１）    （１２）
式（９）または（１０）によって、Ｃｅｘｔからεを計算することができる。
【０１８１】
先述したように、粒子について、吸光断面積（Ｃｅｘｔ）は、散乱断面積（Ｃｓｃａ）と吸収断面積（Ｃａｂｓ）との和に等しいことが当該技術分野においてよく知られている。吸光係数εは、不可逆的な吸収、ならびに散乱（吸収および再放射）による入射光線からの光子の損失を反映する。実験的に、または吸光断面積からの計算によって評価された粒子のモル十進法吸光係数を用いて、粒子の吸収力と、後に示す蛍光体の吸収力を比較することができることが明らかになった。
【０１８２】
光散乱効率（Ｓｅｆｆ）
蛍光効率Ｑｆを模倣することによって、散乱光として再放射される、粒子により吸収された（可逆的および非可逆的吸収）光子の割合として、被覆または未被覆粒子に対する光散乱効率Ｓｅｆｆを定めることが可能であることが明らかになった。数学的には、出願人は、以下の式によって散乱光率を定める。
【０１８３】
Ｓｅｆｆ＝Ｃｓｃａ／Ｃｅｘｔ    （１３）
＝Ｃｓｃａ／（Ｃｓｃａ＋Ｃａｂｓ）
純粋の散乱体である粒子、すなわち光子を不可逆的に吸収せずに、単に光子を吸収して再放射する物質から構成される粒子については、Ｃａｂｓは０に等しく、Ｓｅｆｆは１に等しい。ポリスチレン微粒子は、スペクトルの可視領域において純粋の光散乱体としての挙動を示し、この粒子に対するＳｅｆｆは１である。可逆的及び非可逆的に光子を吸収する物質から構成される粒子については、Ｓｅｆｆは１より小さい。金粒子は、スペクトルの可視領域において後者のタイプの挙動を示す。
【０１８４】
粒子によって散乱された光の強度
被覆または未被覆粒子によって散乱された光の強度は、１秒当たりに（可逆的及び非可逆的に）吸収される光子の数と、（量子力学的観点から）再放射される吸収光子の割合との積によって求められることが明らかになった。光散乱強度の測定は、通常、希釈溶液で行われ、吸収された光の量（１秒当たりに吸収された光子量）Ｉａｂｓは、以下の式で与えられる。
【０１８５】
Ｉａｂｓ＝２．３０３Ｉ０εＣｘ    （１４）
Ｉｏは入射光の強度（光子量／秒）、εはＭ−１ｃｍ−１で表される粒子のモル十進法吸光係数、Ｃは粒子のモル濃度、ｘは光路長（ｃｍ）である。
【０１８６】
出願人は、全散乱光強度Ｉｓ、すなわちすべての光散乱角度に対して積分された強度が以下の関係式で与えられることをさらに認識するものである。
【０１８７】
Ｉｓ（λ）＝２．３０３Ｉ０（λ）Ｓｅｆｆ（λ）ε（λ）(ｃ)(ｘ)    （１５）
ただし、Ｉ０（λ）は入射光の強度である。この式は、蛍光体についての式（２）に相当するものである。
【０１８８】
ＣｓｃａおよびＣｅｘｔについてのεおよびＳｅｆｆに関する式を上式に代入すると、散乱光強度は、散乱断面積（Ｃｓｃａ）の大きさに正比例し、それによって完全に決定づけられるという結果が示される。これは、異なる粒子の相対的な散乱強度をそれらの散乱断面積から推定できることを意味する。
【０１８９】
粒子の具体的な散乱特性
次に、様々な異なる分析形式を用いて様々な試料タイプにおける検体を検出するのに利用できるいくつかの最も重要な光散乱特性について説明する。検出される実測光散乱特性としては、以下の特性、すなわち散乱光の強度、波長、色、偏光、角度依存性およびＲＩＦＳＬＩＷ（個々の回転による、散乱光の強度および／または波長の変動）のうちの１つまたは複数の特性が上げられる。
【０１９０】
被覆および未被覆金属状粒子は同様の光散乱特性を有し、どちらも非金属状粒子と比較して優れた光散乱特性を有する。加えて、出願人は、様々な試料タイプにおける金属状粒子から具体的な光散乱属性を測定できるように、何らかの形で、粒径、形状、組成および均質性を変化させることによって金属状粒子における光散乱特性のタイプを調整することは比較的容易であると判断した。
【０１９１】
金属状粒子を極めて高感度なレベルまで検出することが可能である。単一粒子は、安価で使いやすい装置により、ここに記載の証明および検出方法を用いて、単一粒子の限界まで容易に検出される。
【０１９２】
記載の照明および検出方法を用いて、白色光または同様の広帯域照明のもとでその色を測定することにより、試料中で、１つまたは複数のタイプの金属状粒子を検出する。例えば、それら特有の散乱光の色により各粒子タイプを識別することによって、かつ／またはその強度を測定することによって、直径が４０、６０および８０ｎｍの略球状の金の粒子（例えば、結合剤が塗布された粒子、検体に結合した粒子、溶液中に拡散した粒子、または固相に結合した粒子）および直径が約３０ｎｍの銀粒子を試料中で容易に検出および定量することができる。これは、マイクロタイター・ウェルまたはミクロアレイ・チップの如き固相上、または溶液中で行うことが可能である。粒子は、試料中では、固相上ほど立体的に分散しないため、溶液中での測定のほうがより複雑である。例えば、それぞれ異なる波長またはスペクトルの色領域を測定するように設定された一連の検出器に溶液を流すことによってその溶液中の異なるタイプの粒子を検出することができ、これらの異なる波長における強度が測定される。あるいは、流動システムを使用し、または使用せずに、照明および／または検出の一連の異なる波長を用いて、異なる粒子タイプを検出することもできる。
【０１９３】
固相分析用途では、粒子の濃度に応じて、粒子係数から集積光強度測定に切り替えることによって、非常に広範囲な濃度の金属状粒子が検出可能である。単位面積当たりの粒子密度が非常に低いレベルから非常に高いレベルにわたって粒子を検出することができる。
【０１９４】
他の分析用途において、ｐＨ、イオン強度または他の液体特性を調整することにより、ビードなどの固体や、ウェルの底などの表面に結合した粒子を溶液中に分散させることができる。より屈折率の高い液体を加えることができ、溶液中で粒子の光散乱特性が測定される。同様に、光散乱特性を測定する前に、様々な手段によって溶液中の粒子を濃縮して、その体積または面積を小さくすることができる。ここでも、測定に先立って、より屈折率の高い液体を加えることが可能である。
【０１９５】
理論的評価および物理的実験は、ともに、直径が約１２０ｎｍを少し上回る程度までの任意の組成の球状粒子について、該粒子により散乱される光の多くが、散乱光の前方方向の範囲外で放射されることを示唆している（図８参照）。出願人は、散乱光の前方方向の範囲外の角度における散乱光の検出および測定は、光線、ならびに他の光散乱成分および検出対象物からの非特異的な散乱光を著しく減少させるものであると判断した。これは、多くの試料について、非特異的な光散乱信号に対する特異的な光散乱信号の比率を著しく増加させるものである。
【０１９６】
粒子によって異なる方向に散乱される光の強度、および散乱光の偏光の状態は、入射光の波長および偏光の状態、ならびに粒子の粒径、形状および均質性に依存する。特定タイプの粒子によって異なる方向に放射される光の強度および偏光の状態に関する最も重要な事実を以下に説明する。
【０１９７】
より小さな球状粒子（光の波長に比べて１／２０以下の粒子）は、等方性双極子散乱体または放射体としての挙動を示し、すなわち光は大きく偏光する。これは、通常、線形双極子放射体としての挙動を示す蛍光分子とは全く異なる。例えば、当該粒子を非偏光で照明すると、φ＝０、θ＝９０の方向に散乱された光（図２０を参照）は１００％線形に偏光する（Ｐ＝１）。この特性は、多くの異なるタイプの試料における蛍光分子に比べて、光散乱特性の測定による検体の検出の特定性および感度を高める。
【０１９８】
さらに大きな粒径（光の波長の１／２０より大きな粒子）については、光Ｐの偏光度が減少し、粒径が大きくなるにつれて波長への依存性が強くなる特定の粒径範囲が存在する。粒径が非常に大きくなると、θ＝０、Φ＝９０°の方向に対して偏向度が０に近づく。偏光の変化が最も大きく変化し、粒径に対する偏光度の傾きが最大になる特定の粒径範囲が存在するものと思われる。そのような傾きが変化する領域を、例えば凝着または凝集型の分析のような特定の分析用途に用いて、試料中の１つまたは複数の検体の検出および測定が行われる。
【０１９９】
例えば直径が約２００ｎｍから約１．２ミクロンの特定粒径範囲のより大きな球状粒子では、図２０に示されるように、（単色入射光についての）光の強度は、角φが、θ＝０に対して９０°から−９０°に変化するに従って、１から０の相対値間で変動する。すなわち、水平面（θ＝０）で散乱光を観察すると、θ＝９０°から−９０°に視線を動かすにつれて光強度が明から暗に変動する。白色光による照明では、θ＝９０°からθ＝−９０°に視線を動かすにつれて光が色を変える。すなわち、粒子は回折格子としての挙動を示す。当該光散乱特性は、多くの異なるタイプの試料における１つまたは複数の検体をより明確に、かつより高い感度で検出するのに有用である。
【０２００】
小さい非球状微粒子は、幾分、吸収および放射モーメントが粒子の長軸に沿う線形双極子散乱体としての挙動を示す。出願人は、通常の光学顕微鏡において、好適に選択された照明および検出条件で以下のことを確認した。照明光が線形に偏光すると、非球状粒子は回転しながら振動する。粒子は、それらの長軸が偏光方向に配向し、モーメントがこの方向に垂直になるときに最小になるような配向性を有する場合に最も強度が高くなる。対照的に、球状微粒子は、偏光によって照明されても振動しない。
【０２０１】
特定の組成の非球状粒子については、（白色光の照明を伴う）散乱光の色が非対称性の度合いによって変化する。非対称性が強くなると、色は波長が長いほうへとシフトする。例えば、ＤＬＡＳＬＰＤと同様の条件下で通常の光学顕微鏡を用いて観察すると、銀の非対称性粒子は、粒子が試料中で回転するに従って色を変化させることが出願人によって確認された。出願人が「ＲＩＦＳＬＩＷ」と命名したこの特性（個々の回転による、散乱光の強度および／または波長の変動）を本発明の多くの異なる態様に用いて、試料中の１つまたは複数の検体または粒子をより明確に、またより感度よく検出かつ／または測定する。
【０２０２】
金属状物質と、非金属状および金属状物質の特定の混合粒子組成により、さらなる光散乱特性および／またはさらなる物理的特性がもたらされる。これらの特性としては、ＥＭＦ場を加えることによって粒子を処理する能力が上げられる。本発明の１つまたは複数の態様を実行することにより、この粒子の特性を様々な方法で利用することができる。次に、出願人は、粒子に依存する光散乱特性、およびこれらの特性を用いた試料中の１つまたは複数の検体の検出を例示的に説明する。
【０２０３】
まず、粒径および組成が異なる均質な球状粒子の光散乱特性を取り上げて、本発明を説明するのが有益である。しかしながら、本発明の基本的態様は、当業者が測定できるような非球状粒子にも適応する。さらに、３００ｎｍから７００ｎｍの範囲の入射光波長を取り上げて、本発明を説明するのが有益である。しかしながら、本発明の基本的態様は、本質的にすべての波長の電磁放射線にも適応する。
【０２０４】
「光」とは、紫外線、可視光、近赤外線、赤外線、およびマイクロ波周波数の電磁放射線を意味する。
【０２０５】
様々なタイプの非金属状粒子を代表するポリスチレン粒子を使用するＲＬＳ粒子法を説明するのがさらに有益である。他の非金属状粒子タイプとしては、ガラスや他の多くの高分子化合物から構成される粒子が挙げられる。当該粒子は、ポリスチレン粒子に比べて光散乱特性がほぼ類似している。
【０２０６】
同じ強度で放射された、異なる粒子から得られた散乱光の相対強度、および入射光の波長は、それらのＣｓｃａを比べることによって直接比較することが可能である。Ｃｓｃａが高いほど、粒子の散乱能（光散乱強度）が増す。以下のセクションでは、Ｃｓｃａまたは散乱光強度を意味する「散乱能」という言葉を使用する。
【０２０７】
３００から７００ナノメートル（ｎｍ）の波長範囲にわたる入射波長に対して、粒径が同じで組成が異なる球状微粒子の水中における光散乱能を計算した。これらの計算では、真空中の異なる集合体についての標準的なハンドブックに列記されている屈折率対波長値を利用した。
【０２０８】
いくつかの粒子組成では、３００から７００ｎｍにかけて光散乱能が連続的に低下するのに対して、他の組成では、散乱能対波長分布は、ピークまたはバンドを示す。これらのピークまたはバンドがスペクトルの可視領域にあるときは、入射光が白色である場合に、粒子によって散乱される光が着色する。
【０２０９】
例示を目的として、以下の表のいくつかに、直径が１０ｎｍの異なるタイプの粒子について、光散乱特性の様々な比較を示す。これらの直径１０ｎｍの粒子に対して実証される散乱光の相対的な大きさおよび波長に関する一般的な傾向は、概して、約１００ｎｍまでのより大きな粒子についても当てはまる。例えば、表１の計算は、直径１０ナノメートルの粒子を用いて行った。しかしながら、小さな粒子（光の波長の約１／２０未満の粒子）では、小さな粒子に限定する限りは、粒径が大きくなっても、光散乱強度対波長分布の形は変化しない。粒径が大きくなることの見かけの効果は、分布グラフの振幅が大きくなることである。理論物理学および光散乱の分野において、微粒子の散乱能は、半径の６乗に比例して大きくなることがよく知られている。当業者は、１０ｎｍの粒子の光散乱能に（ｄ／１０）６（ｄの単位はｎｍ）を掛けることにより、直径１０ｎｍの粒子に対して得られた値から直径ｄの任意の微粒子の相対的な光散乱能を求めることができる。当業者は、この方法を用いて、粒子の散乱光の強度を利用して検体の存在を検出する様々な診断測定用途における特定の粒径の有用性を判断することが可能である。
【０２１０】
我々の理論的および物理的実験から、意外にも、この一般的な関係がレイリーの限界を超えるより大きな粒子、すなわち直径が約３０ｎｍを上回る粒子にも適応することがわかった。
【０２１１】
表１は、Ｃｓｃａの計算値（光散乱能）、および粒子が光を最も強く散乱させる可視領域におけるそれぞれのおよその波長を示す。表１のデータは、金属状粒子は、例えばポリスチレン粒子より強力な光散乱体であることを示唆している。
【０２１２】
図２６は、特定のタイプの１０ｎｍの球状粒子について、選択された光散乱強度の計算値対波長の分布を示す図である。金または銀から構成される微粒子は、可視波長領域において非常に顕著な散乱および吸収ピークを示すのに対し、銅粒子はこの領域では小さな散乱および吸収ピークを示す。金および銀の散乱光は、それぞれ５３０ｎｍおよび３８０ｎｍで極大に達する。光散乱極大波長から十分に離れた入射波長においても、金、銀、および他の金属状粒子の光散乱能は、同様の粒径の非金属状ポリスチレン粒子の光散乱能よりはるかに大きい。
【０２１３】
表２は、入射（照明）波長がはるかに長い波長にシフトした場合における直径１０ｎｍの金属状粒子およびポリスチレン（非金属状）に対する光散乱能（Ｓｓｃａ）の計算値を示す。多くの異なる分析および診断測定において、より長い波長で作業を行うのが好ましい。表２は、当業者がはるかに長い波長で照明波長を使用できること、および分析または診断手法への応用に対しては、金属状粒子のほうが、例えばポリスチレンとしての非金属状粒子よりはるかに優れることを示唆している。例えば、金粒子について、５３０ｎｍの光散乱極大波長からはるかに離れた波長である７００ｎｍの入射光波長において、金粒子の散乱光強度は、粒径および形状が類似したポリスチレン粒子の約２２０倍であることをデータは示唆している。実際に、スペクトルの可視波長にわたって、金属状粒子の光散乱能（強度）は非金属状粒子よりはるかに大きいことを実験により確認した。
【０２１４】
これらの結果は、金属状粒子は、粒径および形状が類似した非金属状粒子よりはるかに大きな光散乱能を有し、信号生成および検出システムを使用するのが望ましいたいていの分野に使用される分析および診断トレーサーとして広く適用可能であることを示している。例えば、粒子からの散乱光を検出することによって検体物質の有無を検出することを目的とした任意の分析において。
【表１】
2005507489.tif 000003
【表２】
2005507489.tif 000004
表３は、直径が異なる球状金粒子に対するモル十進法吸光係数（ε）の計算値と実験による実測値との比較を示す。
【０２１５】
先述の式を用いて、最大値の波長におけるε値を計算した。εの実測値は、計算された最大吸収波長において、標準的な分光光度計で光吸収量を測定することによって得られた。εの計算値と実験による実測値は、完璧ではないが、よく一致している。観察結果と計算結果との間にはおよそ２倍の差が認められるが、これは提示された金粒子の直径が不正確であることを反映するものと考えられる。実験方法の詳細は、実施例のセクションに示している。
【表３】
2005507489.tif 000005
入射光の可視波長において、金属状粒子の光散乱能（すなわちＣｓｃａ）は、ポリスチレンの如き相応の非金属状粒子よりはるかに大きい。金属状粒子と非金属状粒子の光散乱特性の間の他の重要な違いは、金属状粒子では、組成が同じで粒径が異なる金属状粒子に対する散乱光強度対入射光波長の分布が大きく変化しうることである。これは、直径が約１０ｎｍから数百ｎｍの粒径範囲では、分布が実質的に同一である非金属状粒子と対照的である。これらの違いは、様々な試料における金属状粒子をより特定的かつより感度良く検出するのに極めて有益である。銀、金、銅およびアルミニウムの様々な直径の粒子に対して光散乱（Ｃｓｃａ）が最大になる入射波長を表４に示す。
【０２１６】
図１６は、ポリエチレン化合物（ＭＷ＝２０，０００）が塗布された、またはポリエチレン化合物が塗布されていない直径１００ｎｍの略球状の金粒子に対する実験による実測散乱光強度対入射光波長分布を示す図である。それらのデータは、直径１００ｎｍの被覆または未被覆金粒子の波長依存性光散乱強度特性が極めて類似していることを示している。
【０２１７】
図２７は、直径が異なる球状の金粒子に対する計算による散乱光強度対入射光波長スペクトル分布を示す図である。散乱光強度ピーク波長は、金粒子の粒径が大きくなるに従ってより長い波長にシフトする。我々は、直径が４０、６０、８０および１００ｎｍの被覆または未被覆の金粒子について、これらの光散乱特性を確認し、それらは、溶液中、またはＤＬＡＳＬＰＤ照明法を用いた光学顕微鏡において白色光源で照明されると、緑色、黄緑色、オレンジ色および橙色の粒子になる。銀の球状微粒子は青色になる。したがって、様々なタイプの結合剤を塗布した金属状粒子を分析型測定に様々な様式で使用することができる。異なるタイプの金属状粒子の散乱光の色特性は、多検体の視覚的検出を可能にする。例えば、それぞれ異なるタイプの結合剤を塗布した直径４０、６０、８０および１００ｎｍの球状の金粒子および直径２０ｎｍの銀粒子を同一の試料に使用して、試料中の５つの異なる検体を検出することができる。１つの形式において、５つの異なるタイプの細胞表面受容体、または細胞表面上に存在する他の表面成分を検出し、視覚化することが可能である。これは、細胞の表面に結合した様々に塗布された粒子の散乱光の色を、ＤＬＡＳＬＰＤ条件下で、光学顕微鏡を用いて、白色光照明により検出することで可能になる。検体の数およびタイプは、検出された緑色、黄色、オレンジ色、赤色および青色の粒子の数で識別される。同様に、原位置ハイブリダイゼーションなどの染色体および遺伝子分析も、異なるタイプの金属状粒子を「染色体塗料」として使用して、異なるタイプの金属状粒子の散乱光の色により異なるタイプの核酸配列、核酸結合タンパク質、および試料中の他の同様の検体を識別する上述の方法を用いて実施することが可能である。これらの例は例示的なものとして提示されているもので、異なるタイプの金属状粒子の散乱光の色も、単一または多検体検出に向けた多くの異なる分析形式に利用されうることを当業者なら認識するであろう。
【０２１８】
したがって、特定のタイプの球状の金属状粒子の粒径の調整は、それらの散乱光の色および／または他の特性を用いることによって様々な試料中のそれらの検出性を高める有益な方法である。白色光源を使用することによって、２つ以上の異なるタイプの粒子を非常に低濃度まで容易に検出することが可能になる。
【０２１９】
表５は、金粒子の粒径が適度に大きくなると、粒子の光散乱能（Ｃｓｃａ）が増すことを示している。最大Ｃｓｃａに対する入射波長は粒径とともに有意に増加し、散乱光強度も有意に増加する。例えば、最大のＣｓｃａに対する入射波長は、直径が４０ｎｍ、１００ｎｍおよび１４０ｎｍの金粒子に対して、それぞれ約５３５ｎｍ、５７５ｎｍおよび６３５ｎｍである。白色光で照明すると、４０ｎｍの金粒子は、５３５ｎｍ付近の波長を強力かつ優先的に散乱させ、粒子は緑色になるのに対して、１００ｎｍの粒子は橙色になり、１４０ｎｍの粒子は赤色になる。これは、さらに、白色光で照明すると、組成が同じで粒径の異なる特定の金属状粒子を、散乱光の色によって同一試料中で互いに区別できることを示すものである。散乱光強度の相対的な大きさを測定し、散乱光の色または波長依存性とともにそれを用いて、非特異的な背景光が大きい試料においても、同一試料中の異なる粒子をより特定的かつ感度良く検出することができる。
【０２２０】
対照的に、非金属状粒子では、これらの粒子はこのような特異的な光散乱特性を有さないため、金属状粒子に比べて、たいていのタイプの試料媒体における非金属状粒子を検出するのはより困難である。
【表４】
2005507489.tif 000006
【表５】
2005507489.tif 000007
入射光の光路に直角の光散乱強度を比較することによって、形状および粒径が同じで組成が異なる粒子の光散乱能を実験により直接比較することが可能である。入射光の光路に直角の散乱光を測定するように設計され、他のサイトにも記載されている自製の光散乱測定装置を使用して、同様の粒径および形状を有する金粒子とポリスチレン粒子の相対的光散乱能を実験により比較した。表６は、金およびポリスチレンの両粒子タイプを同一の入射可視波長で比較した場合に、金で構成される粒子の実験により測定された光散乱能は、ポリスチレンで構成される粒子の散乱能よりはるかに大きい。表６の実験による実測値は、計算値の二分の一から三分の一である。この違いは、おおむね、金粒子の実験により測定されたモル十進法吸光係数に対して得られた値が、計算値に比べて約二分の一以下であることに起因するものと考えることができる（表３参照）。加えて、粒径にある程度の不確実性が存在する（例えば、２１ｎｍ±１．５ｎｍのポリエステル粒子調製物では、実際の粒径はそれより約１．５ｎｍ大きいか小さい）。この不確実性により、ポリスチレンと金粒子の両方に対する定量値がより不確実になるが、相対的散乱能に関する基本的な結論が変わるわけではない。不確実性の程度がより高くなっても、表６は、金粒子の散乱能は、最大で、同様の粒径および形状を有するポリスチレン粒子の散乱能の１００から２００倍になることを示している。
【０２２１】
表７は、可視光の異なる波長における、同様の粒径および形状を有する球状の金およびポリスチレン粒子の相対的光散乱能を比較したものである。表７は、最大の光散乱強度の波長からかなり離れた照明波長においても、金粒子の光散乱能は、粒径および形状が類似したポリスチレン粒子の光散乱能よりはるかに大きいことを示している。これらの実験結果は、我々の計算結果と一致している（表２参照）。
【０２２２】
表８は、白色白熱光照明条件を用い、実験により測定した球状金粒子の光散乱能は、相応のポリスチレン粒子よりはるかに大きいことを示している。
【０２２３】
全体的に、ここに示す我々の計算結果と実験測的結果は極めて良く一致している。これは、計算結果、ならびに潜在的に有用な粒子素材および組成を識別するとともに、当該粒子の光散乱特性の有用性を評価するための計算処理の使用を実証するものである。多色光および／または単色光、定常光および／またはパルス光、ならびに干渉性または非干渉性の光を生成するたいていのタイプの光源を照明に使用できる。我々の結果は、粒径および形状が類似した非金属状粒子に比べて、より特異的でより強力な光散乱信号を金属状粒子から得ることができることを示唆している。我々の結果は、本発明により、従来可能であったものに比べて、より少量の粒子を検出するとともに、より少量かつより多量の粒子をより特異的に検出する手段が提供されることを示している。
【表６】
2005507489.tif 000008
【表７】
2005507489.tif 000009
【表８】
2005507489.tif 000010
蛍光と比較した粒子の光生成能
蛍光は、現在、検体物質の有無を検出するように設計された多くの分析に使用されている。
【０２２４】
フルオレセインは、最もよく知られ、また最も良く使用されている蛍光化合物である。可能な限り少量のフルオレセイン分子を検出する目的で、数多くの研究が行われてきた。フルオレセインは、モル十進法吸光係数が高く（約６×１０４Ｍ−１ｃｍ−１）、蛍光量子効率が約０．８と非常に高い。
【０２２５】
表９は、特定粒子とフルオレセインとの信号生成能の計算値を比較したものである。明らかに、単一の金または銀粒子は、単一の蛍光分子よりはるかに強い光源である。理想的な条件で、適切な光学フィルターを使用すれば、良好な蛍光測定器により、約１０−１０Ｍから１０−１１Ｍのより低い濃度でフルオレセインを検出することが可能である。表９に示される比較は、この同じ蛍光測定器によって、約１０−１５Ｍから１０−１６Ｍのより低い濃度の６０ｎｍの金粒子を検出できることを示唆している。我々は、この所見を実験的に検証した。
【０２２６】
表９は、６０ｎｍの単一の金粒子からの全散乱光の出力は、約３５０、０００フルオレセイン分子の出力に匹敵する。１つのフルオレセイン分子は光学顕微鏡で直接視覚化できないが、多くの異なるタイプの試料および分析形式において、単一金属状粒子を直接視覚化することが可能である。光は、粒子から散乱された光が肉眼または光検出器によって最大限に視覚化または測定されるような角度で試料に誘導される。分析および診断用途に使用されるように我々が何らかの形態で開発したこの広く適用可能な照明および検出法をＤＬＡＳＬＰＤ（検出される粒子のみの散乱光に対して傾斜した光の誘導）と呼ぶ。これらの方法を他のサイトでより詳細に説明する。これは、単一粒子の検出、および画像解析、光子相関分光法、光学顕微鏡法および他の方法を含む粒子係数法による当該粒子の定量を可能にする。対照的に、ＤＬＡＳＬＰＤ技術を使用して、ポリスチレンの非常に大きな粒子のみを光学顕微鏡で観察することができる。
【０２２７】
表１０は、白色光照明を用いた、様々な粒径のフルオレセインと金粒子の実験により測定した相対的信号生成能を比較した結果を示す。これらの結果は、表８に示された結果と類似しており、金粒子の光生成能はフルオレセイン分子よりはるかに大きいことを示している。例えば、白色光で照明された場合に、直径が３９．９ｎｍおよび５９．６ｎｍの金粒子は、それぞれ、約２×１０４および２．３×１０５のフルオレセイン分子によって発せられる光強度に匹敵する光強度を放射する。
【０２２８】
白色光で照明された金粒子により放射される散乱光は入射白色光に存在するすべての波長から構成されるが、任意の特定波長で散乱する光の効率は、散乱光の波長の１つまたは複数の帯域がより強く散乱するように変化する。白色光を用いた場合における実際の波長組成、および散乱光波長帯散乱光強度分布は、使用する光源のタイプおよび光検出方法を含む多数の変数に依存する。表１０の結果は、２、８００°ケルビンの白熱光源または色温度によって達成したもので、光を試料に通す前に赤外線成分を低減するために簡単なフィルターに光を通した。標準的な光電子増倍管を用いて散乱光強度を測定した。表１０の結果は、光電管または光源特性に対して補正されていない。当該補正は、ここに記載する結論に影響するものではない。
【表９】
2005507489.tif 000011
入射単色光に照明された場合におけるフルオレセイン、および粒径の異なる略球状金粒子の相対的信号生成能の測定結果を表１１に示す。フルオレセイン試料を入射波長（４９０ｎｍ）の単色光で照明したところ、得られた放射光は単色光または偏光で、フルオレセイン放射線に特有の波長から構成されていた。入射光の散乱レベルが最大になる入射波長の単色光で異なる粒径の球状金粒子を照明したところ、得られた散乱光は、粒子の粒径に応じて完全または部分的に偏光していた。
【表１０】
2005507489.tif 000012
【表１１】
2005507489.tif 000013
表１１は、入射単色光で照明された様々な粒径の単一金粒子から生成された散乱光信号強度は、単一のフルオレセイン分子からの光信号強度に比べてはるかに大きいことを示している。これらの結果は、さらに、入射単色光で照明した場合における例えば金粒子のような単一金属状粒子を極めて低濃度まで検出できることを示している。当該検出性は、診断測定および分析用途における極めて高感度な光散乱標識として、適切な検出方法に当該粒子を使用するのに極めて有用である。
【０２２９】
粒子本体に１００から１０００の高い蛍光性を有する分子を導入した、例えばポリスチレンのような非金属状粒子は、当該技術分野においてよく知られている。当該粒子の例としては、フルオレセインに類似した、それぞれ４９０ｎｍおよび５１５ｎｍの吸光および放射波長を有する蛍光化合物を導入した直径１１０ｎｍの粒子が挙げられる。各粒子は、平均４、４００の蛍光性の強い分子を含有し、当該粒子の体積は約７×１０−１６ｃｍ３で、粒子の蛍光分子濃度は約１０−５Ｍである。表１２は、蛍光性の強い化合物の多数の分子が充填された直径１１０ｎｍのポリスチレン粒子と、直径１００ｎｍの金粒子の光生成能に対する実験による実測値を示している。これらの光生成能を、同じ光生成能を与えるフルオレセインの溶液と直接比較する。１１０ｎｍポリスチレン粒子のみからの全散乱光信号が、約１２、０００のフルオレセイン分子からの光信号に等しいというのは興味深い。ポリスチレン粒子における蛍光分子の存在によって、全光信号が粒子の約１．５倍に増強される。入射光波長を排除し、蛍光放射線に特有の波長を通過させる好適なフィルターを試料と検出器の間に用いることによって、この粒子からの蛍光信号を光散乱信号から分離することが可能である。当該フィルターにより、この粒子は、約３、０００のフルオレセイン分子に匹敵する蛍光信号強度を生成する。直径１００ｎｍの金粒子は、これらの粒子に比べて明らかに、放射光生成能がはるかに優れていた。
【表１２】
2005507489.tif 000014
混合組成粒子
理論的かつ物理的実験によって混合組成の球状粒子を評価して、様々な診断および分析用途におけるそれらの有用性を査定した。理論的評価では、異なる厚みの銀を塗布した金の「核」粒子、および異なる厚みの金またはポリスチレンを塗布した銀の核粒子を調べた。「核」とは、それぞれ異なる光散乱物質の追加的な層または厚みをその上に配置して、特定の割合の混合組成物とした球状粒子を意味する。追加的な厚みの銀を直径１６ｎｍの金の核粒子に付加した混合組成物から構成された粒子に対して直接的な物理的実験を行った。これらの説明例において、金および銀は金属状物質を表し、ポリスチレンは、非金属状物質を表す。これらの例は、１つまたは複数の異なる金属状物質および／または非金属状物質混合物から構成される粒子を含むより多くの異なる組合せのうちのほんの数例にすぎない。
【０２３０】
上記説明例の光散乱特性に対する計算の結果を表１３および表１４に示す。表１３のセクションＡは、金の核に対する銀の塗布膜の割合を増やしたものから構成される一連の直径１０ｎｍの球状粒子では、光散乱特性は、純銀粒子に近い粒子に変化することを示している。最も重要なこととして、我々は、これらの計算および物理的実験により、特定の割合の銀被覆粒子は、このおおよその粒径の純金および純銀粒子に特有の波長に近い入射波長において、２つの強い光散乱レベルの最大値を示すことを確認した。
【０２３１】
単純な光学顕微鏡により、ＤＬＡＳＬＰＤ条件下で白色照明を用いて、銀を塗布した直径１６ｎｍの金粒子を直接的な実験で観察したところ、純金または純銀粒子調製物においてこれまで見られなかった新しい色がこれらの粒子からの散乱光に認められた。それらの粒子の多くは、散乱光の色が明るい紫色かマゼンタ色であった。
【０２３２】
表１３のセクションＢは、異なる厚みの銀を塗布した直径１０ｎｍの金の球状粒子から構成される混合組成粒子に対する計算結果の比較を示す。これらの結果は、金に対する銀の割合が変化するに従ってこれらの混合組成物の光散乱特性に対する、表１３セクションＡに見られるような同様の傾向を示す。銀の核粒子に様々な厚みの金を塗布した場合の別の計算（表１４）において、光散乱特性は、表１３に示されるように金と銀の割合が変化するに従って、同様の変化傾向を示す。
【表１３】
2005507489.tif 000015
我々の理論的実験と物理的実験の併用から以下のことが明らかになった。例えば金および銀の混合組成物のような金属状物質の特定の混合組成物から構成される粒子について、多くの異なる試料タイプおよび具体的な診断および分析用途に有用な新たな光散乱特性が存在する。金属状物質の組成を変化させることによって、散乱強度が高い光学的に特異的かつ分解性の２つ以上の波長の粒子を作製することができる。
【０２３３】
対照的に、非金属状物質と金属状物質の混合組成物から構成される粒子は、一般に、両者の割合が同じか、または金属状物質に対する非金属状物質の割合が低い場合は金属状物質と類似した光散乱特性を示す。表１４のセクションＢが示すように、金属状物質に対する非金属状物質の割合が極めて高い場合にのみ、混合組成粒子の光散乱特性は非金属状物質と類似したものになる。
【０２３４】
銀−金混合組成物および銀−ポリスチレン混合組成物は、ともに高い光散乱能、および純粋の金属状物質から構成される粒子に特有の可視波長散乱帯域を示す。特定の混合組成物の粒子は、散乱強度ピークの一方または両方からの散乱光を特異的に検出することによって、かつ／またはこれらの混合組成タイプの粒子の１つまたは複数の色によって検出可能である。当該混合組成タイプの粒子は、これまで可能であったものに比べて、より小量の粒子を検出するとともに、より小量かつ大量の粒子をより特異的に検出するための機能を高める。
【０２３５】
非対称性粒子
光線に対する非対称性粒子の物理的配向は、これらの粒子の検出にさらなる散乱光特性を利用することを可能にする。現行の発明の多くの異なる態様にＲＩＦＳＬＩＷの特性を用いて、試料中の１つまたは複数の検体または粒子をより特異的かつより感度良く検出することが可能である。例えば、散乱光強度の変動および／または色の変化は、どの粒子が表面に結合し、どの粒子が結合していないかを判断するためのさらなる検出手段を提供する。これは、非分離型の分析（均一）の開発を可能にする。必要なのは、粒子係数、強度測定などによって、明滅および／または変色する粒子を検出することだけである。溶液中の非結合粒子は明滅および／または変色するのに対して、表面への結合粒子はそうではない。ビデオ・レコーダなどのようなさらなる画像処理手段は、さらなる検出方法を非対称性（粒子）と球状（対称性）粒子の両方に用いることを可能にする。例えば、分離または非分離形式において、表面に集光レンズを集中させ、ある期間にわたって一定の単位面積当たりの散乱光信号を単に記録することによって結合粒子を検出する。ブラウン運動または他のタイプの運動を行う、溶液中に遊離した粒子によって、これらの粒子に対する単位時間の単位面積当たりの散乱光強度の変動が生じる。結合した光散乱粒子は、空間に固定され、運動しない。画像処理方法を用いて、「運動する」光散乱粒子を「結合した」光散乱粒子から分離することによって、結合粒子の量を測定し、試料中の検体の量に関連づける。表面への結合粒子と溶液中の球状または非対称性の非結合粒子とを区別するのに用いることができる他の多くの画像処理方法が存在することを当業者なら認識するであろう。
【０２３６】
他の物質を粒子の表面または核に付加して、光散乱特性に関連しない別の物理的属性を提供する特定の用途において、また特定タイプの組成物を使用する場合に、粒子の表面に「塗布」を施して粒子をさらに化学的に安定化させ、または分析的診断測定に対する具体的な用途において極めて重要でありうるさらなる表面結合属性を付加することが有用であると考えられる。例えば、銀は急速に酸化することはよく知られている。銀粒子、または銀を含む混合組成の粒子を使用する際に、銀がその化学的安定性に対する環境的影響を受けないように、その表面に金または他の物質の薄膜を塗布することにより銀含有粒子を化学的に安定化することが可能である。
【０２３７】
他の例において、特異的に結合するポリマー含有結合剤の如き他の物質、または結合剤を塗布するのに有用な他の物質を表面に塗布するか、あるいは結合剤自体を粒子に塗布することが望まれる場合もある。これらの各々の例において、これらの「薄」膜は、核となる物質の光散乱特性を著しく変化させるものではない。「薄」膜とは、粒子の表面上に存在するモノポリマーまたは同様のタイプの被膜を意味する。
【０２３８】
処理可能光散乱粒子（ＭＬＳＰ）は、１つまたは複数の所望の光散乱特性を有するのに加えて、ＥＭＦを適用することにより、一次元、二次元または三次元の空間で処理することが可能な粒子である。ＭＬＳＰ粒子は、多くの異なる方法で作製することが可能である。例えば、ＭＬＳＰ粒子は、望ましい光散乱特性を有する物質の割合がはるかに大きい、直径の小さい「核」強誘電体、磁性体または同様の物質を塗布することによって作製され、例えば、直径１０ｎｍの磁性体または強誘電体の核に十分な金を塗布することで直径５０、７０または１００ｎｍの粒子が作製される。これを図２９Ａに示す。
【０２３９】
当該粒子を作製する他の方法は、望ましい光散乱特性を有する物質に磁性体または強誘電体の薄膜を塗布するものである。例えば、約５０ｎｍの金または銀粒子に１から２ｎｍの厚みの磁性体または強誘電体の薄膜を塗布する。これを図２９Ｂに示す。
【０２４０】
あるいは、粒子が形成されると、粒子当たりの磁性体または強誘電体に対する望ましい光散乱物質の割合が適切なレベルになるように、適切な割合で、望ましい光散乱物質と強誘電体または磁性体とを混合することによって、ＭＬＳＰ粒子を作製する。これを図２９Ｃに示す。
【０２４１】
上記ＭＬＳＰ粒子に対する代替法は、望ましい光散乱特性を有する１つまたは複数のタイプの粒子と、ＥＭＦによって移動させることが可能な１つまたは複数の粒子とを結合、または組み合わせることである。次いで、当該多粒子構造体に、ＭＬＳＰと同様の特性をもたせることができる。例えば、当該磁性体または強誘電体の微粒子を、その光散乱特性が検出される１つまたは複数の粒子に結合させる。該結合は、イオン結合、化学結合、または安定した多粒子構造体が得られる他の任意の結合である。適切な割合で混合すると、異なるタイプの単一粒子を架橋することによって、所定の分布の個別的な多粒子構造体が得られるように、異なる粒子に適切なポリマーを塗布する。粒子を結合して、所望の多粒子構造体を得るための多くの異なる方法がある。例示を目的として、いくつかの可能な多粒子構造体を図３０に示す。図３０Ａ、ＢおよびＣは、それぞれ配向性ＭＬＳＰ粒子に対するダイマー、テトラマーおよびより高次元の粒子構造体を示す図である。これらは、多くの異なるタイプの可能な多粒子構造体のうちの数タイプにすぎず、当該構造を構成するための多くの方法が存在することを当業者なら認識するであろう。
【０２４２】
１つまたは複数の混合物から構成されるこれら粒子の例は、可能な異なる物質の非常に数多い異なる組成物の数例にすぎず、そのことは当業者も理解するであろう。
【０２４３】
粒径および形状均一性
粒子の光検出特性をどのように検出するかによっては、粒子全体におけるおよその粒径および粒径の分布が極めて重要になりうる。例として、市販されている多くの金粒子調製物では、約１０％弱から約２０％弱の変動率の粒径分布が表示されている。変動率は、粒子調製物の平均で割った粒径分布の標準偏差と定義される。したがって、変動率が２０％の６０ｎｍの粒子調製物では、標準偏差単位は±１２ｎｍである。これは、粒子の約１０％が４８ｎｍより小さいか、または７２ｎｍより大きいことを意味する。調製物における粒子のおよその「平均」粒径によっては、当該粒径の変動は、散乱光の強度および散乱光の色に著しく影響する。
【０２４４】
我々は、市販のものより狭い粒径分布を与えるものと思われる粒子成長手順を開発した。この手順は、まず、「シード」金粒子の調製物を作製した後に、該「シード」粒子調製物を採取し、化学的方法によって、粒径の異なる金粒子（実施例１１および１５を参照）または銀粒子（実施例１３を参照）を成長させることを含む。例えば、直径１６ｎｍの金粒子を「シード」粒子として使用し、適切な試薬を添加することによってより大きな直径の金粒子を作製する（実施例１５を参照）。この方法は、混合組成粒子を作製するのにも極めて有用である。
【０２４５】
粒子均質性−単一粒子の散乱光色による検体の検出
特定の用途において、単一粒子の色を利用して、特定タイプの検体の識別および定量が行なわれる。例えば、画像血球の用途では、表面に付着する異なるタイプの粒子の数および色を検出することによって、異なるタイプの細胞表面抗原等の識別および計数を行うことが関心の対象となることもある。この検出、または関連する他の任意のタイプの多検体検出では、異なる粒子の粒径分布を可能な限り密に維持する必要がある。異なる散乱光の色を生成するために同じ用途に使用されることになるより小さい粒子とより大きい粒子の中間粒子間の中間粒径に近い平均または「中間」粒径を用いて、白色照明のもとで所望の散乱光の色を与えるように、隆起調製物の平均粒子直径を選択すべきである。このようにして、それぞれの散乱光の色による異なるタイプの粒子の分解性を最大化する。
【０２４６】
粒子均質性−集積光強度の測定
他のセクションにおいて、粒径が増加または減少するに従って散乱光の強度が如何に大きく変動しうるかということについて説明した。特に集積光強度の測定を行うときには、この強度の変動を考慮に入れなければならない。変動率が２０％の上述の６０ｎｍの粒子調製物を使用すると、粒子のうちの１０％が、６０ｎｍ粒子の３倍または３分の１の強度を有することになる。加えて、粒子全体の残りの９０％は、強度のばらつきが極めて大きくなる。多くの粒子を測定する用途では、「平均」集積光強度は、６０ｎｍの粒子に近くなる。しかしながら、粒子の濃度が低くなると、当該ばらつきの統計が資料毎の読取り精度に影響を及ぼす可能性があり、補正アルゴリズムが必要になることもある。可能な限り狭い粒子分布を使用することによって、測定の精度および簡便性さが向上する。
【０２４７】
光吸収色による検体の検出に有用な金属状粒子
いくつかのタイプの検体分析では、検体は、光吸収特性による検体の検出を成し遂げることが可能な濃度にある。例えば、免疫クロマトグラフィーなどの技術分野における現行の問題は、典型的に用いられる粒径（直径が４から５０ｎｍ）の金粒子の使用は、それらの光吸収色により光学的に分解できない粒子に限られることである。これらの粒子は、濾紙または同様の診断測定固相媒体上で観察した場合に桃色または赤色を有する。銀粒子および他の金属状粒子の粒径および／または形状を変えることによって、多くの異なる光吸収色を得ることができる。光吸収によるこれら粒子の異なる色を用いて、粒子の光吸収色による異なる検体の検出を行うことができる。肉眼によって検出できるこれらの色は、免疫クロマトグラフィー・フロー分析、パネル型、およびマイクロアレイまたはより大きな固相単一または多検体分析の如き多くのタイプの固相分析に極めて有用である。銀の球状粒子および非対称性粒子、ならびに他の金属状粒子は、光吸収による広範囲な色に対応する。
【０２４８】
粒子の光散乱特性のオートメタログラフィック強化
オートメタログラフィーおよび関連技術を用いて、小さな、または大きな倍率で既存の金属状粒子の粒径を拡大できることは当該技術分野においてよく知られている。金属および／または半導体物質、そして特に金および銀粒子の光吸収力は、肉眼、または吸光度を測定するように設計された計測器を使用することによって、これらの粒子の存在の定量および／または検出を行うのにしばしば利用されてきた。そのような方法は、メタログラフィーによって拡大された小量の粒子を検出するその能力において、本発明の光散乱検出より劣っている。
【０２４９】
例として、直径１ナノメートルの金粒子をメタログラフィック法によって拡大し、約２０分間で、直径１ｎｍの金粒子に平均直径約１１０ｎｍまで銀を塗布したことが報告されている（Ｉｍｍｕｎｏｇｏｌｄ−Ｓｉｌｖｅｒ  Ｓｔａｉｎｉｎｇ、Ｐｒｉｎｃｉｐｌｅｓ、Ｍｅｔｈｏｄｓ  ａｎｄ  Ａｐｐｌｉｃａｔｉｏｎｓ、ＣＲＣ  Ｐｒｅｓｓ、１９９５年  Ｍ．Ａ．Ｈａｙａｔ編を参照のこと）。この調製物における粒子の直径は、約４０ｎｍから２００ｎｍの範囲にあり、形状はおおよそ球状であった。我々の計算では、意外にも、１ｎｍの核トレーサー粒子を１１０ｎｍに拡大すると、光散乱能がおよそ１０１０増加するのに対して、光吸収力は１０５しか増加しないことが示されている。
【０２５０】
微粒子の直径を大きくすることにより、同じ物質の微粒子に比べて、光散乱レベルが最大になる入射波長がはるかに長い波長にシフトする。したがって、拡大された粒子からの光散乱信号を測定することによって、１ｎｍの微粒子の有無において拡大粒子が容易に検出される。拡大粒子に対する散乱レベルが最大になる波長の入射光の拡大粒子の検出に対する利用は、非特異的な光散乱背景の主たる源を構成するより小さい粒子に対して拡大粒子をより特異的に検出することを可能にする。
【表１４】
2005507489.tif 000016
表１５は、メタログラフィック法または関連する方法によって粒径が拡大された微粒子の光散乱特性に関する追加的なデータを提供するものである。我々の計算データは、粒子の粒径を拡大することで、その光吸収力と比較した場合の粒子の光散乱能がより顕著に高められることを示している。例えば、粒子の直径を２０％拡大すると、微粒子の光散乱能は、（１．２）６または約３倍高められる。微粒子の直径が２倍および１０倍になると、散乱能は、それぞれ６４倍および１００万倍になるのに対して、光吸収力は、それぞれわずか８倍および１０００倍にとどまる。
【０２５１】
したがって、本発明の方法を用いて、メタログラフィ（すなわち、金属状または非金属状物質から構成される小粒径上への金属状物質の被膜の積層）により拡大された粒子の存在を定量かつ／または検出するときに、従来可能であったものよりも、より小量の当該粒子を検出するとともに、より小量の当該粒子をより特異的に検出することが可能である。
【０２５２】
上記は、核上に金属状被膜を積層することによる金属状粒子核のメタログラフィック拡大と、その後に続く本発明の方法による拡大粒子の検出との組合せの例である。当該方法は、溶液中に遊離する粒子、および／または表面に付着する粒子を拡大するのに用いることができる。先述の例は、光散乱によって粒子を検出するためのここに記載の多くの異なる方策および方法、ならびに核および被膜組成の異なる組合せ、および異なる度合いの拡大の使用を含むこの組合せ方法の多くの異なる順列の１つにすぎない。これらの代替的組合せは、当業者に容易に理解されるであろう。当該組合せ手法は、信号生成および検出システムを使用して検体を検出することが望ましいほとんどすべての状況に適用されうる。
【表１５】
2005507489.tif 000017
屈折率増大法
光学顕微鏡、電気通信および他の関連分野における屈折率整合技術は、当該技術分野においてよく知られている。この技術は、光線が、例えば１つの物質の表面から他の異なる物質の表面へと通過するように、１つの媒体またはデバイスから他の媒体またはデバイスへと通過するときに生じる非特異的な光散乱および反射を低減するのに広く使用されている。
【０２５３】
我々は、特定タイプの粒子の光散乱能（Ｃｓｃａ）は、粒子が存在する媒体に影響されることを確認した。媒体の屈折率を変えると、粒子の光散乱特性が変化する。
【０２５４】
表１６は、選択された粒子に対する媒体屈折率の影響の説明例を示す。直径１０ｎｍの金、銀およびポリスチレン球状粒子に対する計算された屈折率媒体の影響が示されている。
【０２５５】
表１６に示されるように、媒体の屈折率の影響は、非金属状粒子に比べて金属状粒子の場合は極めて差が大きい。例えば金のような金属状粒子に対する媒体の屈折率を大きくすると、その粒子からの散乱光の強度および最大波長が大きくなるのに対して、例えばポリスチレンのような非金属状粒子では光散乱能が低下する。
【０２５６】
試料媒体の屈折率の影響として、非金属状粒子と比べた場合における金属状粒子の特有の光散乱特性を利用して、非特異的光散乱背景を多く含む粒子を含む試料中の金属状粒子をより特異的かつより感度良く検出することが可能である。これは、多くの異なるタイプの診断分析測定にとって重要である。
【表１６】
2005507489.tif 000018
多くのタイプの試料および診断測定形式において、試料容器および検体以外の試料成分からの非特異的な散乱、反射および他の背景光の問題はよく知られている。これらの非特異的背景光は、粒子の散乱光特性の検出および／または測定による検体の高感度レベルから超高感度レベルの検出を不可能にせずとも困難にする。
【０２５７】
我々は、屈折率増大法を用いたときは、非金属状粒子に比べて、金属状粒子のほうがはるかに特異的かつ感度良く検出できることを確認した。次に、該方法を説明する。以下の式（ＲＩは屈折率係数）を用いることによって、散乱光強度に対する粒子および媒体の屈折率の影響を評価することができる。
【数１】
2005507489.tif 000019
上式において、ｒｅｆｍｅｄは媒体の屈折率で、ｍは、粒子の屈折率／ｒｅｆｍｅｄに等しい。ｍは、暗に波長に依存するが、厳密な依存性は、粒子組成および媒体に応じて変化する。色を有さないたいていの溶媒の屈折率は、少なくともスペクトルの可視領域では、通常波長に無関係である。
【０２５８】
高感度分析において光散乱粒子を使用するにあたっては、どのような屈折率の値を用いればより高い光散乱強度が得られるかということが関心の対象となる。これは、式（１６）の屈折率係数（ＲＩ）から求められる。この係数は、式（１６）の分子が０になるときに最大値になる。この条件では、屈折率係数は無限の値になる。したがって、高レベルの光散乱の条件は以下の式で与えられる。
【０２５９】
ｍ２＋２＝０    （１７）
上式をｍについて解くと、以下の式が導かれる。
【０２６０】
ｍ＝√−２    （１８）
＝１．４１ｉ    （１９）
上式において、ｉ＝√−１である。上式は、屈折率が１．４１の値を有する純虚数であるときに、屈折率係数が最大値になり、粒子による光散乱レベルが最大になることを示唆している。表１６に示される計算データは、予測された傾向に従う。加えて、屈折率増大法は、金属状粒子に対して光散乱レベルが最大になる入射波長からかなり離れた入射波長においても非常に有効である。
【０２６１】
次に、屈折率増大法の使用例を示す。高レベルの非特異的光散乱背景が存在する試料の如き高散乱試料において、金属状粒子および屈折率増大法は以下のように使用される。
【０２６２】
当業者は、例えば水または他の液体の膜を乾燥した試料または湿った試料の上部に配置し、試料媒体の屈折率を高める。これによって、媒体の屈折率が高められる。他の例では、高散乱試料を媒体の屈折率を実質的に高める高屈折率の液体で血清または他のタイプの高散乱試料を希釈する。
【０２６３】
上述の例では、以下のようなプロセスが生じる。試料の屈折率が高くなるに従って、金属状粒子の特異的光散乱信号が増加し、非特異的光散乱背景が減少する。表１６に示されているように、試料媒体屈折率が金属状粒子の屈折率に近づくと、非特異的散乱背景に対する粒子の光散乱レベルの割合が最大限に増加する。これは、媒体屈折率が適正な値を有すると、血清タンパク質または同様の成分により非特異的な光の散乱が著しく減少するか、または消滅するのに対して、粒子の特異的光散乱強度は増加することを意味する。これにより、金属状粒子の光散乱特性を分析トレーサーとして使用する場合に、優れた検体検出信号／背景比が得られる。これらの方法は、乾燥表面、溶液で覆われた表面、または溶液の如き試料に適用可能である。
【０２６４】
金属状粒子に対するより長い波長に対してもこれらの屈折率整合法を使用して、非特異的散乱背景に対する特異的光散乱信号の割合をさらに高めることができる。表１６は、金および銀粒子に対する効果を示しているにすぎないが、他の金属状物質から構成される粒子を使用して、我々が説明した方法を用いてより小量の粒子を検出することも可能である。ここに記載されている屈折率増大法の説明では、本発明のこの粒子の多くの可能なタイプのうちのわずか数種類が示されているにすぎない。該方法の他の多くの変形形態も可能であり、それを当業者は理解するであろう。これらの変形形態の１つまたは他の形態をたいていの診断形式に効果的に利用して、検体の有無を判断することができる。本発明のこの態様は、従来可能であったものに比べて、より小量の粒子を検出する手段、より小量の粒子をより特異的に検出する手段、およびより小量の粒子およびより大量の粒子をより特異的に検出する手段を提供する。
【０２６５】
従来可能であったものに比べて、より小量の粒子およびより大量の粒子を検出するのに、屈折率増大と、先述した狭帯域フィルター手法とを組み合わせた方法が広く利用される。これらの手法は相補的なものである。屈折率増大法は、非特異的光散乱背景を低減するのに用いられるのに対して、狭帯域フィルターは、蛍光のような他の非特異的背景光の源を低減し、かつ最小限に抑えるのに使用される。これらの方法を組み合わせることによって、非特異的背景光に対する粒子特有の散乱信号の割合が高度に最適化されるとともに、粒子をより特異的かつより感度良く検出することが可能になる。
【０２６６】
上記の例は、この複合的な方法の多くの可能な形態の１つにすぎない。他の多くの形態が存在することを当業者は理解するであろう。
【０２６７】
高散乱および蛍光試料−血清における光散乱粒子の検出
哺乳動物の血清は医学的に重要な多くの物質を含み、その定量化および／または存在は臨床実験室ならびに他の施設で特定されている。多くの異なる信号生成および検出システムを使用して、血清中のこれらの検体の存在が確認されており、これらは、蛍光法、光散乱および化学発光法の如き光信号生成法、ならびに直接標識法および信号増幅法の両方を含む形式に用いられる比色法を含む。天然の血清は、蛍光、化学発光または光散乱機構によって非特異的光信号を生成することが可能な様々な物質を含有する。加えて、血清は、トレーサー体からの特異的光信号の生成および／または検出を妨害する物質をしばしば含有する。これらの問題は、純粋またはほぼ純粋な血清試料における検体検出を不可能にせずとも困難にする。
【０２６８】
血清検体の検出のための既存の試験システムのすべてではなくても、そのほとんどを採用できるようにするためには、血清が試験に対応するように、血清に何らかの方法で前処理を施すことがほぼ常に必要である。当該血清処理方法は数多く存在し、おそらく最も単純な方法は、通常水性である何らかの適切な溶液で血清を希釈することである。広く用いられる他の手法は、特定の光生成トレーサーの存在を確認する前に望ましくない血清成分を除去するように実際の試験を行うものである。費用および労力の観点から、試験を実施するのに必要な労力および試薬が少ないほど好ましい。試料に前処理を施さないことが大いに望ましい。当該機能は、試験の性能に対しても有益でありうる。本発明の方法は、ほぼ純粋な血清において当該検体試験を実施する手段を提供するとともに、従来可能であったものに比べて、より高濃度の血清試料において、より小量または大量の粒子をより特異的に検出する手段をさらに提供する。
【０２６９】
例えば、フルオレセインの如き蛍光トレーサーによって血清試料を分析する前に、それを約５パーセントの最終血清濃度まで希釈することが広く行われている。血清試料を４９０ｎｍの単色光で照明し、光学フィルターを使用して非特異的な背景散乱光を最小に抑える。非特異的光信号は、１０−８Ｍから１０−９Ｍのフルオレセインを含有するフルオレセインの高純度の液体試料に相当する。したがって、５％の血清試料において、信号／雑音比が２のレベルで、１０−８Ｍから１０−９Ｍのフルオレセインを検出することができる。９５パーセントの血清試料では、フルオレセインの検出の下限は約１９倍、すなわち１．９×１０−７Ｍから１．９×１０−８Ｍになる。したがって、光学フィルターによる９５パーセントの血清では、フルオレセインの検出の下限は約１．９×１０−７Ｍから１．９×１０−８Ｍになり、この量のフルオレセイン光信号では、（全光信号）と（非特異的光信号）の比が約２：１になる。
【０２７０】
表１７は、（全光信号）と（非特異的光信号）の比が２：１の場合における、非常に高血清濃度における実験的に測定可能な検出限界を示す。このような高血清濃度において、散乱入射光による非特異的光信号を除去するための光学フィルターが存在しない場合は、フルオレセインの検出の下限は約６×１０−７Ｍである。
【０２７１】
表１８は、入射光の散乱による非特異的光信号を除去する光学フィルターが試料と光電子増倍管の間に配置された場合における非常に高血清濃度でのフルオレセインの検出の下限を示す。この状況において、高血清濃度におけるフルオレセインの検出の下限は約２×１０−８Ｍである。
【０２７２】
フルオレセインと対照的に、表１７セクションＢおよび表１８に示される結果は、光学的濾過を行わなくても、約１．８×１０−１２Ｍの濃度において、（全光信号）と（非特異的光信号）の比が２：１のレベルで、９５パーセントの血清における直径５９．６ｎｍの金粒子の存在が検出できることを実証するものである。血清から観察された非特異的光信号は、５×１０−７Ｍのフルオレセインからのものと同等であった。これらの同じ条件下で、高血清濃度における直径６０ｎｍのポリスチレン粒子は、約６×１０−９Ｍの下限で検出可能であるにすぎない（表１８を参照）。
【表１７】
2005507489.tif 000020
【表１８】
2005507489.tif 000021
表１９に示される結果は、９５．７パーセントの血清において、直径１００ｎｍの金粒子と、直径１１０ｎｍのポリスチレン粒子と、蛍光性の強い化合物を一粒子当たり４、４００分子含む直径１１０ｎｍのポリスチレンとの（全光信号対非特異的光信号比が約２：１の場合における）相対的検出限界の比較を示している。これらの結果は、直径１００ｎｍの金粒子は、ポリスチレン、または蛍光性の強い化合物の分子を多数含むポリスチレンから構成される直径１１０ｎｍの粒子よりはるかに低い濃度で検出可能であることを証明するものである。金粒子は、血清中において、他の非金属状粒子に比べて約２３０分の１の濃度で検出されうる。
【０２７３】
表２０は、同じ照明条件下で、高濃度の血清を含む溶液と水だけを含む溶液における同一濃度の５９．ｎｍの金粒子から測定された散乱光の量を比較している。これらの条件下で、約３の信号／背景比で１．８×１０−１２Ｍの濃度の金粒子が検出可能であった。これらの結果は、血清または任意の共通成分の存在は、金粒子の光散乱能に直接的な影響を与えないことを示唆している。金属状粒子の光散乱特性の安定性および不動性は、それらの金属粒子を血清の如き試料、および他の多くの成分を含有する他の関連試料に極めて有用なものにしている。
【０２７４】
血清中の直径１００ｎｍの球状ポリスチレン粒子または金粒子の検出は、さらなる例を提供する。
【０２７５】
哺乳動物の血清は、約３．７グラム・パーセントのタンパク質を含み、その約３分の２が血清アルブミンである。血清中のポリスチレン粒子の検出は、血清中のタンパク質および他の物質、ならびに他の多くの源に起因する非特異的光散乱に妨害される。ポリスチレン粒子とタンパク質および血清中の他の物質との光散乱強度対入射可視波長分布の類似性は、血清または他の任意の高散乱媒体中のポリスチレン粒子を検出する能力を著しく制限する。
【表１９】
2005507489.tif 000022
【表２０】
2005507489.tif 000023
３００ｎｍの代わりに５７５ｎｍの入射波長を用いて血清を照明すると、非特異的光散乱信号が１３分の１に減少するが、ポリスチレン粒子からの特異的散乱信号に対してもほぼ同規模の減少がもたらされる。ポリスチレンまたは他の非金属状粒子に対する照明の波長を大きくしても、特異的信号対背景比、すなわち試料中のポリスチレン粒子の検出性が著しく高められることはない。
【０２７６】
対照的に、金属状粒子は、照明および／または検出の可視波長を大きくすることにより、非金属状粒子に比べて、より大きな信号対背景比で検出される。直径１００ｎｍの金粒子は、水と類似した水性媒体において約５７５ｎｍの波長付近の光を最大限に散乱させる。５７５ｎｍ付近の波長の単色光で試料を照明すると、金粒子から最大の光散乱信号が生成され、非特異的光散乱が著しく減少する。例えば、これらの条件下において、全体的な非特異的光散乱は、３００ｎｍの入射波長に対する３００ｎｍの照明波長に比べて約１３分の１に減少する。
【０２７７】
入射白色光、および対象波長外（約５７５ｎｍを中心とした特定帯域より小さいかつ／または大きい波長の）光の量を最小限にする適切な光学フィルターを用いた血清試料の照明は、血清中のより小量の金属粒子を検出する他の手段を提供する。これらの条件下で、金粒子から最大の光散乱強度を生成する入射可視波長が利用され、血清タンパク質および他の物質、ならびに他の源に起因する非特異的光散乱信号が著しく低減される。白色光（またはいくつかの異なる波長）で照明し、適切な配列の光学フィルターを使用すると、血清試料において、複数のタイプの異なる金属状粒子が検出可能になる。この方法は、光散乱レベルが最大になる入射波長が異なる各々のタイプの粒子を利用している。
【０２７８】
他の手法は、適切な偏光フィルターおよび／または帯域フィルターを介して試料からの全光信号を濾過することを含む。適切な偏光フィルターを使用すると、非偏光蛍光背景が効果的に除去されるが、非特異的光散乱背景はたいてい偏光しているためほとんど影響されない。より高い波長の光学的帯域フィルターを使用し、例えば白色光照明のような広帯域照明を用いると、非特異的光散乱および蛍光背景を著しく低減することが可能になる。金属状粒子の多くは、より長い波長で高い光散乱強度を有し、この特性を帯域フィルターおよび／または偏光フィルター手法と組み合わせて利用することができる。例えば、直径３００ｎｍの球状金粒子は、約７００ｎｍの波長においてほぼ最大の散乱光率を有し、その散乱光強度は、直径１００ｎｍの金粒子の約６倍である。３００ｎｍの粒子、および７００ｎｍを中心とした帯域フィルターを使用すると、非特異的光が約半分に減少し、金粒子の散乱能が（１００ｎｍの粒子に比べて）約６倍に増加する。したがって、このシステムにおける信号対背景比は約１２倍に高められた。非金属状粒子、例えば同等の粒径のポリスチレン粒子にこの手法を用いても、信号対背景比が著しく高められることはなく、実際には低下するおそれがある。装置の光学的コンポーネントおよび／または試料槽上の反射防止コーティングを用いても信号対背景比を向上させることができる。他の多くのスキームおよび手法を用いることも可能であり、当業者はこれらを理解するであろう。
【０２７９】
本発明のこの態様は、試験システム形式の一部として散乱光の検出を利用する他の方法によって達成可能なものに比べて、診断測定システムの特異的光散乱信号と非特異的光散乱背景信号との識別能を向上させる。加えて、白色光で照明されると異なる色を示す異なるタイプの金属状粒子の可用性は、１つの試料における複数のタイプの粒子の存在を検出することを可能にし、１つの試料における複数の検体タイプの検出に有用である。
【０２８０】
金属状粒子のさらなる利点は、それらが、蛍光化合物に対して化学的に不活性なことである。当該粒子は、光漂白を行わず、それらの信号生成能力は当該機構に影響されない。
【０２８１】
上記の手法は、粒子による特異的光散乱信号と、様々な源に起因しうる非特異的光散乱信号との間の識別能を向上させるために、金属状材料からなる粒子を使用するための多くの手法のうちの数例にすぎない。例えば、当該粒子を、使用されている粒子に対して光散乱レベルが最大になる波長と異なる波長で特異的に検出する数多くのスキームが可能である。他の多くのスキームまたは手法も可能であり、当業者はこれらを理解するであろう。
【０２８２】
次に、１つまたは複数の光散乱粒子の特性の検出による固相または関連試料中の１つまたは複数の検体の検出について説明する。
【０２８３】
固相検出方法
これまでのセクションでは、金属状粒子の特定の光散乱特性、および溶液中のこれら粒子の検出に関連する本発明の様々な態様を説明した。次に、表面上、または表面の極めて近くに存在する粒子を検出するための方法について説明する。
【０２８４】
我々は、ＤＬＡＳＬＰＤ照明および検出法に金、銀および他の金属状粒子を使用することによって、単位面積当たり極めて小量の粒子および粒子標識結合剤（被覆粒子）を検出することができ、単純な照明および検出手段を使用して、表面または表面付近の単一粒子、および結合剤を塗布した粒子を検出することが可能であることを確認した。光透過性表面に対しても光不透過性表面に対しても、これらの方法を用いることができる。
【０２８５】
我々は、粒子ならびに照明および検出方法の特定の組合せを用いることで、試料中において約０．００１から１０３個毎平方ミクロン（μ２）の広範囲な粒子密度を検出できることを確認した。適切なタイプの粒子を使用することによって、同一の試料、例えばマイクロアレイにおいて、極めて小量まで、非常に広い濃度範囲にわたって異なるタイプの検体を検出することが可能になる。これは、（低粒子密度における）粒子計数と、同一試料に対する（高密度における）集積光強度測定の両方を利用することによって１つの装置上で達成される。例えば、アレイ・チップの如き固相関連手段または他の固相方法を用いることによって、２つ以上の異なる検体に対して試料を分析する場合は、試料中に異なるタイプの検体が異なる濃度で存在する。すなわち、いくつかの検体は、試料中の他の検体に比べて、２桁から数桁高いまたは低い濃度で存在しうる。所望の検体検出感度、および方法が機能する濃度範囲を達成する上で、適切なタイプの粒子を選択することが極めて重要である。ここに記載する我々の方法は、当該試料中の検体の検出を可能にする。レーザの如きより強力な光源を使用し、共焦点撮像の如きより高度な方法を我々の基本的な照明および検出法に付加すれば、より広い検出レンジおよびより高感度が可能になる。
【０２８６】
我々は、高密度の粒子をより特異的かつ容易に、すなわち単純な方法を用いて非常に良好な信号対背景比で検出できることを確認した。本発明のある態様では集光レンズ（撮像レンズ、ミラーまたは同様のデバイス）が使用され、他の態様では集光レンズは使用されない。
【０２８７】
粒子による散乱光は、例えばフォトダイオードまたはフォトダイオード・アレイ、光電増倍管、カメラ、ビデオ・カメラまたは他のＣＣＤデバイスの如き光検出器、あるいは人間の肉眼によって検出される。粒子の量は、単位面積当たりの粒子の数をカウントし、かつ／または単位面積当たりの全集積光強度を測定することによって求められる。検出および測定される具体的な散乱光特性としては、１つまたは複数の波長における散乱光強度、色、偏光性、ＲＩＦＳＬＩＷ、および／または単位面積当たりの粒子散乱光の角度依存性が挙げられる。次いで、これを試料中の検体の存在、不在および／または量に関連づける。
【０２８８】
１つまたは複数の検体を測定するいくつかの分析において、粒子計数または集積光強度測定の一方または両方を用いることができる。粒子を正しく選択し、ＤＬＡＳＬＰＤ照明および検出法を用いることで、通常光学的分解性および検出性が十分な散乱光強度が得られるため、より高度な光源、ならびに空間および光学濾過技術は不要であることに留意されたい。しかしながら、非特異的背景光の量が多いいくつかの試料では、光学フィルター、共焦点撮像、または他の開口型空間濾過技術を使用して、全非特異的背景光に対する粒子散乱光信号の比率を高めることによって究極的な信号対背景比を向上させる。
【０２８９】
いくつかの分析および診断用途では、集光レンズまたはミラーを使用せずに、我々の基本的方法を用いて散乱光強度の検出および測定を行うことが可能である。これらの試料において、集光レンズを使用することなく、上記と同様にして散乱光の１つまたは複数の特性の検出および測定を行う。次に、それらの方法をより詳細に説明する。
【０２９０】
集光レンズまたはミラーを使用した光散乱粒子による散乱光の検出
我々は、様々なタイプの集光光デバイスを使用して、粒子の散乱光を集光できることを確認した。粒子計数と強度測定（単位表面面積当たりの集積強度）の両方を用いて、我々のＤＬＡＳＬＰＤ照明および検出方法により、所定領域における粒子の１つまたは複数の具体的な光散乱特性を検出した。我々は、実施したほとんどの実験において、粒子密度が約０．１個／μ２以下のときは、一般に計数測定法を用いるのが有用であることを確認した。粒子密度が約０．１個／μ２を上回るときは、全集積光強度の測定が有用な測定方法であることがわかる。しかしながら、約０．１個／μ２より大きいまたは小さい粒子密度において、計数測定または集積光強度測定を使用できることに留意されたい。
【０２９１】
測定の対象とする表面の視野または領域、測定される試料容器のタイプ、および粒子計数によって測定される粒子密度の上限によっては、試料による散乱光を集光かつ／または画像化するために１つまたは複数の特定タイプのレンズを使用することが有用であることが分かった。例えば、より大きな領域を測定して散乱光を検出したい場合は、ａ×１０、またはさらに小さな顕微鏡対物レンズ、あるいはレンズまたはミラーを使用して試料による散乱光を集光することができる。同様に、試料のより小さい領域を測定しようとする場合は、ａ×２０、×４０、×１００またはより大きな顕微鏡対物レンズ、あるいは同様のレンズまたはミラーを使用して光を集光することが可能である。より高い粒子密度において粒子計数法を用いる場合は、より高倍率の対物レンズによって、高密度の粒子をより良好に分解することが可能になる。より大きな対物レンズを使用するときは、さらなる条件および制限が課されることに留意されたい。例えば、作用距離が極めて小さくなり、浸漬油を試料に添加しなければならない場合がある。カメラ、ビデオ・カメラまたは同様のＣＣＤ型光検出器を使用すると、その試料領域による全散乱光が検出される。次いで、この情報を単純なハードウェアおよび／またはソフトウェア手段によって処理して、散乱光測定値を解析することができる。これは、固相マイクロアレイ、アレイ・チップまたは同様の形式を使用することによって試料中の多くの異なる検体を検出および定量できるため、強力な機能である。マイクロアレイ形式では、特定の検体を特異的に結合させる、空間的に分離した領域における異なるタイプの結合剤で表面の小さな領域を覆う。後に、固相多検体マイクロアレイなどへの本発明の具体的な応用について説明する。
【０２９２】
粒子計数法は、通常、集積光強度測定法よりも機器的要件が厳しい。しかしながら、粒子の１つまたは複数の光散乱特性を非常に感度良く検出するにあたっては、計数技術の使用に大いに利点がある。例えば、光源または試料槽の変動および不均質性によって粒子計数測定が影響されることはないのに対して、集積光強度測定法を用いる場合はこの問題が深刻な問題を引き起こす可能性がある。加えて、計数技術による測定粒子の品質および信号／背景比を向上させるための多くのソフトウェアおよびハードウェア・オプションが存在している。
【０２９３】
集光レンズまたはミラーを使用しない光散乱粒子の検出
表面または表面付近の粒子の散乱光を検出するのに集光レンズを使用する必要のない方法をも開発した。この構成では、通常、集積光強度によって、対象領域から入射する散乱光を検出する。これは、先述したように、矯正した、または未矯正の肉眼、あるいは光検出器によって行うことが可能である。我々は、直径が約１２０ｎｍ以下の金属状粒子を使用すると、散乱光の前方方向の包絡線の外側の角度に検出器（肉眼または光検出器）を配置することによって、全体的な非特異的背景光に対する粒子の光散乱信号の比を著しく高められることを確認した。
【０２９４】
信号／背景比を高めるための主要概念
ＤＬＡＳＬＰＤ照明および検出法を詳細に説明する前に、何らかの形態で使用すると、光散乱粒子の検出に対する信号および信号対背景比の限界を決定づける主要概念の概要を説明することが有益である。これらの方法は、より強力な光源、より平光度の高い光源、より小さな波長帯域の光源、異なる波長の光源、より高感度な光検出器、照明光源と試料の間かつ／または試料と検出器の間の光学フィルターおよび／または空間フィルター、および／または共焦点もしくは類似の撮像技術を使用することなど、様々な装置コンポーネントの調整または変更に加えて実施される。これらの方策および方法の概要を以下に説明する。
【０２９５】
（１）より大きな直径の金属状粒子を使用することによって、粒子の光散乱能を著しく高めることが可能である。粒径を大きくしても、散乱光強度対入射波長分布を変化させることができる。１つまたは複数の散乱光特性を容易に検出できるように、任意の具体的な分析のニーズに合わせてこれらの特性を調整することが可能である。例えば、非特異的背景光が大きい試料中の検体を測定する場合は、直径が約８０から１２０ｎｍのより大きい金粒子が有用である。直径が４０ｎｍの金粒子に比べて、光散乱レベルが最大になる最大波長がより光波長にシフトし、散乱光の強度も高くなる。これらの２つの効果を組み合わせると、直径４０ｎｍの金粒子に比べて、信号／背景比が著しく高められる。
【０２９６】
（２）散乱光の前方方向の包絡線の外側の角度で試料の散乱光を測定することによって、強度または計数方式における信号／背景比が実質的に高められる。試料の表面の上側または下側、ならびに照明光線が位置する試料面と同じ側または反対側に検出器を配置することができる。これらの様々な方位において、散乱光の前方方向の包絡線の外側で粒子からの特異的光散乱信号が検出されるのに対して、試料槽内の光学収差および試料中の他の成分からの非特異的散乱光の大半は、散乱光の前方方向の包絡線の内側にある。これによって、粒子散乱光のより高感度で特異的な検出が可能になる。
【０２９７】
（３）先述したように、非特異的反射光の量も検出の感度に影響を与える。我々は、検出される集光領域から入射光の表面を可能な限りずらすことによって、反射光の量を実質的に減少させることが可能である。これは、（後に説明する）試料槽の適切な設計を含む多くの異なる方法で達成することができる。例えば、我々は、ガラスのスライドの底面に浸漬油の薄膜を設け、それを介して反対面の粒子に光線を照射すると、結果の有意な向上が認められることに注目した。他の実験において、小さなプラスチックの光導体を、結合粒子のマイクロアレイが表面の反対側に存在するプラスチックの試料槽の底面に付着させると、有意な結果の向上が認められた。また、等面プリズムおよび／または他のタイプのプリズムまたは光学光導体の如きより大きな光学的配列手段を使用するとともに、試料容器がプリズムに接する表面に浸漬油を仕込んだ。我々は、これらの優れた結果は、（ｉ）光入射面と、光散乱粒子を含む検出の領域との距離をより大きくしたこと；（ｉｉ）プリズム面などの光導体の表面における入射角を（直角に対して）０°としたこと；および（ｉｉｉ）システム内に生じる反射光の多くをシステムから外に誘導し、集光点から離すことによるものと結論づけた。これらの方法はいずれも、様々な試料中の光散乱粒子の検出に対する信号／背景比を高める上で有用である。システムから反射光を効果的に除去して信号対背景比を向上させるのに用いることができるいくつかの光誘導法がある。
【０２９８】
（４）屈折率増大法も、多くの異なるタイプの試料における信号対背景比を高める上で極めて有用である。我々は、信号対背景比を高めるためのいくつかの方法を見いだし、ここでそのいくつかを説明する。粒子を含む表面を覆う液体を使用する方法では、その液体の屈折率が、粒子を含む表面の屈折率に近いほど、信号／背景比が高くなる。我々は、乾燥した固相上の検体を検出する際は、表面の上部に液体層を配置することによって信号／背景比が高められることを見いだした。屈折率が約１．３３の水性緩衝液を使用して試料表面を覆うと、空中で同じ表面上の粒子を測定するのに比べて、はるかに良好な結果が得られる。固相の屈折率により近い液体を使用することによって、さらに良好な信号／背景比が得られる。例えば、まず、光散乱粒子に結合剤が塗布された検体を試料媒体、または他の適切な反応混合物もしくは緩衝液中の固相に結合させることによって分析を実施することができる。次いで、粒子の検出に先立って、固相を覆う、選択された屈折率の溶液で試料中の溶液を希釈または置換する。このようにして、極めて高感度の結果を達成することができる。
【０２９９】
上述の方法に加えて、照明光線と試料の間、かつ／または試料と光検出器または肉眼の間に狭帯域光学フィルター、カットオフ光学フィルター、開口の如き空間フィルターをさらに使用しても信号／背景比が高められることになる。技術および装置のコストおよび制度が問題にされない特定の分析測定用途では共焦点撮像技術も有用であると思われる。光学的に濾過された、またはされていない長波長源を使用することも信号／背景比を高める方法である。余剰の光を除去するように特別に設計された試料槽を使用することによって余剰の非特異的な光をシステムの外に誘導することももう１つの有用な方法である。有用とされる一般的な試料槽設計については後に説明する。本発明の１つまたは複数の態様に対するこれらの変形形態は、いずれも、信号／背景比を高め、試料中の１つまたは複数の検体をより特異的かつ感度良く検出することを可能にするものである。
【０３００】
ＤＬＡＳＬＰＤ照明および検出法を試料に特異的に適用できる多くの異なる方法が存在し、これらの概要が図１５に示されている。図１４は、図１５に示されるＤＬＡＳＬＰＤ法の流れと概要を示す図である。特定の金属状粒子を使用して固相または同様の試料中の１つまたは複数の検体を検出する場合に該方法が与える有用性を当業者なら認識するであろう。
【０３０１】
拡張ダイナミックレンジ
本発明は、検体分析の性能を向上させるための方法を提供する。ダイナミックレンジが広いことは、検体の定量が望まれる分析に特に有益である。拡張ダイナミックレンジを有することによって、単一分析における広範囲な標識密度または濃度にわたって（存在する検体の量の表現としての）検出領域または容量に存在する標識の量を差別的に検出、定量することが可能になる。本発明の方法は、特に複数の分析サイトで極端な光強度を生成する分析において、光を散乱させる粒状標識に対して有用である。極端な光強度は、多重検体分析で複数の光色を検出する場合などにおける、ある分析または分析サイトの範囲内の高い光強度、低い光強度、またはその両方を含む。
【０３０２】
ダイナミックレンジに対する制限は、一般に２つの範疇に分けられる。１つの範疇は、分析および分析形式の要素における固有の制限を表し、検体密度、標識密度および標識相互作用に対する制限を含む。典型的には、当該制限は、高検体密度および／または高標識密度においてのみ重要になる。
【０３０３】
第２の範疇の制限は、センサーに起因する。これらは、低光レベルまたは異なる波長（すなわち光の色）における非線形センサー応答の如き感度の限界、および低信号レベルにおける低信号／雑音比の如き背景の問題を含む。第２の範疇の制限は高い光強度レベルにおいても見られる。多くのタイプのセンサーは、ある露光時間にわたって光を集光することによって、信号に変換するための光エネルギーを蓄積する。センサーにより生成される信号は、露光時間にわたって集積された検出光に対応する。光の強度が高い、かつ／または露光時間が長い場合は、多くのタイプのセンサーは飽和し、非線形応答曲線および／またはブルーミングにいたる。このような条件下では、センサーの出力信号はセンサーによって検出された光に比例または線形に比例しないため、分析の分解能が低下する。したがって、応答するセンサーによって生成される信号は、変形し、または不正になりうるため、分析には無効である。第２の範疇の制限は、センサーによって検出される光の波長にも依存し、例えば、センサーは、強度が同じで波長が異なる光に応答して異なる強度の信号を生成することになる。
【０３０４】
低信号レベルと高信号レベルの両方において制限されるセンサーの例としては、写真フィルムがある。典型的には、当該フィルムは、低光レベルにおいて非線形応答を有し、中間的な光レベルにおいてほぼ線形応答部を有し、高信号レベルにおいて非線形応答部を有するため、Ｓ状の応答曲線が得られる。光強度レベルが極めて高くなると、該フィルムは飽和し、さらに強い光に対して強い応答を示さなくなる。
【０３０５】
当該制限は、電子センサー、例えばＣＣＤセンサーにも見られる。加えて、全露光により蓄積が過剰になると当該センサーの多くはブルーミングを起こし、信号強度と位置識別能の両方が失われるか、または少なくとも低下することになる。
【０３０６】
多検体検出サイトが存在する分析では、あるサイトは強信号を有し、あるサイトは弱信号を有する場合がある。信号レベルの差が大きいことは、サイトによる標識濃度のばらつきが大きいことによるものと考えられる。それは、また、例えば異なるピーク散乱波長を有する、明確に異なる粒子の集合体を使用する多重分析において、そのサイトに存在する光散乱標識の組合せによるばらつきが大きいことによるものと考えられる。サイトによる信号レベルの差が大きいことは、サイトを標示する各々明確に異なる粒子との粒子密度の差と信号レベルの差の両方を合わせたものに起因する実施形態もある。弱信号と強信号の差より有効応答レンジが狭いセンサーに単純な単一の露光時間を適用すると、信号のいずれかまたは両方が非最適応答レンジに入ることになる。このような問題には、以下に記載する様々な方法で対処することが可能である。通常、拡張ダイナミックレンジを提供するためのこれらの技術は、信号が大きく変化する複数の個別的アドレス可能サイトが存在する分析形式に使用されることになる。例としては、マイクロタイター・プレート、ならびにスライド、チップ、膜、ゲルおよびフィルター上のマイクロアレイ上のアレイの如き多くの固相および多ウェル形式が挙げられる。
【０３０７】
粒状光散乱標識（ＲＬＳ粒子）を利用するここに記載の方法は、一般には、粒子により散乱される光が、検出領域または容量に存在する粒子の数と線形に関連づけられるレンジを含む。
【０３０８】
拡張ダイナミックレンジを提供するためのこの方法は、本明細書に記載のＲＬＳ粒子分析法と併用すると、一般に、４桁のダイナミックレンジ、および５、６、または７桁以上のダイナミックレンジを提供することができる。強度差が大きい異なる色の光を生成しうる異なる標識を含むために、広いダイナミックレンジの分析を必要とする多重検体分析にも本発明の方法を適用することが可能である。典型的には、多重分析は、分析サイトまたは検査ゾーン内の異なる標識から明確に異なる色（すなわち異なる波長）の光を検出することを含む。本発明の様々な実施形態では、１つの波長に対するセンサーから得られる分析サイトの光強度読出しを様々に組み合わせることにより、上記分析サイトについて正確かつ定量的な、上記波長に対する１つの信号または読出しを生成している。好ましい実施形態では、本発明の方法は、第１の波長での１つまたは複数の光強度の読出しを用いて、第２の異なる波長に対する信号または読出しを推定、外挿または生成することは行わない。
【０３０９】
拡張ダイナミックレンジを提供するための本発明の方法を以下に詳細に説明する。
【０３１０】
１．集積光強度と粒子計数検出の組合せ
一実施形態において、本発明は、適度に高い光強度に対する集積光測定と、低光強度に対する粒子計数とを組み合わせた方法を提供する。当該方法は、典型的には、スケールの低信号末端に対する制限に対処するために用いられる。集積光測定から粒子計数へ変化するための遷移点は、実験的な試験に基づいて確定することが可能である。したがって、例えば、選択した露光時間に対して集積光測定を用いることができる。標識密度の高いサイトが、センサーを飽和させる強度を提供しないように、あるいは受け取られた全信号を、センサーが正確な定量可能検出を提供できないレンジに押し込むように、露光時間を選択するのが好ましい。選択されたこの露光時間において、センサーが、存在する標識の正確な検出および／または測定を提供できる光強度または粒子密度のレンジで集積光測定が行われる。下限においては、例えば、隣接する粒子が単一粒子を確実に区別できないほど密にならないように、あるサイト、またはあるサイトの少なくとも統計学的に許容される部分の粒子密度を、実用的な時間内に、許容しうる精度で計数できる場合に粒子計数が行われる。遷移密度は、使用されるセンサーおよび検出デバイス、利用される具体的な粒子ならびに分析形式に依存することを当業者なら理解するであろう。指摘したように、最適な、または許容しうる遷移点は実験的に求めることができる。自動的に選択することも可能である。したがって、例えば、定量に向けた適切な信号蓄積を提供するコンピュータ・カメラ・コントローラによって露光時間を設定することが可能である。その露光時間に十分に強い信号を提供しないサイトを、倍率を高めることを含む粒子計数によって読み取ることが可能である。ここで指摘したように、粒子計数は様々な方法で実施できるが、電子方法で実施するのが好ましい。場合によっては、集積信号測定の下限が、粒子計数の実際的な上限と重複することもある。そのような場合は、両方の方法によって重複領域を読み取り、補正対照値として利用することができる。
【０３１１】
検出方式の組合せを多くの異なる方法で実現することができる。アレイの実施形態に対する１つの好ましい実施態様は、集積信号方式を用いた試料の初期的な撮像を含む。信号閾値（一般にはあらかじめ設定された閾値）を下回るアレイ・フィーチャ（または少なくともフィーチャの一部）を走査し、粒子を計数する。好ましくは、走査をコンピュータで制御し、次いで当該技術分野において知られる画像処理ソフトウェアで処理される１つまたは複数の画像を作成して粒子の識別および計数を行う。閾値を上回るアレイ・フィーチャに対する信号は、集積光の定量化に直接使用され、粒子計数アレイ・フィーチャを拡大縮小して、同等のアレイ・フィーチャ領域に対する定量化を行う。
【０３１２】
当該二重方式手法は、例えば８０ｎｍの金粒子に対しては、約０．００３個／μｍ２から約０．００００３個／μｍ２に拡張するといったように、通常、ＲＬＳ粒子に対するダイナミックレンジを密度スケールの下端に向かって１から２桁拡張することができる。背景および／または電子的雑音が小さいときは２桁の拡張が可能である。理想的な条件のもとでは、粒子計数は、アレイ・フィーチャ内または視野毎に存在する１つの粒子まで拡張する。信頼できるデータ解析に向けた統計的要件を伴う実質的な条件では、粒子計数は、例えば、１０−４、１０−５または１０−６毎μｍ２の粒子表面密度を確実にカウントすることができる。
【０３１３】
当該二重方式の分析を実施するための例示的なシステムは、より高い倍率でスポットを走査するための（好ましくはコンピュータ制御される）モータ駆動ＸＹステージ制御、ならびに極めて好ましくは（好ましくはコンピュータ制御される）モータ駆動ズーム制御を利用する。したがって、機器の試料ホルダーは厳密に取りつけられ、モータ駆動ＸＹステージは、スライドまたは他の形式の試料媒体を、コンピュータを介してカメラ・レンズの下に配置することを可能にしている。画像を取り込むためのデジタル・カメラを、ズームとフォーカスの双方がコンピュータを介して制御される動力ズーム・レンズに接続する。測定時、ズームを広い視野、好ましくは最大視野に合わせて設定して、初期画像を取り込む。ＸＹステージは、カメラがアレイ（または視野に覆われるアレイの部分）の中心に合うように配置される。初期画像を取り込み、グリッド・オーバレイ・プログラムで処理して、各スポットから背景を差し引き、データを抽出する。
【０３１４】
所定の閾値以下であると判断されたスポットには、粒子計数技術による解析のためのマーク付けを行う。閾値を上回るスポットに対する集積信号定量データは最終レポートに使用され、これらのスポットの粒子計数は必要とされない。
【０３１５】
粒子計数段階において、スポット内の粒子の視覚化を可能にする倍率にカメラ・レンズをズームする。機械的なズーム・レンズでは必要なズーム・レベルが達成できない場合には、そのようなレンズを２つ利用することができる。コンピュータは、ＸＹステージを使用して、初期画像により閾値を下回るものと判断された各スポット上にカメラ・レンズを配置する。これらのスポットの各々のまわりをＸＹ方向に少しずつ移動させながらいくつかの画像をとる。画像解析を行うコンピュータ・プログラムが各画像において粒子計数を行い、結果を平均して、各スポットの粒子密度を求める。好ましくは、この画像処理は、特別に設計されたハードウェアを用いてリアルタイムで行われる。
【０３１６】
単一粒子によって生成されるスペクトルの特性に関する情報を用いて、２つの異なる領域を統合することが可能である。本発明の一実施形態において、単一粒子の既知の信号にサイトまたは視野においてカウントされた粒子の数を掛けることによって、粒子数の少ない分析サイトの信号を生成することができる。代替的な実施形態では、単一粒子のスペクトルの特性に関する情報を用いて、集積光強度信号を粒子数が同等の信号に変換することも可能である。このように、２つの異なる測定タイプによる結果を組み合わせ、かつ／または比較することができる。
【０３１７】
本発明によれば、複数のサイトで信号として光散乱粒子から集光した光を使用する検体分析において拡張ダイナミックレンジを提供するための方法が提供される。該方法は、それらのサイトからの集積信号をセンサーで検出することを含み、１つまたは複数のサイトでは、集積光強度が低いため、センサーによって生成された信号は検出された集積光に比例しない。コンピュータにより制御される自動方式でも、オペレータによる手動方式でも、サイト毎の粒子の数をカウントすることによって、集積光強度が低いそれらのサイトの画像を解析する。それらのサイトにおける検出を粒子計数毎に繰り返すことができる。粒子計数によって集積光強度が低いサイトから得られた信号を集積光強度で正規化することによって、分析のための拡張ダイナミックレンジを提供する。拡張ダイナミックレンジは線形ダイナミックレンジであるのが好ましい。随意に、視野の拡大を利用して粒子計数を支援することができる。このダイナミックレンジを拡張する方法を用いるときは、個別的アドレス可能サイトを使用するのが好ましい。
【０３１８】
２．多重露光時間
他の実施形態において、本発明は、露光時間が異なる複数の検出を用いることによって検体分析のダイナミックレンジを拡張するための方法を提供する。この方法は、特にスポット（フィーチャ）毎の強度の差が大きいアレイまたはマイクロアレイを画像化するときにダイナミックレンジを大きくする画像データ処理を含む。カメラのセンサー、例えばＣＣＤアレイ・センサーは、光強度低減フィルターのない条件で、単一の集光（露光）時間に定量的に読み取ることができる暗から明のレンジが限定される。低信号領域の観察および定量を行う必要があるため、低信号スポットを読み取るのに必要な長時間の露光でより明るいスポットがカメラ・センサーを飽和させる可能性がある。センサーにおける領域または画素の飽和により非線形応答になり、多くのセンサーではブルーミングが生じる。このような効果によって、高輝度のスポットを好適に定量することが不可能になる。広い密度または濃度範囲にわたって定量を行うことが望ましいため、当該定量には、線形応答が拡大された画像が有利に利用される。したがって、この画像処理技術は、（単一露光時間が用いられるときは）実際のカメラの範囲をはるかに超えた画像の範囲を拡張することが可能である。
【０３１９】
例えば、複数の個別的アドレス可能サイト（例えばスポット）を伴う単一の分析ユニットでは、少なくとも２つの異なる露光時間が選択される。３つ以上、例えば３、４または５つ以上の異なる露光時間を用いることも有益である。有利な異なる露光時間数は、少なくとも一部に、検出器センサーのダイナミックレンジ機能、および特定の分析形式および粒子タイプの選択に対して起こりうる信号レンジに依存する。概して短い露光時間を利用して、非常に密度の高い分析サイトからの信号を検出器センサーに対する許容定量レンジ、好ましくはセンサーに対する線形応答レンジ内に維持する。このような短い露光時間では、非常に粒子密度の低いサイトは、検出器が許容しうる結果を提供するのに十分な信号、または場合によっては、検出器が何らかの応答を提供するのに十分な信号を生成しない。弱信号サイトの定量を可能にし、好ましくはセンサーに対する線形応答内の応答を提供するために、検出センサーが十分な信号を蓄積することを可能にする長い露光時間が用いられることになる。要望に応じて、中間的な露光時間を利用して、例えば中間的な密度のサイトに対する応答をセンサーに対する有利なレンジに維持することができる。複数の露光を行うことに基づく本発明の方法は、分析サイトまたは検査ゾーン内の異なる標識から明確に異なる色（波長）の光を検出することを含む多重分析にも適用可能である。
【０３２０】
この方法では、非ブルーミング・センサーを使用することが有利である。ブルーミングは、より長時間の露光を伴う高密度のサイトに対して、飽和画素から近隣画素への電子のオーバフローにより多くのセンサーに生じる。近隣画素の汚染により、より長い時間を用いて低信号サイトを読み取る能力が付近の飽和画素によって損なわれうる。したがって、飽和画素が近隣画素または付近の画素を汚染することのない非ブルーミングセンサーを使用するのが好ましい。当該デバイスにおいて、過剰電子は、一般に「シンク」または「チャネル」に送られる。
【０３２１】
露光時間を長時間間隔および短時間間隔の２つ以上のレベルに設定してカメラによる画像を記録する。すべての画像を記録している間は試料を静止状態に維持する。各画像からのデータを露光差に等しい倍率で拡大縮小し、または２つの画像を統合することができる。２つの画像の統合は以下のようにして行われる。１２ビット画像から開始する：
１．拡大縮小を行うことなく両画像を１６ビットに変換する。すなわち、１２ビット画像において画素値が２００であれば、１６ビット・ファイルにおける画素値は２００である。
【０３２２】
２．短露光時間の画像に以下の２つの露光時間の比で定められる係数を掛ける。すなわち、
長露光時間＝変換係数
短露光時間
変換係数は、機器およびカメラの背景を除去した画像に用いられる（すなわち、標識による信号のみに拡大縮小が適用される）。背景が差し引かれた短露光時間の画像に変換係数を掛けて２つの画像を正規化する。
【０３２３】
画像を重ねる前に、長時間露光に対する飽和画素をゼロ値（ブラック）に置き換える。次いで、長露出画像からの暗い画素に、より明るい画素（すなわち短露光時間画像からの正規化画素）を重ねることによって２つの画像を合併させる。これにより、個別的アドレス可能サイトの各々からの本来飽和した画素であったものを、所定サイトに対する短露光画像からの「増幅」（正規化）画素に置き換える。
【０３２４】
したがって、アレイの個別的アドレス可能サイトの各々から導かれた複合画像は、該サイトからの信号が検出器の好ましいレンジにあるときに集められた画像データから構成される。本発明は、一般的スケール変換係数に基づいて分析のダイナミックレンジを拡張するための方法を提供する。これにより、近隣アレイサイトから相関に基づいてデータを外挿することによって発生しうる検体検出および定量における潜在的な誤差が取り除かれる。
【０３２５】
分析による画像を集めるのに費やされる露光時間は、使用される検出器の感度、分析を標示するのに使用される粒子によって放射される光の量、ならびに光学的セットアップの照明および検出構造を含むいくつかの要因に応じて変わる。好ましい実施形態において、例えば、分析を標示する粒子の一部が（ＲＬＳ粒子のような）良好な散乱体であるか、または強い蛍光を発する場合は、露光時間は１０ミリ秒前後から１００ミリ秒以上のオーダである。露光時間を１秒間以上のオーダとすることも可能である。他の実施形態において、例えば、アレイのサイトを標示する粒子の一部が散乱体として劣っている場合、または発する蛍光が弱い場合は、露光時間を１０秒から１００秒以上、さらには１０００秒以上に至るまで著しく長くすることが可能である。
【０３２６】
この処理を延長して、３つ以上の異なる露光時間で作成された画像をカバーすることができる。例えば、すべての画像を合併させるまで、近隣の露光時間画像に対して重畳処理を繰り返すことが可能である。画素値が望ましいレンジにある画像からの画素値が使用されるように、重畳処理を構成することができる。例えば、３つの露光時間の重畳において、長露光画像における画素を飽和し、中間的な露光時間の画像では対応する画素を好ましいレンジ内におさめ、短露光時間の画像では対応する画素を最適レンジの下におくことができる。この場合、合併した画像は、短露光時間の画像からではなく、中間的な露光時間の画像からの増幅または正規化画素を利用することになる。したがって、重畳処理を実施する１つの方法は、最長の露光時間から最短の露光時間まで連続的に重畳を行いながらも、各画素に対して、カメラの応答特性によって決定づけられる好ましいレンジに画素が本来の値を有しているときに置換処理を停止する。
【０３２７】
積分スポット値を使用して、上述の複数露光を用いた拡張レンジ技術を正規化することも可能である。この手法では、２つ以上の露光で取られた各々の画像にスポット検索および定量手順が適用される。次いで、集積信号に対して上述のように正規化を行い、さらに露光を式に因数分解する。この技術を用いれば、複合画像を作成する必要がなくなる。有利な点は、複合画像を必要な精度で記憶するために上述した１６ビット・ファイルの如き大きな画像ファイルを必要としないことである。２つの１２ビット・ファイルは、２つまたは３つの１６ビット画像に比べて、必要なディスク・スペースがはるかに小さい。
【０３２８】
ダイナミックレンジが限られたセンサーを使用する実施形態では、画像を調べることによって、または特定の露光に対する値のレンジを読み取ることによって、望ましい露光時間（すなわち集光期間）を手操作で決定することができる。しかしながら、自動化された方法で、露光時間の選択を行うのが好ましい。好ましくは、露光時間の選択は、特定の分析または分析の集合に対して利用する異なる露光時間の数の選択（これも自動化されるのが好ましい）をも含む。当該自動化は、ハードウェア、またはより一般的にはソフトウェアの多くの異なる様式で実現することが可能である。
【０３２９】
手短に述べると、例示的な実施態様において、コンピュータは試験露光に対する画素値を読み取る。試験露光は、好ましくは、集積信号測定を用いて解析される分析に期待される最も弱い信号に対する適切な露光を提供する時間に設定される。当該レベルは、典型的には、特定タイプの分析および使用される粒径による経験に基づく。強度の下限またはその付近に画素が存在しない場合は、そうすることが望ましければ、露光時間をより長時間に調整する。強度のレンジは、値を比較し、読み取られた最高値を記録または記憶する（最高値および最低値、または他の所望の選択値を記録または記憶することもできる）ことによって決定される。最も強い信号に対する信号蓄積体を定量レンジ（または、好ましくは線形応答レンジ）、かつ好ましくは使用されるセンサー・カメラの線形応答レンジ内におさめる、最高値を読み取るのに適した露光時間を計算することができる。全強度レンジをセンサー／カメラの定量レンジ内に維持するのに２つの露光が不十分な場合は、異なる露光時間の少なくとも１つに対するセンサーの定量レンジ（好ましくは線形応答レンジ）内のすべてのサイトについて、全強度レンジの読み取りを可能にする、１つまたは複数の中間的な露光時間を計算することも可能である。
【０３３０】
処理効率および／またはデータ記憶スペースによっては、特定の分析に対する最適数または露光の時間を決定することなく、あらかじめ選択された露光時間で行うことができる一定数の露光を実施するのが好ましいこともある。例えば、特定タイプの分析には最も高い密度で検体を定量する必要がないため、より限定的なレンジに対する定量を可能にする露光時間をあらかじめ選択するだけで十分である。露光時間の選択および／または調整を便宜的に適応して、対象となる標識密度／濃度範囲をカバーできることを当業者なら容易に理解するであろう。
【０３３１】
本発明によれば、複数のサイトの光散乱粒子から集光した光を信号として使用する検体分析におけるダイナミックレンジを拡張する方法が提供される。該方法は、複数のサイトからの集積光をセンサーで検出し、センサーにより生成された信号は、極端な集積光強度により、１つまたは複数のサイトで検出された集積光に線形に比例せず；かつセンサーにより生成された信号が、極端な集積光強度を有する１つまたは複数のサイトで検出された集積光強度に線形に比例するように、少なくとも１つの異なる露光時間を用いて、集積光強度の検出を繰り返すことを含む。少なくとも２つの異なる露光時間からの信号を組み合わせて、極端な集積光強度を有する１つまたは複数のサイトからの光を定量化することによって、拡張ダイナミックレンジを提供する。信号が組み合わせられるときは、露光時間に基づく変換係数によって拡大縮小する。拡張ダイナミックレンジは直線であるのが好ましい。
【０３３２】
３．光フィルター
他の実施形態において、該方法は、フィルターを使用することによって、分析における拡張ダイナミックレンジを提供する。この技術は、アレイを照明する光の量を制御する光学フィルターを使用し、またはＣＣＤ、光電増倍管、フォトダイオードまたは他の感光性アレイ・センサーを導入することによって、スポット毎（すなわちフィーチャ毎）の強度差が大きい分析を画像化する場合に拡張ダイナミックレンジを提供する。さもなければセンサーおよび電子機器のレンジを超える所定の検体アレイにおける広範囲な粒子密度または光強度を画像化する際に、光学フィルターを単一または複数の露光時間と併用することが可能である。
【０３３３】
光学フィルターは、１つまたは複数の波長の透過光の強度を低減することによってダイナミックレンジの拡張を提供する。１つまたは複数のフィルターを使用して形成された（または採取された）画像を、露光時間とフィルターの波長依存光低減機能の両方から計算された変換係数を使用して画像を同じスケールに変換した後に、合併させて分析サイトの複合画像を作成する。
【０３３４】
画像の収集には様々なタイプのフィルターを使用することができる。長域フィルターは、フィルターに対するカットオフ波長より長い波長の光を透過させる一方で、より短い波長を遮断する。短域フィルターは、フィルターに対するカットオフ波長より短い波長の光を透過させる一方で、より長い波長を遮断する。多重分析の場合のように、２つ以上のタイプの区別可能な標識（例えば、粒径および／または組成が異なる光散乱粒子）を使用する場合は、間隔におさまる波長の光を透過させる一方で、間隔より大きい波長および小さい波長を遮断する干渉帯域フィルターを用いて、アレイの画像内の特定の所望のスペクトル・フィーチャを選定することが可能である。代替的な実施形態において、特定のスペクトル・フィーチャを画像から排除する一方で、波長間隔より小さい波長および大きい波長を透過させることにより他のすべてのフィーチャを収集することを可能にするフィルターは、スペクトルの大部分に集中することを可能にする。これは、１つのスペクトル・フィーチャが、例えば分析における異なるタイプのＲＬＳ粒子に対して、他のスペクトル・フィーチャよりはるかに強度が大きくなる分析において望ましい。当該フィルターとしては、ノッチ・フィルター、ノッチプラス・フィルター、スーパーノッチ・フィルターおよびスーパーノッチプラス・フィルターが挙げられる。カラー・フィルター、フィルター・ホイール、フィルター・モノクロメータおよび中性密度フィルターを含む他のタイプのフィルターも、画像を収集するための異なる様々な実施形態に使用することができる。当業者は、フィルターを選択するスキルを十分に有するものである。
【０３３５】
例示的な実施形態において、特に分析サイトからの光のスペクトル・フィーチャが十分に特徴づけられる状況では、フィルターの１つおよび１つの露光時間群を用いて、特定波長（すなわちスペクトルのピーク）の光強度の光を他の波長の光個別的に集光する。異なるタイプのフィルター、およびおそらくは異なる露光時間を用いて、他の波長の光を集光する。したがって、様々な波長における２つ以上の異なる読出しを組み合わせる場合は、信号が、分析サイトの粒子からの実質的な光読出しになる。
【０３３６】
フィルターの波長依存透過曲線がメーカーから提供されない場合は、市販の白色光源を用いてそれを測定値から計算することができる。まず、所定の露光時間で白色光源の画像を収集して、１００％の透過率に対するスペクトルを作成する。次いで、白色光がフィルターを通過した後に同じ露光時間を用いて光を集光する。次いで、フィルター無しで採取した画像に対する所定のフィルターで採取した画像の比率を求めることにより、フィルターの波長依存透過曲線を計算することができる。フィルターの組合せに対する波長依存透過曲線も、２つ以上のフィルターを白色光源の光路に配置することにより、同様にして求めることができる。次いで、所定のフィルターまたはフィルターの組合せを使用して採取される画像の拡大縮小を行うための変換係数を計算するのにフィルターの透過曲線を使用することができる。
【０３３７】
好ましい実施形態において、ときにはグレー・フィルターとも呼ばれる中性密度（ＮＤ）光学フィルターを使用して画像を収集する。理想的には、ＮＤフィルターは、すべての波長の可視光の強度を等しく低下させるため、白色光源を使用して計算された透過曲線は波長に無関係なものとなる。ＮＤフィルターは色に影響せず、光の低下は分析サイト全体の画像に対して均一になるため、計算された透過曲線がなくても、所定の画像内のアレイサイト間の直接的な比較が可能になる。ＮＤフィルターは、それらが透過させる光の量を示す数字によって等級分けされる。ＮＤフィルターの等級（または光学密度）は、透過光のパワーに対する入射光のパワーの比の１０進対数として定義づけられる。例えば、「ＮＤ０．１」と標示されたフィルターは、入射光の８０％を透過させるのに対して、ＮＤ１．０のフィルターはわずか１０％しか透過させない。以下の表は、様々なＮＤフィルターに対する等級レンジ、透過光の比率（％）およびスケール係数を示している。
【表２１】
2005507489.tif 000024
複数の個別的アドレス可能サイト（例えばスポット）を伴う単一分析ユニットに対する光学フィルターの使用例として、１つまたは両方の画像を収集するのに光低減フィルターを使用した結果、高光レベルおよび低光レベルで少なくとも２つの画像が収集される。光低減レベルが異なる３つまたは４つ以上の光学フィルターを使用して画像を収集することも有益であるといえる。分析において個々に濾過された収集画像の数は、少なくとも一部に、センサーのダイナミックレンジおよび分析に使用される光の強度のレンジに依存することになる。
【０３３８】
本発明の好ましい実施形態において、単一の露光時間で、センサーからの画像をすべて記録する。第１の画像はフィルターを配置せずに取り込まれるため、高輝度画像が記録される。この第１の画像において、画像内のいくつかのサイトは、センサーの好ましいダイナミックレンジを上回ることになる。第２の画像は、粒子を照明する光の光路内、または試料と検出器の間に配置される光学フィルターを使用して取り込まれる。光低減能力のレベルがより高いまたは低い光学フィルターを使用してさらなる画像を収集することが可能である。すべての画像を記録している間は、試料は静止状態に維持される。この好ましい実施形態において、専ら光学フィルターの波長依存光学密度に基づく変換係数を用いて、各画像からのデータの統合および正規化を行う。２つ以上の画像の単一複合画像への統合は以下の工程を含む。
【０３３９】
１．８、１２、１４または１６ビットの画像から始まって、すべての画像を浮動小数点まで変換して、数学的処理時の精度を確保する。
【０３４０】
２．画像を収集するのに使用される光学フィルター（好ましくはＮＤフィルター）の値に基づいて各画像にスケール係数を掛ける。スケール係数は、機器およびカメラの背景が既に除去された後で画像に対し適用される（すなわち、粒子標識による信号のみに拡大縮小を適用する）。
【０３４１】
３．画像を重ねる前に、すべての画像に対する飽和画素をゼロ（すなわちブラック）に置き換える。次いで、より強度値の高い画素をゼロに設定された画素（すなわち、光学的に濾過された画像からの正規化画素）に重ねることによって２つ以上の画像を合併させる。これにより、本来飽和した画素であったものが、フィルターを使用して収集された画像からの「増幅」（正規化）画素に置き換えられる。
【０３４２】
４．次いで、１６ビット・ファイルにおいて利用可能なあらゆる精度を用いるために、ストレッチ処理を介して浮動小数点画像を１６ビット画像に変換することができる。
【０３４３】
複合浮動小数点画像が作成されるまで、追加画像毎にその手順を繰り返す。例えば、３つの画像を含む画像集合体の重畳において、非濾過画像内、中間的なＮＤフィルターに対する好ましいレンジ内、かつ高度に濾過された画像における好ましいレンジを下回るレンジで検出器の画素を飽和させることができる。この場合は、合併画像は、高度に濾過された画像からではなく、中間的な濾過画像からの増幅または正規化画素を利用することになる。したがって、重畳処理を実施する１つの方法は、非濾過画像から高度に濾過された画像まで連続的に行うが、画像に対するその信号がセンサーの好ましいレンジにおさまると、画素に対する置換処理を終了する。
【０３４４】
したがって、本実施形態におけるアレイの個別的アドレス可能サイトの各々から導かれる複合画像は、各サイトに対する検出器の好ましい範囲内で収集されたデータから構成される。光学フィルターの波長依存光低減機能は、センサーのダイナミックレンジを拡張する際の一般的な変換係数を提供するため、近隣のアレイサイトから相関に基づいてデータを外挿することによって生じうる検体検出および定量の潜在的な誤差を取り除く。
【０３４５】
本発明の代替的な実施形態において、線形正規化手順を用いて、いくつかの異なる画像を再統合して、システムの非直線性に対する補正を行うことが可能である。この技術は、有効レンジ内のすべての画素に対するフレーム間の中央偏差を求めるための画像処理関数を使用することになる。次いで、各画像を非濾過画像に対して正規化し、次いで先の２つのパラグラフで記載したのと同じ方法で統合する。
【０３４６】
本発明の他の実施形態において、露光時間を変化させることに１つまたは複数の光学フィルターを併用して、センサーのダイナミックレンジを拡張する。この併用は、（光学フィルターを使用せずに）所定の検出器に対して達成可能な最短の露光時間を用いる場合であっても、アレイ上の最も高輝度のスポットからの信号の強度が検出器のダイナミックレンジを超えるときに特に有利である。単一画像を収集するのに２つ以上の光学フィルターを組み合わせることが可能である。組み合わせて使用する光学フィルターは、検出器の好ましいレンジ、すなわち線形応答レンジに信号強度がおさまるように選択される。露光時間および光学フィルターの組合せを変えることによって次の画像を採取することができる。各画像に対する拡大縮小変換係数の計算は、露光時間に対する係数、ならびに使用される１つまたは複数の光学フィルターの光低減機能に対する波長依存係数を含む。
【０３４７】
本発明によれば、光散乱粒子からの光を信号として使用する検体分析のダイナミックレンジを拡張するための方法であって、集積光をセンサーで検出し、１つまたは複数のサイトからの集積光の強度を１つまたは複数の光フィルターによって、センサーにより生成される信号が検出される集積光に線形に比例する程度まで低下させ；かつ１つまたは複数のサイトからの集積光を定量するために、前記１つまたは複数のフィルターに透過する光によって決定される係数により信号の拡大縮小を行うことを含む方法が提供される。提供される拡張ダイナミックレンジは線形であるのが好ましい。該方法に用いられるフィルターは、フィルターに入射する光の１％、３．２％、６．３％、１０％、１３％、１６％、２０％、２５％、３２％、４０％、５０％、６３％、７０％、８０％、９０％および９５％を透過させることができる。
【０３４８】
４．非破壊的センサー読出し
他の実施形態において、本発明の方法は、単一の実質的な露光の範囲内の一連の露光時間を提供することが可能な特定タイプのセンサーを使用する。あるタイプのセンサーは、信号の読出しを１回のみ許可し、その後でセンサーをリセットしなければならないこととなっている。すなわち、読出しのプロセスは信号に対して非破壊的である。この特定の実施形態の方法は、信号の非破壊読出しを可能にするため、単一の露光時間を通じて複数の読出しを行うことが可能になる。当該複数の読出しは様々な方法で行うことが可能である。１つの方法は、露光時間全体を通じて、撮像センサー全体に対して複数の読出しを行うことである。しかしながら、いくつかの撮像センサーは、単一画素または画素群に対するランダム・アクセスを許可している。当該センサーは、特定の分析サイトからの信号を扱う上での柔軟性を高める。例えば、規則的な時間間隔、不規則的な時間間隔、および好ましくは記録された時間間隔を含む時間間隔で単一画素測定を監視することができる。所望の最大蓄積レベルに近づいている任意の画素をリセットすることができる。当該リセットは、ブルーミングを引き起こし、究極的には近隣画素を汚染する、画素内の電子のオーバフローの問題を防ぐ。そのような単一の時間間隔に対して当該リセットされた画素を使用し、あるいは時間間隔を組み合わせて平均的な応答を提供し、または時間間隔を組み合わせて全蓄積期間を提供することができる。それと同時に、低密度の分析サイトに対応する画素は連続的に蓄積することにより、より長い露光時間にわたって応答を提供することができる。
【０３４９】
当該デバイスの例としては、カメラに組み込むことが可能な電荷注入デバイス（ＣＩＤ）イメージング・センサーが挙げられる。ＣＩＤセンサー・アレイの各画素は、読出し時に個別的にアドレスされるが、それは、個別的にアドレスされた画素内の収集「電荷パケット」を転送または「シフト」させ、センサー・アレイサイトにおける配列電極に対して置換値を検出することによって達成される。電荷は、信号レベルが測定された後も画素内で完全な状態を維持するため、このタイプの読出しは非破壊的である。新たなフレームの集積に向けて画素を空にするために、配列電極にバイアスをかけて、基板コレクタに電荷パケットを「注入」する。当該ＣＩＤセンサーは、例えばＴｈｅｒｍｏ  Ｃｉｄｔｅｃｈ（登録商標）、例えばＲＡＣＩＤ８４、８５および８６イメージング・センサーから利用可能である。これらのセンサーは、それぞれ１０２４×１０２４、１０２４×２５６、および５１２×５１２画素構成を与える。
【０３５０】
本発明によれば、光散乱粒子から集光された光を使用する検体分析において拡張ダイナミックレンジを提供するための方法であって、単一画素または画素群からの信号の非破壊読出しを行うセンサーによって集積光を検出する方法が提供される。分析サイトを単一露光時間にわたってセンサーに曝露させながら、飽和状態に近づく任意の画素がリセットされるような時間間隔で画素からの信号を読み取る。好ましくは、各画素にランダムにアクセスすることができ、時間間隔が記録される。時間間隔を考慮してリセットされた画素毎に信号を組み合わせて、検出された集積光を定量することにより、拡張ダイナミックレンジを提供する。信号の処理は、前記時間間隔で読み出された信号を合計すること、および／または前記時間間隔で読み出された信号を平均化することを含むことができる。
【０３５１】
５．高粒子密度におけるデコンボルーション
他の実施形態において、本発明は、センサーに関連しない制限に対処する分析のダイナミックレンジを拡張するための方法を提供する。本発明の方法は、分析形式および標識の干渉特性による高粒状標識密度における応答のばらつきを補償するためにデコンボルーションを利用する。以下の説明は、特にＲＬＳ粒子標識を対象としているが、粒状蛍光標識でも同様の影響が発生する。
【０３５２】
ＲＬＳ粒子標識は、粒子が互いに干渉する密度までの幅広い粒子密度で検出視野内に存在する粒子の数と線形関係を有する散乱光信号を生成する。この密度は、少なくとも一部に粒子の粒径に依存し、低密度では大きい粒子のほうが小さい粒子より互いに干渉する。高密度において非線形応答に寄与するいくつかの異なるタイプの干渉または相互作用が発生しうる。
【０３５３】
１つのタイプの干渉は、粒子が十分に密になって、表面が反射面、本質的にミラーとして作用し始めるときに生じる。これは、特に、チップまたはスライド上のアレイの如き固相用途に対して当てはまる。アレイ・フィーチャ上の粒子が密になると、粒子は平板を形成し、個別的な散乱体の集合体としてではなく反射面として作用する。
【０３５４】
第２の干渉は、遮断効果である。固相媒体上のアレイを用いても、結合粒子までは特定の深さがある。したがって、アレイ・フィーチャがある角度で照明されると、粒子が他の粒子の「影」に入る確率がある程度存在する。当該遮断の確率は、粒子が大きく、充填が密になるほど高くなる。粒子により散乱された光も、一部に、他の１つまたは複数の粒子によって遮断される可能性があり、この効果の規模または確率も粒子の密度および粒径に依存する。
【０３５５】
この説明に限定されるものではないが、「遮断」と「反射」の間の支配的な干渉現象は、トランス照明かエピ照明かに応じて異なるといえる。トランス照明については、１つの粒子が、他の粒子が光源からの照明を受けるのを「遮断」する程度まで粒子密度が高くなると、粒子密度が高くなるに従って信号が実質的に低下する。加えて、検出源の近くに位置する粒子は、本質的に、照明源の近くに位置する他の粒子による散乱光を遮断している。エピ照明の場合は、粒子の増加によって、金泊の層に類似した、反射板として作用する層が生成する。そこで、エピ照明では、粒子の密度がスライドの表面を完全に覆う程度まで増加した後も強度が一定に保たれることになる。
【０３５６】
さらに他のタイプの相互作用は、粒子が互いに密接するのに伴って発生する光散乱の摂動によるものである。このような摂動も応答のばらつきの原因になりうる。
【０３５７】
１つまたは複数の分析または準分析タイプの式、あるいはそれらの２つのタイプの組合せを使用し、標準曲線を用いてデコンボルーションを実施することができる。
【０３５８】
標準曲線を用いたデコンボルーションは以下のようにして実施することが可能である。スポット・マイクロアレイに対する集積ＲＬＳ信号は、粒径にもよるが、約１０個／μｍ２の粒子密度まで直線性を維持する。約１０個／μｍ２を上回ると、重なる粒子による遮断効果とともに、粒子同士の密着により波長がシフトし、粒子のピーク検出波長における信号の低下を引き起こす。約１０個から１００個／μｍ２では、１０個から１００個／μｍ２の範囲の標準的なスポットの希釈系列（希釈系列は単一のスライドまたはチップ上に存在しうる）に対して収集されたデータから生成される標準曲線から式を導くことによって相関集積強度を計算することが可能である。１００個／μｍ２を超えると、散乱光強度対粒子密度の曲線の傾きが水平に近づき、デコンボルーションが不可能になる。曲線の当てはめによって式を求めるために標準曲線（データ）を使用することが可能である。いくつかの異なる曲線当てはめ法、例えば線形回帰、非線形回帰およびスプライン法ならびに他の方法が利用可能である。次いで、曲線から導かれた式を収集された任意のデータに適用して、非線形であるが補正可能な範囲内で強度のデコンボルーションを行うことができる。この技術を適用する際は、適切にデータの拡大縮小を行うために、カメラ露光時間も式の要因に含める。加えて、標準曲線を確立する際に、実験的定量の精度を向上させるためには、各スポットにおける粒子密度を正確に求めることが重要である。
【０３５９】
デコンボルーション方程式を準解析的に得ることもできる。溶液中の検体および固体表面上の検体を定量するための式を得ることが可能である。その際、光散乱強度と粒子（標識）濃度または表面密度との定量的関係、ならびにＲＬＳ粒子による光散乱強度と検体濃度または表面密度との関係を把握することが有益である。前者の関係は、所定のＲＬＳ粒子で達成可能な最大のレンジおよび感度を設定するためより重要である。
【０３６０】
光散乱強度と、溶液および固体表面における粒子（標識）濃度との関係を調べ、これらの関係を表すとともに、定量的な較正データ（すなわちデコンボルーション方程式）を表すのに使用できる数式を得た。
【０３６１】
本発明によれば、あるサイトの光散乱粒子から集光された光を信号として使用する検体分析におけるダイナミックレンジを拡張する方法であって、前記光散乱粒子から集光された光は、該サイトの粒子の数に比例しない方法が提供される。該方法は、センサーで散乱光を検出し；かつ集積光強度とサイト当たりの光散乱粒子の数との関係を示す標準曲線を生成し、検出した集積光に基づいてそのサイトでの粒子数を計算するために、標準曲線を適用することにより、検体分析の拡張ダイナミックレンジを提供することを含む。単位面積または体積の粒子の数が異なるサイトを含む希釈系列から標準曲線を生成することが可能である。好ましい実施形態において、希釈系列を含むサイトは、検体分析の同一の物理的形態に関連づけられる。
【０３６２】
保存の法則に基づき、体積Ｖまたは表面Ｓにおける粒子によって散乱される光の強度は、入射光強度Ｉ０（光子／ｓ−ｃｍ２）、粒子に吸収される入射光子の割合φＡ、および再放射される吸収光子の割合φＥに比例するといえる。これらのパラメータはどれも波長に依存する。数学的には、以下のように表すことができる。
【０３６３】
ＩＳ＝ａＩ０φＡφＥ    （１）
上式において、ａは装置定数である。式（１）は、入射光が単色で、特定の波長λを有することを想定している。
【０３６４】
ＩＳと懸濁液中の粒子濃度との明確な関係を得るために、式（１）におけるそれぞれのパラメータの粒子濃度依存性を考慮する。概して、Ｉ０は粒子濃度とは無関係である。粒子濃度が低いところでは、ａおよびφＥは濃度に無関係である。したがって、粒子濃度が低いところでは、φＡのみが濃度に依存し、ＩＳの濃度依存性は、完全にφＡによって決定づけられる。より濃度が高くなると、φＥは、粒子間摂動により濃度依存性が強くなるとともに、幾何学的かつ内部フィルター効果により濃度依存性が強くなる。
【０３６５】
ベール・ランベルトの法則が有効であると仮定すれば、φＡの濃度依存性を以下のように表すことができる。
【０３６６】
φＡ＝（１−１０−εＣｘ）    （２）
上式において、ε（Ｍ−１ｃｍ−１）は、モル十進法吸光係数、Ｃは粒子モル濃度、ｘ（ｃｍ）は光路長である。したがって、粒子間の距離が大きく、幾何学的かつ内部フィルター効果が存在しない場合の粒子濃度については、式（１）および式（２）から以下の式を導くことができる。
【０３６７】
ＩＳ＝ａ（１−１０−εＣｘ）φＥ    （３）
εＣｘが１よりはるかに小さい場合の低粒子密度については、以下の式を用いて、式（３）の指数項をべき級数拡張で拡張することができる。
【数２】
2005507489.tif 000025
（ｚ＜＜１に対する）最初の２つの項のみを保持すると、式（２）から以下の式を導くことができる。
【０３６８】
φＡ＝２．３０３εＣｘ    （５）
つまり、
ＩＳ＝２．３０３ａＩ０εＣｘφＥ    （６）
となる。
【０３６９】
上述のよく知られた近似式は、基本的に、光路長ｘで吸収される光の量が非常に小さい場合の粒子懸濁液に適用される。この条件では、入射光の強度は、光路ｘを通じて実質的に一定している。しかしながら、懸濁液の吸収力が強い場合は、光の強度は光路ｘの各点で一定せず、ｘ＝０からｘにかけて低下する。後者の場合、式（２）および式（３）を使用する。式（５）および式（６）は、εＣｘ＜０．０５の値に対して５％以内の精度を有する。
【０３７０】
理論から、粒子間の平均距離が、それらの距離ｄの約３倍より大きい場合は、φＥは粒子に依存することが見込まれる。約３ｄより小さい距離については、粒子同士は、（１）それらの吸収および光散乱スペクトルがより長い波長に向かってシフトし、（２）φＡおよびφＥの値が粒子濃度の増加とともに変化するように相互作用する。したがって、高粒子濃度では、φＥおよびεが濃度に依存することが見込まれる。粒子が懸濁液中でランダムに分布している場合は、濃度ｃ（個／ｃｍ３）において以下の式で与えられる粒子間の平均距離Ｄ（ｃｍ）は、おおよそ１／（ｃ）１／３に等しい。
【数３】
2005507489.tif 000026
しかしながら、粒子が結合する傾向を有する場合は、結合定数の値に応じて、粒子濃度が低いところでもφＥは粒子濃度に依存しうる。この式から、以下の式（Ｃはモル濃度で、ｄの単位はｃｍである）を用いて、Ｄ＝３ｄにおける濃度を計算することができる。
【数４】
2005507489.tif 000027
例えば、ｄ＝６０ｎｍでは、１ｃｍの光路長に対して１２００付近の吸光度に対応するＣ＝４．８×１０−８Ｍが成り立つ。金粒子懸濁液の吸光係数が非常に大きいため、１０−８付近の濃度で作業することはない。したがって、一般に使用する濃度範囲では粒子間の摂動は、重要でないと思われる。
【０３７１】
粒子の懸濁液による散乱光強度は、内部フィルター効果、および光散乱体積の幾何学構造にも影響されうる。これらの効果は、照明光線の相対的方位、検出方向、および迷光を低減するのに使用される空間フィルターに依存する。このワークでは、検出システムは、照明光線の方向に対して直角に位置する。非特異的散乱光を最小限に抑えるために、キュベットの中心の小さな体積から散乱される光のみが検出されるように、検出光学素子を配置する。入射光は、この検出体積に達するために、光が入射するキュベット面とキュベットの中心との間の懸濁液の介在体積を最初に横切らなければならない。介在体積に吸収される入射光の量は、粒子濃度が増加するに従って増加するため、介在体積は、濃度依存内部光学フィルターとして作用する。粒子濃度が極めて高くなると、ほとんどの光が介在体積に吸収され、極めてわずかな量の光がキュベットの中心に到達する。同様に、検出器に向かって散乱される光は、光散乱体積と、検出器に直面するキュベットの壁との間の懸濁液の介在体積を通過しなければならない。これらの効果も濃度依存内部光学フィルターとして作用する。これらの幾何学的かつ内部フィルター効果により、高粒子濃度において、散乱光強度は粒子濃度とともに低下する。１０−ａｘの形を有する係数を式（１）に掛けることによって、幾何学的効果を式（１）に考慮することができる。
【０３７２】
（固相の免疫またはＤＮＡプローブ・アレイの場合のように）透明な表面に付着した粒子については、式（１）が適用され、表面粒子密度が低い場合は、ＩＳの粒子密度依存性は、完全にφＡによって決定づけられる。表面上の粒子に対して式（２）と同等の式は、粒子が表面上でどのように分布しているか、すなわち粒子がすべて１つの面に集まっているか、または表面から一定の高さにわたって分布している（積み重なっている）かに応じて導かれる。しかしながら、φＡに対する式は、粒子がすべて同じ面に存在するか、または一定の厚さの空間に分布しているかに依存する。粒子がすべて同じ面に存在する場合は、以下の式を導くことができる。
【０３７３】
φＡ＝ρσｅｘｔ    （９）
上式において、ρは粒子密度（個／ｃｍ２）、σｅｘｔ（ｃｍ２）は、粒子の吸光断面積（ｃｍ２）である。吸光断面積は、その領域に入射する光のすべての光子が吸収され、その領域の外側のすべての光子が透過するような粒子の周囲の円形領域を表す。次いで、吸収される光の割合は、式（９）に示すように、単に粒子断面が占める全表面積に粒子密度を掛けたものである。以下の関係式を用いて、吸光係数について式（９）を表すことができる。
【数５】
2005507489.tif 000028
＝３．８×１０−２１ε    （１１）
上式において、Ｎａｖはアボガドロ数である。すべての粒子が同一面にある表面からの散乱光強度は、式（１）および式（５）から以下の式で与えられる。
【０３７４】
ＩＳ＝ａＩ０ρσｅｘｔφＥ    （１２）
粒子が特定の面に集中しておらず、一定の厚さにわたって分布している固体表面については、φＡは以下の式で与えられる。
【０３７５】
φＡ＝（１−１０−ρσｅｘｔ）φＥ    （１３）
また、散乱光強度は以下の式で表される。
【０３７６】
ＩＳ＝ａＩ０（１−１０−ρσｅｘｔ）φＥ    （１４）
ρσｅｘｔ＜０．０５の値に対しては、式（１４）は式（１２）の形に換算される。
【０３７７】
幾何学的かつ内部フィルター効果も、表面上の粒子から散乱する光にとって重要である。該効果は、トランス照明が使用されるかエピ照明が使用されるかに応じて変わる。通常は、エピ照明の場合のほうが効果は小さい。最終的には、平均粒子間距離が３ｄより小さいときは、粒子間摂動もＩＳに影響する可能性がある。
【０３７８】
以下のセクションでは、上式の有効性に対する実験的試験について述べる。
【０３７９】
吸光度と、懸濁液中のＲＬＳ粒子の粒子濃度との関係を測定することによって、ベール・ランベール則のＲＬＳ粒子への適用性を試験することが可能である。吸光度Ａ（光学密度とも呼ばれる）に対して、ベール・ランベール則を以下のように表すことができる。
【０３８０】
Ａ＝εＣｘ    （１５）
上式において、ε、Ｃおよびｘは式（２）に定められる通りである。０．０１から２の吸光度レンジをカバーする、異なる直径の金粒子に対してＡとＣの関係をプロットした。各粒径に対する最大吸収波長：５２５ｎｍ（４０ｎｍ）、５３５ｎｍ（６０ｎｍ）、５４５ｎｍ（８０ｎｍ）および５２５（１００ｎｍ）における吸光度を測定した。そのグラフは、式（１５）から予測されるように、Ａが粒子濃度とともに線形に増加することを示していた。それらの結果は、少なくともＡ＝２までは、ベール・ランベール則がＲＬＳ粒子に適用され、粒子が互いに結合または摂動することがないことを示唆している。小さな光路長のキュベットを使用し、Ａの値が２より大きい場合にもベール・ランベール則が実際に適用されることを確認した。したがって、それらの結果は、散乱光強度と粒子濃度または表面密度の理論的関係においてベール・ランベール則を利用できることを示すものである。図１のグラフの傾きから、吸光係数：８×１０９Ｍ−１ｃｍ−１（４０ｎｍ、５２５ｎｍ）、２×１０１０Ｍ−１ｃｍ−１（６０ｎｍ、５３５ｎｍ）、６×１０１０Ｍ−１ｃｍ−１（８０ｎｍ、５４５ｎｍ）、１０１１（１００ｎｍ、５５５ｎｍ）を得る。
【０３８１】
散乱光強度ＩＳと懸濁液における粒子濃度との定量的関係を求めるために、６×５０ｍｍのチューブをキュベットとして使用し、必要な測定を行った。検出は、入射光線に対して直角に行い、キュベットの中心の小さな体積に限定して行った。最大吸収の波長と等しい波長で粒子を照明した。直径が４０ｎｍ、６０ｎｍ、８０ｎｍおよび１００ｎｍの粒子について、散乱光強度と粒子濃度の関係を測定した。
【０３８２】
散乱光強度と、５×１０−１４Ｍから２×１０−１０Ｍの濃度範囲の粒子濃度との関係を自然および半対数形式でプロットした。式（３）がすべての濃度に適用されるとすれば、散乱光強度は、粒子濃度が低いところでは粒子濃度とともに線形に増加し、濃度がより高くなると増加が非線形になり、最終的には一定の値になるものと想定される。たいていは、実験グラフによりこれらの関係が示されるが、高濃度においては、強度は、濃度が高くなるにつれて一定にならずに減少する。この効果は、内部フィルターおよび幾何学効果に起因する。したがって、式（３）は、フィルターおよび幾何学的効果を無視しているため、実験データを正確に表すものではない。これらの効果を考慮して、式（３）を以下の形に書き換える。
【０３８３】
ＩＳ＝Ｂ（１−１０−εＣｘ）１０−εＣＬ    （１６）
上式において、Ｂ＝Ｉ０ａφＥが成り立ち、括弧の外側の新指数項は、内部フィルター効果を表すのに対して、括弧内の項は、検出された散乱光の体積に吸収される光の量を表す。式（１６）が、散乱光強度と粒子濃度のグラフを正確に表しているかどうかを判断するために、非線形回帰解析によってこの式を曲線に適合させた。適合パラメータは、Ｂ、ｘおよびＬで、ε＝８×１０９Ｍ−１ｃｍ−１である。解析により得られた値はＢ＝２０１．４７４、ｘ＝０．００８４８４ｃｍ、Ｌ＝０．６２７５４ｃｍである。式（１６）は、データと非常に良く適合しているようであった。低粒子密度では、括弧の外側の指数項は１に等しく、また濃度依存性を有し、括弧内の項は式（４）および（６）が示唆するように、２．３０３εＣｘまで減少するものと想定される。したがって、濃度が低い場合は、式（１６）から以下の式を導くことができる。
【０３８４】
ＩＳ＝２．３０３ＢεＣｘ    （１７）
低粒子密度における上記関係の適用性を試験するために、上記引用した値Ｂおよびｘの値を用いてＩＳとＣの関係を計算し、低濃度における実験データとともにそれらをプロットした。式（１７）は、５×１０−１３ＭまでのＣの値に対して１０％以内の精度で適合する。
【０３８５】
式（１７）は、Ｂ、ｘ、Ｌおよびεの値を用いた、直径６０ｎｍ、８０ｎｍおよび１００ｎｍの粒子に対する実験に基づくＩＳと濃度のグラフをも正確に表すことを確認した。
【０３８６】
それぞれ異なる粒径に対する具体的な適合パラメータを以下の表に示す。ここに示される具体的な値は、測定に使用した特定の装置構成にのみ適用される。しかしながら、式（１７）は広く適用可能で、我々は、ＩＳとＣの実験に基づく関係の定量的表現としてこの関係を利用できることを証明した。したがって、この関係を利用して較正データを表すことができる。
【表２２】
2005507489.tif 000029
実験に基づく散乱光強度と粒子表面密度との関係を得るために、粒子密度が異なる金粒子のスポットを調製した。それらのスポットを清潔な顕微鏡スライドガラスに付着させた。散乱光強度を測定するために、スライドの底部を通じてスポットを照明し、スライドの上に配置されたビデオ・カメラを用いて、グリーン・フィルターを通じて散乱光強度を測定した（トランス照明検出システム）。測定した強度をカメラの非直線に対して補正した。
【０３８７】
固相表面上の８０ｎｍの金に対する実験に基づく散乱光強度と粒子密度のプロットは、実験に基づくグラフは、計算で求めたプロットのグラフに類似していること、すなわち、強度は低粒子濃度において粒子密度とともに線形に増加し、濃度がより高くなると非線形になり、さらに濃度が高くなると、表面密度の増加とともに減少することを示している。より濃度が高くなると強度が減少することは、内部フィルター効果が重要であることを示唆している。液（懸濁液）相における結果から類推して、固相に対して式（１４）を使用するが、それを内部フィルター効果に対応して修正する。
【０３８８】
修正式は次式のように書くことができる。
【０３８９】
ＩＳ＝Ｂ（１−１０−ρσｅｘｔ）１０−Ｌρ    （１８）
上式において、Ｂ、σｅｘｔおよびＬは、適合パラメータである。実験に基づくデータは、ρの単位を個／μ２で表し、Ｂ＝１．７３、σｅｘｔ＝０．０１８８７μ２およびＬ＝０．００４０７μ２を用いた式（１８）に良く適合していた。それらの値は、実験データに対する式（１８）の非線形曲線の当てはめによって得られた。したがって、式（１８）は、実験データを非常に正確に表すものである。粒子密度が低い場合は、散乱光強度は、表面密度とともに非線形に変化するものと想定される。これら低濃度では、式（１８）は以下の式に換算される。
【０３９０】
ＩＳ＝２．３０３Ｂσｅｘｔρ    （１９）
図６ｂは、低粒子密度における実験データのプロットを示す図である。上記Ｂ、σｅｘｔおよびＬの値を用いた式（１９）によって、プロットを通る実線の計算を行った。図は、低粒子濃度において散乱光強度は粒子密度とともに線形に変化し、式（１９）はデータとの適合性が極めて良好であることを示す。同様に、我々は、式（１８）は他の粒径に対する実験データを極めて正確に表すことを証明した。
【０３９１】
所定の照明波長において、散乱光強度の有用なレンジは、ダイナミックレンジ拡張技術を用いることなく、通常は約３桁である。しかしながら、異なる照明波長で測定を行うことによってこのレンジを広げることができる。加えて、粒子間の距離が光の波長にほぼ等しくなる高表面密度では、各粒子により散乱される光は、近隣粒子によって散乱される光と同相になる。これは高反射を引き起こす。低粒子密度では、粒子は相互作用せず、各粒子は他の粒子に関係なく散乱する。粒子密度が十分に高くなると、スポットは室内灯のもとで色を示し、拡散染色スポット（拡散反射）のように見える。しかしながら、粒子間の距離が照明光の波長とほぼ等しくなる粒子濃度では、スポットに衝突する光が、研磨された金の表面から反射されるように反射され、すなわちスポットはミラーのように振る舞う。
【０３９２】
これまで、実験に基づく散乱光強度と粒子密度の関係を得るための方法を示した。これらは基本的な関係である。実際、我々は、散乱光強度と、所定のサイトで検出された検体の量との関係に関心をもっている。検体表面密度によって量を表すことができる。ＲＬＳ標示の実験において、あるサイトにおける各検体分子が金粒子と結合すれば、そのサイトにおける検体の量は、散乱光強度、および散乱光強度を粒子密度に関連づける較正グラフまたは較正式から求めることが可能である。粒子密度と検体密度は同じである。しかしながら、幾何学的効果、結合定数および他の要因により、表面上のすべての検体分子が金粒子に結合するわけではないと思われる。この場合は、較正スライドを使用し、数式で結果を表すことによって、散乱光強度と検体濃度の関係を求めることができる。これは、例えば、上述の方法によって実施することができる。
【０３９３】
既に示したように、ここに記載しているダイナミックレンジを拡張するための技術は、分析が単一タイプのＲＬＳ粒子を採用するか、多重分析のように、異なる最大散乱波長を有する明確に異なるＲＬＳ粒子の集合体を使用するかに関係なく、ＲＬＳ粒子を利用する分析に特に有益である。しかしながら、該技術を他の粒子標識に適用することもできる。例えば、それらを蛍光粒子、例えばフルオレセインまたは他の蛍光染料の如き複数の蛍光体を充填したポリスチレン・ビーズに適用することができる。概して、単一の小さな分子蛍光体は、分析における個々の視覚化に合わせて調整できないが、充填ビーズまたは微球体は可能である。しかしながら、この技術を蛍光標識に適用すると、標識の性質に関連する問題が生じる。例えば、標識密度が高いと、蛍光の消光および漂白に対処する必要が生じ、繰返し露光または延長露光に対しては、漂白に対処する必要が生じうる。さらに、蛍光標識に対する信号減衰の時間コースは標識密度に依存する。
【０３９４】
したがって、デコンボルーション法については、デコンボルーションを行うための数学的手法は、標識清光および漂白の如き要因により、ＲＬＳ粒子に対するよりも蛍光法に対するほうが複雑になる。複数露光技術は、検出法の信号／雑音比が高い場合に最も有用であるため、蛍光法を含む多くの分析形式に対するほうがＲＬＳ粒子に対するよりも限定される。蛍光法を用いた多くの用途では、弱い信号を引きつけるために露光時間を長くすると固有の背景雑音も大きくなるため、信号／雑音比により利点が制約される。しかしながら、ここに記載した技術は、ＲＬＳ粒子以外の標識の検出にも有用であるが、ＲＬＳ粒子が最も好ましい標識である。
【０３９５】
多くの電子センサーは、特定の露光時間に対する強度範囲にわたってほぼ線形応答を有するため、定量にそのまま使用することができる。しかしながら、センサーがそのような線形応答を与えない場合、またはその範囲の何らかの点において有意な偏りが生じた場合は、異なる検出信号に対する値に重み付けを行うことによって記録値を補正して正確な定量を行うことができる。センサーの応答はそれぞれの波長で異りうるため、当該補正も波長依存性を有するといえる。加えて、それぞれの波長に対する感度が異なるセンサーについては、定量には、検出する散乱光の波長に応じて異なる重み付け、または異なる標準曲線の使用も含まれる。これは、最高散乱波長が異なる区別可能な粒子の集合体が使用され、多色光、好ましくは白色光の照明に対して異なる色の散乱光を提供する多重分析では特に重要である。それぞれの波長に対する感度の差を補償することで適正な定量が可能になる。当該感度および応答偏差に関する使用は、センサーまたはカメラのメーカーから入手するか、または標準媒体、例えば（規定の散乱光特性に対する）粒子タイプおよび密度が定まったスポットを有するスライドを使用することによってセンサー毎に求めることが可能である。
【０３９６】
本発明の好ましい実施形態において、センサーが信号を生成した後に、処理または操作を受けるのが標識からの信号になるように、すべての変換ファクターが適用される前に、または信号が拡大縮小される前に、スペクトルの背景部に対応する信号を除去する。標識からの光のピークが把握されているため、背景スペクトルを識別し、除去することができる。例えば、より長い露光時間を使用するときは、標識からの波長以外の波長の光は、標識からの光とともに増加する。複数の読出しを組み合わせて最終的なスペクトルを作成しているときは、誤ったスペクトル・フィーチャまたは異常なスペクトル・フィーチャを除去するのに役立つため、データ処理およびデータ操作前に背景スペクトルを除去するのが特に有益である。
【０３９７】
本発明の他の実施形態において、信号を合成して画像を形成する場合に、当該技術分野で利用可能な標準的なソフトウェア・ツールを適用して、画像における対象サイトまたはオブジェクト（単一粒子など）からの信号を識別することができる。画像の背景部に対応する他の信号を画像から差し引いて、画像の解析および観察に役立てることができる。画像の背景部は、分析サイト間における標識、分析サイト内の標識間の物理的空間、および分析サイト間の物理的空間を含むが、それらに限定されない多くのファクターの結果として発生しうる。該方法は、ソフトウェアが、分析サイトではない領域のような画像の背景部、または異常標識などを識別することを可能にする画像をもたらす第１回目の検出を行うことを含む。それに続く１つまたは複数の検出において、信号、または画像のこれらの背景部（すなわちサイト外領域）から光を集光する画素からの信号は無視されるか、または画像から差し引かれることになる。
【０３９８】
上述のような拡張ダイナミックレンジに対する分析法を実施するのに好適なシステム（すなわち装置）も有用である。概して、このシステムは本書の他の部分に記載するような構成を有するものである。
【０３９９】
照明および集光光学素子
１．一般的概念
以下に説明する固相法を光散乱粒子の検出に適用することが可能である。次いで、１つまたは複数の光散乱特性の検出および測定を、試料中の１つまたは複数の検体の存在、不在または濃度に関連づける。これらの方法は、マイクロアレイ、アレイ・チップまたは同様の形式を含む、すべてではなくとも、たいていの固相検体法に用いることができる。該方法は、（低感度から超高感度までの）広範囲な感度を有するように設計される。この範囲の感度は、使い易く安価な装置で達成される。
【０４００】
該技術では、粒子の光散乱特性に応じた方法を介して表面上の粒子の数、または相対的な数を求める。検出システムは、基本的に、（１）光散乱粒子パッチまたは該パッチの一部の拡大画像を形成する拡大レンズ（撮像または集光レンズとも呼ばれる）、および（２）粒子を暗い背景上の明るいオブジェクトに見えるようにする照明システム（ＤＬＡＳＬＰＤ法）からなる。該方法は、集光レンズを必要とせずに実施することも可能である。拡大画像内の粒子の数は、粒子計数、または（粒子数または密度に比例する）散乱光強度の測定を行うことによって定量することが可能である。粒子計数は、（ａ）（粒径に応じて、裸眼または眼鏡を伴う）肉眼で、（ｂ）電子撮像システム（例えばビデオ・カメラ、ＣＣＤカメラ、画像増強管など）、または（ｃ）視野開口絞りおよび走査光線機構を備えた感光検出器によって行うことが可能である。散乱光強度は、電子撮像システムまたは光検出器を用いて測定することができる。粒子表面密度が低い場合は（約０．１個／μ２未満の場合は）粒子計数法が好ましいのに対して、表面密度が高い場合は（特に、単一粒子が拡大レンズの空間分解能より接近している場合は）安定した光散乱強度測定が好ましい。該技術は、これら２つの検出方法の間で、すなわち粒子計数と強度測定の間で容易にシフトするように設計され、粒子の光散乱能および検出装置の具体的なハードウェア・コンポーネントによっては、約２０ｎｍまでの粒子直径に対して用いることが可能である。
【０４０１】
光照明システム
照明システムは、該技術における要の要素である。照明システムは、単一粒子が、暗い背景上の明るいオブジェクトに見えるように、高光強度で粒子パッチまたは粒子ドット群を照明するように設計される。これは、表面に付着する粒子、または表面の上の流動膜に遊離する粒子の視覚化を可能にする。付着粒子には存在しない粒子のブラウン運動によって、自由粒子を付着粒子から区別する。以下のセクションでは、照明システムを詳細かつ論理的に説明する。
【０４０２】
出願人は、ウルトラコンデンサ（Ｚｅｉｓｓ）と呼ばれる高価な市販の暗視野照明装置を含む多くの異なる照明システムを用いて実験を行った。２つの基本的な照明方法、およびこれら２つの方法のいくつかのバージョンを用いることができる。これらの方法は、例えばウルトラコンデンサより単純で、より高い照明光強度を生成する。
【０４０３】
基本的な照明方法の一般的な説明
照明システムは、（１）高光強度の光線を光散乱粒子のパッチ（またはドット群）に当て、（２）直接または反射を介して検出システムに入射する照明光の量を最小限に抑えるように設計される。これは、光線およびその反射を検出システムの集光角度の外側の角度に制限することによって達成される。ある照明方法では、集光レンズおよび光源は固相表面の反対側に存在し（下からの照明）、他の方法では、照明光源および拡大レンズは表面と同じ側に存在する。
【０４０４】
拡大レンズの下からの直接照明
図１は、使用される基本的な照明方法の１つの概略図である。この方法では、光は、固相表面Ｓの下から該表面に衝突する。Ｓは透明であることが想定されている（しかしながら、何らかの色を有していてもよい）。Ｏは、光散乱粒子を含む表面上の領域である。拡大または集光レンズＬは、Ｓの上側に位置する。Ｌが集光する角度は、（光散乱粒子が位置する）表面Ｓの頂部および基部がレンズの直径Ｄによって決まる影付き円錐Ｃ（レンズＬの集光円錐）で示されている。照明光線（ＬＢ）は、Ｌの集光円錐に入射しないような角度を有する。矢印は、ＬＢの移動方向を示す。
【０４０５】
固相は、例えば、顕微鏡スライド、マイクロタイター・プレート、または臨床検査に使用される他のタイプの透明の固相である。光源は、白熱電球、放電灯、ＬＥＤ、レーザ等の任意のタイプの光源とすることができる。光は、光ファイバーおよび／または集光レンズを使用して照明光線から集光され、次いで集光レンズを使用して散乱光粒子に集められる。上述したように光線がレンズＬに入射しないように、光線が表面Ｓとなす平均角度θを調節する。角度θの調節は、拡大レンズおよび接眼鏡（複合的な顕微鏡構成）を介して光散乱粒子を視覚的に観察し、粒子が暗い背景上の明るいオブジェクトに見えるように角度を調節することによって容易に行うことができる。この角度は、光散乱強度測定に対して十分適合するが、粒子密度が高い場合は集束条件はさほど厳格ではない。
【０４０６】
角度θの大きさは、拡大レンズの開口数から推定することができる。超感度検出では、拡大または撮像レンズとして顕微鏡対物レンズを使用する。顕微鏡対物レンズは、通常はそのケースに開口数が刻まれている。開口数は、図２のダイアグラムにより定めることが可能である。同図は、Ｏにおける光散乱粒子のパッチに焦点を合わせた（焦点距離ｆの）拡大レンズを示す図である。レンズとＯとの距離はｆに等しい。レンズ（Ｌ）は、Ｏから散乱されるすべての光を、その基部がレンズの直径Ｄになる固体円錐に集める。角度θＨは、この固体円錐の平面半角として定義づけられる。円錐の開口数（Ｎ．Ａ．）とθＨの関係は、以下の式によって表される。
【０４０７】
Ｎ．Ａ．＝ｎ Ｓｉｎ（θＨ）    （３６）
上式において、ｎは、レンズと点Ｏの間の媒体の屈折率である。媒体は、例えば、空気（ｎ＝１）、水（ｎ＝１．３３）または浸漬油（ｎ＝１．５）とすることができる。θＨの値が小さい場合は、Ｎ．Ａ．は、ほぼＤ／２ｆに等しい（ただし、Ｄはレンズの直径、ｆは焦点距離である）。
【０４０８】
以下の表は、（ｎ＝１のときに）広く使用することができる対物レンズの開口数およびθＨの代表的な値を示す。
【表２３】
2005507489.tif 000030
すでに述べたように、励起光線は、拡大レンズの集光固体円錐の外側にくるような角度を有する必要がある。高倍率では、励起光線が固相表面に衝突する角度が大きくなくてはならない。例えば、倍率４０の対物レンズでは、入射光は４０°より大きくなくてはならない。表面で反射する光の割合は入射角度とともに増加するため、我々の照明システムに使用すべき角度が反射により大きな光の損失をもたらすかどうかを検討しなければならない。さらに、高入射角度において臨界反射（全内部反射）が生じるかどうかを検討しなければならない。この照明システムにおける反射の効果についてのその後の説明に必要とされる基本的な屈折および反射の法則を以下に手短に説明する。
【０４０９】
スネルの屈折の法則
図３のダイアグラムによりスネルの屈折の法則を説明する。同図は、屈折率ｎｉ（ｉは入射媒体に対応する）の媒体に沿って移動し、屈折率ｎｔ（ｎは透過媒体に対応する）の媒体の表面Ｓに衝突する光線を示す図である。入射光の一部は媒体ｔに入り（反射光線）、一部が媒体ｉへと反射される（反射光線）。入射角をθｉとすると、屈折光線の角度は、以下のように表すことができるスネルの法則によって与えられる。
【０４１０】
ｎｉ Ｓｉｎ（θｉ）＝ｎｔ Ｓｉｎ（θｔ）    （３７）
ｎｉ＜ｎｔならば、θｉ＜θｔである。ｎｉ＞ｎｔならば、θｉ＞θｔである。角度は、表面Ｓに対して直角な線に対して測定されることに留意されたい。反射光線は、角θｒ＝θｉをなす（すなわち、反射角と入射角は等しい）。
【０４１１】
反射の法則。表面で反射する入射光の割合
フレネルの反射の式を用いて、異なる入射角θｉに対して反射する入射光強度の割合Ｒを計算することができる。（強度は、ここでは、単位面積当たりの単位時間当たりのエネルギーとして定義づけられることに留意されたい。強度は、放射照度とも呼ばれる）。しかしながら、説明を簡単にするために、Ｒ対θｉのプロットについて説明する。θｉに対するＲの厳密な依存性は、ｎｉおよびｎｔの値、ならびに入射光の偏光状態によって決まる。反射率に関する重要な事実を以下に記載する。
【０４１２】
ｉ．光線が低屈折率の媒体から高屈折率の媒体に移動する場合の反射率（ｎｉ＜ｎｔ）
図４は、ｎｉ＝１（空気）およびｎｔ＝１．５（後者はガラスまたはプラスチックの屈折率に近い）、ならびに光が入射面に対して平行（ｒｐ）かつ垂直（ｒｓ）に偏光する場合のＲ対θｉ（φ＝θｉ）のプロットを示す図である。入射面は、入射光線、および表面に対して垂直な線を含む面として定義づけられる（図３参照）。非偏光の反射率Ｒは、入射面に対して平行かつ垂直に偏光する光に対するグラフの平均によって与えられる。図４において、非偏光に対する反射率グラフは、Ｏｒｄ（ｏｒｄｉｎａｒｙ（通常光）に対応）と標示される。図４のグラフは以下のことを示す：
ａ．ｒｓは、ここで用いられるθｉと等しい図４のφが増加するに従って連続的に増加する。ｒｓの増加は、（反射率が約１５％にすぎない）約７０°までは小さく、次いで増加がはるかに急激になって９０°では屈折率が１００％に達する。したがって、反射される光の割合は、入射角が６０°までは２０％未満である。
【０４１３】
ｂ．ｒｐは、ｒｐがゼロになる約５７°まではφの増加とともに減少する。ｒｐ＝０になる角度をブルースター角または偏光角と呼ぶ。ブルースター角θｂは以下の式で計算することができる。
【０４１４】
Ｔａｎ（θｂ）＝ｎｔ    （３８）
ただし、ｎｉ＝１（空気）とする。ｎｔ＝１．５の場合は、上式によりθｂ＝５６．３になる。ブルースター角では、θｉ＋θｔ＝９０°になることに留意されたい。したがって、ｎｔ＝１．５の場合は、θｉ＝θｂ＝５６．３°、θｔ＝３３．７°になる。ブルースター角より大きな角度については、ｒｐは、φが増加するに従って急増し、９０°で１００％の値に達する。
【０４１５】
ｃ．非偏光（通常光）については、７０°までは反射率はφの増加とともに徐々に増加し、次いで急激に増加して９０°では１００％に達する。θｉ＜７０°の場合は、入射光の２０％未満が反射される。
【０４１６】
ｄ．反射光と透過光の強度を併せても入射光の強度に達しないことに留意されたい。これは、エネルギー保存の法則に矛盾するように思われる。この見かけの矛盾は、実際は、強度を単位面積当たりの単位時間当たりのエネルギーと定義づけたことに起因する。屈折するため、入射光と透過光は断面積が同じにならない。断面積の差を考慮に入れると、反射光線と透過光線における単位時間当たりのエネルギーが入射光線における単位時間当たりのエネルギーに等しくなることを示すことができる。
【０４１７】
ｉｉ．光線が高屈折率の媒体から低屈折率の媒体に移動する場合の反射率（ｎｉ＞ｎｔ）
図５は、ｎｉ＝１．５４かつｎｔ＝１の場合の偏光の屈折率対入射角（φ＝θｉ）のプロットを示す図である。該プロットは、ｎｉ＜ｎｔに対する図４のプロットと著しく異なっている。最も大きな違いは、入射が約４１°を超える場合は、すべての光が反射されることである（１００％反射、全反射）。全内部反射が生じる最小の反射角を臨界反射角θｃと呼ぶ。この角度の値は、ｎｉおよびｎｔの値に依存する。臨界角における入射光線および透過光線の角度を考慮することによって、ｎｉおよびｎｔの値からθｃを計算するための式を導くことができる。臨界角θｃでは、反射光線は入射光のほとんどを含む、鏡面反射に対する法則に求められるように、表面に対して直角な線に対して角θｃをなす。透過光の強度は小さく、垂線に対するその角度θｔは９０°である。すなわち、透過光は、表面に平行に移動する。したがって、スネルの式にθｔ＝９０°を代入することによってθｔの値を求めることができる。この代入によって以下の式が導かれる。
【０４１８】
ｎｔ Ｓｉｎ（９０）＝ｎｉ Ｓｉｎ（θｃ）    （３９）
Ｓｉｎ（９０）＝１であるため、以下のように表すことができる。
【０４１９】
Ｓｉｎ（θｃ）＝ｎｉ／ｎｔ    （４０）
ｎｔ＝１．５４、かつｎｉ＝１（空気）の場合は、上式によりθｃ＝４０．５°になる。非偏光に対しても、入射面に垂直または平行に偏光する光に対しても臨界角は同じであることに留意されたい。すなわち、θｃは、光が非偏光か平面偏光かに無関係である。
【０４２０】
ｉｉｉ．光散乱粒子パッチの照明に対する反射および屈折の影響
まず、粒子が空気中の乾燥した顕微鏡スライド表面上に存在する単純な場合について検討する。すなわち、粒子は乾燥した状態で、空気が顕微鏡スライドの両側の媒体である。図６は、この場合に生じる反射および屈折の概略図である。第１の反射は表面Ｓ１で生じる（ｎｉ＜ｎｔ、ｎｉ＝１およびｎｔ＝１．５）。図４は、７０°までは、反射光の割合は入射角に対し２０％未満であることを示している。したがって、この照明方法では、Ｓ１における反射は何ら問題にならない。表面２は、光線が、低屈折率から高屈折率に移行し、この表面において全内部反射が生じる可能性があるため問題になる可能性がある。ｎ１＝１．５かつｎｔ＝１（空気）である表面における全内部反射に対する（式（４０）から計算した）臨界角は約４２°である。そこで、問題は、表面１における入射光線が大きな角度を有する場合にこの臨界角が達成されるかどうかということである。
【０４２１】
図７は、スネルの式（式（３７））およびθｔ１＝θｉ２を利用して計算したθｉ２［θｔｊ］とθｉ１［θｉｊ］のプロットを示す図である。このプロットからわかるように、θｉ２は、θｉ１＝７０°まではθｉ１の増加とともに急増する。次いで、θｉ２は水平になり、θｉ１＝９０°まで臨界角に達しない。しかしながら、θｉ１＝９０°になると、光がＳ１を透過しなくなる。したがって、我々は、図４の構成では、実質的なθｉｌの角度において臨界照明に達することはないと結論づける。さらに、７０°を下回るθｉｌの値に対しては、Ｓ２の粒子に照射される光の量が反射によって著しく減少する。
【０４２２】
上記の結論を実験に基づいて実証した。しかしながら、我々の実験では、表面Ｓ１およびＳ２上の塵、埃、傷および他の凹凸または人為構造によって散乱される光（非特異的光散乱）は、Ｓ２上の粒子によって散乱される光と同等になるため、背景光が著しく増加し、粒子検出の感度が低下する。しかしながら、Ｓ１およびＳ２上の人為構造によって散乱される非特異的な光は、照明光線の前方方向に集中するのに対して、（微粒子については）粒子によって散乱される光は全方向に存在する。これらの効果は図８に示されている。
【０４２３】
図８において、任意の方向θにおいて表面の人為構造により散乱される非特異的な光の強度は、原点Ｏから強度放絡に伸びる（角θの）線の長さで決まる。粒子によって散乱される光は、Ｏからすべての方向に伸びる点線によって示されている。表面に６０ｎｍの金粒子を含む顕微鏡のスライドを用いて、特異的な光の散乱の検出に対する非特異的な光の散乱の影響を実験的に実証することができる。空気中において、これらの粒子は緑色の光を散乱し、非特異的な光の散乱がなければ、照明される粒子のパッチは、暗い背景の緑色のパッチとして現れる。表面の人為構造は白色光を散乱し、このタイプの非特異的な光の散乱が特異的な粒子の光の散乱に重なると、粒子のパッチから散乱される光は純粋な緑色ではなく緑色がかった白色を有する。図８に示されるように、異なる角度θｖに目を固定して散乱光を観察することによって、表面の人為構造による優先的な前方方向の散乱を確認することが可能である。θｖ＝０に目を固定したときは、散乱光は緑色がかった白色光を有する。観察角度θｖが大きくなるに従って、白色が弱くなり、θｖが３０°を超えると、金粒子が純粋な緑色にしか見えなくなる。したがって、本発明では、θｖが３０°を上回る角度において、目視観察を行うか、光検出器手段で検出するのが有益である。後に示すように、例えばプリズム型の構造のような光導体を通じて照明することによって、表面の人為構造による非特異的な光の散乱をさらに低減することが可能である。
【０４２４】
次に、図９に示されるように、光散乱粒子が、顕微鏡スライド上に置かれ、カバー・ガラスで覆われた水の薄膜に存在する場合について検討する。照明光線は、屈折率が変化する４つの表面、すなわちＳ１（空気からガラス）、Ｓ２（ガラスから水）、Ｓ３（水からガラス）、Ｓ４（ガラスから空気）に遭遇する。先のパラグラフで行ったように、各表面における反射および屈折を検討すると、図９のシステムでは、反射により光散乱粒子に供給される光エネルギーの量が著しく減少せず、どの表面においても臨界反射は生じないという結論に達する。表面Ｓ１およびＳ４上の表面人為構造による非特異的な光の散乱は、図８の場合と同様である。しかしながら、水の存在は、表面Ｓ２およびＳ３に対する非特異的な光の散乱を著しく低減する。
【０４２５】
拡大レンズと同じ側からの直接照明
この照明方法を図１０に示す。Ｓ、Ｌ、ＣおよびＬＢの意味は、図２と同じである。この図において、励起光線が表面Ｓの上から表面Ｓに衝突する。集光レンズもＳの上に位置する。励起光線は、入射光も反射光もレンズＬの集光円錐Ｃに入射しないような角度を有する。この照明方法では、光線の光路内の異なる表面から反射される光が、拡大または撮像レンズＬの集光円錐Ｃの中に反射されないようにする必要がある。反射角は、各表面における入射角と同じであるため、照明光線を円錐Ｃの外側の角度に制限することによって、Ｌによる不必要な反射光の集光を最小限に抑えることができる。前のセクションで述べたように、反射により光散乱粒子に供給される光エネルギーの量が著しく減少することはなく、乾燥粒子または水で覆われた粒子で臨界反射が生じることもないことを証明することができる。表面人為構造による非特異的な光の散乱については前のセクションで述べたとおりである。
【０４２６】
プリズム構造を介した照明
ｉ．下からの照明
図１１は、プリズムの配置の概略図である。その最も単純な形態の１つとして、それは、検出対象の光散乱粒子を含むマイクロタイター・ウェル、ガラス・スライド、プラスチックまたはガラス基板上のマイクロアレイなどを配置することが可能な三角形のプリズムから構成される。光散乱粒子を含む試料槽またはスライドをプリズムの上面Ｓ２に配置し、粒子を含む表面がレンズＬの焦点にくるようにする。
【０４２７】
試料槽またはスライドとプリズムとの間に浸漬油を仕込むことで、屈折率整合により非特異的な光を最小限に抑える。粒子は、空気中で乾燥状態にある。Ｓ２における屈折率整合が正確、またはほぼ正確なものであれば、光線はＳ２において大きく屈折または反射することはない。したがって、照明光線は、プリズム、および光散乱粒子を含む表面を横切る際にほぼ直線状に移動する。しかしながら、空気・プリズム界面Ｓ１およびＳ３では屈折が生じる。
【０４２８】
Ｓ１に垂直な方向で（入射角０°で）プリズムに入射する照明光線を考慮し、プリズムは４５°のプリズム（角γ＝４５°）と仮定する。光線は、Ｓ１からＳ３上の点Ｏまで直線状に移動するため、４５°の角度で表面Ｓ１に衝突する。次いで、空気に対するガラスの臨界角は約４２°であるため、光線は全内部反射を起こすことになる。したがって、プリズムが存在しない場合における下からの照明（図６参照）とは対照的に、プリズム構造は臨界反射を可能にする。
【０４２９】
プリズムが存在しない場合（図６）は、図６（および図７）に示されるように、Ｓ１で光が屈折するため、臨界反射を達成しえないことを思い出されたい。プリズムの如き光導体を使用するときに高エネルギーの光線を供給するためには、４２°より小さい角度でＳ３に衝突するように（図１１）照明光線を誘導する必要がある。そこで、Ｓ３における４２°より小さい入射角で、Ｓ３において出射する光はレンズＬの集光円錐の外側になければならないという条件を満たすことができるかどうかが問題になる。Ｓ３における入射角が３５°と仮定する。スネルの法則（ｎｉ＝１．５かつｎｔ＝１）から、最も困難な対物レンズ、すなわちθＨ＝４１°の倍率４０の対物レンズの集光円錐の外側の出射角は６２°であると計算する。我々は、図１１のプリズム構造は、暗背景を維持しながら、空気中の乾燥した光散乱粒子に高光エネルギーを供給することを可能にすると結論づける。
【０４３０】
次に、光散乱粒子が、水およびカバー・ガラスで覆われた図１１のプリズム構造について検討する。先述したように、励起光線は、Ｓ１からＯまで直線状に移動し、そこでガラス・水界面に遭遇する。次いで、水およびカバー・ガラスを通過し、最終的にはカバー・ガラスの上面においてガラス・空気界面に遭遇する。ガラス・水およびガラス・空気界面で生じる反射について検討すると興味深い。空気・水界面における臨界反射に対する角度は６２．５°になる（式（４０）においてｎｉ＝１．５かつｎｔ＝１．３３を用いる）。したがって、表面Ｓ３で水を導入すると、全内部反射を生じることなく、空気中よりもはるかに高い角度での照明が可能になる。さらに、６２．５°より小さい角度では、ガラス・水界面における反射率が低くなる。
【０４３１】
次に、カバー・ガラス・空気界面における反射について検討する。Ｓ１で表面に垂直に入射する光線について考える。プリズムが４５°のプリズムであれば、光線は４５°の角度でＳ３に衝突し、全内部反射を起こす。Ｓ３（ガラスから水）における屈折により、光線の角度が５５°に変化する。しかしながら、水・カバー・ガラス界面における屈折によって光線が屈曲し再び４５°になる。したがって、光線は、４５°でカバー・ガラス・空気界面に衝突する。したがって、水およびカバー・ガラスに粒子を含めたプリズム構造では、光エネルギーを（表面Ｓ３に付着した、または水中に遊離する）光散乱粒子に効率的に供給することが可能であるが、入射光は、カバー・グラスで全面的に反射される。
【０４３２】
上述の説明から、我々は、水の膜の中の光散乱粒子への光エネルギーの供給に深刻な影響を及ぼす反射は存在しないものと結論づける。カバー・ガラス・空気界面において全反射が生じるが、これらの反射は、散乱粒子への入射光エネルギーの供給に影響を与えるものではない。
【０４３３】
上述の説明から、プリズム構造でも非プリズム構造でも、表面に付着した粒子または溶液中に遊離する粒子を角度をつけて照明することにより、エネルギーを効率的に供給できることが明らかになる。効率的な供給とは、光線が、該当面において全内部反射を起こさず、非特異的な光の集光が最小限に抑えられることを意味する。しかしながら、我々は、プリズム構造を特定の用途に用いると、光散乱粒子に近いガラスまたはプラスチック上の凹凸による人為現象が取り除かれるか、または著しく低減されるため、優れた検出能力が発揮されることを実験的に見いだした。浸漬油を使用して固相をプリズムに密着させると、Ｓ２における凹凸により非特異的な光の散乱がほぼ完全に抑えられる（図１１）。これらの効果は、屈折率整合メカニズムによるものと思われる。Ｓ１における光線の入射点で散乱する非特異的な光は、（プリズムが十分に大きい場合は）点Ｏにおける特異的散乱粒子から十分に引き離され、拡大レンズによって集光される散乱光に加わることはない。
【０４３４】
さらに、特異的散乱粒子が水中に存在する場合は、水の膜による屈折率整合によって、表面Ｓ３上の非特異的散乱が著しく低減される。さらに、水およびカバー・ガラスが存在する場合は、照明光線は、カバー・ガラス・空気界面で全反射を起こす。この反射により、わずかな量の光エネルギーしかこの表面上の凹凸に到達しないため、カバー・ガラス・空気界面における凹凸からの非特異的散乱が著しく低減される。加えて、その全内部反射により、拡大レンズの集光円錐に照明光が直接入射する可能性が低減されるか、または取り除かれる。カバー・ガラス・空気界面において４２°より大きな角度をなす粒子散乱光が全面的に反射されるため、全内部反射はレンズＬの集光角度にも影響しうることに留意されたい。しかしながら、この影響は深刻なものではない。
【０４３５】
顕微鏡観察
これまでのセクションでは、集光される非特異的な光を最小限に抑えながら、（表面に付着する、または表面の真上で遊離する）光散乱粒子に光エネルギーを効率的に供給することを左右する要因（反射および屈折）に重点をおいて、我々の照明および検出（拡大レンズ）システムを説明した。このセクションでは、拡大レンズＬによって生成された拡大画像を接眼レンズを通じて目視観察することによって得られた実験結果の詳細を示す。
【０４３６】
ａ．光源および光ファイバーの詳細
以下に示す３つの異なるタイプの光源を使用した。
【０４３７】
ｉ．Ｌｅｉｃａ顕微鏡照明装置
これは、標準的な市販の顕微鏡照明装置である。タングステン・フィラメント電球、および照明装置の先端から約２２ｍｍの距離においてフィラメントの５×７ｍｍの集束画像を生成するレンズが使用されている。より集束性の高い光線を生成するために、顕微鏡に倍率１０のレンズを取りつけた。そのレンズは、照明装置の先端から約６．５ｃｍのところに位置している。その対物レンズは、対物レンズから約７ｍｍの距離において、直径約４から５ｍｍの光の集束スポットを生成する。
【０４３８】
ｉｉ．バウシ・ロンブ・ファイバー・ライト照明装置
これも市販の照明装置である。放物面反射器に取りつけられた１５０ワットのタングステン・フィラメント電球を使用する。反射器は、約２５ｍｍの直径を有するほぼ平行の光線を生成する。（結束した多くの小さな光ファイバーから構成される）直径１１ｍｍの光導体が、フィラメント電球の近くに配置されている。次いで、光導体は、それぞれ直径約５．３ｍｍで長さ約２フィート（６０．１ｃｍ）の２つの等しい光導体に分割される。その光導体の１つを使用する。収束光スポットを生成するために、光ファイバーの末端から約２５ｍｍに位置する焦点距離２５ｍｍのレンズ（直径２０ｍｍ）を使用して、光ファイバーからの光を平行にする。次いで、平行化レンズから約５０ｍｍのところに配置される倍率１０の対物レンズにより、平行化された光を直径５ｍｍの光スポットに集める。平行化レンズおよび対物レンズは、光ファイバーに固定されたコンパクト・ホルダー内におさめられている。光ファイバーの柔軟性により、このタイプの光源システムは融通性に乏しいＬｅｉｃａ顕微鏡照明装置より使い易い。
【０４３９】
ｉｉｉ．特製照明装置
これは、我々が作製した照明装置である。放物面反射器に取りつけられた１２ボルト、２８ワットのタングステン・フィラメント電球を使用する。反射器は、直径が０．１２５インチ（３．１ｍｍ）の光導体に集められるほぼ平行な光線を生成する。光導体の長さは３６インチ（９１．４４ｃｍ）である。電球の近くに配置されるレンズ（焦点距離２３ｍｍ、直径９ｍｍ）を用いて、反射器からの光を光ファイバーに集める。光導体は、開口数が０．５５で、平面半角が６０°の光円錐を受け入れる。ファイバーの末端から約１７ｍｍのところに配置される焦点距離１２ｍｍのレンズ（直径１１ｍｍ）によって、光導体の他端において出射する光を平行化する。平行化された光は、最終的に、倍率１０の対物レンズによって直径５ｍｍの明スポットに集められる。対物レンズは、平行化レンズから約２６ｍｍの距離に配置される。５ｍｍの明スポットは、焦点レンズの末端から約１２ｍｍの距離にある。
【０４４０】
ｂ．プリズム（光導体）
図１２は、我々の照明システムに有用であることが確認されたプリズムの如きいくつかの光導体を示す図である。これらのうちのいくつかは、従来の意味では実際にはプリズムではなく、光導体と呼ぶことができる。光導体は、ある角度で光を効率的に供給させながら、入射光面と反対の面から反射光線を出射させる。以下の理由により、寸法をできるだけ小さくする必要がある。光線が入射し、反射光が出射するスポットは、表面の凹凸による非特異的な光の散乱を著しく生じる可能性がある。これらのスポットを特異的光散乱粒子のパッチから十分に除去して、非特異的な光の散乱の関与を最小限に抑える必要がある。それらの光導体を、試料槽を備えた１つの光導体に成形することで、光導体と分析物の間に浸漬油を使用する必要がなくなる。試料槽ウェルの内面に塗布されたストレプタビジン・スポットのマイクロアレイを有するプラスチック・チャンバの底面に小さな光導体を装着することによって、当該デバイスを試作した。このデバイスを使用してマイクロアレイの個々のマイクロスポットに結合する光散乱粒子の検出および測定を行ったところ、粒子計数による測定、および２つの表面の間に浸漬油を仕込んだプリズム上に試料槽を配置した強度測定と本質的に同じであった。
【０４４１】
ｃ．顕微鏡観察
視覚的顕微鏡観察用の接眼レンズを使用して、特に粒子の明るさ、背景の暗さ、およびそれぞれ異なるタイプの臨床測定形式における有用性に重点をおきながらいくつかの照明構造の評価を行った。良好な結果を与えるいくつかの構造を見いだした。ここでは、最も使い易く、優れた結果を与える最も安価な構造に限定して説明を行う。優れた結果とは、拡大レンズとして倍率１０および４０の対物レンズを使用したときの暗い背景上の明るい粒子を意味する。
【０４４２】
撮像システムは、エドマンド・サイエンティフィック社の安価な顕微鏡である。該顕微鏡は、対物レンズ（倍率１０または４０）および１６０ｍｍの標準チューブにおさめられた接眼レンズから構成される。単に対物レンズおよび接眼レンズではなく顕微鏡を使用する理由は、顕微鏡の微／粗集束メカニズムによって提供される便利さによるものである。しかしながら、我々の照明方法に適応するように顕微鏡のステージを改造し、図１２（ｄ）に示されるように、顕微鏡コンデンサの代わりに光導体（プリズム型）を用いた。プリズムの下のシリンダをコンデンサ・ホルダーに嵌め込む。改造されたステージおよび照明装置によって、顕微鏡スライド、マイクロタイター・プレートおよび他のプラスチック・プレートを扱うことが可能になる。しかしながら、倍率４０の対物レンズは、対物レンズの使用距離が（約０．４５ｍｍと）短いため、厚いプラスチック板には使用できない。より使用距離が長い倍率４０の対物レンズも入手可能である。特製照明装置を照明に使用する。
【０４４３】
ＤＬＡＳＬＰ法に合わせて顕微鏡システムを配置するために、自由粒子または表面結合粒子（カバー・ガラスで覆われた薄い水の膜におさめられた６０ｎｍの金粒子）を含む顕微鏡スライドを顕微鏡ステージに配置する。プリズムは、その表面がほぼ顕微鏡スライドに接触するように配置される。スライドとプリズムの表面は、浸漬油で張り合わされる。照明システムの倍率１０の集点対物レンズは、プリズムの照明される側にほぼ接触するように配置される（図１３）。対物レンズは、光が照明面に垂直に入射し、約４５°の角度で表面Ｓ（顕微鏡スライドと接触する面）に衝突するような角度を有する。スライド上の金粒子の膜が十分に高い粒子濃度（約６×１０９個／以上）を有する場合は、光が粒子の膜を横切るスポットは、粒子により散乱する光によって強い黄緑色を示す。倍率１０の焦点対物レンズは、黄緑色のスポットが顕微鏡（拡大）対物レンズに対して中心にくるように配置される。次いで、接眼レンズを通じて観察したときに粒子が鮮明なオブジェクトのように見えるように、スポットに対して顕微鏡の焦点を合わせる。次いで、倍率１０の照明対物レンズの位置および角度を変えることで、暗い背景上の明るいオブジェクトを生成する。顕微鏡の倍率４０の対物レンズを用いてこの調節を繰り返す。１０倍と４０倍の両方の倍率に対して暗い背景上の明るいオブジェクトを生成する位置の範囲が狭くなる。
【０４４４】
照明光線が約４２°（プラスチックまたはガラス／空気界面における全内部反射に対する臨界角度）より大きい角度でプリズム表面に衝突するときは、照明光が顕微鏡スライドの上方の空間を透過することはない。我々の構成では、入射角は４５°である。これは、顕微鏡スライドの上方に１枚の白紙を置くことによって達成可能である。照明光が紙に当たることはない。しかしながら、照明光線を視覚化してその形状または空間における分布状態を判断することは興味深いことである。これは、接着用浸漬油を使用してスライドの上面にローダミン・プラスチック・ブロックを配置することによって達成可能である。ローダミン・ブロックは、蛍光分子ローダミンを含む透明なプラスチック・ブロックである。そこから生成されるローダミン蛍光からブロックを移動する光線を観察することができる。浸漬油は空間をなくし、照明光線がプラスチック・ブロックに入射することを可能にする。ブロックの内側の蛍光により観察される照明光線の分布が図１３に示されている。
【０４４５】
照明システムが正しく配置されると、約３０ｎｍを上回る金粒子を顕微鏡スライド、プラスチック・ウェルおよび固相マイクロアレイまたはアレイ・チップ上で容易に観察することができる。倍率１０の対物レンズでは、０．００５個／μ２未満の密度の粒子を検出することが可能である。倍率１０の対物レンズは、約８．５ｍｍの使用距離を有するため、約８ｍｍの厚さのプラスチック板に使用することができる。
【０４４６】
ＤＬＡＳＬＰＤビデオ・コントラスト強化法
我々は、ＤＬＡＳＬＰＤビデオ・コントラスト強化法を利用することによって、金属状粒子および非金属状粒子を試料中でより高い感度で検出できることを確認した。この方法は、画像化された非特異的散乱光を実質的に画像化視野から除去しながら単一粒子を可視状態に保つように、画像化された非特異的散乱光を電子的に調整することを含む。該方法は、ここに記載の他の方法に用いても極めて良好に機能する。この方法を用いると特異性および感度が向上することを確認した。
【０４４７】
試料槽の改善
本発明の特定の態様をとり、次に、その使いやすさ、異なる試験環境および条件への適応性を向上させる意味で、分析を行い検体を検出するのに使用される試料槽の設計に本発明のいくつかの態様を具体化できることを見いだした。
【０４４８】
例えば、我々の観察および考え方に基づいて、分析する試料を収容する容器である試料槽の一般的な設計に我々の原理を適用することが可能である。これらの改善により、使いやすさ、ならびにいくつかのタイプの試験、および先述の試験条件への適用性を向上させることができる。しかしながら、ここに記載の発明は、以下の試料槽の改善を用いずに十分実施できることを明記しておく必要がある。これらの改善は、特定の試験条件および環境に対する本発明の実際的な適用性を高める手段に向けられるもので、本明細書の他のサイトで説明されている。
【０４４９】
我々は、測定対象の粒子を含む領域から表面Ｓ１（入射光表面）をできるだけ遠くに移動させるか、またはずらすことによって、信号／背景比が著しく高められることを確認した。プリズムの如き光配列手段、または照明光線の表面Ｓ１への誘導を支援するのに使用される類似の光導体を使用することについては既に説明した。通常、光導体（プリズムなど）の表面と試料槽の表面との間に浸漬油が使用されることになる。検体試験には、分析手法における要素として浸漬油を使用しないのが好ましい条件が多く存在する。その上、またはその付近に粒子が存在する表面を厚くすることによって、先述したように非特異的光が著しく低減される。
【０４５０】
この態様および他の態様を、試料中の１つまたは複数の検体の検出に向けた試料槽の設計に適用した。これらの一般的な試料槽の設計が、図１７，１８および１９に描かれている。図１７は、傾斜した平坦な側面を有する試料槽を示す。照明光線が、（垂線に対して）できるだけ０に近い角度で傾斜側面に衝突するように、傾斜側面の角度が照明角度に合わせられる。このようにして、非特異的な反射および散乱光が最小限に抑えられる。図１８は、図１７について記載したような平坦な傾斜側面の代わりに屈曲した側面を有する試料槽を示す。この試料槽では、分岐する出射光に対しては、屈曲面により、この非特異的な光をより効率的に除去することが可能になる。図１９は、光線が試料に衝突する入射表面および屈曲した側面を測定対象領域からさらに遠くに移動させるという両発想を利用して、非特異的な光をより効率的に除去することを可能にする試料槽を示す。したがって、この試料槽は、ウェルの底面の下方の材質、照明対称面の平面の下方の平坦な傾斜面、ウェルの底面の表面の上方の屈曲した側面を厚くして、非特異的な光の効率的な除去を可能にしている。図１７、１８および１９に示される試料槽は、固定試料ならびに溶液試料を測定するのに有用である。
【０４５１】
光散乱粒子の選択、検出および測定
本発明のほとんどの形態において、光散乱粒子からの光散乱信号は、溶液中に懸濁された粒子、または固相に関連する粒子から検出される。液相および固相の試料に対するＤＬＡＳＬＰＤ照明および検出法の多くの変形形態を説明した。ＤＬＡＳＬＰＤ法におけるこれらの変形形態は、試料および試料容器の性質に関連している。
【０４５２】
本発明は、多くの異なるタイプの分析形式、および分析容器または他のデバイスを使用して、試料中の１つまたは複数の検体の存在および量を検出および測定できるという点において有用性が大きい。例えば、マイクロタイター・ウェルおよびプレート、試験管、毛細管、流動セル、マイクロチャネル・デバイス、キュベット、計量棒、顕微鏡スライド、光学的に透明な表面、ビーズ、磁気ビーズ、ドット・ブロット、ならびに高密度アレイおよび低密度アレイを使用することができる。
【０４５３】
本発明を検体の検出に応用するために非常に重要なことは、所定の検体検出用途に対する最良の様式の粒子タイプを正しく選択することである。これは、一部に、分析形式、および必要な検出感度に依存する。粒子の光散乱信号を単一粒子に基づいて測定し、あるいは多くの粒子の光検出特性の検出および測定を行う。
【０４５４】
所定の具体的な分析用途に対する最良の光散乱特性を選択する上で検討される多くの条件が存在する。これらの条件は、一般に、（１）使用される照明および検出システムの属性；（２）測定に使用する容器またはデバイスの性質および特性；（３）用いられる分析形式；（４）単一粒子および／または多くの粒子の検出および測定を行うかどうか；および（５）検体検出の濃度およびレンジに関連する。次に、当業者が本発明の１つまたは複数の形態を検体の検出に対してどのように最適化できるかということについて説明する。
【０４５５】
液層または固相をベースとした検出において非常に重要なのは、散乱光信号と、検出される粒子の濃度との関係である。試料中に存在する光散乱粒子の量を測定するために、１つまたは複数の検出光散乱信号を粒子の量に関連づけるアルゴリズムを開発し、使用しなければならない。本発明における多くの異なる形態で個々の粒子の光散乱信号または多くの粒子からの光散乱信号を検出することが可能である。
【０４５６】
（例えば単一粒子が検出されない）多くの粒子の集中光散乱信号を固相上または溶液中で検出する場合について、我々は、相対的光散乱強度、偏光、および検出粒子の色スペクトルが濃度の関数としてどのように変化するかを見いだした。ここに説明されているように、散乱光の強度および色スペクトルは粒子の粒径、形状および組成、粒子の濃度、ならびに媒体の相対的屈折率に依存する。複数の粒子の集中光散乱信号の検出および測定方法において、集積光散乱強度の検出および測定が、測定のための非常に有用な光散乱特性になる。図３１および図３２は、それぞれ、溶液に懸濁する粒子または固相に関連する粒子に対する散乱光強度と粒子の濃度との関係を示す図である。これらの説明例において、媒体の屈折率は１．３３以下である。ＳｐｅｃｔｒａＭｅｔｒｉｘ液相検出装置を用いて溶液中の懸濁粒子を測定し、ここに記載される顕微鏡をベースとした検出装置を用いて固相粒子を検出した。示された例において、ＳｐｅｃｔｒａＭｅｔｒｉｘ液相検出装置および顕微鏡をベースとした検出システムには、それぞれ、散乱光信号を検出するための光電子増倍管およびＣＣＤ単チップ・カラー・ビデオ・カメラが使用されていた。
【０４５７】
図３１は、説明例として、直径が異なるほぼ球状の金粒子の集合体に対する散乱光強度対粒子濃度特性を示す図である。粒子濃度の関数として粒子散乱光の光散乱強度を測定することによって、銀粒子、セレニウム粒子および他の金属状粒子に対する同様のグラフも得られる。照明光の波長を、異なる粒子に対する散乱の最大波長に合わせて調製した。図３１の集約的なデータは、検出の感度、ならびに検出および測定に対する使用濃度範囲が、金粒子の直径の関数として変化することを示している。本発明の任意の具体的な実施形態について得られた散乱光強度対粒子濃度のプロットを利用することによって、当業者は、任意の所定の分析用途にどの粒子タイプが最も適しているかを判断することが可能になる。分析性能を最大に高めるために、（１）検出の許容ダイナミックレンジ；（２）試料中の想定される検体濃度の下端における十分な検出感度；および（３）十分な検出分解能（例えば、一定の範囲の粒子濃度に対する個別的な検出可能強度値の数）に基づいて、最良の光散乱粒子タイプが選択される。図３１を例として用いると、検出される最小および最大光散乱粒子濃度が、それぞれ約５×１０−１３Ｍおよび１×１０−１１Ｍである検体検出用途に対しては直径５２ｎｍの金粒子が最も好適に使用される。最小および最大検出濃度が、それぞれ約１×１０−１５Ｍおよび５×１０−１１Ｍである検体の検出に対しては８７ｎｍの粒子が最も好適に使用される。任意の粒子に対する絶対検出感度は、粒子の固有の光散乱能、ならびに照明および検出方法に基づく。絶対検出の上限および下限は、照明源および光学要素（例えば波長、出力、光線サイズ、光路長など）、ならびに集光光学要素および使用される光検出器を変えることによって上下させることが可能であるということを平均的な当業者は理解している。ここに開示されているように、銀粒子は、同程度の直径を有する金粒子より散乱能が強い。金属状粒子が好ましく、なかでも銀および金粒子が最も好ましい。任意の所定の粒子タイプからの光散乱信号の生成は、散乱に向けたその最大波長付近の波長で粒子を照明することによって最適化される。しかしながら、我々が調査した多くの粒子タイプの光散乱能は強く、多くの場合において、最大散乱レベルの波長に近い、またはほぼ等しい波長でない照明波長を使用することによって十分な光散乱信号を得ることができる。例えば、照明波長が約６３０ｎｍの３ミリワット・レーザ光ペンを利用し、かつ光検出器として裸眼を用いて、ほぼ球状の６０ｎｍの金粒子の光散乱レベルを極めて低濃度（１０−１４Ｍまで）検出することができた。このシステムでは、試料容器として透明なマイクロタイター・ウェルを使用した。ウェルの側面の表面に対してほぼ垂直な角度でレーザ・ペンを用いてウェルを照明した。我々の観察角度をウェルの下方または上方、あるいは照明光線に対して約９０°に定めることによって、粒子の散乱光を裸眼で検出することが可能であった。
【０４５８】
固相をベースとした分析では、（１）検出および測定時に粒子を固相に関連づけること、および（２）さらなるファクターを適用することを除いては、液相について説明したのと同じようにして、最良の粒子タイプの選択および最適化を行う。図３２は、散乱光強度と、直径６０ｎｍの金粒子の粒子濃度の関数との関係の図解例を示す図である。固相に関連づけられた光散乱粒子の検出および測定については、粒子密度（粒子の個数／表面積（平方ミクロン））で粒子濃度を表すことにする。固相分析および検出に適用する場合に最良の粒子タイプを選択する上でのさらなる条件は、粒径である。例えば、アレイ・チップ等は、わずか１０平方ミクロン程度の個別的な結合サイトを含むことができる。したがって、利用可能な結合表面領域の飽和に際してどの程度の数の粒子が表面に結合しうるかは、光散乱粒子の相対的な物理的サイズに限定される。装置に対して、検出の感度、および異なる粒子タイプの検出のダイナミックレンジに関する念入りな調査を実施して、必要な検出感度、および検出される粒子濃度のレンジに対する最良の様式の粒子タイプを判断する必要がある。例えば、より散乱能の小さいより小さな粒子を選択すると、単位結合表面当たりに結合する粒子の数を増やすことができる。しかしながら、結合密度が低いと、信号が弱くなって検出できなくなるおそれがある。他方で、粒径が大きく光散乱能がはるかに大きい粒子タイプは、低い結合密度で検出が可能であるが、結合サイトがはるかに小数の粒子で飽和し、かつ／または全体密度が検出装置に対して飽和する可能性があるため、ダイナミックレンジが限定されうる。したがって、当業者は、所定の分析用途において最大の分析性能を引き出す最良の光散乱粒子タイプを選択することができる。
【０４５９】
検出光散乱強度と、検出システムの照明および検出制約条件内の任意の光散乱粒子に対する粒子濃度の関数との関係は、測定された光散乱強度から試料の粒子濃度を求めることを可能にするアルゴリズムを導くための基礎を提供する。
【０４６０】
当業者であれば、以下のように、最良の粒子タイプを決定し、測定された光散乱強度または任意の他の推定可能または測定可能な光散乱信号を試料中の粒子の濃度に関連づけるための粒子タイプ特異的なアルゴリズムを開発する。既存の装置、ブレッドボードまたは原型光学縦列（例えば照明源、試料ホルダー、光検出器および光学素子）および試料容器またはデバイスを使用して光散乱信号と粒子濃度の関係を求める。次いで、評価される異なる粒子タイプの各々に対するこれらの標準曲線プロットを用いて、検出される検体に対する最良の性能パラメータ（ダイナミックレンジ、分解能、最小検出感度など）を有する粒子タイプを決定する。次いで、測定された光散乱強度または他の光散乱信号と粒子の粒子濃度との数学的関係を、測定された光散乱信号から試料中の粒子の濃度または量を求めることを可能にするアルゴリズムの基礎とする。関連するアルゴリズムにおいて、検出される粒子の量を試料中の検体の量に関連づける。したがって、当業者は、本発明のほぼあらゆる形態について、最良の粒子タイプを選択し、測定された光散乱信号を検出される粒子の量に関連づける具体的な粒子タイプ／試料容器／検出装置のアルゴリズムを導くことができる。
【０４６１】
単一および多粒子構造体の検出および測定
単一粒子またはその多粒子−粒子凝集体の検出および測定方法を利用する用途については、２つの一般的な試料分析手法：（１）試料を照明源または検出器から流動させる手法；または（２）（固相に関連づけられる、または液相の）視野における粒子を画像光検出器で検出する手法が存在する。
【０４６２】
流動をベースとした方法の例としては、キャピラリー、マイクロチャネル、または内部が当該構造体から構成されるデバイスの使用が挙げられる。さらなる例としては、市販の分光光度計に使用されるような光学顕微鏡分析用流動セル、およびフロー・サイトメトリーが挙げられる。
【０４６３】
検出システムを通る試料の流動とは対照的に、視野分析の方法によって試料のすべてまたは一部の検出および測定を行うことができる。視野分析の方法では、視野の特定の表面積および／または深さを画像化することによって固相または液体の薄膜の検出および分析を行う。顕微鏡法は、一般的な視野分析の一例である。具体的な用途としては、ドット・ボルト、マイクロアレイ、生物細胞、組織などの検出および測定が挙げられる。
【０４６４】
流動をベースとした光散乱粒子の検出および測定
流動をベースとしたシステムに対する応用としては、本発明の１つまたは複数の態様を利用した様々な方法によって光散乱粒子からの光散乱信号の検出および測定を行うことができる。それらの方法は２つのクラス：（１）単一粒子および多粒子−粒子凝集体を検出する方法；および（２）１つまたは複数の粒子を、例えばビーズ、生物細胞または他の粒状物のような可動固相に付着させる方法に大別することが可能である。
【０４６５】
流動をベースとしたシステムにおける単一粒子および粒子凝集体の検出および測定方法には、照明光線および検出器の好ましい配列がある。これらの好ましい配列は、一部に、分析される試料の性質に依存する。１つまたは複数の光検出器を使用して、光散乱粒子の光散乱信号の検出および測定を行うことができる。いくつかの実施形態において、散乱光の前方方向の放絡線の外側に検出器を配置することができる。他の実施形態において、試料中の他の物質からの背景光散乱信号が比較的弱い場合は、散乱光の前方方向の放絡線の内側に検出器を配置することができる。照明光線を高度に平行化する必要があり、多色または単色とすることができる。光散乱粒子からの光散乱信号の１つまたは複数の成分を１つまたは複数の光検出器によって検出することができる。検出された散乱光の偏光度、散乱光の強度、および散乱光のカラー・スペクトルを検出、測定することができる。
【０４６６】
説明例として、試料に対する分析を行って、標的の核酸の存在を検出する。標的鎖の異なる領域に結合する特異的な配列を有する２つ以上のプローブ核酸群を使用する溶液ベースのサンドウィッチ分析形式が用いられる。何らかの形態のプローブは、それぞれ光散乱粒子が付着している。プローブを試料と混合して保温し、次いで試料の一部またはすべてを流動システムに配置して分析を行う。単一および多粒子−粒子凝集体が同時に検出ゾーンを流動するように、流動セルの属性および流動セルの変遷を調整する。検出システムを較正し、１つの粒子からの信号を２つ以上の粒子からの信号から区別できるように設定する。標的の核酸が存在する場合は、多粒子構造体の粒子を２つ以上有するある程度の割合の粒子が試料中に存在することになる。多粒子凝集体の量および／またはタイプを検出および測定することによって試料中の標的核酸の量を求める。免疫をベースとした凝集分析は当該技術分野においてよく知られており、これらを本発明に用いて検体を検出することもできる。この方法では、多粒子構造体が形成されるように、検体に結合しうる１つまたは複数のタイプの抗体または抗原に光散乱粒子を付着させる。形成された多粒子凝集体の検出および測定を行う。
【０４６７】
流動システムの手法を用いたこの方法の他の変形形態では、光散乱粒子を生物細胞、ビーズ、または試料中の他の基質に付着させる。説明例として、生物細胞のタイプ分け、ならびに表面受容体および他の細胞成分のレベルの測定は、当該技術分野において大きな関心がもたれている。本発明の１つの方法では、粒子結合剤試薬が細胞の成分に対して特異的な作用を示す光散乱粒子試薬を使用することによって、生物細胞の識別および計数、および／または細胞の細胞成分の量の測定を行う。
【０４６８】
先述の細胞特性を十分に検出、測定するための要件は、細胞の光散乱信号から細胞に付着する光散乱粒子の光散乱信号を検出、分解する能力である。光散乱能の強い光散乱粒子が最も好ましい。１つまたは複数の検出器を使用することができる。最良の性能に向けて、検出器の配置、および使用する光散乱粒子のタイプを最適化する。
【０４６９】
例えば、該方法の一実施形態において、異なる位置に配置された２つの光検出器を備えた単一の光線照明源を使用して、試料の光散乱信号の検出および測定を行うことができる。一方の検出器は、細胞の光散乱信号を検出するのに使用され、一般には散乱光の前方方向の放絡線の内側に配置される。他方の検出器は、光散乱粒子の光散乱信号を検出するのに使用され、一般に散乱光の前方方向の放絡線の外側に配置される。この方法のベースは、直径約１２０ｎｍ未満の金属状粒子の多くは、ほぼ同じ割合ですべての方向に散乱光を放射するという我々の知見である。例えば生物細胞およびミクロン・サイズ以上のビーズのようなより大きな粒状物は、大半の散乱光を前方方向に放射する。検出器の正確な配置は変化し、使用される光散乱粒子のタイプ、照明および検出光学素子、および試料の性質に依存する。具体的用途に合わせて方法を最適化するために、ビーズまたは細胞を含む試料を試料容器に仕込み、試料を照明しながら様々な位置に第１の検出器を移動して、検出された光散乱信号の値を記録する。次いで、光散乱粒子を備えた流動セルおよび第２の光検出器を用いてこの手順を繰り返す。
【０４７０】
様々な位置において、２つの検出器により細胞特有の散乱光および光散乱粒子特有の散乱光を分析して、光検出器に対する最良の配置位置を決定する。ビーズまたは細胞特有の散乱光の検出に使用される光検出器は、光散乱粒子からの散乱光が最小限に抑えられ、ビーズまたは細胞からの光散乱信号が十分に検出されうる位置に配置される。粒子の散乱光の検出に使用される光検出器は、粒子の特異的散乱光がビーズまたは細胞からの散乱光に対して十分に検出されうる位置に配置される。光および／または光学フィルターの２つ以上の波長を用いて、２つのタイプの光散乱信号をさらに分解することができる。異なる粒子の光散乱信号を何らかの形態で分解できるように、２つの異なる粒子タイプを使用することによって、２つ以上のタイプの光散乱粒子を検出することができる。
【０４７１】
適切なアルゴリズムを用いて、２つの検出器からの検出光散乱信号に基づいて、ビーズまたは細胞、およびビーズまたは細胞当たりの粒子の量を測定する。例えば、１つのアルゴリズムにおいて、検出されるオブジェクト毎に、各々の検出器によって検出された光の量を測定する。各々の検出器によって検出された強度に従って、（１）粒子がビーズまたは細胞に付着されていない；（２）相対的な量の光散乱粒子がビーズまたは細胞に付着されている；または（３）異なる数の粒子がビーズまたは細胞に付着されているものと判断する。次いで、ビーズまたは細胞に付着された粒子の存在、不在または量に基づいて各ビーズまたは細胞を識別することができる。細胞特有の散乱光を測定する検出器を使用して、ビーズまたは細胞の数をカウントする。当業者にとって明らかなように、細胞の分析に利用可能な測定およびアルゴリズムには他の多くの変形形態がある。
【０４７２】
単一光散乱粒子および多粒子構造体の識別および測定
本発明の多くの形態において、単一粒子および多粒子構造体の観察および検出を行うことが可能である。我々は、観察および検出された１つまたは複数の光散乱特性によって、粒子タイプおよび多粒子構造体の性質を識別できることを確認した。次いで、これらの特性を利用して、試料中の検体の存在および量の検出および測定を行う。検体検出に応用される現在利用可能な標識および検出技術はそのような機能を有していないという点において、本発明のこの態様は非常に有用である。例えば、蛍光標識および蛍光検出法は、一般には、当該技術分野で現在利用可能な最も高感度な直接標識および検出システムの１つと見なされている。しかしながら、生物試料または他の試料中の単一蛍光分子および単一分子結合事象を安価で堅牢で使い易い顕微鏡ベースのシステムを用いて視覚化することは実現されていない。数千の蛍光分子を含有する粒径数百ナノメートルの蛍光粒子またはビーズを当該システムで検出することが可能であるが、多くの用途においてこれらの粒子の粒径が大きいことや凝集しやすいことがその有用性を制限してきた。したがって、本発明は、単一分子結合事象、単一検体物質、およびその試料内の位置の検出および測定を行う新しい手段を提供する。検体の識別および位置特定を行う能力は、特に、細胞、分子、成長および神経生物学の分野、ならびに新しい薬物ターゲットおよび薬剤の識別および開発における関連用途において非常に重要である。
【０４７３】
光散乱粒子およびその多粒子構造体の識別および定量化は、一般に、（１）好適な集光光学素子を介して観察することにより直接視覚化すること、または（２）画像光検出器ならびに画像解析ハードウェアおよびソフトウェアを使用して画像を収集し、情報をデジタル化し、収集した光学情報を解析することによって達成しうる。検出器の要件は、それぞれの光学特性に基づいて視野の中のオブジェクトを空間的に分解する能力を有することのみである。直接的な視覚化については、人間の肉眼が、高度な空間分解機能を有する光検出器の例である。画像光検出器の例としては、電荷結合素子（ＣＣＤ）および電荷注入デバイス（ＣＩＤ）が挙げられる。使用される光検出器の機能に応じて、様々な解像度のモノクロまたはカラー画像を得ることができる。
【０４７４】
試料中の光散乱粒子の検出、測定および識別は、（１）粒子の特異的光散乱特性；（２）照明および検出方法；（３）光検出器、デジタル化および画像処理ハードウェアおよびソフトウェアの機能；ならびに（４）検出された光信号に基づいて光散乱粒子の識別および測定を行うのに使用されるアルゴリズムによって定まる。
【０４７５】
適切な空間フィルタリングによって、迷光照明および反射光を最小限に抑えるように、ＤＬＡＳＬＰＤ照明および検出法の１つまたは複数の変形形態を使用するのが好ましい。集光光学素子および光検出器は、一般には、検出される試料に垂直に配置される。画像を収集する場合に検出される光散乱粒子を十分に空間および／または色分解する画像光検出器を使用する。直接的な視覚化によって、かつ／または適切なデジタル化ならびに画像処理ハードウェアおよびソフトウェアを利用することによって、１つまたは複数の変形形態で、粒子の識別、局在化、分類および定量を行う。例えば、ある用途では、８ビットの光学デジタイザを備えた単色ＣＣＤチップで十分であるのに対して、他の用途では８ビット以上の光学デジタイザを備えた３チップ・カラーＣＣＤ光検出カメラが必要になる。コンピュータまたは他のマイクロプロセッサを使用したコントローラを用いてシステムを動作させる。収集されたデジタル化データを解析するのに使用されるソフトウェアは、光散乱粒子の１つまたは複数の測定可能な特性に基づき、試料中の粒子タイプおよび量の識別および定量を何らかの形態で行うアルゴリズムに基づく。光散乱粒子の画像解析に必要な基本的な特徴を含む装置の図が図３３に示されている。
【０４７６】
ここに説明する装置の変形形態は説明例で、当業者は、本発明では他の多くの構成が可能であることを認識している。任意の所定の用途では、用途の性質に応じて、ここに記載の基本的なシステムを多くの異なる形態の商業グレードの装置に組み込むことが可能である。この説明例では、研究分野で望まれるように、オペレータ・フレキシビリティを最大に高めるように装置が設計される。例えば、顕微鏡スライドまたはたいていの他の試料デバイスを受け入れる、研究者による使用に合わせた手動システムを作製することができる。照明光の角度、波長、偏光度およびビーム直径、集光光学素子の拡大および集束、光検出器のバイアス、ならびに検出器に対する試料の移動量の如き多くのシステム・パラメータをオペレータが実施することができる。光源および光導体を使用して照明光を試料に誘導する。ステージ、またはオペレータが二次元または三次元方向に試料を移動することを可能にする他のコンポーネントに試料を配置する。粒子を試料内で最大限に検出、分解できるように、所定位置の所望の集光光学素子を用いて光照明位置を調節する。試料からの放射光をレンズまたは集光レンズ群によって集光し、画像光検出器の面に映す。光検出器はモノクロであってもカラーであってもよい。カラーの場合は、収集画像の色分解能を最適化したい場合に３チップ・カメラ・デバイスを使用できる。光検出器をデジタイザおよび画像プロセッサに接続し、次にそれをコンピュータまたはその一部に取りつける。光散乱粒子の識別、分類および定量に向けた画像処理ソフトウェアおよびアルゴリズムを使用して、画像光検出器によって検出された光学情報を収集、格納および解析する。
【０４７７】
画像処理手段による粒子タイプおよびその数の解析、測定および定量は、それらの１つまたは複数の光散乱特性によって粒子を識別する具体的なアルゴリズムに依存する。概して、画像データの解析において、３つの操作：（１）粒子の識別；（２）各粒子の１つまたは複数の光散乱特性の測定；および粒子の分類および定量を実施する必要がある。
【０４７８】
光散乱粒子は、それらを識別するのに使用できる特定の光散乱信号を放出する。例えば、単一粒子および多粒子構造体からの放射光の強度およびカラー・スペクトルを画像光検出器により容易に検出、測定することができる。加えて、画像化された粒子は、粒子タイプを識別し、さらに特徴づけるのに使用可能な粒径および形状特性をも有する。画像解析方法による粒子の識別および分類は、１つまたは複数の検出粒子特性によって背景からの粒子および他の粒子タイプを分解する能力に依存する。背景は、光検出器によって記録される粒径、強度および色が変化する他の光散乱粒状物から構成されうる。画像解析法による光散乱粒子の識別および空間的位置づけには、何らかの形態のエッジ検出が広く用いられる。エッジ検出法を用いて、検出された光信号の強度が異なる画像内の領域の境界を表示する。光検出器は、それぞれ所定の位置で試料から放射する光の量を感知できる単一画素から構成される。エッジ検出法は、特定の強度の関連画素をまとめて、識別オブジェクト、この場合は光散乱粒子または多粒子構造体として、それらを何らかの形態で標示する。強度を区別する基準は、解析される画像の性質に応じて異なりうる。我々は、モノクロおよびカラー画像の両方に対して、エッジ検出法の多くの変形形態を用いて光散乱粒子タイプを識別、局部化できることを確認した。当該技術分野で知られたすべてのエッジ検出法、画像処理法および画像解析処理法を参照により本明細書に組み込む。エッジ検出法を実施する最終結果として、画像の特定領域が光散乱粒子として識別された。
【０４７９】
画像解析法による試料中の光散乱粒子の精度および分解適性は、用いられる選択基準および光検出器の分解機能に依存する。例えば、モノクロ光検出器および８ビット・デジタイザで収集された画像では、光検出器の各画素位置における検出強度信号に関連づけることができる２５６のグレー・レベルが存在する。単一または多チップ・カラー光検出器を使用して、検出された放射光のレッド、グリーンおよびブルー波長（すなわちＲＧＢ成分）を測定することが可能である。当業者は、より高解像度の光検出器およびより高解像度の光学デジタイザを使用して、収集画像の解像度を高めることができる。様々な分析および検体検出用途において調査し、使用した好ましい光散乱粒子のほとんどは、ほぼ球形の所定のカラー・スペクトルの明るい点源光源として現れる。画像化された光散乱粒子の１つまたは複数の特性を測定することによって、肉眼または脳により、様々な粒子を容易に検出、識別することができる。これらの肉眼による直接的な測定の精度および正確さは、観察者の能力に応じて異なる。画像処理手段よって光検出画像上で当該分析を実施するために、何らかの形態でエッジ検出法を実施するソフトウェア・アルゴリズムを使用して画像の評価を行う。光散乱粒子、照明源、光検出および試料の光背景条件の任意の所定の組合せについては、エッジ検出ルーチン、ならびにその最適な最大および／または最小閾値設定に用いられる識別タイプの好適な選択がある。例えば、いくつかの用途では、モノクロ光検出器を使用して、画像データを収集する。グレー・スケールの下限閾値を５０に設定し、グレー・スケールの上限閾値を２２０に設定して識別を行うことによって、光散乱粒子を試料中で高精度に識別、定量することができる。閾値および識別タイプは、試料毎に異なる。
【０４８０】
マニュアル式の操作では、オペレータは、試料および収集画像を直接視覚化できる。オペレータは、光散乱粒子の識別および定量に関して、収集画像の視覚的解釈に対する最も正確な結果を与えるのはどれかを判断するために、識別方法および限定的な閾値を変える。識別タイプ、および画像を解析するのに用いる限定的閾値を半自動的または全自動的に最適化するには、（１）任意の試料タイプに対してあらかじめ設定すること、または（２）試料の光検出前、その最中またはその後に、較正粒子、または背景条件を反射する他の物質を使用して、識別タイプおよび閾値設定を較正する。識別タイプおよび閾値の設定に基づいて、オブジェクト（この場合は光散乱粒子）を、グループ化され、何らかの形態で光散乱粒子と識別される画素群として識別する。異なる光散乱粒子タイプを識別し、試料中の粒子の正確な識別を最適化するのに使用できる光散乱粒子の測定可能な特性を用いることが可能である。
【０４８１】
光散乱粒子が識別されると、様々な手段によって粒子をさらに分解、分類、定量することができる。我々は、多くの検出可能特性に基づいて、光散乱粒子を正確に分類できることを確認した。これらの特性としては、（１）識別粒子領域におけるすべての画素強度値の合計（グレー・スケール、レッド、グリーンまたはブルー波長あるいはそれらの組合せ）；（２）識別粒子領域における画素強度の中間値または平均値（グレー・スケール、レッド、グリーンまたはブルー波長あるいはそれらの組合せ）；（３）識別された粒子の領域の寸法；（４）識別された粒子の形状；または（５）２つ以上のこれら検出および測定可能特性の組合せが挙げられる。
【０４８２】
試料中の各タイプの光散乱粒子の定量は重要な結果であり、様々な手段で達成することが可能である。例えば、試料の任意の所定の領域における検出粒子の数をカウントする。他の変形形態では、所定の粒子タイプとして識別された粒子について、上述の測定可能な光散乱粒子特性のいずれかの合計または合計の比率を用いて、試料中の各粒子を定量する。
【０４８３】
ある用途では、１つの粒子タイプのみの検出および測定が求められるのに対して、他の用途では、多粒子構造体を含む２つ以上の粒子タイプの検出および測定が求められる。例えば、マイクロアレイをベースとした分析法では、同じ粒子タイプを使用して、アレイの個別的な結合ゾーンにおける結合量を求めることができる。生物細胞ベースの分析の如き他の用途では、２つ以上のタイプの光散乱粒子を使用して、異なる細胞成分の識別および定量を行うことができる。本発明の他の用途では、多粒子構造体の存在および量の検出および測定を行う。さらに他の用途では、粒径および多粒子構造体の分布を測定する。
【０４８４】
説明例として、細胞生物学への応用において、細胞は散乱性の強いオブジェクトで、様々な形状、粒径および色の粒子として現れることができる細胞内成分を含む。当業者は、細胞から分解できる、１つまたは複数の検出および測定可能特性を有する光散乱粒子タイプを使用する。例えば、放射光の色が、細胞から放射する散乱光と異なる粒子を、カラー光検出器ならびに適切な識別方法および限定的閾値とともに用いて、光散乱粒子を特異的に検出、測定、定量することができる。
【０４８５】
要約すると、画像解析手段によって光散乱粒子を検出、測定、定量する本発明の各用途について、粒子検出および測定アルゴリズムを最適化する。当業者は、検出された光散乱粒子の特性のなかで、試料中の粒子を分解するのに最も好適に使用できる特性を判断する。粒子の識別は、粒子を特異的に識別する能力を提供する識別粒子の測定可能な特性のいずれかに基づく。異なる粒子タイプの検出基準についての下限値および上限値をアルゴリズムに設定して、さらに粒子を分解し、正しく識別、測定する。下限値は、特異的光散乱粒子と見なされるものに対する限界を設定するのに用いられ、上限値は、埃、塵または他の粒状物の如き他の粒状物が特異的光散乱粒子として識別され、カウントされるのを防ぐための上限値を提供するのに用いられる。
【０４８６】
分析診断測定への例示的な応用−装置タイプおよび試験キット
広範囲な検体タイプが存在することは当該技術分野においてよく知られている。これらの検体は、水、尿、血液、痰、組織、土、空気などの様々な試料環境に存在する。特定のタイプの検体分析の要件に応じて、対象となる検体に関する準定量または定量情報、あるいはその両方を得ることが望まれる場合がある。小さく、安価で、携帯性に優れた計測器を用いて分析を行うことが望ましい条件が存在する。例えば、消費者用途、野外用途（実験室外での使用）、または病院のベッドサイドなどが挙げられる。問題の検体に対する準定量および／または定量測定を迅速に行えることが望まれる。他の用途では、１日当たり数個の試料を試験し、定量結果を得ることができる小規模な実験室での検体検出のための小さく、安価な計測器を有することが望まれる。例えば、医院、クリニック、衛星試験室、研究室などが挙げられる。高スループット試験の如き、１日当たり数百から数千の試料を試験することが望まれる条件も存在する。したがって、上記試験条件および環境は、それぞれ異なるタイプの装置手段を必要とする。試料中の検体に対する試験の厳密な要件が十分に定められると、当該装置の使いやすさとコストに関する長所および短所を詳細に判断すればよいだけである。
【０４８７】
我々は、特定の金属状粒子をＤＬＡＳＬＰＤ検出法の特定の変形形態に使用すると、上述の試験環境および用途に対する特定の試験キットおよび装置の開発が可能になることを確認した。検体と、試験環境と、試料タイプと、分析形式と、検体検出要件と、装置のコストおよびサイズ要件とについて、多様な組合せが可能である。何らかの形態で本発明を実践すると、使い易く安価な装置および試験キットでたいていの分析または診断試験要件が満たされるという点において、現行の発明が際だった有用性を有することを当業者なら認識するであろう。
【０４８８】
ともに使用して特定の検体検出機能を実現するＤＬＡＳＬＰＤ法、粒子タイプおよび試料タイプの多くの異なる構成および組合せが存在する。任意の具体的な診断測定用途において、例えば分析形式、試料槽タイプおよび検出装置のように、試料タイプ、ならびに照明および検出法は通常固定される。金属状粒子は、粒子の粒径、形状、組成および均質性によって変わる独自の散乱光特性を有する。粒子から検出かつ／または測定することができる具体的な光散乱特性は、先述した粒子特性、ならびに散乱光特性の検出および測定を行うのに使用される方法および装置によって設定される。したがって、何らかの形態での現行の発明の究極的な利用および実行は、照明および検出手段ならびに試料タイプのそれぞれの態様と、適切なタイプの光散乱粒子とを組み合わせることによって達成される。これにより、具体的な装置および試験キットが得られる。
【０４８９】
当業者は、様々な粒子タイプ、分析形式、および多くの異なる構成の装置を使用することによって本発明の多くの異なる態様を実行して、多くの異なる診断分析検出機能を達成することができる。図２２は、特定の組合せで構成すると、特定の診断分析試験要件を満たす装置および試験キットをもたらす本発明の様々な態様を示す図である。得られる装置および試験キットは、手法／装置型構成（図２３）および粒子型構成（図２４）の適切なコンポーネントを選択することによって作製することが可能である。図２３は、当業者が、照明源、方法および他の装置コンポーネント、分析および試料タイプ、ならびに検出方法および装置コンポーネントを選択することを示す図である。図２４は、当業者が、粒子の所望の光散乱特性を検出するために、適切な粒子組成、形状、粒径および均質性を選択することを示す図である。図２３および２４に示され、図２２のダイアグラムに要約されているこれらのプロセスによって特定の装置および試験キットが得られる。図２５のダイアグラムは、特定の診断試験要件に対応する特定の装置および試験キットを開発するのに使用した一般的な方法の１つを示す。当業者は、本発明を何らかの形態で実施するのに、図２５の方法を実行する必要はない。
【０４９０】
金属状粒子と、本明細書に記載されるＤＬＡＳＬＰＤ照明および検出法とを組み合わせることの顕著な信号生成および検出機能によって、広範囲な検体検出感度がもたらされる。一般的なタイプの試験環境および手短に説明した図２２から図２５に関して、当業者は、ある診断試験用途では、検出および測定に単に裸眼を使用し、他の場合は、ＬＥＤ（発光ダイオード）または低電力フィラメント電球の如き単純な光源を使用し、フォトダイオードまたはフォトダイオード・アレイを使用して信号の検出および／または測定を行うことができる装置および試験キットを容易に開発することができる。他の分析試験用途では、レーザ、レーザ・ダイオード、フィラメント電球などをカメラ、ビデオ・カメラまたはＣＣＤカメラ（電荷結合素子）とともに使用でき、また単純な画像処理手段を用いて、マイクロアレイ形式または他の任意の形式の粒子からの散乱光の検出および測定を行うことができる。これらの例は本発明を限定するものではなく、試料中の１つまたは複数の対象検体を検出する本発明の多用性および幅広い有用性を広く示すものである。
【０４９１】
例えば、低電力フィラメント電球、ＬＥＤまたはレーザ・ダイオードを電源として使用することによって、試料中の１つまたは複数の検体を測定することができる小型の携帯用ハンド・ヘルド装置を構築することができる。フォトダイオードまたはフォトダイオード・アレイは検出器として使用される。必要とされる検出の感度に応じて、特定のタイプの金属状粒子をこの装置とともに使用して、検体検出要件を満たすことが可能である。試験キットは、液体または固相試料における多検体または単一検体検出に応じて構成される。例えば、液体試料に対しては、それぞれが容易に検出可能な異なる散乱光特性を有する、異なる粒子タイプが使用される。固相試料、およびマイクロアレイの如き固相形式では、異なるすべての検体に対して１つの粒子タイプを使用し、または（試料中の異なる検体の濃度に応じて）様々な粒子タイプの組合せを使用することが可能である。
【０４９２】
他の例では、低検体濃度まで測定することが可能である安価な装置および試験キットを以下のようにして構築することができる。低または光電力光源を光電増倍管、フォトダイオード・アレイまたはビデオ・カメラとともに使用する。レンズを使用して、粒子を含む表面から散乱光を集光する。マイクロプロセッサまたは外置デスクトップ・コンピュータを使用して散乱光データの収集および解析を行う。適切な粒子タイプを適切なマイクロアレイ試料槽とともに使用して、必要に応じた濃度範囲および検出限度を達成することによって、多検体固相分析のための試験キットを作製する。このタイプの装置および試験キットは、研究室、医院、衛星クリニック、環境試験室および高スループット試験室で有用に使用されうる。
【０４９３】
上記の装置および試験キットの例は、説明例として示したもので、本発明の唯一の試験キットと解釈されるべきではない。当業者であれば本発明の幅広い有用性を認識するであろう。当業者であれば、特定の検体検出要件を満たす本発明の１つまたは複数の態様を実行することによって、広範囲な装置および試験キットを作製できることを認識するであろう。
【０４９４】
検体の検出における磁気および電気泳動活性光散乱粒子の使用
分析測定および検体検出の分野における現行の問題は、反応動力学の問題である。本発明の特定の実施形態において、磁気または電気泳動特性を有する光散乱特性を使用して、標的検体に対する粒子結合剤試薬の結合反応の速度を高めることができる。磁気とは、磁場を加えることにより、光散乱粒子を移動させ、試料容器の領域に集中させることができることを意味する。電気泳動とは、電場を加えることによって、光散乱粒子を移動させ、試料容器の領域に集中させることができることを意味する。
【０４９５】
本発明の一実施形態において、磁気特性を有する光散乱粒子を使用して、標的検体に結合しうる光散乱粒子結合剤試薬を作ることができる。磁気粒子試薬を試料に加える。磁気粒子試薬を試料容器内の１つまたは複数のサイトに誘導するように、試料に磁場を加える。試料容器の１つまたは複数の領域は、検体を結合させ、さらに固相結合剤によって不動化された検体に粒子結合剤を結合させることができる結合剤を付着させて含有する。例えば、磁気粒子結合剤試薬が試料デバイスまたは容器の結合サイト領域に集中するように、磁場を配向させることによって、固相の１つまたは複数の領域に高密度の磁気粒子結合剤試薬を加えることができる。十分な時間反応させた後、磁場を変化させて、未結合の磁気粒子試薬を除去することができる。固相上の結合サイトに付着した磁気粒子から検出される散乱光の量によって存在する検体の量が測定される。同様にして、電気泳動光散乱粒子結合剤試薬および適切な電場の印加を用いて、電気泳動粒子結合剤試薬を対象領域に集中させることができる。未結合の電気泳動粒子結合剤を結合サイトから除去し、そのサイトへの結合電気泳動粒子結合剤からの散乱光を検出した後に、存在する検体の量を測定する。他の実施形態では、光散乱信号を結合サイトで測定し、あるいは検出に有利なように、結合サイトから放出して、それぞれ様々な面積または体積の固相または懸濁液状で測定することができる。本発明の方法は、分析を行うのに必要な時間の実質的な改善を可能にすることを当業者は認識する。
【０４９６】
検体と特異的検体識別試薬の相互作用による２つ以上の粒子の会合または凝集を伴う分析
適切な結合剤ならびに適切な濃度の結合剤および検体を用いることによって、凝着、凝集、架橋、網状結合、および同様の結合事象が起こりうること、またこれらの事象を利用して試料中の１つまたは複数の検体を検出できることが当該技術分野において知られている。いくつかの免疫測定では、抗原が可溶性を有し多価の物質であれば、目に見える沈殿物が形成される。いくつかの核酸測定では、１つの特異的な一本鎖プローブで２つ以上の一本鎖標的を「架橋」し、ネットワークを広げることができる。あるいは、２つ以上の特異的一本鎖核酸プローブを使用して、同じ標的一本鎖核酸上の異なるサイトに結合させることができる。この手法では、２つ以上の標的の架橋を達成することができ、あるいは単に２つの特異的なプローブ配列を同じ標的に結合させることで検出を可能にする。
【０４９７】
本発明は、従来可能であったものに比べて、より使い易く、より高感度で、より融通性に優れた検体検出を可能にする。特定の分析形式において、本発明の超顕微鏡的粒子は、検体が結合していない粒子を分離することを必要とせずに、顕微鏡で、または巨視的な観察もしくは測定を通じて、目視または計器によって検出できる様々なタイプの凝集体を形成することが可能である。形成される凝集体のタイプは、架橋剤のサイズおよびその価に依存するとともに、粒子に付着する結合剤のタイプに依存する。凝集体は２つの粒子よりなるものから多数の粒子よりなるものまで存在しうる。
【０４９８】
均質な液相凝集検出分析に使用される粒子に直接または間接的に標示を行うことができる。直接標示分析では検体に直接結合できる薬剤を信号生成粒子に付着させる。例えば、直接標示核酸検体分析では、ＤＮＡプローブを光散乱粒子に付着させる。間接的な分析では、検体検出剤を化学グループＡで標示し、粒子に、グループＡを認識できる薬剤を標識付けするかコートする。直接または間接標示を用いて、検体識別結合剤と検体（および間接標示の場合はグループＡ）の相互作用により粒子が凝集するように分析の形式を設定することができる。凝集体は２つ以上の粒子から構成されうる。
【０４９９】
我々は、分析における凝集または架橋剤のサイズが小さいため凝集体の粒子同士が非常に密接している場合は、２つまたはせいぜい数個の粒子を含む凝集体は、顕微鏡で単一粒子（超顕微鏡的凝集体）に見えることを確認した。しかしながら、この超顕微鏡的凝集体は、粒子間の摂動により、非凝集粒子とは異なる光散乱特性を示す。粒子の組成、粒径および形状に応じて、色、ＲＩＦＳＬＩＷ強度、および散乱光の偏光度が変化することを確認した。これらの変化を利用して、検体が結合していない粒子を分離することを必要とせずに、検体の量を測定することができる。顕微鏡では、その変化を利用して、超顕微鏡的凝集体を非凝集粒子から、どちらも単一の粒子のように見えるとしても区別できる。凝集体の粒子間の距離が顕微鏡の解像度を上回る長ＤＮＡ鎖の如き、凝集または架橋剤のサイズが大きければ、凝集体の粒子を個別的に観察し、それらが滞留するか、またはともに移動するかによって非凝集粒子から区別することができる。これらの顕微鏡的凝集体は、凝集体にわずか２つの粒子しか存在しない場合にも顕微鏡で容易に観察することができる。距離が十分に大きいために粒子間の摂動が小さくなる場合は、凝集体の粒子は本来の光散乱特性を保持することになる。上述した２つの一般的な事例の間にある粒子間距離も存在する。超顕微鏡的凝集体の粒子は、おそらく粒子間摂動が生じるほど密接していないため、それぞれの光散乱特性を不安定にすることはないことを確認した。しかしながら、凝集体の強度は非凝集粒子の強度のｎ倍（ただし、ｎは凝集体の粒子の数）で、かつ／または粒子は互いに相対的な位置に「固定」されるため、凝集体を非凝集粒子から区別することが可能である。
【０５００】
上述の説明から、検体の存在によって生成される凝集体が、遊離した非凝集粒子と異なる光散乱特性を有する場合は、巨視的な測定または目視観察に基づく液体の相均質分析を容易に実現することができる。凝集体における粒子間摂動が小さいため、凝集粒子および遊離粒子の光散乱特性が類似している場合は、単一粒子および凝集体の光散乱強度の視覚化または測定を可能にする検出方法を用いて、均質分析を行うことが可能である。凝集体の単一粒子を観察できる状況では、凝集体を自由粒子から容易に区別し、目視観察またはコンピュータ化された画像解析によって上述の如く定量することが可能である。凝集体は、単一粒子より強い光強度を有することになるため、フロー・サイトメーターまたは類似の装置もしくはデバイスで凝集体を自由粒子から区別し、定量することも可能である。凝集体の単一粒子を顕微鏡で観察できなかったり、粒子間摂動が存在しない状況では、自由粒子と凝集体とを、それらの強度差、および（強度を付加的なものと想定して）凝集体の散乱光強度から決定される凝集体の粒子の数によって区別することが可能である。これは、画像解析またはフロー赤血球計算法によって行うことが可能で、レーザ走査、または試料の領域または体積を空間的に解析することができる他の方法による画像の形成を含む。
【０５０１】
超顕微鏡的凝集体の粒子の数が増加すると、凝集体における単一の超顕微鏡粒子を顕微鏡で見ることができなくても、凝集体を拡大粒子または大きな粒子として観察することが可能になる。顕微鏡的凝集体の場合は、凝集体の粒子の数の増加によって可視的な網状体が生成され、網状体内の粒子をカウントすることが可能である。大きな網状体および粒子凝集体は、裸眼で観察することができ、沈殿物または凝着物を形成しうる巨視的な物体を生成する。
【０５０２】
先のパラグラフで説明した異なる凝集現象を利用して、ある方法では顕微鏡または他の画像解析技術を採用し、他の方法は巨視的な観察または測定を含む多くの異なるタイプの均質分析法を開発できることを当業者なら認識するであろう。
【０５０３】
どのようにして均質タイプの分析または他のタイプの分析を実施できるかを示す説明例を以下に記載する。
【０５０４】
光散乱粒子を使用する分析形式の例
異なる分析形式における本発明の幅広い多様性および優れた有用性を証明するいくつかの説明例を以下に示す。本発明の多くの変形形態が存在し、従来可能であったものに比べて、試料中の１つまたは複数の検体のより特異的で、より使い易く、より高感度な検出が可能であることを当業者なら理解するであろう。
【０５０５】
ｉ．分子識別をベースとした結合事象による２つ以上の粒子の会合を伴う分析形式。一般原理
一群の実験において、基材分子結合法を用いて、直径４０ｎｍの金粒子の調製物の表面をビオチン化した。遠心分離および洗浄によって精製した後、この物質をガラス・スライドに一滴滴下してカバースリップで覆い、ＤＬＡＳＬＰＤ光照明検出法を用いて、光学顕微鏡で観察した。粒子は均質で、粒子は緑色を呈しながらブラウン運動で非常に高速で動いていた。次いで、オーバースリップを取り外し、ストレプタビジン溶液を一滴スライドに滴下して、再びカバースリップで覆った。一定時間経過後、緑色の粒子より強度がはるかに大きく、運動速度がはるかに遅い黄色−オレンジ色およびオレンジ色、ならびにオレンジ色−白色を有する新たな粒子構造体が溶液中に現れた。これらの新たな粒子構造体の一部は非対称で、溶液中を回転しながら揺れていた。ある程度の時間が経過した後、多くの緑色粒子が消え、黄色−オレンジ色およびオレンジ色の粒子凝集体が多く存在していた。顕微鏡でオーバースリップのエッジを調べたところ、非常に高輝度のオレンジ色、黄色―オレンジ色、および白色−オレンジ色の粒子凝集体の層でコートされていた。単独重合体核酸システムにおいても同様の現象を観察した。これらの観察は、本発明の様々な形態において、粒子散乱光特性の変化を利用して、凝集体の視覚化による分子結合事象、「自由」単一粒子の数の減少、または他の方法を用いたバルク溶液の減少を検出できることを示している。例えば、バルク溶液または流動システムにおける検出については、適切な条件下で溶液の一部を照明し、溶液から発する散乱光の変化を確認することによって、独自の散乱光特性を有する新たな粒子形態の数の増加、および／または本来の光散乱特性を有する粒子の量の減少を検出することができる。あるいは、流動系システムを使用することによって、試料中の物質をより特異的に分析することができる。例えば、試料溶液の一部または全体を粒子毎に分析できるように、マイクロチャネル、キャピラリー、またはフロー赤血球計算装置またはデバイスを使用する。照明源および検出器によって溶液を流動させ、あるいはマイクロチャネルまたは毛細管に溶液を閉じこめ、次いで試料容器、光源または検出器（またはその何らかの組合せ）を試料の長さ方向に沿って移動させることによってマイクロチャネルまたは毛細管の全体または一部を分析する。
【０５０６】
例えば、特定の核酸検体は、約１００の核酸基質よりなり、試料中に存在する。この核酸が一本鎖の形態をとるように試料を調製する。次いで、２つ以上の特異的な一本鎖「プローブ」核酸配列を試料に加え、これらの異なるプローブ核酸は標的鎖の異なる領域に結合する。これらのプローブ核酸のそれぞれも、間接または直接表示手段によって１つまたは複数の粒子に付着していた。低温放置後、試料をフロー赤血球計算装置、または試料を含有する溶液を分析することができる類似のフロー・デバイスに仕込む。標的配列が存在すれば、密に「結合」した２つ以上の粒子が存在することになる。粒子の間隔距離に応じて、粒子間摂動が生じたり、生じなかったりする。プローブ鎖の標的鎖に対するハイブリダイゼーションの結果として２つ以上の粒子を含むこれらの分子構造体を、先述した適切な手段を使用して検出する。
【０５０７】
ｉｉ．分子体の放出を伴う分析
分子的事象、化学的事象または他の事象の結果として検体の存在を検出するのに本発明を用いることができる分析形式用途が存在する。例えば、分子内または分子間結合、連鎖、あるいは他の分子構造を変化させることによって、全体的な分子の幾何学的構造を変化させたり、あるいはプロセスの結果として分子を分解させたりすることができる。例えば、当該技術分野において知られている様々な手段によってペプチド、タンパク質、核酸または薬剤などを試料容器の表面に付着させる。これらの物質のうちのいくつかの物質には、化学的、生物学的、または他のプロセスによって開裂あるいは変化しうる１つまたは複数の分子内連鎖または結合部位が存在する。例えば、その活性の結果として放出される開裂生成物の量を監視することによって特殊な酵素またはリボザイムの存在を検出することができる。開裂プロセスへの影響が最小限に抑えられるように、光散乱粒子を分子基質の領域に直接または間接的に付着させる。溶液中の自由粒子の存在および量、あるいは試料容器に付着した結合粒子または他の粒子の減少を酵素の存在、量および活性に関連づけることが可能である。他の例では、光散乱粒子に抗原物質を塗布し、すべての粒子が多価的に抗体−抗原結合によって結合するように抗体と混合する。この網状または凝着物質を試料容器内に仕込み、あるいは望まれる場合は試料容器に付着させる。（同じ抗体または抗原、あるいは類似構造を有する競合的な抗体または抗原でありうる）検体を収容することができる容器に試料を入れる。試料中に存在する抗原または抗体に特有の検体の存在および量に応じて、一部の抗体および粒子被覆抗原が競合により網状構造から分解することになる。溶液中の粒子の量、および／または凝着網状体内に残留する粒子の量を測定することによって、存在する検体の量を検出することができる。また、この方法の変形例として、粒子に抗体を塗布したり、あるいは例えば核酸、ペプチド、受容体、薬剤、ホルモンなどの他の結合剤を使用したりすることもできる。
【０５０８】
ｉｉｉ．分子結合事象の検出および特徴付け
他の説明例において、結合剤を塗布した粒子のブラウン運動を画像解析形式に利用して、検体の存在および量を検出することが可能である。この方法を用いて、一方が粒子に付着し、他方が溶液中に遊離する結合対における分子結合事象および特性を調べることもできる。当該機能は、抗体、抗原、薬剤、受容体、およびその分子結合特性が重要とされる他の任意の物質の結合特性を特徴づける上で極めて重要である。例えば、４０ｎｍの金粒子調製物を、抗原、薬剤または抗体を表面上に含むように構成する。次いで、これらの粒子結合剤を顕微鏡スライド上に置き、ＤＬＡＳＬＰＤ照明および検出法を用いて顕微鏡で観察する。粒子のブラウン運動特性の測定および定量を行う。次いで、粒子上の付着結合剤に結合することができる検体を含みうる試料溶液を添加する。添加した溶液が結合剤のパートナを含んでいれば、それは粒子上の結合剤に結合し、ブラウン運動の変化が観察されることになる。あるいは、特徴付けの用途については、分子特性の特徴付けが行われている既知の濃度の物質を既知の濃度で滴定して、その結合特性を測定する。このようにして、たいていの分子識別結合対の分子結合事象を調べることができる。
【０５０９】
ｉｖ．検体の増幅検出
特定の分析および診断測定では、非常に単純な検出機器を使用するか、または検出機器を使用しなくても済むように、粒子の光散乱特性の検出性を高めることが好ましい場合もある。適切な分子識別結合対および粒子を使用することにより、検出感度のレベルを著しく高めることが可能になる。一本鎖核酸単独重合体または繰返し配列（ＡＴＡＴＡＴなど）、アビジン−ビオチン、ストレプタビジン−ビオチンおよび他の結合対システムを使用して、多くの粒子を「連結」、「蓄積」することが可能である。一例として、抗体−抗原−抗体のサンドウィッチ構造を形成する固相分析が設計される。抗原検体を取り込むように１つの抗体を固相に付着する。次いで、ビオチン基を含む別の抗体を付加する。次いで、ストレプタビジンおよび自由ビオチンを塗布した粒子を溶液に添加する。（固相−抗体）−抗原−（抗体−ビオチン）複合体から、互いに結合した多くの粒子を含む．．．（ストレプタビジン−粒子）−ビオチン−（ストレプタビジン−粒子）．．．構造体が成長する。当該粒子凝集体または網状構造体は、単一粒子より検出がはるかに容易な高レベルの強度を生成する。他の例として、ポリデオキシアデニル酸（ポリｄＡ）およびポリチミジル酸（ポリｄＴ）または他の単独重合体一本鎖核酸を、ポリｄＡ単独重合体配列が、一本鎖「プローブ」分子の領域に含められるようにして使用することができる。粒子に、この単独重合体と相補的なｄＴ配列を塗布し、さらなる「自由」ｄＡ一本鎖とともに試料に添加して、多くの粒子を含む構造体を生成する。
【０５１０】
他の例では、所定の検体に特有の抗体に１つまたは複数のストレプタビジン分子を付着させる。該抗体は、ビオチン基で標示される光散乱粒子によって検出される検体に結合する。抗体に付着するストレプタビジン分子の数、および検体−抗体−ストレプタビジン複合体に付着するビオチン化された光散乱粒子の数に応じて、多くの光散乱粒子が検体に付着するようになる。
【０５１１】
上記の例は例示を目的としており、分析および診断条件および要件に応じて、本発明のこの形態の多くの変形形態が存在することを当業者なら認識するであろう。
【０５１２】
改善された粒子結合剤試薬
抗体の如きタンパク質である結合剤を吸着法によって金属状粒子および非金属状粒子に付着させることは、当該技術分野においてよく知られている（Ｍ．Ｈｏｒｉｓｂｅｒｇｅｒ、Ｓｃａｎｎｉｎｇ  Ｅｌｅｃｔｒｏｎ  Ｍｉｃｒｏｓｃｏｐｙ（１９８１）、２，９−３１を参照）。吸着法は、例えば粒子に対する結合特性を有する物質に結合する抗体分子に用いることができる。抗体の場合は、粒子への抗体分子の付着によって、粒子に部分的な化学的安定性が付与される。吸着条件を慎重に制御すれば、抗体分子の一部がそれぞれの抗原に対する結合特性を保有することになる。金属粒子に対する化学安定剤として特定の合成ポリマーおよび生体ポリマーを使用することも当該技術分野において知られている（Ｈｅｌｌｅｒ他（１９６０）、Ｊｏｕｒｎａｌ  ｏｆ  Ｐｏｌｙｍｅｒ  Ｓｃｉｅｎｃｅ、４７、２０３−２１７を参照）。粒子および他の表面に物質を吸着させる方法は参照により本明細書に組み込まれている。
【０５１３】
物質の粒子および他の表面への吸着についての正確なメカニズムおよび性質は、まだ十分に理解されていない。抗体分子が粒子または他の表面に吸着するときは、吸着抗体の密度および配向が結合活性のレベルに関連づけられるように思われる。吸着プロセスの制御が不十分であるため、結合抗体分子の多くは、結合活性が著しく低下しうるか、または活性がなくなるように、分子構造の分子識別領域を変化させるようにして、付着される。
【０５１４】
吸着法は、タンパク質の結合剤、ならびに検体分析に有用である、または有用でない他の物質を粒子に付着させるが、検体試験および他の分野で対象となりうるいくつかのタイプの物質を付着させるのが困難である。例えば、核酸、小タンパク質およびペプチドの如きタンパク質様物質、ならびに低分子量の抗原物質、ホルモン、薬剤などのような他の非タンパク質物質は、吸着法によって効果的に粒子に付着させることはできない。吸着技術のさらなる限界は、各々のタイプの物質に対して、慎重に制御しなければならない独自の吸着条件が存在することである。そのような手順を厳密に踏んだ場合であっても、タンパク質の量、ならびに表面に吸着した物質の保全性および結合特性に有意なバラツキが存在しうる。多くの場合、吸着された結合剤の結合特性（親和性および特異性）は、非吸着形態に比べて著しく低下する。
【０５１５】
吸着法を用いて抗体の如き様々なタンパク質の結合剤を粒子の表面に付着させたことによる我々の実験によって、得られる粒子結合剤物質結合特性および安定性に大きなバラツキがあることがわかった。吸着された抗体または他の結合剤の結合親和性は、標示条件に極めて敏感であるとともに、バッチ毎に大きく変動する可能性がある。粒子に吸着した抗体、アビジン、ストレプタビジンおよび他の物質の結合活性が著しく低下するのはよくあることである。いくつかの調製物では、吸着した結合剤の一部が、粒子から分解しやすくなる。分解または診断測定において、この分解物質が検体をめぐって粒子結合剤と競合すると深刻な問題になる可能性がある。
【０５１６】
このような付着プロセスに対する制御の欠如、結合活性のバラツキ、および吸着法によって粒子に付着させることが可能なタイプの物質に関する制限は、分析診断を目的とした当該物質の製造および使用に対して多くの問題をもたらす。おそらく、最も重要なのは、吸着技術によって調製される粒子−結合剤結合体は、極めて低濃度の検体を検出する多くの分析用途に対して十分な品質を有することができない。
【０５１７】
付着物質の結合活性への影響が最小限に抑えながら、粒径および組成が異なる結合剤を含む任意のタイプの物質をある粒子または表面に特異的に付着させることができる方法があれば、当該技術分野において非常に有益である。粒子当たり（または、概して任意の表面当たり）の薬剤の所望の密度を達成するための方法を有することも当該技術分野において非常に有益である。加えて、これらの方法が２つ以上の薬剤の結合を可能にすることが望ましい。製造およびコストの観点から、同一の基本的基準を用いて、幅広い様々なタイプの物質を粒子に付着できるように合成手順が容易かつ安価に実施されれば極めて有用性が高くなる。
【０５１８】
結合剤およびたいていの他の物質を金属状粒子および他の表面に特異的に付着させることを可能にする新しい方法を開発した。これらの新しい方法によって生成される粒子試薬は、非常に安定で、高度な結合親和性を保有し、非特異的結合性が低い。これらの新しい方法は従来技術の吸着手順の制限の多くを克服し、手順を低コストで容易に実施するというさらなる長所を有している。いくつかの実施形態において、これらの新しい手順は、多くの同じ物質および手順を用いて、ほぼあらゆるタイプの物質を迅速かつ簡単に粒子または表面に付着できる万能リンカー化学プラットフォームに対応する。これは、検体試験に使用される当該粒子結合剤試薬の日々の製造に極めて重要である。
【０５１９】
以下の手順は、結合剤、または例えば抗原、抗体、レクチン、炭水化物、ビオチン、アビジン、ストレプタビジン、核酸、ペプチドおよびタンパク質、受容体、薬剤などの他の物質を含む任意の物質に適用される。該方法を用いて、たいていの物質を金属粒子、金属状粒子およびある種の非金属状粒子、ならびに巨視的な表面に付着させることが可能である。例えば、非金属状表面および粒子は、ガラス、プラスチックなどの有機または無機材料から構成されうる物質を含む。
【０５２０】
物質を粒子または他の表面に付ける方法
ｉ．基材分子法
この物質を粒子または他の表面に付ける方法では、基材分子の使用を含む２工程アプローチが用いられる。好適な基材分子は、吸着または他の化学プロセスにより表面に接近し、表面と相互作用することができる任意の物質で、例えば結合剤のような別の物質を付着することができる結合性官能基を有する。基材分子は、粒子に化学的安定性を付与するさらなる特性を有することもできる。一般に、基材分子は高分子の形態（１０００ＭＷよりサイズが大きい）をとるが、それより小さくてもはるかに大きくてもよい。好ましい基材分子は、高い親和性で粒子に付着し、ある程度の物理的安定性を粒子に付与し、ほぼあらゆる物質と結合する結合性化学基を保有する分子である。該化学基は、結合剤または他の物質が化学結合、共有結合または非共有結合を通じて結合するのを可能にする。例えば、共有結合は、光化学または化学結合を含みうる。非共有結合は、ストレプタビジンの如き分子による、または疎水性結合、水素結合もしくは静電的相互作用による吸着による架橋を含みうる。基材分子は、適切な化学物質または架橋剤を利用して、粒子の表面にわたっていくつかの基本単位分子同士を架橋させるのに使用できる１つまたは複数の化学基を含むこともできる。
【０５２１】
安定性が高く、結合する物体に対して高度な結合親和性を有し、かつほぼあらゆる物質を粒子または他の表面に付着させる融通性に優れ、使い易く、低コストの方法に対応する粒子結合剤を作製するのに、基材分子結合法をどのように利用できるかを示す選定例を以下に記載する。ほぼあらゆる目的に向けた粒子結合剤試薬を合成するこの一般的な技術に多くの変形形態が存在することを当業者なら認識するであろう。この新しい方法を使用して、抗体、ペプチド、タンパク質、核酸、薬剤、および他のほぼあらゆる物質を高度に制御され、予測可能な形で粒子に付けることができる。
【０５２２】
一例として、ＭＷがおよそ２０、０００のポリエチレン・グリコール化合物の誘導体を使用した。この分子（ビス（ポリエチレンビス［３−アミノ−２−ヒドロキシプロピル］））の性質は、基材分子として使用される。この重合体の各分子は、別の物質との結合のための結合部位としての役割を果たすことができる４つのアミノ基を有する。ポリエチレン誘導体の疎水性の主鎖は、粒子と相互作用し、吸着または何らかの他のプロセスによって粒子表面に結合する。この相互作用は非常に強く、標識付け、ならびに分析および診断測定に使用した後に、この物質が粒子から分解するのを全く検出していない。アミン基は粒子表面と相互作用せず、例えば結合剤のような別の物質の結合のための結合部位として利用される。この重合体を基材として使用し、２つの異なるタイプの粒子結合剤試薬を調製した。１つの試薬は、結合剤としてビオチン基を含み、他の粒子−結合試薬は、結合剤として一本鎖核酸を含有するように構成されていた。結合に使用されるビオチンは、アミン基と共有結合するように化学的に修飾されていた。核酸は、アミン基と化学反応するように、５‘末端が化学的に修飾されていた。これらの試薬を様々な分析形式で使用し、これらの粒子結合剤試薬は、ともに、低濃度および高濃度の塩水溶液中で高度な安定性を示し、顕著な結合作用を有することを確認した。粒子−ビオチン試薬を使用した実験では、結合親和性に対する影響は検出されなかった。これは、６×１０−１４Ｍの濃度の粒子−ビオチン試薬を懸濁液に仕込み、アビジンを塗布したプラスチックの固相を溶液中に浸漬することによって測定した。２時間インキュベーションした後、固相を取り除いて洗浄した。ＤＬＡＳＬＰＤ照明および検出法を用いて光学顕微鏡で調べたところ、アビジンを塗布した固相に特異的に結合した粒子が検出されたのに対して、（アビジンを含まない）対照の固相には粒子は結合していなかった。これらの粒子−ビオチン試薬の使用濃度において、粒子に結合するビオチンの結合特性が実質的に低下していたとしたら、結合は認められなかったであろう。
【０５２３】
他の例では、ゼラチンを基材として使用し、クロム酸イオンまたは脱離の可能性を最小限に抑える他の架橋剤を使用することによって粒子表面上にゼラチンを架橋させることができる。次いで、結合剤または他の物質を、結合をなすことができる結合性アミン、カルボキシル基または他の化学基に結合させるための適切な結合化学機構を使用することによって、結合剤または他の物質を粒子に結合させる。
【０５２４】
他の例ではストレプタビジンまたはアビジンを基材として使用することができる。少なくとも１つのビオチン基を含有する化学修飾型の分子を使用することによって、結合剤などの物質を粒子に結合させる。
【０５２５】
さらなる例において、ポリマー状物質、および例えば炭水化物、ポリアミノ酸、タンパク質などのポリマー状特性を有する他の物質を、適切な条件のもとで、溶液中の共重合体ユニットから粒子の表面に重合することも可能である。
【０５２６】
上記すべての例について、まず結合剤または他の物質を基材に結合させ、次いで基材同士を化学的に架橋させ、または架橋させることなく、この物質を粒子表面に結合させることもできる。加えて、２つ以上の異なるタイプの基材分子、あるいは１つまたは複数の基材分子を、結合に利用可能な化学反応性基の量、および粒子結合剤の結合の化学的安定性を調整して、ほぼあらゆる分析要件を満たすことができる。
【０５２７】
上述の例では、利用可能な物質が使用され、基材分子として使用するために選択された。当業者は、新しいタイプの基材分子を合成して、物質を粒子または他の表面に結合させるためのそれらの使用を最適化することができる。以下の改良により、より化学的安定性の高い粒子結合剤試薬、および結合した結合剤または他の物質の結合親和性に関する性能を高める結合プロセスの最適化が実現される。例えば、追加的な化学基を重合体の主鎖構造に加え、粒子表面への基材分子の結合の安定性を高める。末端または末端付近に反応性化学基を有する様々な長さのリンカー・アームを加えて、結合剤または他の物質が結合し究極的には滞留する粒子からの距離を大きくすることができる。異なるタイプの反応性化学基を基材に加えて、粒子表面にわたって、個々の基材分子を架橋させ、または結合させる能力を向上させることが可能である。
【０５２８】
ｉｉ．金属表面に吸着する化学基を利用した粒子または他の表面に対する物質の直接的な結合
金属および金属状粒子ならびに表面に結合させる結合剤を含む多くの異なるタイプの物質を直接結合させることを可能にするさらなる方法を開発した。材料科学および関連分野において、特定のタイプの小分子（ＭＷが１０００未満）を金属表面などに結合させることができることが知られている。これらの小分子のほとんどは、小分子の一部分を金属表面に結合させる一方、他の部分を表面に結合させない特定タイプの化学基が分子内の特定位置に存在する。例えば、チオールおよびジスルフィド含有物質、ならびにｎ−アルカン酸および特定の洗浄性分子の如き両親媒性物質を金属表面に吸着させることが材料科学の分野において知られている（Ｎｕｚｚｏ他（１９８３）、Ｊｏｕｒｎａｌ  ｏｆ  ｔｈｅ  Ａｍｅｒｉｃａｎ  Ｃｈｅｍｉｃａｌ  Ｓｏｃｉｅｔｙ、１０５、４４８１−４４８３；Ａｌｌａｒａ他（１９８４）、Ｌａｎｇｍｕｉｒ、１：４５−５２；およびＢａｉｎ他（１９８９）、Ｊｏｕｒｎａｌ  ｏｆ  ｔｈｅ  Ａｍｅｒｉｃａｎ  Ｃｈｅｍｉｃａｌ  Ｓｏｃｉｅｔｙ、１１１：３２１−３３５を参照）。物質を金属表面に吸着させる方法は、参照により本明細書に組み込まれる。したがって、結合させる物質の分子構造内の特定位置に適切な化学基を導入することによって、上記物質の結合を可能にする特性を結合剤および他の物質に付与することができる。この方法を用いれば、他の方法より特定タイプの物質がより簡単に結合される。例えば、分子構造が電荷を帯びているか、またはイオン性を有するか、あるいは分子構造の一端では疎水性を有し、他端では親水性を有するような極性を有する物質は、一般に、上記した本方法の特定の変形例において有用である。
【０５２９】
例えば、核酸は、大きな負電荷を含む燐酸塩の主鎖を含有する。一本鎖核酸は、３‘または５’末端においてチオールまたはジスルフィドで末端標識付けされ、分子の同じ領域にさらなる疎水基が導入されている場合もあるし、導入されていない場合もある。この修飾核酸は、これらの基で標識付けされた末端において金属表面または粒子に結合することになる。核酸のイオン部は、それに対して特異的に結合することができるほぼあらゆる物質との分子相互作用に利用できるように、酢酸の分子構造の主鎖を表面から分離する。
【０５３０】
この方法を用いて、ビオチン、ペプチド、医薬品、重合体などの他の物質を粒子に結合することができる。該方法は、一般には、本来の形態で粒子または表面と実質的に相互作用しないたいていの物質に有用である。粒子または表面と相互作用することができる物質については、さらなる方法が必要になる。例えば、特定の小分子、タンパク質などは、それらの結合作用を低下させるように、粒子または表面と相互作用することができる。該方法の１つの変形形態において、まず粒子に例えば重合体安定剤で標識付けする。この標識付けに続いて、粒子の表面に小分子物体が結合しうる開放領域が通常生じる。次いで、適切に修飾された物質を化学的に安定した粒子に加えて、所望の結合活性をまたは他の特性を付与することができる。あるいは、化学安定剤と化学的に修飾した結合剤とを所望の比率で混合してから粒子または表面と混合することが可能である。これらの方法を用いることによって、粒子または表面に結合させる物質の量およびタイプを制御して、所望の化学安定性および結合活性特性を備えた塗布表面または粒子を生成することができる。
【０５３１】
様々な長さおよび組成のリンカー・アームを分子構造に導入することも可能である。例えば、その分子構造が、粒子または表面に結合させるために、ほぼあらゆる物質を任意の所望の配向で、また高度な結合活性維持しながら結合させるために最適化される小分子量ベースの物質分子を使用することができる。一例として、ジスルフィドまたはチオール化学基を加えることによって、アミノ酸２０個の長さの線状ポリペプチドを一端において化学的に修飾する。天然のポリペプチドはアミノ酸から構成され、化学的に修飾された末端を除いてはポリペプチド鎖が表面と相互作用することはない。他の末端においては、遊離アミノ基が存在し、あるいはほぼあらゆる物質をこの位置で結合できるような所望の結合プロセスのために化学的に修飾されている。次いで、この低分子量ベースの物質分子は、本明細書に記載されている方法の１つまたは複数の変形形態に使用される。
【０５３２】
基材分子結合方法、および本明細書に記載される直接結合方法は、粒子および他の表面に結合させることができる物質の量、タイプおよび配向のより特異的な制御を可能にする。さらなる利点は、これらの方法は、結合する結合剤の結合親和性を高レベルに維持する粒子結合剤試薬の合成に対応することである。
【０５３３】
小分子量またはより大きな分子量をベースとした物質分子を利用した基材分子法の重要な特徴は、基材分子を適切に選択、利用することで、基材分子は、ほぼあらゆる物質を粒子または表面に結合させることが可能な万能リンカー・プラットフォームとしての役割を果たしうることである。この機能は、検体を試験するための粒子ベース試薬の日々の製造において極めて重要になる。当業者は、化学基、分子量、分子構造、標識付け反応条件、および使用される化学結合のタイプ（すなわち架橋、共有結合など）を変えることによって達成することができるこれらの新しい結合方法の多くの異なる変形形態を認識するであろう。
【０５３４】
本発明の他の重要な態様は、粒子結合剤試薬の表面の表面電荷、親水性および疎水性を定める能力である。例えば、核酸分析に光散乱粒子−核酸試薬を使用するに際して、試薬を標的核酸に結合させるために、表面電荷および関連する物理的特性を慎重に制御する必要がある。多くの核酸分子が粒子の表面に結合すると、粒子は、ハイブリダイゼーション反応に使用される典型的な溶液において大きな負の表面電荷を有することになる。このような大きな電荷は、電荷反撥効果により、粒子−核酸試薬の標的鎖に対する結合反応を妨害するおそれがある。表面に結合する基の組成およびそれらの相対的な量を用いて、粒子−結合剤試薬の表面電荷をほぼあらゆる用途に適合するように調整することが可能である。例えば、核酸分析の場合は、基材分子結合法を用いて、一定量の核酸分子を粒子に結合させ、核酸分子が結合していない他の基材分子を、核酸を含有する基材分子と特定の比率で混合し、表面電荷、親水性および疎水性の特定の特性を有する粒子−核酸試薬を生成する。ここに示される例以外にも、結合剤を粒子の表面に結合させ、表面電荷を調整する方法には多くの変形形態があることを当業者なら認識するであろう。
【０５３５】
光散乱粒子を用いたマイクロアレイまたはマイクロパターン分析
マイクロアレイまたはマイクロパターン分析法は、固相の個別的な空間的アドレス可能領域を用いて、異なるタイプの検体を検出する。例えば、各々の空間的アドレス可能領域またはマイクロスポットは、異なるタイプの抗体、受容体、核酸などを含むことができる。固相上の空間的アドレス可能領域の構成は、固相のサイズ、検体または使用される様々な領域の数、および検出方法によって決まる。特定のタイプの結合剤を含む各々の空間的アドレス可能マイクロスポットは、マイクロアレイを作製する方法に応じて、正方形、円形または任意のパターンの形状に形成されうる。寸法は、数平方ミクロンから数平方ミリメートル、あるいはさらに大きな寸法とすることができる。単一検体検出に使用され、固相に結合した検体の量に関連づけられる固相信号を測定することによって最終的な定量が行われる多くの固相形式のうちのいずれかを用いてマイクロアレイ法を実施することができる。実際、マイクロアレイ法の一般的な分析工程は以下のように行われる。マイクロアレイを検体試料、例えば血清に接触させ、適切なインキュベーション期間後に、アレイを洗浄し、第２の検体結合物体に接触させる。１つの形式では、第２の検体結合物体を、光散乱特性が検出される光散乱粒子に結合させる。次いで、各マイクロスポットに結合した光散乱粒子の数を各マイクロスポットに存在する検体の量の尺度とし、試料中の検体の濃度に関連づけることができる。他の形式では、第２の特異的検体結合物体を光散乱粒子に結合させない。この後者の形式では、第２の特異的結合物体に特異的に結合する第３の物体を光散乱粒子に結合させる。この第３の物体は、例えば、第２の物体と共有結合したビオチンに特異的に結合するストレプタビジンであってもよい。第３の物体を光散乱粒子に結合させて第２の物体を検出するのに用いることのできる他の多くの分析法が存在する。これらの形式のいずれかにおいて、各マイクロスポットに結合した光散乱粒子の数に関連する光散乱信号を測定することによって、各マイクロスポットに結合した検体の量を求める。
【０５３６】
マイクロアレイ内の各マイクロスポット上の光散乱粒子の数を検出するのに様々な方法を用いることができる。各スポットに結合した検体の量は、最終分析工程において、各スポットに結合した光散乱粒子の数から求められる。概して、光散乱粒子をアレイ内の異なる領域から分離するために何らかのタイプの撮像システムが必要になる。これは、試料の１つまたは複数の領域を画像化する画像光検出器の使用、あるいは試料の１つまたは複数の領域を照明、検出し、各走査サイトで検出された光散乱信号を記録する走査手法を必要とすることもある。画像化および粒子の定量に多くの異なるタイプの形式を使用することができる。方法の選択は、求められる精度、および１日に分析すべき試料の数に依存する。求められる精度は、単に陽性か陰性かという答えのみが求められる低レベルの精度から、ある精度で検体の量を測定しなければならない高レベルの精度までの幅を有する。それぞれの画像化および粒子定量形式の例を次に説明する。
【０５３７】
任意の画像化方法に合わせてマイクロアレイに特殊な特徴を導入することができ、例えばアレイ内のいくつかのマイクロスポットの化学組成を較正用の既知の大きさの背景信号を生成するように処方し、あるいはアレイ内のいくつかのマイクロスポットの化学組成を、既知の量の検体および／または粒子を含む較正スポットとしての役割を果たすように処方することができる。これらのスポットからの信号を使用して、入射光強度、マルチ・マイクロスポット・アレイ・キャリア間の光透過量、集光効率、および試料毎の検出器感度のバラツキに対する補正を行う。
【０５３８】
次に、マイクロアレイおよびアレイ・チップに応用されるいくつかの特殊な画像化および光散乱粒子定量法を説明する。
【０５３９】
ａ．単純な光学顕微鏡を用いたＤＬＡＳＬＰＤ法
ｉ．スポット上の粒子表面密度が低い場合（０．１個／μ２未満）
調査対象となる試料の数が多くなければ、目視、または各スポット上の粒子の数に対する他の計数法によって各スポットにおける粒子の数を測定することができる。背景の計数も行われる。計数は、液体被覆マイクロアレイまたは乾燥したマイクロアレイ上で行うことができる。陽性であると見なされるマイクロスポット当たりの粒子の数は前の実験で定められている。調査対象試料が多い場合は、単純なビデオ検出器およびオブジェクト計数ソフトウェアを使用して計数を自動的に行うことができる。
【０５４０】
ｉｉ．スポット上の粒子表面密度が高い場合（０．１個／μ２を上回る密度）
陽性か陰性かという分析では、各スポットからの強度を目視観察または光検出によって検出することができる。強度が背景の強度より大きい場合は結果は陽性となる。定量結果が必要で、かつ調査対象試料がさほど多くない場合は（例えば、寝台、野外、小規模なクリニックまたは研究室での試験の場合）、観察ポートが２つの顕微鏡を使用するマニュアル技術を以下のように用いることができる。単一マイクロスポットを細光線で照明する。１つの観察ポートから目視観察によってスポット上に光線を配置し、迷光信号のレベルに応じて、空間濾過開口部を備えた、または備えていない感光デバイスにより強度を定量的に測定する。光線を通じて各スポットを手操作で走査することにより、各スポットからの散乱光強度を測定する。あるいは、光線を手操作で走査し、検出器領域の焦点を照明スポットの焦点に合わせながら、大領域光検出器または小領域検出器で各スポットから検出された光を検出することが可能である。これを自動化することも可能である。分析対象となる試料が多い場合は、マイクロアレイを太い光線で照明し、ビデオ・カメラおよびフレーム・グラバを介してマイクロスポット・アレイの画像をデジタル化することが可能である。次いで、ソフトウェア画像解析によって各マイクロスポットの強度を測定する。我々は、これらの方法は、非常に高感度で幅広い濃度の１つまたは複数の試料中の検体を検出することを可能にすることを確認した。該方法の他の多くの変形形態が可能であることを当業者なら理解するであろう。
【０５４１】
検体のマイクロアレイおよびアレイ・チップ検出における特定タイプの金属状粒子の使用
マイクロアレイを用いた作業の中で、我々は、金属状粒子は好ましい光散乱粒子であることを見いだした。具体的なマイクロアレイ用途に使用される粒子タイプの粒径、形状、組成および均質性は、主に、試料中の非特異的背景光の量；マイクロアレイが乾燥状態であるか、液体で覆われているか；それぞれの固相結合領域の寸法；検出される検体の量および濃度；肉眼による検出、または光検出器による検出、ならびに粒子計数および／または強度測定による測定に依存する。
【０５４２】
一例として、緩衝液で覆われたマイクロアレイ形式のプラスチック固相上のストレプタビジンを含む直径８０ミクロンのスポットに、ＢＳＡ−ビオチンが塗布された直径６０ｎｍの単一金粒子が結合されているのを容易に検出することが可能であった。ＤＬＡＳＬＰＤ条件の自製の照明装置、および我々が開発した安価な顕微鏡システムを使用した。ＢＳＡ−ビオチンが塗布された直径６０ｎｍの低密度の金粒子が結合したマイクロアレイ・ストレプタビジン・マイクロスポットにおいて、結合粒子の数をカウントした。より高密度では、個々のストレプタビジン・マイクロスポットに結合した粒子から生じる散乱光の強度を測定した。信号対背景比が１３のレベルで、約０．０６個／μ２の密度までの粒子を検出した。これは、このタイプの分析では、信号対背景比が約３のレベルで、約０．００１５個／μ２までの密度が検出可能であることを示唆するものである。非常に高密度の結合粒子の検出も行った（直径８０ミクロンのマイクロスポット当たりの利用可能な結合部位の飽和）。同じタイプのマイクロアレイ分析を乾燥形態で（液体に覆われていない状態で）行うためには、同じ感度を達成するのにより高度な光散乱能を有するより大きな直径の金粒子または他の金属状粒子が必要とされることもある。また、ＨｅＮｅレーザの如き６００ｎｍを上回るより長い波長の光源を照明に使用することや空間濾過を行うことも有益であるといえる。
【０５４３】
小形のハンドヘルドまたは他のタイプの携帯式デバイスを使用することによる試料の検出に対しては、当業者は典型的に当該デバイスに低電力光源を使用しなければならないため、求められる感度レベルによってはさらに大きな粒子を使用することが求められることもある。
【０５４４】
マイクロアレイ形式における多検体検出では、異なる濃度の検体が、１、０００から１、０００、０００、またはそれをさらに上回る非常に大きな濃度差で存在しうる。そのような状況では、光散乱能および粒子の相対的粒径が極めて重要になる。例えば、個々の結合領域が約１００平方ミクロンのアレイ・チップまたはマイクロアレイ上で多検体を分析している場合は、この１００平方ミクロンの領域に結合しうる粒子の数は、使用される粒子の粒径に大きく依存する。例えば、４０ｎｍの粒子を結合飽和量で使用する場合は、約７９、６００の粒子をこの領域に結合させることができる。しかしながら、１２０ｎｍの粒子を使用する場合は、その領域にはわずか約８、８００の粒子しか結合させることができない。非特異的背景光および粒子に対する非特異的結合の量に応じて、確実な測定に向けてその領域に結合させるべき粒子の最小限の数は大きく変動しうる。例えば、特定の状況において、陽性の検出結果を得るためには、数千個以上の粒子をマイクロアレイ上の結合部領域に結合させる必要がある。したがって、より大きな粒子を使用すると、検体の検出性が制限される。寸法の小さい結合部領域では、十分な信号／背景比を与える使用可能な最小粒子を使用しなければならない。加えて、光学および空間濾過、共焦点画像作成、より強力な光源および他の機器構成要素を最適化して、検出限界を高めることができる。同様に、２つ以上の検体が非常に大きな濃度差で存在する場合は、適切な粒径および光散乱能を有する異なるタイプの粒子を使用する必要が生じることもある。
【０５４５】
これらの例は限定するものではなく、様々な用途において、特定のタイプの金属状粒子を選択することで、マイクロアレイ分析および多検体の検出に対する特定の試験キットが得られることを示すものである。アレイ・チップおよびマイクロアレイ上の多検体を検出する本発明の方法の他の多くの変形形態が存在することを当業者なら認識するであろう。
【０５４６】
他の照明および検出方法に対する本発明の特定の態様の使用
この発見は、本発明に開示されたような最適な照明および検出方法およびシステムを使用しなくても、当該技術分野の既存の診断検出方法および装置に本発明の様々な態様を使用できることを意味する。例えば、レーザ共焦点顕微鏡法、明視野およびエピ照明顕微鏡法、および反射コントラストおよび微分干渉コントラスト顕微鏡法を特定タイプの金属状粒子に用いて、マイクロアレイ・チップ上の多検体等の測定を行うことができる。
【０５４７】
例えば、米国特許第５，４３２，０９９号（Ｅｋｉｎｓ）（参照により本明細書に組み込まれる）に記載されている共焦点顕微鏡を使用することができる。一般に、当該共焦点顕微鏡法は、視野照明ではなくポイント照明に依存し、エピ照明による蛍光モードで通常機能する。通常、検出すべき信号が非常に弱いため、検出器は光電増倍管である。光源は、しばしばレーザである。本発明では、（通常の共焦点顕微鏡法に比べて）信号が極めて強く、光源がレーザである必要がなくても、共焦点顕微鏡と同じくらい複雑な装置を使用することができる。明らかに、我々が見いだしたように、当該装置を使用することで、本発明に記載されたように粒子がより感度良く検出され、迷光の問題が最小限に抑えられる。
【０５４８】
したがって、他の例では、生体チップを使用して標的分子を検出するためのＦｏｄｏｒ他、Ｎａｔｕｒｅ  ３６４：５５５（１９９３）に記載の手法を用いることもできる。
【０５４９】
これらの方法は、本発明の１つまたは複数の態様と組み合わせると、方法および装置のコストおよび使い易さが問題とならない特定のマイクロアレイ分析用途において有用である。我々は、これら上述の当該技術分野の既存の技術が金属状粒子および／または屈折率増大法および／またはオートメタログラフィーおよび／または現行の発明の他の態様とともに用いられた例を聞いたことがない。したがって、これら先述の当該技術分野の既存の検出方法および装置を本発明の１つまたは複数の態様とともに使用することを主張するものである。
【０５５０】
マイクロアレイへの応用に向けた本発明の他の改造形態
本発明の方法は、マイクロアレイ形式を用いて１つまたは複数の検体を検出する優れた手段を提供する。以下の方法は、特定の分析用途において有用であるさらなる変形形態を提供する。
【０５５１】
単一または複数の光ファイバー・ベースの装置が構築されるように照明および検出法を小型化することができる。これは、画像化検出法の代替法になる。
【０５５２】
二次元アレイ、または他のタイプの固相空間的アドレス可能システムを使用する上での１つの問題は、マイクロアレイの異なる領域間の信号クロストークの問題である。いくつかの原因、例えば（１）光散乱物質または蛍光物質を含む個々の領域が密に接しているため１つの領域に見えること、または（２）１つの領域が大量の光散乱粒子または蛍光を含む一方、他の近隣領域に含まれる光散乱粒子または蛍光物質は非常に小量であることによりクロストーク、グレアまたは他の類似の問題が発生しうる。領域同士がどの程度近接しているかに応じて、非常に高輝度の領域から到来する光の一部が、より強度の低い光を発する領域の検出器に拾われることになる。
【０５５３】
当該技術分野における１つの解決策は、走査プロセスを用い、各空間的アドレス可能サイトから到来する光信号を該サイトが照明されているときに個別的に記録することによって、各々の空間的アドレス可能固相サイトを個別に照明することである。これは、光線または試料を移動させることにより異なる領域を走査することによって達成することが可能である。しかしながら、これらの走査メカニズムは通常複雑で、分析法のコストを著しく増加させるとともに手順を複雑にし、臨床試験室または活動度の高い研究室の日常の厳しい業務にとってはコストが高く、さほど効果的であるとはいえない。
【０５５４】
次に、本発明のさらなる変形形態の例を説明する。光ファイバーは、測定対象領域に近づくと、該領域からの放射蛍光または散乱光が試料表面の反対側から検出されるように、一端において好適な角度で傾斜し、個別的な照明源として利用される。この構成は、領域の特異的な照明を可能にし、上述のクロストークの問題を取り除く。それは、また、ビデオ・カメラの如き撮像タイプの検出器の必要性を取り除き、任意のタイプの光検出器が使用できるようになる。一例として、２４個のマイクロスポットまたは測定対象の個々の領域のアレイに対しては、２４個の個別的な照明ファイバーが各スポットに１つずつ使用される。必要なことは、それぞれのスポットを互いに異なる時間に照明することだけである。このようにして、光ファイバーの直径の約１／２までのいくつかの小さな空間的アドレス可能領域を測定することができる。
【０５５５】
エピ照明、または例えば共焦点撮像のような類似の方法を用いることが望まれる該方法の他の実施形態では、光ファイバー上の一端に非常に小さな撮像レンズを配置することによってシステムを小型化し、次いでマイクロアレイの所望の領域から散乱光または蛍光を測定することができる共焦点条件を達成することが可能である。マイクロアレイ表面上で測定される領域については、単一の光ファイバーをマイクロレンズに使用して入射光を伝達し、検出される放射蛍光または散乱光を集光する。同時に表面の複数の領域を検出することが望まれる場合には、上述したように複数の光ファイバーを使用することが可能である。
【０５５６】
先述の説明例は、本発明の多くの可能な変形形態の数例にすぎないことを当業者なら認識するであろう。
【０５５７】
本発明の用途
本発明を使用して、広範囲な標的検体の検出および測定を行うことができる。これらの検体は、有機および無機化合物、ウィルス、バクテリア、細胞、タンパク質、ペプチド、ホルモン、タンパク質−脂質複合体、核酸、医薬品、薬物標的、脂質、炭水化物および炭水化物含有物質、抗体、抗原物質などであってもよい。これらの標的検体の検出および測定を行うために多くの異なるタイプの分析法が開発された。免疫測定法、核酸分析法、他の多くのリガンド−受容体分析法は当該技術分野においてよく知られている。これらのタイプの分析法は結合対または分子識別型分析法としても知られる。結合対の一方をプローブとして使用して、そのパートナの存在を検出、測定する。分析形式および検出標識の多くの変形形態が当該技術分野において知られている。多くの結合対ベースの分析法では、標的に対するプローブの結合対形成の直接的な結果として（例えばプローブに直接貼付された検出標識）、または間接的な結果として（例えばプローブまたはプローブ−標的複合体に対する二次的な結合対の使用）検出可能標識を標的検体に貼付する。
【０５５８】
本発明を何らかの形態で使用するために、検出可能な光散乱粒子の標的検体への結合は一般に以下の３つの方法の１つによって達成される：（１）結合対のプローブ分子（例えば抗体分子、相補的核酸配列など）に１つまたは複数の検出可能光散乱標識を含有させる；（２）プローブ・メンバを１つまたは複数の二次結合対のメンバで標識付けする；（３）１つまたは複数の光散乱検出標識を抗体、核酸挿入物質、核酸結合タンパク質、またはプローブ−標的検体複合体に対して特異的な結合特性を有する他の薬剤に含有させる。二次的な結合対の例としては、ビオチンおよびアビジン／ストレプタビジン／アンチビオチン抗体；ジゴキシニンおよびアンチジゴキシニン抗体；フルオレセインおよびアンチフルオレセイン抗体が挙げられる。
【０５５９】
次に、広範囲な検体の検出および測定に対する本発明のいくつかの応用例を開示する。以下の例および説明は限定するものではなく、本発明の１つまたは複数の形態の幅広い有用性を示すことを目的としている。本発明の多くの変形形態が存在することを当業者なら理解するであろう。
【０５６０】
核酸検出および分析への応用
核酸の検出および分析は、過去数年間にわたる集中的な取組みにもかかわらずまだ問題がある。多くの状況において、存在する核酸配列の量は非常に少なく、配列の複製物の数はおそらく細胞または生体毎にわずか数個または１つにすぎない。核酸配列の存在の検出を可能にするために、高度な「標的増幅方法」、例えばＰＣＲ、ＮＡＳＢＡ、ＴＭＡおよび他の核酸配列増幅技術を使用しなければならない。これらの方法は分析を著しく複雑にし、慎重な制御および監視を必要とする。信号増幅技術も開発された。化学発光、電子化学発光、および酵素系比色または蛍光信号増幅システムがその例である。標的増幅技術の場合のように、信号増幅技術は慎重に応用、使用されねばならず、干渉を受けやすく、活性が大きく変動しやすい。
【０５６１】
我々は、ハイブリダイゼーション技術を本発明の１つまたは複数の変形形態と併用することによって、従来可能であったものに比べて、特定の標的核酸配列をより容易に、より高い検出感度で検出、測定することができることを発見した。所要時間がより短くより単純な方法を用いてより高い検出感度を確保できれば、医学、生物学および生化学の研究、医薬品の発見および開発、獣医および臨床診断、農業、食品、水、工業および環境科学を含む多くの異なる分野における核酸のより広範囲な検出および分析が可能になる。
【０５６２】
ハイブリダイゼーション技術と本発明の何らかの形態とを組み合わせることで、ＲＮＡ、ＤＮＡの特定の核酸配列、および他の核酸配列の識別および測定が可能である。例えば、ＨｎＲＮＡ（異質ＲＮＡ）、ｔＲＮＡ（転移ＲＮＡ）、ｍＲＮＡ（メッセンジャーＲＮＡ）、リボソームＲＮＡ（ｒＲＮＡ）およびＤＮＡを検出、測定、分析することができる。ＤＮＡへの応用では、遺伝子、多型現象、結合パターン、遺伝子突然変異、異常遺伝子、他の関連配列、および１つまたは複数の遺伝子の発現レベルを検出、測定、分析することができる。本発明とハイブリダイゼーション法とを併用して、例えばオリゴヌクレオチド、ｃＤＮＡなどのような化学的または生化学的手法によって合成される核酸配列を検出、測定、分析することも可能である。
【０５６３】
核酸ハイブリダイゼーション法は、核酸配列の検出および識別に極めて有用である。ハイブリダイゼーション法およびハイブリダイゼーション分析は、互いに相補的な２つ以上の核酸鎖の間に二本鎖構造、およびさらには三本鎖構造を形成させる核酸の特異的な物理化学的特性を利用している。ハイブリダイゼーション法の多くの異なる変形形態が存在し、ハイブリダイゼーション分析を実施するための多くの異なる分析形式が開発された。当該技術分野で知られているこれらの方法は、参照により本明細書に組み込まれている。
【０５６４】
ハイブリダイゼーション分析では、既知の配列を有する核酸配列を「プローブ」として使用して、プローブ核酸配列の１つまたは複数の領域に対して相補的な配列を有する試料中の「標的」配列を検出する。プローブ核酸配列が試料に加えられ、プローブ核酸配列は、試料中に存在すれば、相補的な標的配列に結合する。ハイブリダイゼーション反応に続いて、検出標識を使用し、プローブ−標的複合体を識別することによってプローブ−標的複合体の検出および測定を行うことができる。通常、これには、プローブ核酸、または検出可能なレポーター・グループを有するプローブ−標的複合体の直接的または間接的標識付けが含まれる。核酸検出の技術分野におけるよく知られたレポーター・グループとしてはラジオアイソトープ、蛍光分子、化学発光および電子発光分子、および比色、蛍光または発光信号を生成する酵素が挙げられる。
【０５６５】
光散乱粒子を核酸分子に直接結合させるいくつかの異なる方法を本明細書に開示した。さらなる直説的方法としては、光散乱粒子の表面に対して化学結合またはその他の結合を形成するのに用いられる新しい化学基に対する核酸の１つまたは複数の化学基の化学的または光化学的修飾が挙げられる。例えば、カリフォルニア大学（サンディエゴ）のＪａｃｋｓｏｎが博士論文（１９９１年）に記載したアミノ基転移法を用いて、シトシン残留基上に反応性アミノ基を生成させることができる。この方法は、参照により本明細書に組み込まれている。光散乱粒子を核酸配列に結合させる多くの異なる方法が存在することを当業者なら認識するであろう。
【０５６６】
あるいは、上述した二次的な結合対を使用する。例えば、１つまたは複数のビオチン分子、蛍光またはジゴキシニンが、（１）これらを含む個々のヌクレオチドを標的核酸配列の合成に使用すること；（２）それらの基を化学的または光化学的に反応させて標的核酸配列または３’もしくは５’末端を形成すること；（３）生化学的方法を用いてそれらの基を導入することを含む当該技術分野の既知の技術のいずれかによって、標的核酸配列に導入される。これらの方法は、参照により本明細書に組み込まれている。
【０５６７】
核酸配列の検出および識別
核酸の検出に応用する上で光散乱標識をレポーター・グループとして使用することが知られている。例えば、米国特許第５，５９９，６６８号、およびＳｔｉｍｐｓｏｎ他、Ｐｒｏｃ．Ｎａｔｌ．Ａｃａｄ．Ｓｃｉ．、ＵＳＡ、６３７９−６３８３（１９９５）には、光散乱標識を消散波（ｅｖａｎｅｓｃｅｎｔ）導波管デバイスに使用して核酸ハイブリダイゼーションの検出を行うことが記載されている。
【０５６８】
それらの文献では、消散波照明によって、蛍光ベースの検出感度に相当するｎＭ検出感度が達成されることが主張されている。消散波技術に伴う多くの問題が当該技術分野でよく知られており、商業的な診断または研究用製品があまり存在しないことも複雑さ、使いにくさ、および当該システムに伴う他の問題を実証するものである。
【０５６９】
本発明は、消散波法の限界の多くを克服した。特定の形態において、本発明は、単一の光散乱粒子、および個別的な単一の分子結合事象の検出が可能である。当該技術分野で知られた消散波および蛍光技術に比べた場合の本発明の利点としては、多くの異なる検体タイプ、分析形式およびデバイスに対する幅広い有用性、実質的な複雑さの緩和、使い易さの向上、検出感度の向上、およびコストの削減が挙げられる。
【０５７０】
例えば、本発明とハイブリダイゼーション法を利用して、非常に小量の標的核酸、さらには溶液中の２つの相補的核酸配列の間の単一分子結合事象を検出することが可能であった（実施例３２を参照）。
【０５７１】
本発明を利用した固相の核酸分析法の変形形態において、ポリイノシン（ポリ（Ｉ））またはポリシチジル（ポリ（Ｃ））核酸配列をガラスの顕微鏡スライドの小さな領域に結合させた。スライドにポリリシン溶液を塗布し、スライドを空気乾燥し、次いで１から２マイクロリットルの核酸溶液の小滴をスライドに滴下することによって、直径２から４ｍｍの「捕獲」核酸配列のスポットを作製した。液滴をインキュベーションした後に、スライドを洗浄し、次いでブロッキング液を使用して、スライドの表面を非特異的結合からブロックした。一実施形態において、標的核酸を光散乱粒子で標識付けする。標的核酸光散乱粒子結合体を含む試料を、相補的固定プローブを含むガラス・スライドに塗布する。インキュベーション後、スライドの捕獲核酸領域における光散乱粒子からの光散乱信号の検出および測定を行うことによって標的核酸の存在および量を測定する。例えば、直径２から４ｍｍのポリ（Ｉ）核酸配列のスポットを固定捕獲プローブとしてガラス・スライド上に配置した。直径８０ｎｍの金粒子に結合したポリ（Ｃ）核酸配列を標的として使用した。金粒子で標識付けされたポリ（Ｃ）標的を含む一定量の試料をスライドの表面に塗布した。スライドをカバースリップで覆って、我々の照明および検出法（ＤＬＡＳＬＰＤ）に合わせて特別に改造した光学顕微鏡に配置した。数分後、ポリ（Ｃ）−８０ｎｍ結合体がスライド上のポリ（Ｉ）捕獲プローブ領域に結合すると、スライド上の個々のポリ（Ｉ）捕獲スポットが目に見えるようになった。驚いたことには、顕微鏡ステージ上のスライドを裸眼で直接観察することによって、試料溶液を除去することなく捕獲スポットを見ることができた。ポリ（Ｉ）捕獲ゾーンは、時間が経過するにつれて非常に明るくなった。顕微鏡を通じてスライドを観察すると、個々の粒子がスライドに結合されているのを観察することができ、また表面に拘束された粒子に対して想定されるように、結合された粒子の多くがわずかに移動しているのを観察することができた。スライドを洗浄し、それを緩衝液およびカバースリップで覆い、それを再び顕微鏡に配置した。いくつかの方法により、ポリ（Ｉ）捕獲スポットにハイブリッド結合した標的ポリ（Ｃ）−金粒子結合体の量を検出、測定することが可能であった。１つの方法において、顕微鏡の照明ステージ上に配置されたスライドを観察することによって、スポットからの相対的光散乱信号の検出および測定を裸眼で行うことができた。他の方法では、顕微鏡を通じて目でスポットを検出し、各スポットからの相対的散乱光強度を測定することが可能であった。他の方法では、粒子を視覚化できるように、顕微鏡の倍率を大きくした。次いで、各スポットにおける粒子の全数を目でマニュアル的にカウントした。他の方法では、ビデオ（ＣＣＤ）カメラの形態の光検出器を使用して、スライドの画像を収集した。フレーム・グラバおよび画像処理ソフトウェアを使用して、スライド表面のデジタル画像を作成した。デジタル化データ・ファイルは、コンピュータまたは他の記憶媒体およびデバイスに格納される。画像をコンピュータ画面上で観察し、目視検査を行い、かつ／または画像処理手段を使用することによって解析することができる。様々なプリンタ・デバイスおよび印刷媒体を使用して、画像をプリント・アウトすることもできる。デジタル化データから、様々な方法を用いることによって、各捕獲スポットまたはスライド上の他の任意の領域からの光散乱信号の量を測定することが可能であった。例えば、１つの方法において、市販の画像解析および画像処理ソフトウェアを使用して、コンピュータ画面上でスライドのデジタル化画像を観察した。スポットの相対的な輝度を比較することによって、スライド、または異なるスライドの異なるデジタル化画像上の異なるスポットにおける相対的光強度を裸眼で測定することができた。他の分析法において、市販のソフトウェアを使用し、我々が様々なパラメータおよびパラメータ定数の組合せ、変数およびアルゴリズムを導入した様々なユーザ関数を選択して、異なるスポットの光散乱信号を分析した。例えば、スポットのデジタル化画像の集積光強度を以下のように測定した。描写ツールを使用し、光散乱粒子を含む画像スポットの境界の周囲に円を描き、解析対象となるスポットとしてそのスポットを識別した。画素毎の輝度または光強度に関するソフトウェアの検出限界を、光散乱粒子が結合しない類似サイズの対象スポットを反映するように調整した。これは、スライド系の背景信号としての役割を果たした。次いで、様々な測定関数を使用してスポットの全光強度を積分した。あるいは、スライドの背景に対して設定された背景限界検出レベルを用いずにスポットの集積光強度を測定し、次いで背景からの信号を、スポット毎に測定した全集積光強度から差し引く。
【０５７２】
多くの画像において単一粒子を観察することができた。スポット内の光散乱粒子の相対量、および／またはスポット毎の散乱光強度の相対量を測定するために、以下の方法を用いた。オブジェクトを識別するためのソフトウェアの描写ツールを使用し、個々の粒子の周囲に円を描き、次いで画像化した粒子の粒径（面積）、光散乱信号の強度（単位面積当たりの検出強度の量）、および検出した散乱光の赤、緑および青成分に関する色スペクトルのような様々な測定可能パラメータに対してそれらを解析した。識別された粒子のわずかな部分に対してこれらの測定パラメータのうちの１つまたは複数のパラメータを使用して、これらのタイプの測定に対する較正パラメータを導いた。次いで、これらの較正パラメータのうちの１つまたは複数のパラメータを、どのオブジェクトを光散乱粒子として識別するかに関する限界値としての役割を果たすように、ソフトウェアに入力した。この手法を用いて、解析のための描写ツールにより捕獲スポットを選択した。我々の設定較正パラメータを用い、ソフトウェアを使用して、捕獲スポットにおける光散乱粒子を識別した。この手法に従って、捕獲スポット毎の粒子の数をカウントするとともに、捕獲スポットにおける識別された光散乱粒子の検出された光散乱信号を合計することが可能であった。驚いたことに、粒子を直接カウントする方法、またはまず粒子を識別してから個々の粒子強度を合計する方法を用いることにより、スポット全体の集積光強度測定手法に比べて、非常に高い信号対背景比が得られた。スライド内、または多くの異なるスライドまたは試料間で比較可能な定量測定では、特定領域においてスライドに内部較正ゾーンを付加することができる。較正領域は、光散乱粒子、またはスライド、アレイ・チップ、または測定される任意の固相表面上で試料毎に一定の較正データを生成することが確認されている他の任意の物質から構成されうる。較正領域は、（１）光散乱強度を検出し、光散乱粒子を識別するための較正パラメータを設定し；（２）試料に伝達される照明光の量を調節し；（３）光検出器のゲインを調節し；（４）照明光強度および検出効率の変動に対して様々な試料ゾーンの測定光散乱強度を正規化するのに利用される。単一粒子を識別できる密度における光散乱粒子の超高感度検出では、個々の粒子の光散乱強度をカウントかつ／または合計する方法が、信号／雑音比に優れるため好ましい。
【０５７３】
あるいは、光増倍管またはフォトダイオードの如き他の光検出器手段を用いて各スポットの集積光強度を検出することもできる。この方法において、光散乱粒子からの信号を検出するために、例えばＦｏｄｏｒ他、Ｎａｔｕｒｅ  ３６４：５５５（１９９３）に記載されているようにスライドを走査することができ、あるいは例えば米国特許第５，５９９，６６８号（Ｓｔｉｍｐｓｏｎ他）に記載されているように、各光検出器が１つのスポットから到来する信号を検出するフォトダイオードまたは他の検出器のアレイを作製することができる。これらの方法は、参照により本明細書に組み込まれている。
【０５７４】
該方法の他の変形形態では、本発明を利用してサンドイッチ型分析形式が可能であるかどうかを判断しようとした。サンドウィッチ型の形式では、配列の異なる領域に対して相補的な２つ以上のプローブ核酸配列が使用される。サンドウィッチ型核酸分析を以下のように実施した。ポリ（Ｃ）配列をガラス・スライド上の２から４ｍｍの小スポットに結合させた。固定化されたポリ（Ｃ）の機能は、プローブとして機能して、試料中に存在する標的ポリ（Ｉ）核酸配列を捕獲することである。これらの実験に使用されたポリ（Ｃ）およびポリ（Ｉ）配列は、長さに関する異質な集団であること、またポリ（Ｉ）の平均長さは、ポリ（Ｃ）の平均長さより数百塩基分長いことに留意されたい。したがって、ポリ（Ｉ）分子の多くについては、２つ以上のポリ（Ｃ）分子を同じポリ（Ｉ）分子に結合させることができるはずである。検出プローブ核酸配列として、８０ｎｍの金粒子をポリ（Ｃ）核酸配列に結合させた。ポリ（Ｉ）捕獲スポットに存在する光散乱信号の量を検出することによって、溶液中の標的ポリ（Ｉ）核酸配列の存在および量の検出および測定を行う。あるいは、溶液中に残留する未結合のポリ（Ｃ）−粒子プローブの量を測定し、または溶液中に残留する量に結合する量の合計を用いることができる。２つの方法のうちの一方の方法でサンドウィッチ分析を行った。第１の方法では、標的ポリ（Ｉ）とプローブ・ポリ（Ｃ）−粒子を混合し、次いでスライドに塗布した。第２の方法では、ポリ（Ｉ）標的をまずスライドとともにインキュベーションし、次いでプローブ・ポリ（Ｃ）−粒子を加えた。これらの方法のいずれかを利用して、ポリ（Ｃ）−粒子がスライド上のプローブ捕獲スポットに結合していることを確認し、先述した様々な方法を用いてその量を測定することが可能であった。
【０５７５】
本発明の他の実施形態において、ハイブリダイゼーションによる配列法（「ＳＢＨ」）、およびＡｆｆｙｍｅｔｒｉｘ社が製造した特殊なオリゴヌクレオチド・アレイ・チップを使用することによって、試料中の標的核酸配列の検出、測定および定量を行った。ハイブリダイゼーションによる配列法は米国特許第５，２０２，２３１号および米国特許第５，５２５，４６４号（Ｄｒａｍａｃ他）に開示されており、同様の関連方法も当該技術分野においてよく知られており、参照により本明細書に組み込まれている。チップの表面上の小領域に結合した特殊なオリゴヌクレオチド配列の複数の繰返しアレイから構成されるＡｆｆｙｍｅｔｒｉｘ可変密度１１６４チップを使用した。チップ上に適切な配列を配置することによって、実際に、試料中の任意の核酸配列を分析することができる。１１６４チップは、表面上に数千もの個別結合領域を含み、それぞれの結合領域は、表面上に固定された既知の配列および長さのオリゴヌクレオチド核酸配列の多くの複製物を含む。結合領域の大きさは、約１００×１００ミクロンから約２０×２０ミクロンの範囲にある。Ｃｈｅｅ他、Ｓｃｉｅｎｃｅ：２７４、６１０−６１４（１９９６）に記載されているように、アレイの共焦点撮像および走査を含む蛍光技術を用いて、チップ上の結合領域の検出および測定が行われる。
【０５７６】
ＳＢＨオリゴヌクレオチド・チップおよび他の核酸アレイの普及に対する現在の課題は、現行の測定および手順を簡素化すること、全体的なコストを低減すること、および検出感度を高めることに関連づけられる。これらの課題を克服できれば、オリゴヌクレオチド・アレイおよび関連するアレイ技術を使用することが、感染病検出、遺伝子分類、遺伝子突然変異分析および多型現象分析を含む用途に対する分子レベルでの疾病診断に非常に重要な役割を果たすことができる。
【０５７７】
以下のように、試料中の２０塩基長の標的核酸配列の内部の１０塩基配列の検出、測定および定量を行った。標的配列として、２０塩基長のＤＮＡオリゴヌクレオチドを使用した。該方法のこの変形形態では、ビオチンおよびアンチビオチンを第２の結合対とする間接的な検出法を用いた。ビオチン分子を結合対の一部として標的に結合させ、平均粒径７０ｎｍのアンチビオチン−金粒子結合体調製物を検出プローブとして使用した。ビオチン基を標的核酸の一端に結合させた。以下のように分析を行った。ブロッキング液でＡｆｆｙｍｅｔｒｉｘ  １１６４チップをブロックして非特異的結合を最小限に抑えた。２０塩基長の標的核酸配列を含有する試料を、ブロックされたＡｆｆｙｍｅｔｒｉｘ  １１６４オリゴヌクレオチド・アレイ・チップとともにインキュベーションした。ハイブリダイゼーションに続いて、緩衝液でアレイ・チップを洗浄した。次いで、金粒子−アンチビオチン結合体をチップに加え、短時間インキュベーションした後、除去し、チップを緩衝液で洗浄した。ＤＬＡＳＬＰＤ法の多くの変形形態を用いることによって、チップ上の個々のオリゴヌクレオチド結合部位の各々にハイブリッド結合した標的核酸配列の量を検出、測定することができた。１つの変形形態において、人差し指と親指で１１６４チップを保持し、倍率１０の対物レンズを備えた顕微鏡照明装置を使用した。我々の目に届くほとんどの非特異的散乱光が最小限に抑えられ、十分な照明光がそれを検出するチップへ伝達されるように、チップの表面を光源の光線に対して傾斜させた。この方法を用いて、アレイ内の散乱光を検出することができ、裸眼で個々の結合領域の大部分を分解することができた。ＤＬＡＳＬＰＤ法の他の変形形態において、チップの表面に焦点を合わせるように、目とアレイの間に配置された拡大鏡を使用した。各アレイ単位における個々の結合部位を分解する能力が向上した。他の変形形態において、図１２Ａに示されたのと同様のプリズムの上面にアレイ・チップを配置し、プリズムの上面とチップの底面の間に浸漬油を一滴滴下した。半乾燥状態のチップの表面を観察するとともに、それをカバーガラスで覆われた緩衝液の薄膜で覆った。この方法を利用し、裸眼または矯正眼（拡大鏡）で相対的なレベルの光散乱強度の検出および測定を行うことができた。次いで、ＣＣＤビデオ・カメラを三脚台に乗せて使用し、照明されているチップ表面全体の画像が検出できるようにカメラを方向づけた。該方法の他の変形形態において、光学顕微鏡に搭載されるように解像された上述のプリズムと同様のプリズムを使用し、顕微鏡光学素子を介してチップを観察した。倍率が小さくても、各結合部位から到来する光散乱信号の量をより詳細に確認することができた。結合がほとんど目立たず、各アレイ単位における個々の結合部位間の強度のバラツキが多いことを確認した。チップ上の各アレイ単位は、同じ組成および二次元パターンのオリゴヌクレオチド結合部位を含む。アレイ上の各々の結合部位からの光散乱強度の相対量は、チップ上のどのアレイも極めて類似していた。異なる倍率を用い、手操作でチップを移動させ、顕微鏡に搭載されたＣＣＤカメラで画像を取り込むことによって、様々な領域の画像��取り込んだ。観察、検出、測定したいチップ表面の詳細度および大きさに応じて異なる対物レンズ設定を用いた。デジタル化データから、コンピュータ画面上でデジタル化画像を肉眼で観察することによって各結合部位の相対的な光散乱量を測定することが可能であった。本明細書に記載の画像解析方法によって結合部位の散乱光強度を測定した（例えば、集積光強度、計数、単一粒子強度の合計）。非特異的結合レベルが非常に低いこと、ならびにデータの再現性に非常に驚いた。また、非常に速く画像を収集でき、様々な画像解析方法によって、各部位における結合量を測定できることにも非常に驚いた。検出の代替的な実施形態において、散乱光強度の機械的な半自動または全自動検出を、共焦点または非共焦点機器および方法に用いることができる。例えば、米国特許第５，５７８，８３２号（Ｔｒｕｌｓｏｎ他）およびＦｏｄｏｒ他、Ｎａｔｕｒｅ  ３６４：５５５（１９９３）の方法を用いて、結合部位における光散乱信号を検出することが可能であり、これらの方法は参照により本明細書に組み込まれている。現在使用されている現行の蛍光によるレーザ走査（共焦点結像または非共焦点結像）法は、表面の結合部位の数に応じて、通常数分間かかることに留意されたい。検出に続いて、解析しなければならない莫大な量のデータが存在し、この工程はさらに数分間かかる。ＣＣＤカメラを用いた我々の光検出法を使用して、低倍率で一秒以内にチップ全体に対するデータを収集することができた。より高い倍率では、チップを手操作で移動させ、チップの様々な部分を光検出し、デジタル化した。この手順は容易に全自動に変換することが可能である。本明細書に記載されている様々な画像解析方法を用いて手操作でデジタル化画像を解析した。チップの設計が定まると、既に説明したように、デジタル化画像の収集、およびソフトウェアを利用した画像解析法による測定に基づいて全自動検出および解析システムを作製することができる。したがって、本発明は、オリゴヌクレオチド・アレイおよびチップ、および検体および新しい薬剤を迅速にスクリーニング、検出するための他のタイプのアレイに対する信号生成および検出システムとして有用性が高い。これらの用途に本発明を利用することで、試料の検出および分析のスループットを高めながら手順および計測の複雑さおよびコストを実質的に低減することができる。
【０５７８】
遺伝子発現および遺伝子発現アレイ
遺伝子発現の研究は、疾病診断、薬物標的および薬物開発、生化学の研究を含む多くの異なる分野で極めて重要になりつつある。最近、遺伝子発現レベルを測定するとともに、情報を収集する速度を速めるための新しい方法および方策の開発に多大な労力が注がれている。例えば、複数のｃＤＮＡをガラスまたは他の基板に結合させることを含むアレイをベースとした方法が報告されている（Ｓｃｈｅｎａ他、Ｓｃｉｅｎｃｅ（１９９５）２７０：４６７−４７０；Ｓｈａｌｏｎ他、Ｇｅｎｏｍｅ  Ｒｅｓｅａｒｃｈ  ６：６３９−６４５）。また、Ｌｏｃｋｈａｒｔ他、Ｎａｔｕｒｅ  Ｂｉｏｔｅｃｈｎｏｌｏｇｙ  １４：１６７５〜１６８０には、オリゴヌクレオチド・アレイを利用して遺伝子発現を測定する代替的アレイ法が記載されている。これらの方法は、参照により本明細書に組み込まれている。
【０５７９】
任意の所定の遺伝子の相対的または絶対的発現レベルを測定するためには、生体または細胞に存在するｍＲＮＡレベルの濃度を測定しなければならない。一部にハイブリダイゼーション法を用いる、試料中に存在するｍＲＮＡの量を測定する当該技術分野で知られている方法が数多く存在し、これらの方法は参照により本明細書に組み込まれている。当該技術分野で知られている現行の遺伝子発現アレイ法は、蛍光技術および蛍光標識を使用して、標的核酸配列種のアレイに対するハイブリダイゼーションの検出および測定を行い、次いでハイブリダイゼーション量を試料中の特定の遺伝子のｍＲＮＡの量に関連づける。
【０５８０】
次に、本発明により遺伝子発現アレイ分析をどのように行って、試料中の１つまたは複数の遺伝子の発現レベルを評価、検出、定量できるかについて説明する。光散乱標識、および分析に特有の様々な形式をどのように核酸分析システムに導入するかについては既に説明した。オリゴヌクレオチド、ｃＤＮＡまたは他の核酸配列のアレイを作製する。アレイの異なる結合部位に使用される核酸の配列は、特異的標的ｍＲＮＡ、ｍＲＮＡ標的から生成されたｃＤＮＡ、または標的ｍＲＮＡのｃＤＮＡ複製物から生成されたｉｎ  ｖｉｔｒｏ転写配列に特有（と相補的）である。実際の分析法において、試料のｍＲＮＡがチップ上で直接分析されている場合は、ｍＲＮＡが標的核酸配列になる。ｃＤＮＡおよびｉｎ  ｖｉｔｒｏ転写法では、ｃＤＮＡおよびｉｎ  ｖｉｔｒｏ転写核酸配列が、分析対象の標的核酸になる。１つまたは複数の光散乱標識を標的配列に貼付する。標的核酸配列が標識付けされると、その調製物は使用されるアレイおよびハイブリダイゼーション法に適用される。次いで、本明細書に記載した多くの変形形態により、ＤＬＡＳＬＰＤ照明および検出法を用いて、アレイを洗浄し、または洗浄せずに検出することができる。
【０５８１】
他の実施形態において、オリゴ−ｄＴ核酸配列を光散乱粒子に結合させて、ポリ（Ａ）配列に結合する核酸配列−粒子試薬を形成することによって、遺伝子発現分析法または他の形式において、ｍＲＮＡレベルの検出および測定を直接行うことが可能である。たいていのｍＲＮＡ分子は、分子の一端にポリアデニル配列（「ポリ（Ａ）」）を含むことは当該技術分野においてよく知られている。このポリ（Ａ）テールは、オリゴｄＴを含む分離カラムを使用した試料からのｍＲＮＡの精製にしばしば利用される。分析を実施するために、空間的に異なる領域において表面に固定された対象となるｍＲＮＡに相補的な核酸配列を有するアレイ・チップを構成する。試料のｍＲＮＡを収集し、チップに結合させる。ハイブリダイゼーションの前、最中または後に、ポリｄＴを塗布した光散乱粒子を試料に添加することができる。ポリ（ｄＴ）を塗布した光散乱粒子は、ｍＲＮＡに含まれるポリ（Ａ）配列に結合する。標的ｍＲＮＡに対する相補的核酸配列を有するチップの結合領域における光散乱粒子の量を測定することによって、試料中の任意の所定のｍＲＮＡ標的の存在および量を求める。
【０５８２】
遺伝子発現の測定と核酸検出および測定の両方に適用可能な本発明の他の実施形態において、特異的核酸配列、ＤＮＡ結合タンパク質、または他の分子識別剤を光散乱粒子に結合させ、標的核酸配列の存在および量を検出するのに使用する。例えば、１つまたは複数のポリ（Ａ）配列、またはポリ（Ｉ）とポリ（Ｃ）の如き他の単独重合体の配列対を使用して、標的核酸配列を検出するための二次的な結合対を生成することができる。
【０５８３】
代替的な方法では、核酸またはＤＮＡ結合タンパク質を光散乱粒子に結合させ、核酸結合タンパク質−粒子試薬を標的配列の存在に対する検出プローブとして使用する。ＤＮＡ結合タンパク質が結合する核酸の配列は、標的配列内で必然的に発生しうるか、または分析手順に必要とされる標的またはプローブ核酸配列に結合させることができる。
【０５８４】
他の方法では、ＤＮＡ−ＤＮＡ二本鎖、ＲＮＡ−ＤＮＡ二本鎖、またはさらには三本鎖構造に対する特異的結合特性を有するプローブ分子に光散乱粒子を結合させる。例えば、二本鎖核酸構造体に対する特異的結合特性を示す多くの化合物が存在することがよく知られている。臭化エチジウム、その二量体、およびこの分子の他の変形体が二本鎖核酸構造体に結合する。したがって、該方法のこの変形形態において、光散乱粒子−臭化エチジウム試薬を調製し、ハイブリダイゼーションに続いて遺伝子発現アレイに添加する。結合ゾーンで検出された光散乱量から発現の存在および量を測定する。
【０５８５】
核酸分析に二次的な結合対を使用する当該技術分野で知られた方法のすべてが、参照により本明細書に組み込まれている。
【０５８６】
光散乱検出装置および方法の例
ほとんどのタイプの核酸アレイ、また任意のタイプのアレイをベースとした方法については、本発明により光散乱信号を検出、測定するのに使用できるいくつかの異なるタイプの機器が存在する。ＡｆｆｙＭｅｔｒｉｘ  １１６４  ＤＮＡチップの検出および分析を開示したなかで、検出および分析方法についての多くの異なる変形形態を説明した。これらの方法のいくつかは、検出光ボックスのような単純な機器で実施することができる。例えば、検出光ボックスは、適切な角度に傾斜されてアレイを照明する光源、ステージ、ウィンドウ、またはアレイを配置してそれを照明し観察するための他のプラットフォームを設けることによって構成される。この機器により、医師、実験室技術員、研究員などがアレイをホルダー上の正しい位置に配置し、次いでアレイ上の各々の結合部位から散乱する相対的な光の量を観察し、肉眼により手操作でアレイを分析する。観察されるアレイの上部に配置されるオーバレイ・テンプレート、またはチップ上で観察された光散乱強度のパターンの特異的分析に関連づけられるアレイの外観の診断標準パターンを使用してアレイの分析に役立てることができる。より定量的な情報が必要な場合は、すでに述べたように、撮像または非撮像検出光学素子に基づいて機器を構成することができる。例えば、アレイが多くの結合部位を含み、より定量的な測定が必要とされる場合は、半自動または自動画像解析システム機器を構成することができる。例えば、アレイの表面に垂直な適切な集光レンズおよび光検出器を使用し、照明源から光検出器に対する集光光学素子にほとんどまたは全く光が入射しないようにアレイを照明する照明源を設けることによって撮像機器を構成する。集光光学素子は共焦点素子であっても非共焦点素子であってもよい。画像解析方法、および試験に特有の適切なアルゴリズムを用いてＣＣＤチップまたはビデオ・カメラにより収集された画像を解析することができる。集積散乱光強度の測定、単一粒子の計数、または計数された粒子の集積光強度の測定、あるいはこれらの方法の何らかの組合せによって、検出された信号を解析することが可能である。照明源の性質に応じて、１つまたは複数の光波長を分析することができる。
【０５８７】
細胞の識別および測定
本発明を多くの異なる形態で使用して、試料中の特定の細胞タイプおよび生体を検出、測定することができる。感染病の原因となる核酸配列、または任意の生体の存在および量を検出するのにハイブリダイゼーション法をどのように使用できるかについて既に説明した。他の非ハイブリダイゼーション法を用いることもできる。例えば、免疫化学技術、レクチン、医薬品、および特定タイプの細胞に特異的に結合する他の物質を使用することによって試料中の生体または特定のタイプの細胞を検出することが可能である。例えば、抗体が対象とする細胞の細胞表面抗原に対して特異的である光散乱粒子−抗体結合体試薬を調製する。光散乱粒子−抗体結合体試薬を試料に付加し、インキュベーションし、次いで細胞を調製して分析に備える。一実施形態において、画像解析技術を用いることにより、特定の細胞タイプに対する均質（非分離分析）を行うことが可能であった。ヒトリンパ球調製物を単離し、赤血球細胞を溶解させ、細胞を洗浄した。抗ヒトＩｇＧ抗体と直径６０ｎｍの金粒子の結合体試薬を調製した。粒子試薬をリンパ球細胞調製物と混合し、次いでその一定量を顕微鏡スライドに配置し、適切な集光光学素子用いたＤＬＡＳＬＰＤ法を用いて光学顕微鏡で観察した。この方法では、結合体試薬は、リンパ球調製物の細胞のうちの限定的な数個の細胞にのみ結合し、細胞の多くは粒子試薬との結合を示さないことを確認した。細胞の約１％が粒子試薬で標識付けされていることを確認した。このリンパ球群の標識比率は、Ｂ−リンパ球の約５％が発現したＩｇＧ抗原を有し、またＢ細胞の相対的存在量は非ＲＢＣリンパ球群の約２０％であることが知られているため、おおよそ予測通りであった。個々の粒子結合体がブラウン運動を行っているのを視野のなかで観察することができ、どの細胞が結合粒子試薬を含み、どの細胞が含んでいないかに関する判断を行うために未結合または遊離粒子を洗い出す必要はなかった。また、各細胞に結合している粒子をカウントすることによって、結合粒子結合体の数を容易に定量することができた。ＣＣＤビデオ・カメラを用いて画像を取り込み、デジタル化するとともに、画像処理方法によって、標識されている細胞を特定し、細胞当たりの粒子結合体の数、および試料中の標識細胞の相対量を測定した。他のサイトで記載したように、顕微鏡を使用した機器、または他の撮像機器を検出および解析用に構成することが可能である。
【０５８８】
本発明の他の実施形態において、フロー・サイトメーターまたは他の流動系装置を使用することによって、特定の細胞の識別および定量の検出および測定を行うこともできる。この変形形態では、細胞に結合した光散乱粒子の１つまたは複数の光散乱特性が検出される。照明および検出光学素子は、対象となる特異的光散乱特性の検出を最大限にするように構成される。
【０５８９】
本発明の他の実施形態において、粒子を細胞の表面に結合させるか、あるいは細胞の内部に配置する。一連の操作を通じて細胞を追従、追跡できるように、または細胞に結合した光散乱粒子の１つまたは複数の散乱特性を検出することによって細胞群のなかで後日識別できるように、粒子を細胞に対する識別タグとして利用する。
【０５９０】
生体検出および測定
本発明の１つまたは複数の態様を利用することによって試料中の生体の検出および測定を行うことが可能である。核酸ハイブリダイゼーション法の使用については他のサイトで説明した。例えば、生体上の表面抗原、例えばトキシン、または生体に特有の任意の他の物質のような、生体によって生成される化学的または生物学的物質に対する特異的な結合特性を有する特異的光散乱粒子−抗体結合体を調製することができる。一実施形態において、サンドウィッチ免疫測定形式が使用される。既知のトキシン分子またはバクテリアもしくはウィルスの表面抗原に対する特異的結合特性を有する粒子−結合体試薬が作製される。マイクロウェル、プラスチック、ガラスまたは他の固体表面に、表面検体またはトキシンに特異的に結合しうる抗体をコートする。試料と粒子−結合体試薬を固相に塗布する前に混合することが可能であり、または２工程アプローチが使用される。２工程アプローチでは、試料を容器に塗布し、洗浄し、次いで粒子−結合体を塗布する。いずれの手法においても、粒子結合体のインキュベーションに続いて、固相を洗浄し、検出された光散乱信号の存在および量によって試料中の生体の量を測定する。
【０５９１】
別の実施形態では、溶液中で凝集形式を行う。光散乱粒子に特定の結合剤の分子をコートする。粒子−試薬を試料に添加すると、標的生体が存在する場合は、多粒子凝集体が形成することになる。多粒子凝集体の数、または該凝集体の光散乱特性、または粒子結合剤試薬の減少量を用いて存在する生体の量の検出および測定を行う。凝集形式の変形形態において、Ｈａｔａｎｏ他、Ａｎａｌ．Ｃｈｅｍ．６９：２７１１−２７１６（１９９７）およびＫａｎｏｔａ他、Ａｎａｌ．Ｃｈｅｍ．６９：２７０１−２７１０（１９９７）に記載されているような光学クロマトグラフィー技術を使用することができる。これらの方法は、参照により本明細書に組み込まれている。
【０５９２】
他の実施形態において、細胞特有の抗体、レクチン、または他の分子識別剤が空間的に異なる領域でアレイに結合したアレイ型デバイスを使用して、異なる細胞をアレイの異なる領域に取り込む。試料をアレイに加える前または後に、光散乱粒子試薬を使用して細胞を標識する。他の例では、本発明、ならびに生体の種および／または菌株に対して特異的なウィルスまたはバクテリア抗原を特異的に識別する特定のモノクローナルまたはポリクローナル抗体を用いることによってウィルスまたはバクテリアを検出および測定する。ガラス、プラスチックまたは他の光学的に透明な媒体から構成される固相上で、検出される生体に対して特異的な表面に抗体をコートする。固相はチップ、計量棒または他の形態をとりうる。アレイまたは他のパターンの個別的な領域の固相の表面に１つまたは複数の特定の結合剤を使用することができる。試料を固相に加える。インキュベーションの最中もしくは後、かつ／または洗浄後に、ウィルスまたはバクテリア抗原に結合する特定の抗体に結合した光散乱粒子を含有する溶液を加える。次いで、光散乱粒子−抗体結合体を含有する溶液から固相を除去し、検出または測定前に洗浄することが可能である。固相の結合ゾーンから到来する光散乱信号の量を検出かつ／または測定することによって、存在する生体の存在および／または量を測定する。検出および測定は、裸眼または矯正眼によって、あるいは本明細書の他のサイトに記載した画像または非画像光検出および解析によって行うことができる。各結合ゾーンがウィルス、バクテリア、または生体の特定の菌株に対して特異的な抗原を含む固相上のいくつかの異なる結合ゾーンを使用することによって、多数のウィルスまたはバクテリアを同様にして検出、測定することができる。これらは、細胞および生体の識別に対する本発明の高度な有用性を示す数例にすぎない。当業者は、試料中の細胞または生体の存在および量を検出するのに本発明を何らかの形で利用することが可能な他の多くの異なる形式が存在することを認識する。
【０５９３】
コンビナトリアルケミストリー、薬物標的および薬物の同定および特性決定、ならびに高スループットスクリーニングへの本発明の応用
何らかの形の本発明は、薬物の発明および開発において高度な有用性を有する。近年、薬物の発見のための新しい方法および技術が急激に増加している。医薬品としての潜在性を有する数千もの特異的な分子よりなる合成、生物または生合成ライブラリーを迅速に構築することを可能にするコンビナトリアルケミストリーが開発された。ある最近の文献は、コンビナトリアルケミストリーに関連するいくつかの記事を掲載し、有効な背景情報として寄与しており（Ｃｈｅｍｉｃａｌ  Ｒｅｖｉｅｗｓ  Ｖｏｌｕｍｅ  ９７、Ｉｓｓｕｅ  ２（１９９７））、これらの方法は、参照により本明細書に組み込まれている。様々な組合せライブラリー法が存在する。例えば、生物ライブラリー法としては、プラスミド、ポリゾームおよびファージディスプレー法を含む方法が挙げられる。空間的アドレス可能ライブラリー法としては、マルチピン・システム、セグメント化可能なキャリアを使用する多重合成技術、セルロース紙または高分子膜上のＳＰＯＴ合成、ガラス表面における光誘導合成、遺伝子発現アレイ、およびダイバーソーマ（ｄｉｖｅｒｓｏｍｅｒ）技術が挙げられる。さらに、位置的走査、直交分配、および繰返し手法一般の方法が当該技術分野で知られている。また、１ビーズ−１化合物組合せライブラリー法および合成溶液ライブラリー法、親和性クロマトグラフィー選定、ならびに親和性キャピラリー電気泳動も知られている。これらの方法についての簡単な説明およびさらに詳細な開示内容は、Ｌａｍ他、Ｃｈｅｍｉｃａｌ  Ｒｅｖｉｅｗｓ  ９７：４１１−４４８（１９９７）に見いだすことができる。これらすべての方法、およびＬａｍ他の文献に引用されている参考文献は、参照により本明細書に組み込まれている。
【０５９４】
どの組合せ法も通常３つ主要工程：（１）ライブラリーの構築；（２）薬理活性に対するライブラリーのスクリーニング；および（３）活性物質の分子レベルでの測定よりなる。様々な形態の本発明を用いて、コンビナトリアルケミストリーによって作製されたものを含めた潜在的な薬剤物質および薬物標的の検出および測定を行うことができる。本発明を利用して、多くの異なるタイプのスクリーニング分析法を開発することができる。例えば、（１）薬物標的の同定および特性決定、（２）標的が分析の基礎となる医薬品のスクリーニングに向けた特異的分析法の開発のためのスクリーニングおよび特性決定分析法を本発明により開発することができる。
【０５９５】
潜在的な薬物標的である生体物質に対して、約１００、０００種のヒト遺伝子の数千倍もの遺伝子によりコード化されている可能性が非常に高い。ヒト・ゲノム・プロジェクト、およびヒト・ゲノムの分析における高レベルの活性の結果として、既に多くの遺伝子が識別されている。加えて、人間および動物の疾病の原因になる生体の多くの遺伝子も識別されている。機能的ゲノミクスは、これらの遺伝子、およびそれらがコード化するタンパク質の機能を決定する分野である。本発明により遺伝子発現およびタンパク質発現分析を展開して、これらのうちのいずれを標的とするかを決定することができる。加えて、薬物標的に基づくスクリーニング分析を展開して新たな医薬品に対するスクリーニングを行うことができる。薬物標的は、生体成分、代謝経路、メッセンジャー経路、または医薬品がそれに対する効果を調節できる任意の他の生体成分またはシステムである。
【０５９６】
コンビナトリアルケミストリー、ヒト・ゲノム・プロジェクト、および機能的ゲノミクスの到来および開発によって、数千から数十万の潜在的医薬品を極めて迅速にスクリーニングするのに使用することができる検出システムに対する大きな需要が生じた。検出感度の高さ、堅牢性、低コスト、および多くの異なる形式に対する適応性はどれも重要な基準である。今日までは、蛍光標識および蛍光技術が、検出に対する選択方法になると思われる。比色法、ラジオアイソトープ法および化学発光法も知られている。これらの方法のいくつかは酵素を利用して信号増幅を達成する（例えばアルカリホスファターゼ）。
【０５９７】
例えば、比色ベースの検出法は、一般にマイクロモル（１０−６Ｍから１０−８Ｍ）の検出感度に限定される。蛍光ベースの方法は、検出感度が向上し、ナノモルから超ナノモルの範囲（１０−８Ｍから１０−１１Ｍ）の検出感度を有する。蛍光標識および方法に関連する問題としては、光分解および消光現象が挙げられる。多くの場合は、試料中の他の薬剤が蛍光標識と相互作用し、検出される信号が変化する可能性がある。化学発光をベースとした方法は、良好な検出感度（１０−１２Ｍ以下）を与えるが、特殊な試薬および慎重な取扱い技術を必要とし、化学発光反応は、試料中の成分による干渉を受けやすい。ラジオアイソトープ技術は既知の最も感度が高い技術の１つであるが、特殊な取扱い手順を必要とし、有害な物質を使用し、使用が困難で、高価である。
【０５９８】
本発明は、医薬品標的および医薬品の発見および開発に対する新しい信号生成および検出システムを提供する。本発明は、医薬品の発見および薬物標的の識別の技術分野において現在用いられている既知の標識および検出技術に比べ、検出感度が向上していること、より使い易いこと、応用範囲が広いこと、堅牢性が高いことを含むいくつかの利点を有するとともに、より低コストである。本発明は、多くの異なるタイプの薬物標的および薬剤分析におけるより安定し、より検出が容易な光散乱信号を提供する。本発明は、多くの異なる変形形態において、感度が高く、検出可能な信号を多く生成するため、マイクロアレイ、または小形の反応および試料容器を使用して分析を行うことができる。試料容器およびアレイの小形化により、分析のコストおよび所要時間が実質的に削減されるため、何千回もの分析を実施できる速度およびコスト効率が著しく高められる。
【０５９９】
本発明により多くの異なる生体外の生化学的、または細胞ベースの分析を展開して、潜在的な医薬品に対する試験を行うことが可能である。細胞表面受容体、細胞間受容体、細胞間信号タンパク質、Ｇ−タンパク質結合受容体、イオン・チャネル、プロテアーゼおよびタンパク質キナーゼを含む酵素、ＤＮＡ結合タンパク質、核酸ならびにホルモンの如き薬物標的を利用する分析を用いて、新しい薬剤の同定および特性決定を行うことができる。分析される試料は、単一または複数の細胞、細胞溶解物、組織試料、膜調製物、またはほとんどの任意の試料でありうる。本発明に用いることができる分析形式の多くは、生物学的測定、生化学的測定および医学診断測定に用いられる分析形式と類似している。これらは、競合的分析および非競合的分析、均質分析、医薬剤結合活性および／または薬物標的系に対する調節効果を検出、測定する固相マイクロウェルおよびより小さいウェル、アレイ、マイクロフルイディック・チャンバならびに溶液固相分析を含む。
【０６００】
分析を実施するために、特定の分析形式および薬物標的系を選択する。検出信号を提供する物体として、光散乱粒子を使用する。光散乱粒子を受容体、酵素物質、ホルモン、核酸、その断片のモノクローナルまたはポリクローナル抗体、ペプチド、タンパク質、あるいは検出、測定される標的物質に対してある程度のレベルの特異的結合活性を示す任意の薬剤に結合させることができる。ＤＬＡＳＬＰＤ法に基づく照明および検出法を用いて、光散乱信号を生成し、検出する。分析の性質に応じて、１つまたは複数の照明および／または検出波長を用いることができる。他のサイトですでに述べたように、適切な結合剤の組合せを使用することによって、分離または洗浄工程を必要としない核酸および抗原物質に対する均質分析を行うことができる。２つ以上の粒子が密着する分析形式では、光散乱強度、偏光度、角度依存性、波長、または他の散乱光特性の変化を利用して、結合の検出および測定を行うことができる。光学顕微鏡、または単一粒子を検出することが可能な同様の撮像システムに組み込まれるＤＬＡＳＳＬＰＤ法を用いることによって、個々の結合事象を検出し、特徴付けることができる。
【０６０１】
本発明を使用することによって、新規のタンパク質および／または遺伝子を識別することが可能である。例えば、Ｊａｒｖｉｋ他、ＢｉｏＴｅｃｈｎｉｑｕｅｓ  ２０：８９６−９４（１９９６）に記載されている「ＣＤタグ付け」の方法を本発明の１つまたは複数の形態と併用して検出および測定を行う。ＣＤタグ付けの方法では、単一の組換え事象において、特定のタグが遺伝子、ｍＲＮＡおよびタンパク質に付加される。光散乱粒子が直接または間接的に結合したタグに対する特異的結合剤を使用することによって、本発明によりタグを特定、識別する。
【０６０２】
本発明を使用して、試料中のタンパク質発現およびタンパク質濃度のレベルを検出、測定することも可能である。抗体、リガンド、受容体、または検出されるタンパク質に対する結合特異性を有する他の結合剤に１つまたは複数の光散乱粒子を結合させる。当該技術分野で知られている様々な分析形式、または本明細書に記載されている分析形式を用いることができる。光散乱粒子を検出し、測定することによって、試料中に存在するタンパク質の存在および量を確認する。
【０６０３】
コンビナトリアル合成分子ライブラリーのスクリーニング
急成長している重要分子のコンビナトリアル合成の分野における現行の大きな問題は、新たに合成されるコンビナトリアル分子のわずかな複製物を検出するための高感度で、実用的で、使い易い信号および検出技術および分析形式が不足していることである。
【０６０４】
我々は、我々の信号および検出技術は、二次元アレイまたは任意の空間的アドレス可能な固相の如き空間的アドレス可能サイトを含む固相上で容易に使用されることを確認した。したがって、我々の方法は、何らかの形態で、このタイプの形式の１つまたは複数の種類の組合せまたはバイオコンビナトリアル分子のスクリーニングおよび検出に直接適用することが可能である。該分析法は、当該技術分野における既知の手順のいずれかを有する。
【０６０５】
本明細書に記載した発明を用いて、１つまたは複数の特異的なコンビナトリアル分子、バイオコンビナトリアル分子、あるいは空間的にアドレス可能な固相上に存在しない他の方法で合成した分子の検出および定量を行うこともできる。例えば、「分割合成」、「平行合成」の方法、および関連方法（これらの方法はすべて本明細書に組み込まれている）を用いることによって、多種多様なバイオコンビナトリアル分子およびコンビナトリアル分子を合成できることは当該技術分野において知られている。典型的には、各粒子または基質が特異的なコンビナトリアル合成分子の集合体を含む微粒子または他の固体基質上で、多種多様なコンビナトリアル分子を合成する。当該技術分野において、「活性」合成分子集合体を含むそれらの小片または粒子の識別および精製の問題が存在する。
【０６０６】
我々の信号および検出システムを利用して、これらの特異的かつ望ましいコンビナトリアル生成物を精製および／または検出するいくつかの方法が存在する。１つの分析法において、（所望の検体に対して特異的な）結合剤を選定されたタイプの金属状粒子に塗布する。塗布された粒子を試料に添加すると、それが検体に結合する。あるいは、ビオチン標識付けされた結合剤を使用する間接的な方法は、まず検体を結合させ、次いで、検出に先立ち、ストレプタビジンが塗布された金属状粒子を添加することによってそれを検出する。合成固相上に存在する対象となる所望の検体に光散乱粒子を何らかの形態で結合させる。このように、濾過、遠心分離、透析、または当該技術分野で知られている他の任意の技術によって、所望の分子を試料から識別、単離、精製する。あるいは、特定分子を含有する合成粒子と金属状粒子の間に凝集体または網状体が形成されるように、結合剤が標識した光散乱粒子を添加することができる。上述したのと同様の手段を用いて、所望の分子の識別および精製を行う。
【０６０７】
異なるコンビナトリアル合成分子に対する多検体分析は、異なるタイプの結合剤がそれぞれ塗布された２つ以上のタイプの金属状粒子を使用することによって実施される。屈折率増大法およびＤＬＡＳＬＰＤビデオ強化コントラスト法を用いることも可能である。
【０６０８】
他の分析法において、金属状粒子は、反応容器に加えられたＥＭＦを使用することによって、これらの粒子を三次元空間で処理できるように、強誘電体または磁性体組成の組成物をも含む。このように、「活性」コンビナトリアル分子を含む基質粒子を、他の物質から容易に精製、検出することができる。強誘電体または磁性体の混合組成物、および他の金属状の特定粒子組成物も、診断測定を含む他の多くの分野において、また所望の分子の単離および精製に対して極めて有用であることに留意されたい。屈折率増大法と上記方法とを併用することで検出感度が高められる。
【０６０９】
固相合成支持体として使用される金属状粒子
金属状粒子は、適切な物質が塗布されると、例えばコンビナトリアル合成のような化学的または生化学的合成を実施するための優れた基材になる。例えば重合体、抗体、タンパク質、核酸、アミノ酸、反応性化学基などよりなる金属状粒子の特殊なコーティングを設けることができる。例えば、化学的反応性を有するアミン基を含むポリエチレン・グリコール化合物を金属状粒子に塗布する。次いで、金属状塗布粒子の表面に豊富に存在するこれらのアミン基に対して合成を開始する。アミン基の代わりに、他の反応性化学基、または特異的に活性化させることが可能な基を使用することもできる。他の例において、アミノ酸、または小ペプチドを金属または金属状粒子の表面に直接塗布するか、あるいは金属状粒子の表面に塗布される重合体または他のタイプの高分子に化学的に結合させる。次いで、金属状塗布粒子に結合されるこれらの反応性基に対して合成を開始する。他の例では、タンパク質、核酸、化学的または生物学的合成を行うことができるように、金属状粒子の表面に反応性基を結合させる。粒子の表面の反応性基の数を以下のようにして改変することも可能である。反応性アミン基（または他の反応性基）を有する、または有さないポリエチレン・グリコール化合物の混合物（分子量：２０，０００）を適切な比率で混合して、粒子当たりの表面上の反応性基を所望の数にする。このように、金属状粒子に、金属状粒子当たり特定量の化学合成部位または結合部位を塗布する。例えばさらなる化学合成、または診断試薬上の目的のような任意の特定要件に適合するように、部位の特定数、または反応性基の部位のタイプを変えることが可能である。例えば、診断タイプの用途では、所望の分析性能を達成するためには、金属状粒子当たりの特異的結合剤分子を適切な数とすることが重要であるといえる。加えて、所望の物質（例えば異なる結合剤または化学基など）を適切な比率で混入することによって、上記ポリエチレン化合物について記載したのと同じ手法を利用し、２つ以上の異なるタイプの反応生合成または結合部位を同一の金属状粒子に特定量配置することが可能である。これらのタイプの塗布粒子は、同一の粒子を使用して、２つ以上の異なる分子を単離、精製、検出するのに有用であるといえる。多くのタイプの金属状粒子が高密度（グラム／ｃｍ３）であるため、対象分子の精製、単離および識別においても多くの利点がもたらされる。ＭＬＳＰタイプの粒子は、媒体内で粒子をより容易に処理できるというさらなる利点をもたらす。上記の例は、この方法の多くの可能な変形形態のほんの数例にすぎない。他の多くの変形形態を当業者は理解するであろう。
【０６１０】
分析診断分野以外での発明の様々な態様の実施
本発明は、粒子の散乱光特性を検出することによって、試料中の１つまたは複数の検体を検出する方法を特徴とする。本明細書に開示されている発明の様々な態様は、診断分野以外の他の多くの特殊用途にそのまま応用できることに留意されたい。当該技術分野、または光学情報および記憶、画像形成および処理、電気−光学信号導入および切換、電気通信、情報変換器、および他の関連分野の如き他の分野に従事する者は、この開示により、本発明の様々な態様を実践して、特に分析診断測定以外の分野における問題を解決し、新たな製品を生み出してきた。
【０６１１】
他の分野への応用に対して極めて有用である現行の発明の１つの態様は、特定の粒径、形状、組成および均質性の特定の金属状粒子を、そのタイプの粒子に特有の特異的な光学的特徴によって識別する能力である。当該特定の光学的特徴を微小構造で具体化することで、これらの粒子信号剤を多くの分野で使用することが可能になる。例えば、工業的品質管理、マーカーまたは標識に使用して、任意の製品、材料、物質、または粒子を含む物体を識別または追跡することが可能になる。何らかの形態の粒子を、当該技術分野で知られている「バーコード」法と類似した識別手段等として使用することができる。例えば、１つまたは複数のタイプの粒子を含有するコーティング剤を消費者製品に塗布して、真正性、日付または他の該当情報を識別することが可能である。同様に、物体の真正性を判断するために検出できる特定の粒子タイプを紙幣、株券、証券などの表面に塗布したり、または紙材そのものに埋め込むことができる。
【０６１２】
他の例としては、少量の特定タイプの粒子を処方箋の内部または市販薬に含めることで、薬物を鑑定または追跡する。加えて、それらの粒子を環境、工業、医薬または生体トレーサーとして使用して、流体や材料などの配列の如きシステムの物理特性を調べることが可能である。これらは、多くの可能性の数例にすぎないことを当業者なら認識するであろう。
【０６１３】
他の分野にそのまま応用できる現行の発明の他の態様は、電場、磁場または関連場によって物理的に処理できる光散乱粒子を使用することである。当該粒子を可処理光散乱粒子（ＭＬＳＰ）と命名し、これらについては後に説明する。磁場、電場または関連電磁場（ＥＭＦ）を用いることによって、当該ＭＬＳＰ粒子を一次元、二次元または三次元空間の様々な配列に配向させることが可能である。このように、粒子の特異的光散乱特性を用いて、特定のパターン、画像または色を形成することができる。１つまたは複数のＭＬＳＰ粒子の特定の方位を利用して、単一粒子の光散乱特性を介した情報、得られる光散乱情報、すなわち特定の方位に配列された２つ以上の粒子の光学的特徴を記憶または導入することができる。例えば、青色、赤色または緑色の光を散乱する異なるタイプの粒子を、二次元アレイに特定数の画素を含む画面内の「画素」の如き小さな領域または体積の内部に配置する。画面が白色光で照明されたときに、画面はカラーまたは白黒画像、あるいはテレビ画像、ビデオ画像、映画に類似した動画像を形成する。適切なＥＭＦを加えることにより、適切に照明されると、青色、赤色および緑色の光を散乱する個々の粒子が配向して、特定の色相および輝度を有する色を生成するように、各画素または画素群は、電場または磁場（ＥＭＦ）によって空間的にアドレス可能である。例えば、１つの印加ＥＭＦにおいて、赤色粒子および緑色粒子は微小スポットに集中するのに対して、青色散乱粒子は、画素の内部体積の範囲内に自由に分散する。次いで、この画素は青色になる。次いで、異なるＥＭＦを加えて、赤色光または緑色光散乱粒子に対しても同じ効果を生じさせることができる。このように、各画素における異なる粒子を特異的に配向させることにより、所望のカラー画像が生成される。この方法および装置は、現行の陰極線管ベースの画像形成技術などに対して魅力的な利点を提供する。
【０６１４】
他の例では、ＥＭＦを適切に調節することによって、ＭＬＳＰ粒子をある特定の方位から他の方位に切り換える。例えば、緑色または赤色散乱光を生成し、かつ／または２つの異なるレベルの強度の散乱光を有することができる非対称銀粒子を以下のように使用する。粒子が回転できる、すなわち自らを再配向できる液体タイプまたは固体タイプの物質の特定の位置に１つまたは複数の粒子を配置し、粒子を含む物質またはデバイスにＥＭＦ場を加える。使用される粒子の数、およびデバイスの所望の機能に応じて、異なる粒子の方位が異なるタイプの情報を表すことになる。例えば、１つの方位において、非対称ＭＬＳＰ粒子の光散乱特性は「オフ」、または二進コード・システムにおける０を表すのに対して、別の位置または方位では、光散乱特性は「オン」、または二進法システムにおける１を表す。ＥＭＦを変化させることによって非対称ＭＬＳＰ粒子の方位を変えて、物質またはデバイスにおける粒子の所望の方位を得る。光が特定の方位の粒子と相互作用するときは、散乱光の特性は、上述のように特定タイプの情報を表す。このように、電気通信および関連分野において有用な単一および多成分光学スイッチを構成することができる。同様に、より複雑な情報の記憶および処理に対応して、これらのスイッチの連続体を縦列または並列に組み立てることができる。
【０６１５】
異なるタイプおよび／または方位の光散乱粒子およびＭＬＳＰ粒子を使用することによって情報を暗号化または記憶することによって新しいタイプの情報記憶デバイスを構成することが可能である。例えば、当該技術分野において「コンパクト・ディスク」または「ＣＤ−ＲＯＭ」ディスクなどとして知られるものに類似した光記憶ディスクを構成することができる。表面上に突き出た突起を使用して情報をコード化する代わりに、光散乱粒子を使用する。そこから粒子の光散乱特性を検出できる任意の物質に粒子を配置することができる。このように、はるかに多くの特定情報、およびより高密度の情報の記憶が可能になる。特定の用途において、様々な光散乱粒子を使用して構築することができる多くの異なるタイプのデバイスを当業者なら認識するであろう。上記の例は、当該金属状粒子およびＭＬＳＰ粒子を分析および診断検出の分野以外で使用する数多くの方法のわずか数例にすぎない。これらの応用形態は、本明細書におけるその開示によって有効となり、これにより出願人は、診断分析測定の分野以外の分野に対して本明細書に記載されている発明の様々な要素の実施に対する権利を主張するものである。
【０６１６】
典型的な液体試料用分光光度計および動作原理
典型的な光度計は、励起光線に対して直角の散乱光または放射光である光の強度を測定する直角光度計である。該機器の概略図が図２１に示されている。光源は、顕微鏡照明装置、または他の任意のタイプの光源である。該機器はモノクロメータとともに使用してもよいし、モノクロメータ無しで使用してもよい。異なる光源を接続するためのアダプタに光度計を設ける。散乱または放射光は、光電増倍（ＰＭ）管によって検出される。光度計は、光がＰＭ管に到達するのを防ぎながら試料を変えるための手動光シャッタを有する。必要に応じて光学フィルターまたは偏光子を入射または放射光路に導入する。直径が異なる円筒キュベット（例えば試験管）を試料キュベットとして使用する。しかしながら、任意のタイプの光透過性試料容器を適切なホルダーとともに使用することができる。直径６ｍｍで長さ５０ｍｍの管を使用し、赤外線（熱）フィルターを備えた顕微鏡照明装置を使用して、本明細書に報告されているデータを得た。
【０６１７】
該照明装置を直接またはモノクロメータを介して分光光度計に接続することができる。本明細書に報告されている測定に使用されたモノクロメータは、回折格子モノクロメータである。６Ｖ、３Ａｍｐの調整ＤＣ電源によって照明装置に動力を与える。このパラグラフでは、モノクロメータを動作させずに使用した機器の光学素子について説明する。倍率１０の対物レンズは、照明装置からの光を試料管に集める。（試料キュベットの中心から約１．５インチのところで）励起光線に対して直角に配置される集光レンズ（焦点長：２３ｍｍ、直径：１９ｍｍ）は、試料管の中心から約１０６ｍｍの距離において試料管の画像に焦点を合わせる。この距離は、光シャッタおよびフィルター・ホルダーを集光レンズとＰＭ管の間に配置することを可能にする。（＃２０のドリル・ビットで設けられた）直径３．２５ｍｍの穴を有するダイアフラムを画像面に配置する。ＰＭ管をそのダイアフラムの背後に配置する。ダイアフラムは、キュベットの壁から反射される光を遮断し、試料体積の中心から散乱される光のみをＰＭ管に到達させる。ダイアフラムは、ＰＭ管に到達する散乱光の量を減少させる一方、信号対背景比を最大にする。試料管から反射される光の検出を最小に抑えるためには、反射光が集光レンズに到達しないように、試料管を垂直方向に対して約４０から５０°の角度に配置する。この角度と屈折率効果により、試験管から発生する光は、集光レンズの中心軸に沿って移動せず、画像平面の散乱光線は、集光レンズの中心軸から下方に変位する。これには、３．２５ｍｍの開口、およびＰＭ管を集光レンズ軸から下方に変位させることが必要である。散乱光検出効率が最も高くなるように下方変位を手動で調節できるように機器を構成する。
【０６１８】
モノクロメータを使用する場合は、倍率１０の対物レンズとモノクロメータ出口スリットの間に追加的なレンズ（焦点長：２３ｍｍ、直径：１９ｍｍ）を配置することを除いては、光学素子は上述したのと同じである。レンズは試料キュベットの中心から４インチ（約１０．１ｃｍ）のところにある。モノクロメータの出口スリットは試料キュベットの中心から５．６インチ（約１４．２ｃｍ）のところにある。照明装置は、モノクロメータの入口スリットのアダプタに接続される。
【０６１９】
光度計光学素子の調節
ａ．分光計の試料ホルダーの６×５０ｍｍ培養管に６０ｎｍで４×１０−１２Ｍの金ゾルを仕込む。垂線に対する管の角度を４０°と５０°の間になるように調節する。角度調節された管は、集中励起光線がキュベットの中心を横切るように配置する。検出システムのほうへ反射される光の量が増えるため、励起光が管の前面（集光レンズに向かう面）に衝突しないようにする。
【０６２０】
ｂ．試料管の中心からの集光レンズの距離は、管の中心から１０６ｍｍの距離のところに管の壁の鮮明な画像を形成するように調節する。管の中心から約１０６ｍｍの距離に置かれた白紙上で、散乱光線、および試料管の壁の画像をはっきりと見ることができる。管の画像は、画像表面で約８から１０ｍｍの直径を有する。レンズは、キュベットの壁の鮮明な画像が得られるように配置される必要がある。散乱光線は、その幅が限定されるため、画像平面上ではややぼやけて見える。レンズの最良の位置は、試料キュベットの中心から約１．５インチ（３．８ｃｍ）の位置である。励起光が散乱液を横切るのをはっきりと見ることができる。
【０６２１】
ｃ．上記集光レンズ位置の調節は、機器から取り除かれたシャッタ、フィルター・ホルダーおよびダイアフラム・ホルダーを含む構造によって行う。レンズを正しく配置した後、後者の構造を元に戻し、３．２５ｍｍの開口部を有する光遮断ダイアフラムを挿入する。ＰＭ管を所定の位置に挿入する。
【０６２２】
ｄ．工程ａ、ｂおよびｃに続いて、集光レンズ光学素子に対する開口部の位置を以下のように調節する。ＰＭが挿入されるとＰＭ光電陰極の平面が位置する場所に白紙を置く。光散乱金粒子を試料槽におさめて、ＰＭ管上で最大光量が観察されるまで開口部の位置を調節する。開口部が正しい位置に配置されると、紙の上の光は、直径０．３２インチ（８ｍｍ）のスポットに見える。
【実施例】
【０６２３】
実施例６．１から６．１０は、粒子から散乱される光、または蛍光分子から放射される光、あるいはその両方を測定することを含む。光信号を測定するのに使用される機器は、先述にように構築される光度計である。
【０６２４】
実施例６．１から６．３では、これらの測定に使用されるポリスチレン粒子は、デューク・サイエンティフィック社（カリフォルニア州Ｐａｌｏ  Ａｌｔｏ）から入手したＮＩＳＴトレーサーブル認定微粒子とした。金粒子は、ブリティッシュ・バイオセル社（英国Ｃａｒｄｉｆｆ）の代理店であるゴールドマーク・バイオロジカルズ社（ニュージャージ州Ｐｈｉｌｌｉｐｓｂｕｒｇ）から入手した。
【０６２５】
実施例６．４から６．１０では、フルオレセインをモレキュラ・プローブ社（オレゴン州Ｅｕｇｅｎｅ）から入手し、金粒子をブリティッシュ・バイオセル社（英国Ｃａｒｄｉｆｆ）の代理店であるゴールドマーク・バイオロジカルズ社（ニュージャージ州Ｐｈｉｌｌｉｐｓｂｕｒｇ）から入手し、ポリスチレン粒子をインターフェーシャル・ダイナミクス社（オレゴン州、Ｐｏｒｔｌａｎｄ）から入手した。
【０６２６】
入射光の光路に直角の光散乱強度を比較することによって、形状および粒径が同じで組成が異なる粒子の相対的な光散乱能を直接比較できる。対象となる各粒子の既知の濃度に対する光散乱強度測定を直角の観察角度で行う場合は、粒径および形状が同じで組成が異なる同一濃度の粒子に対する光散乱強度を直接比較し、異なる粒子の相対的な全光散乱能を測定することができる。
【０６２７】
実施例６．１、６．２および６．３−同等のポリスチレンおよび金粒子の相対的散乱能の計算および測定
結果を表６、７および８に示す。既知の光散乱関係式、および我々が新たに定めた先述の関係式を用いて計算を行った。実験的測定は、典型的な光度計を使用し、所定の照明強度および波長で、溶液中に遊離する粒子によって散乱される光を検出することにより水中の粒子に対して行った。以下の工程を実施した。
【０６２８】
（ａ）対照試料、および粒径が同じ粒子試料を同じ入射光組成および強度で照明する。
【０６２９】
（ｂ）水を含み粒子を含まない対照試験管から放射される光信号を測定する。
【０６３０】
（ｃ）既知の濃度の粒子を含む試験管から放射される光信号を測定する。
【０６３１】
（ｄ）対照光信号値（ｂ）を（ｃ）の光信号値から差し引く。
【０６３２】
（ｅ）同濃度の金粒子とポリスチレン粒子からの光信号を比較する。
【０６３３】
実施例６．４−フルオレセインおよび金粒子の相対的信号生成能の測定−白色光照明
結果を表１０に示す。同一の光検出法を実施して、直径６ｍｍ、長さ５０ｍｍのガラス管内のすべての試料から放射される光信号を求めた。金粒子またはフルオレセインからの光信号の測定に光学フィルターを使用しなかった。
【０６３４】
測定はすべて水中で行った。フルオレセインを含む溶液のｐＨは８から９であった。フルオレセインまたは金粒子のみによる光信号を求めるために、水のみを含む管の光信号値を金粒子またはフルオレセインの値から差し引いた。
【０６３５】
粒子からの光信号を測定するために以下の工程を実施した。
【０６３６】
Ａ．（ａ）すべての試料を同じ入射光組成および強度で照明する。
【０６３７】
（ｂ）水を含み粒子を含まない対照試験管から放射される光信号を測定する。
【０６３８】
（ｃ）既知の濃度の粒子を含む試験管から放射される光信号を測定する。
【０６３９】
（ｄ）対照光信号値（ｂ）を（ｃ）の光信号値から差し引く。
【０６４０】
フルオレセインからの光信号を測定するために以下の工程を実施した。
【０６４１】
Ｂ．（ａ）上記のように同じ強度および組成の入射光で試料を照明する。
【０６４２】
（ｂ）対照試験管から放射される光信号を測定する。
【０６４３】
（ｃ）試験管内の既知の濃度のフルオレセインから放射される光信号を測定する。
【０６４４】
（ｄ）対照光信号値（ｂ）を（ｃ）の光信号値から差し引く。
【０６４５】
Ｃ．（ａ）既知の濃度の粒子とフルオレセイン分子から得られた光信号を比較する。
【０６４６】
実施例６．５−フルオレセインおよび金粒子の相対的信号生成能の測定−単色照明
結果を表１１に示す。これらの結果は、入射光強度の差に対して補正されていない。フルオレセインによる光放射が最大になる波長（４９０ｎｍ）、および金粒子による光散乱が最大になる波長の単色入射光を使用した。４９０ｎｍにおける入射光強度は、金粒子に対して使用した入射光強度よりわずかに低く、５２０ｎｍにおける強度の約８６パーセントから５６５ｎｍにおいて使用された強度の約８０パーセントの範囲にあった。他方、光電増倍管の量子効率は、フルオレセインの一次放射波長（５２０ｎｍ）において０．３４であるのに対して、５６０ｎｍでは約０．１８であった。
【０６４７】
入射波長を除いては、直径６ｍｍ、長さ５０ｍｍのガラス管内のすべての試料に対して同じ光検出方法を用いた。金粒子からの光信号の測定にも、フルオレセインからの光信号の測定にも光学フィルターを使用しなかった。
【０６４８】
測定はすべて水中で行った。フルオレセインを含む溶液のｐＨは８から９であった。フルオレセインまたは金粒子のみによる光信号を求めるために、水のみを含む管の光信号値を金粒子またはフルオレセインの値から差し引いた。
【０６４９】
粒子からの光信号を測定するために以下の工程を実施した。
【０６５０】
Ａ．（ａ）水を含み粒子を含まない対照試験管から放射される光信号を測定する。
【０６５１】
（ｂ）既知の濃度の粒子を含む試験管から放射される光信号。
【０６５２】
（ｃ）対照光信号値（ａ）を（ｂ）の光信号値から差し引く。
【０６５３】
フルオレセインからの光信号を測定するために以下の工程を実施した。
【０６５４】
Ｂ．（ａ）対照試験管から放射される光信号を測定する。
【０６５５】
（ｂ）試験管内の既知の濃度のフルオレセインから放射される光信号を測定する。
【０６５６】
（ｃ）対照光信号値（ａ）を（ｂ）の光信号値から差し引く。
【０６５７】
Ｃ．（ａ）既知の濃度の粒子とフルオレセイン分子から得られた光信号を比較する。
【０６５８】
実施例６．６−フルオレセイン、ポリスチレン、ポリスチレン−蛍光化合物および金粒子の相対的信号生成能の測定
結果を表１２に示す。これらの結果は、入射光強度の差に対して補正されていない。
【０６５９】
すべての試料を単色入射光で照明した。粒子による光散乱が最大になる波長付近の波長の入射単色光で、直径１００ｎｍの金粒子を照明した。蛍光励起が最大になる波長（４９０ｎｍ）の単色入射光でポリスチレン−蛍光化合物粒子試料を照明した。この蛍光化合物に対しては５１５ｎｍで蛍光放射が最大になった。４９０ｎｍにおける入射光強度は、５５５ｎｍにおける入射光強度の約８０パーセントであった。５５５ｎｍにおける光電増倍管の量子効率は、５１５ｎｍにおける量子効率の約６０パーセントであった。
【０６６０】
入射波長を除いては、直径６ｍｍ、長さ５０ｍｍのガラス管内のすべての試料に対して同じ光検出方法を用いた。金粒子からの光信号の測定にも、蛍光粒子からの光信号の測定にも光学フィルターを使用しなかった。測定はすべて水中で行った。ポリスチレンまたは金粒子のみによる光信号を求めるために、水のみを含む管の光信号値を金粒子またはポリスチレン粒子の値から差し引いた。
【０６６１】
粒子からの光信号を測定するために以下の工程を実施した。
【０６６２】
Ａ．（ａ）水を含み粒子を含まない対照試験管から放射される光信号を測定する。
【０６６３】
（ｂ）既知の濃度の粒子を含む試験管から放射される光信号を測定する。
【０６６４】
（ｃ）対照光信号値（ａ）を（ｂ）の光信号値から差し引く。
【０６６５】
蛍光粒子からの光信号を測定するために以下の工程を実施した。
【０６６６】
Ｂ．（ａ）対照試験管から放射される光信号を測定する。
【０６６７】
（ｂ）試験管内の既知の濃度の蛍光粒子から放射される光信号を測定する。
【０６６８】
（ｃ）対照光信号値（ａ）を（ｂ）の光信号値から差し引く。
【０６６９】
Ｃ．（ａ）既知の濃度の粒子から得られた光信号を比較する。
【０６７０】
実施例６．７−高血清濃度における直径５９．６ｎｍの金粒子およびフルオレセインの検出
結果を表１７に示す。Ｂｉｏｗｈｉｔｔａｋｅｒ社（メリーランド州Ｗａｌｋｅｒｖｉｌｌｅ）から血清を入手した。血清は、販売に先立って１ミクロンフィルターで濾過されており、外観は透明で藁色を帯びていた。フルオレセイン測定では、血清のｐＨを約９から９．５に調整した。金粒子を含有する溶液を、粒子からの光散乱レベルが最大になる波長付近の波長である５４３ｎｍの単色入射光で照明した。フルオレセインを含有する溶液を、蛍光励起が最大になる４９０ｎｍで照明した。
【０６７１】
入射波長を除いては、直径６ｍｍ、長さ５０ｍｍのガラス管内のすべての試料に対して同じ光検出方法を用いた。金粒子からの光信号の測定にも、フルオレセインからの光信号の測定にも光学フィルターを使用しなかった。
【０６７２】
規定濃度の血清中で測定を行った。フルオレセインまたは金粒子のみによる光信号を求めるために、適正な濃度の血清のみを含む試験管の光信号値を金粒子またはフルオレセインの値から差し引いた。
【０６７３】
粒子からの光信号を測定するために以下の工程を実施した。
【０６７４】
Ａ．（ａ）適正な濃度の血清を含み、粒子を含まない対照試験管から放射される光信号を測定する。
【０６７５】
（ｂ）既知の濃度の粒子を含む試験管から放射される光信号を測定する。
【０６７６】
（ｃ）対照光信号値（ａ）を（ｂ）の光信号値から差し引く。
【０６７７】
蛍光溶液からの光信号を測定するために以下の工程を実施した。
【０６７８】
Ｂ．（ａ）対照試験管から放射される光信号を測定する。
【０６７９】
（ｂ）試験管内の既知の濃度のフルオレセインから放射される光信号を測定する。
【０６８０】
（ｃ）対照光信号値（ａ）を（ｂ）の光信号値から差し引く。
【０６８１】
Ｃ．（ａ）既知の濃度の粒子から得られた光信号を比較する。
【０６８２】
実施例６．８−９２．８％の血清濃度におけるフルオレセイン、金およびポリスチレン粒子の検出の下限
結果を表１８に示す。フルオレセイン測定については、フルオレセインを含む試料から放射された光信号を、それが電子増倍管に入る前にコダックＮｏ．１６  Ｗｒａｔｔｅｎフィルターに通した。４９８ｎｍの入射単色波長においてフルオレセイン溶液からの最大光強度が観察されたのに対して、５５４ｎｍにおいて金粒子からの最大光散乱が観察された。金またはポリスチレン粒子からの光信号の測定に光学フィルターを使用しなかった。蛍光測定では、血清のｐＨを約９に調整した。
【０６８３】
入射波長を除いては、直径６ｍｍ、長さ５０ｍｍのガラス管内のすべての試料に対して同じ光検出方法を用いた。血清については実施例６．７に記載されている。
【０６８４】
規定濃度の血清中で測定を行った。フルオレセインまたは金粒子のみによる光信号を求めるために、適正な濃度の血清のみを含む試験管の光信号値を金粒子またはフルオレセインの値から差し引いた。
【０６８５】
粒子からの光信号を測定するために以下の工程を実施した。
【０６８６】
Ａ．（ａ）適正な濃度の血清を含み、粒子を含まない対照試験管から放射される光信号を測定する。
【０６８７】
（ｂ）既知の濃度の粒子を含む試験管から放射される光信号を測定する。
【０６８８】
（ｃ）対照光信号値（ａ）を（ｂ）の光信号値から差し引く。
【０６８９】
蛍光溶液からの光信号を測定するために以下の工程を実施した。
【０６９０】
Ｂ．（ａ）対照試験管から放射される光信号を測定する。
【０６９１】
（ｂ）試験管内の既知の濃度のフルオレセインから放射される光信号を測定する。
【０６９２】
（ｃ）対照光信号値（ａ）を（ｂ）の光信号値から差し引く。
【０６９３】
Ｃ．（ａ）既知の濃度の粒子から得られた光信号を比較する。
【０６９４】
実施例６．９−高血清濃度におけるポリスチレン、ポリスチレン−蛍光化合物、および金粒子に対する検出限界
結果を表１９に示す。規定濃度の血清中で測定を行った。ポリスチレンまたは金粒子のみによる光信号を求めるために、適正な濃度の血清のみを含む試験管の光信号値を金粒子またはポリスチレン粒子の値から差し引いた。光学濾過は行わなかった。
【０６９５】
粒子からの光信号を測定するために以下の工程を実施した。
【０６９６】
Ａ．（ａ）適正な濃度の血清を含み、粒子を含まない対照試験管から放射される光信号を測定する。
【０６９７】
（ｂ）既知の濃度の粒子を含む試験管から放射される光信号を測定する。
【０６９８】
（ｃ）対照光信号値（ａ）を（ｂ）の光信号値から差し引く。
【０６９９】
（ｄ）既知の濃度の粒子からの光信号を比較する。
【０７００】
入射波長を除いては、直径６ｍｍ、長さ５０ｍｍのガラス管内のすべての試料に対して同じ光検出方法を用いた。血清については実施例６．７に記載されている。
【０７０１】
実施例６．１０−金粒子の濃度が低い場合は、金粒子の光散乱特性は血清に影響されない
結果を表２０に示す。濃度が９５．７パーセントの血清は透明で藁色を帯びており、光路長１ｃｍ、入射光波長５４３ｎｍにおける吸光度は０．１４である。直径６ｍｍ、長さ５０ｍｍで、内径が約５ｍｍのガラス管内で光散乱測定を行った。５４３ｎｍの波長の入射光と散乱光の双方の吸収量の差に基づいて、血清試料中に存在する金粒子からの光散乱信号は、水中に存在する同じ濃度の金粒子からの信号の約８０パーセントになる。本実施例では光学フィルターは使用されていない。
【０７０２】
以下の工程を実施した。
【０７０３】
（ａ）すべての試料を同じ入射光組成および強度で照明する。
【０７０４】
（ｂ）水または適性濃度の血清を含み、粒子を含まない対照試験管から放射される光信号を測定する。
【０７０５】
（ｃ）既知の濃度の粒子を含む試験管から放射される光信号を測定する。
【０７０６】
（ｄ）対照光信号値（ｂ）を（ｃ）の光信号値から差し引く。
【０７０７】
（ｅ）同じ濃度の金血清と水からの光信号を比較する。
【０７０８】
実施例６．１１−１６ｎｍ金粒子懸濁物の調製
２．５ｍｌの無菌水を０．１ｇのＨＡｕＣｌ４・３Ｈ２Ｏに加えて、４％ＨＡｕＣｌ４・３Ｈ２Ｏ溶液を形成した。溶液を遠心分離して粒状物を除去した。分離フラスコにおいて、１０ｍｌの無菌水を０．１ｇのクエン酸ナトリウムに加えて、１％クエン酸ナトリウム溶液を形成した。クエン酸塩溶液を０．４μポリカーボネート・メンブレン・フィルターで濾過して、粒状物を除去した。極めて清潔な２５０ｍｌエルレンマイヤ・フラスコに、１００ｍｌの無菌水および０．２５ｍｌの４％ＨＡｕＣｌ４・３Ｈ２Ｏを加えた。フラスコを設定が４の撹拌型ホット・プレートに配置し、１００ｍｌビーカで覆った。混合物が沸騰し始めたところで、２ｍｌの１％クエン酸ナトリウムを加えた。該クエン酸塩を加えてから１分間以内に溶液の色が黒色に変化した。次いで紫色に変化し、最終的には濃赤色になった。赤色になったのはクエン酸塩溶液を加えてから約２分間後であった。混合液をさらに３０分間煮沸し、次いで室温まで冷却し、無菌水を加えて全体積を１００ｍｌとした。金塩がすべて金粒子に変換されたと仮定すれば、最終的な金濃度は約０．００５％で、粒子濃度は１．２×１０１２個／ｍｌになる。
【０７０９】
実施例６．１２−ポリエチレン化合物による金属粒子の安定化
１グラムのＰＥＧ化合物（ＭＷ  ２０、０００）を１００ｍｌの無菌水に加えて１％ＰＥＧ化合物溶液を形成し、５０ｍｌシリンジを使用して該溶液を０．４μポリカーボネート・フィルターで濾過した。所定量の粒子を安定化するために、該量の粒子溶液をある量の１％ＰＥＧ化合物溶液に加えて、最終的なＰＥＧ濃度を０．１％とする。
【０７１０】
実施例６．１３−直径５ｎｍの金粒子からの３０ｎｍ銀塗布粒子の調製
１０ｍｌの無菌水を３０ｍｌビーカ内で煮沸した。次いで、２ｍｇのゼラチンを徐々に加え、ゼラチンがすべて溶解するまで溶液を撹拌しながら継続的に沸騰させた。次いで、溶液を室温まで冷却した。２ｍｌの４７％クエン酸緩衝液（ｐＨ５）を加えた。５ｎｍの金粒子を含有する溶液（金濃度は約０．００５％、金粒子濃度は３．８×１０１３個／ｍｌ）を０．１８ｍｌ加えた後、３ｍｌの５．７％ヒドロキノン溶液を添加した。混合液を十分に混合した後、最終体積が２０ｍｌになるように無菌水を加えた。５０μＬの４％乳酸銀溶液を１０μｌずつ添加し、混合液を手で素早く撹拌した。最終銀濃度は約０．００５％で、最終的な銀塗布粒子の濃度は約３．４×１０１１個／ｍｌである。添加された銀がすべて各金粒子に等しく付着していたと仮定して、粒径を３０ｎｍと算定した。最終的な添加の後、ゾルは室内照明のもとで明るい黄色を帯びていた。バルク溶液では、６×５０ｍｍのガラス管に収容された希釈量のゾルによって散乱される光は、細い白色光線によって照明されたときに青色になった。１０倍の対物レンズおよび１２．５倍の接眼レンズを用い、ＤＬＡＳＬＰＤ条件下でＳｐｅｃｔｒａ  Ｍａｔｒｉｘ顕微鏡により銀ゾルの希釈液を微視的に調べたところ、色の異なる明色粒子の混合物を容易に観察することができた。数において支配的な粒子は紫−青色粒子であった。黄色粒子、緑色粒子および赤色粒子も存在した。ここに記された手順に使用する直径５ｎｍの金粒子の濃度を調整することによって、直径が２０から１００ｎｍの範囲の銀塗布粒子を作製した。
【０７１１】
実施例６．１４−顕微鏡ガラス・スライド上で形成、検査される非球状銀粒子の散乱光特性
実施例６．１３に記載したようにして調整された希釈銀粒子ゾルの小滴を顕微鏡ガラス・スライド上に載せ、カバー・ガラスで覆って、カバー・ガラスと顕微鏡スライドの間に非常に薄いゾル膜を形成した。銀ゾル薄膜のスポットを非常に細い光線で照明し、入射光が目にはいるのを防ぐ角度から裸眼で観察すると、照明スポットは青色の散乱光の外観を有していた。次いで、１０倍の対物レンズおよび１２．５倍の接眼レンズを用い、ＤＬＡＳＬＰＤ条件下で光学顕微鏡により、銀ゾル膜を微視的に調べた。数分間のうちに、ほとんどの粒子がガラス・スライドおよびカバー・ガラスの表面に付着し、固定化されるのが確認された。青色の粒子が最も豊富であった。次いで、カバー・ガラス上の点が微小針状プローブの点で押されると、加圧領域の粒子は、本来の青色からその色を永久的に変化させた（散乱光検出）。加圧領域の中心では、粒子は赤色であった。この中心スポットは、異なる色を有する同心円によって囲まれていた。中心から外側に向けて、色は赤色から緑色、黄色、青色へと変化していった。赤色、緑色、および黄色の粒子は非常に明るい色であった。我々が行った理論的計算では、銀微粒子は青色を有することになる。加圧効果は、粒子の形状を変化させるものと思われる。したがって、我々の結果は、銀微粒子は、それらの形状を変えることによって本来の青の散乱光色から他の散乱光色に変換できることを示唆するものである。カバー・ガラスを移動させることによって、加圧領域における異なる色の粒子を液相に分散できることを確認した。この相では、粒子はブラウン運動を行い、緑色および赤色粒子によって散乱される光は明滅したが、これは非球状粒子について予測されるものである。
【０７１２】
実施例６．１５−直径１６ｎｍの粒子からのより大きな直径の金粒子の調製
２４ｍｇの塩酸ヒドロキシルアミンを１ｍｌの無菌水に加え、混合し、次いで１０ｍｌシリンジに取りつけられた４μポリカーボネート・メンブレン・フィルターで濾過することによって、２．４％塩酸ヒドロキシルアミン溶液を調製した。試験管内の０．１ｇのＨＡｕＣｌ４・３Ｈ２Ｏに２．５ｍｌの無菌水を加え、混合し、次いで遠心分離して粒状物を除去することによって、４％ＨＡｕＣｌ４・３Ｈ２Ｏ溶液を調製した。２５ｍｌの無菌水を２５０ｍｌエルレンマイヤ・フラスコに加えた後、所望の粒径に応じて、表１に示されている量１６ｎｍの金粒子を加えた。次に、表１に指定されている量の４％ＨＡｕＣｌ４・３Ｈ２Ｏ溶液を加えた。最後に、無菌水を加えて、全量を１００ｍｌとした。次いで、表１に指定されている量の塩酸ヒドロキシルアミン溶液を手で素早く撹拌しながら加え、混合液を３０分間静置した。塩酸ヒドロキシルアミン溶液を加えてから数秒以内に、溶液は、粒径に応じて、わずかに桃色がかった透明色から最終的な赤色または焦茶色に変化した。粒径の小さいほうが赤色溶液になりやすかった。
【表２４】
2005507489.tif 000031
表２に示されている指定量の溶液を使用し、１６ｎｍの金の溶液の代わりに直径１００ｎｍのＡｕ粒子の溶液を使用した以外は、上述と同様の手順に従ってより大きな直径の粒子を調製した。
【表２５】
2005507489.tif 000032
実施例６．１６−１６ｎｍ金粒子からの銀塗布粒子の調製
２５ｍｌの無菌水を２５０ｍｌエルレンマイヤ・フラスコに加えた後、０．００５％の１６ｎｍ金粒子ゾルを６．４ｍｌ加え、得られた溶液を混合した。次いで、４０ｍｇ／ｍｌのＬ（＋）乳酸銀塩溶液を０．２３４ｍｌ加えた。すぐに濃い紫色になった。次いで十分量の無菌水を加えて、全量を１００ｍｌとした。手で素早く撹拌しながら、１．２５ｍｌの２４ｍｇ／ｍｌ塩酸ヒドロキシルアミン溶液を加えたところ、得られたゾルはラベンダ・シルバー色を呈した。ゾルの小滴をガラス・スライド上に載せ、カバー・ガラスで覆い、ＤＬＡＳＬＰＤ条件下で光学顕微鏡により調べた。粒子は赤色、緑色、紫色および黄色になった。白色光で照明された試験管中のこれらの粒子の希釈液の散乱光の色は淡青色であった。
【０７１３】
実施例６−１７−ＢＳＡ塗布ガラス・スライドの調製
様々な粒子の組合せに対する信号および検出パラメータ、ならびに固相分析のように固相上の粒子を検出するための照明および検出方法を検討するためにモデル・システムを設定した。
【０７１４】
このシステムは、まずガラス・スライドにウシ血清アルブミン（ＢＳＡ）を塗布し、次いで指定領域に異なる量の金粒子を付着させてパラメータを検討することを含むものであった。ここでは、スライドにＢＳＡを塗布するのに用いる方法について説明する。
【０７１５】
１．５ｇのＢＳＡを１５ｍｌの無菌の超純水に加えて混合し、次いで該溶液を０．４４ｍｍポリカーボネート・メンブレンで濾過することによって、１０％のＢＳＡ水溶液を調製した。２０μｌの１０％ＢＳＡ溶液を１０ｍｌの無菌水に加え、０．４ｍｍポリカーボネート・メンブレンで該ＢＳＡ溶液を濾過することによって０．０２％ＢＳＡ（２００μｇＢＳＡ／ｍｌ）溶液を調製した。
【０７１６】
通常の顕微鏡ガラス・スライドは、メタノールに浸したブラシで擦ることによって洗浄した。ブラッシングの後、プラスチックの噴射ボトルを使用してスライドに無菌水を噴射することによってスライドを洗浄した。０．０２％のＢＳＡを含有する無菌水を含むビーカにスライドを漬け、１時間インキュベーションすることによってガラス・スライドにＢＳＡを塗布した。次いで、スライドをビーカから取り除き、噴射ボトルから無菌水を噴射することによって洗浄した。スライドの両面をすすぎ洗いした。次いで、スライドを無菌水で満たした１５０ｍｌビーカに約１０分間漬けた。水を噴射することによって再び洗浄した。遊離ＢＳＡは、塗布スライドへの金属粒子の結合を妨害するため、スライドから遊離ＢＳＡを除去することが最も大切である。次いで、ＢＳＡが塗布されたガラス・スライドを乾燥し、清潔なプラスチック箱のなかで乾燥したまま保存する。
【０７１７】
実施例６．１８−ＢＳＡスライドへの金粒子の付着
ダイアモンドけがき針（ｓｃｒｉｂｅｒ）を使用して、ＢＳＡ塗布ガラス・スライド上に（直径約８ｍｍの）小円を刻んで、金粒子を付着させる領域をマーク付けする。所望の金粒子濃度を有する３μｌの非保護金粒子溶液をスライドのマーク付け領域の１つに付着させる。金粒子溶液を実際の刻みマークの反対側に付着させて、金粒子溶液と刻みマークの相互作用を防ぐ。
【０７１８】
ガラス・スライド上に、金粒子密度が系統的に低下する金粒子のパッチの連続体を形成するには、そのパッチの連続体をスライドの真ん中に直線状に設けるのが望ましい。このような配列を得るために、我々が作製したホルダーにスライドを搭載することで、金パッチを正しい配列で付着させることが可能になる。パッチは室内灯のもとでは見ることができない（すなわち、粒子密度が低いため、室内灯のもとでは色を有さない）ことに留意されたい。したがって、スライドの側面に、パッチの位置を識別するためのマークをつける。粒子を付着させながら、それらのマークをつける。粒子のパッチを形成するために、所望の金粒子濃度に希釈された３μｌの非保護金溶液を付着させる。次いで、密閉されたプラスチック箱のなかで、指定時間スライドをインキュベーションする。箱の内壁および底面を湿ったペーパ・タオルで覆って、スライド上の金ゾルの蒸発を防ぐ。次いで、スライドを取り除き、パスツール・ピペットで無菌水を噴射することによって洗浄する。スライド上のＢＳＡに金粒子を最も効率的に結合させるためには、金粒子溶液のｐＨをＢＳＡのｐＩ（ｐＩ＝４．５８〜５．４５）に合わせて調整すべきであることを見いだした。
【０７１９】
実施例６．１９−マイクロアレイ分析測定−ＢＳＡ−ビオチンを塗布した直径６０ｎｍの金粒子をプラスチック基板上の直径８０ミクロンの適切な単一ストレプタビジン・パッチへの結合
以下のような溶液を調製した。２ｍｇのＢＳＡ−ビオチンを２ｍｌの無菌水に添加し、５００ｍｌエルレンマイヤ・フラスコ内の蒸留水に対して室温で数時間透析することによって、１ｍｇ／ｍｌのＢＳＡ−ビオチン溶液を調製した。水を４回交換した。最後に交換した水は無菌水であった。２０ｍＭトリス食塩水、０．１％ＰＥＧ化合物、０．０２％のＮａアジドｐＨ７．４緩衝液も調製した。どの溶液も０．４μポリカーボネート・メンブレン・フィルターで濾過した。噴射ボトルを使用し、無菌水でポリスチレン試験管を十分に洗浄し、直径６０ｎｍの金粒子の溶液４ｍｌで満たし、臨床遠心器で３０分遠心分離を行った。
【０７２０】
次いで、他のサイトに記載されているように粒子を洗浄した。軟質ペレットを１０ｍｌの無菌水に再懸濁させた。金粒子溶液のｐＨを以下のように調整した：１００μｌの１％ＰＥＧ化合物溶液を清潔なポリカーボネート試験管に加えた。これに、６０ｎｍの金のゾルを１ｍｌ添加し、２分間インキュベーションした。０．０２ＭのＫ２ＣＯ３をｐＨが６．６になるまで金ゾルに２μｌずつ加えた。次いで、ｐＨの調整に必要な０．０２ＭのＫ２ＣＯ３の量（μｌ）を計算して金ゾルの残り（ｍｌ）に加えるが、この場合は８０μｌであった。次いで、ポリカーボネート管に含まれる１ｍｇ／ｍｌのＢＳＡ−ビオチン溶液１．１５ｍｌにｐＨ６．６の金ゾルを９．５ｍｌ加え、室温で５分間放置した。次いで、該溶液を臨床遠心器で３０分遠心分離し、ついで上澄みを除去した。残りの軟質ペレットを３ｍｌの無菌水に懸濁させ、次いで先述のように遠心分離し、上澄みを除去し、次いで０．１％のＰＥＧ化合物溶液に再懸濁させ、再び遠心分離した。上澄みを除去し、ペレットを２０ｍＭトリス食塩水、０．１％ＰＥＧ化合物溶液に再懸濁させ、遠心分離した。次いで、上澄みを除去して、約２００μｌの軟質ペレットを残した。直径８０μのストレプタビジン・スポットを含むプラスチック・ウェルにこの溶液５０μｌ加え、ウェルを高湿チャンバのなかで一晩インキュベーションした。次いで、パスツール・ピペットを使用してウェルを無菌水で数回洗浄し、ウェルから水を噴射し、除去した。顕微鏡による検出を行うために、ウェルに６０μｌの無菌水を満たした。
【０７２１】
実施例６．２０−直径８０ミクロンのストレプタビジン塗布結合部位スポットのマイクロアレイに対する、ＢＳＡ−ビオチンを塗布した直径６０ｎｍの結合金粒子の検出
ＢＳＡ−ビオチン−Ａｕ結合剤（直径６０ｎｍの金粒子）の懸濁物を、ウェルの底面に直径８０μのストレプタビジン・スポットのマイクロアレイを含むプラスチック・ウェルに加えた。適切な時間にわたってインキュベーションした後、ウェルを洗浄し、我々が開発した光学顕微鏡システムを用いてＤＬＡＳＬＰＤ条件下で観察した。８０μの個々のスポットに結合したＢＳＡ−ビオチン−Ａｕ標識付け粒子を確認した。粒子を加える前は目に見えなかった８０μのストレプタビジン・スポットが、明確な円形の明るいスポットとして見えるようになった。インキュベーション時間を変えることにより、またはＢＳＡ−ビオチン−Ａｕ濃度を変えることにより、ＢＳＡ−ビオチン−Ａｕ粒子の表面密度が異なる個々のスポットを得た。低結合密度でストレプタビジン・スポットに結合した個々の粒子を、倍率約２００倍の顕微鏡により肉眼で容易に検出することが可能であった。８０μの個々のスポットからの計数および集積光強度測定を自動化するために、サンディエゴの企業から２４時間貸し出しのビデオ画像処理ソフトウェアを試験した。アレイ装置ウェル内に存在する２５の個別的なスポットを含むビデオ画像を、安価な白黒ビデオ・カメラ、ビデオ・フレーム・グラバ、および単純なデスクトップ・コンピュータを使用して取り込んだ。該ソフトウェアは、各スポットの集積光強度、ならびに単一スポット毎の粒子の数も測定することが可能であった。例えば、低密度のＢＳＡ−ビオチン−Ａｕ結合剤で標識付けされたストレプタビジン・スポットを、粒子計数モードを用いたビデオ撮像システムで分析した。信号／背景比についての何らかの推定値を得るために、ストレプタビジンが塗布されていない固相領域の直径８０μのスポットを分析して、背景を測定した。この予備的なモデル・システムでは、信号／背景は３１７／２５から３１７／１３で、非最適化照明および検出条件下でのスポット上の標識付け密度は約０．０６個／μ２であった。この最適化予備データに基づき、これらのデータは、信号／背景が３／１の場合において、０．０１５個／μ２の粒子密度が検出可能であることを示唆するものである。より最適化された条件下では、より低い感度レベルがはるかに低くなる可能性がある。
【０７２２】
実施例６．２１−薄膜内の金粒子の検出感度
６０ｎｍの金ゾルを１０倍に希釈し、各希釈液の２０μｌをスポットとしてＢＳＡ塗布スライドに付着させた。次いで、カバー・ガラスで覆われていないスライドを浸漬油でポロ・プリズムに密着させた。各金ゾル・スポットは、直径が約４ｍｍであった。以下の表は、各スポットの該当情報を示すものである。
【表２６】
2005507489.tif 000033
以下の表は、上記データを臨床分析用途においてより有意義な単位で表している。スポット内の液の高さは、以下の式で計算することが可能である。
【０７２３】
ｈ＝Ｖ／Ａ
上式において、Ｖは、スポット内の液体の容積（２０ｍｌ＝０．０２ｃｍ３）、Ａはスポットの面積（ｃｍ２）である。Ａ＝１．２ｃｍ２を用いて、ｈ＝０．０１６ｃｍ＝１６０μを得る。この高さは、目、または我々の電子光学検出法の視野の深さよりはるかに小さいため、各スポットは、（幾何学的な観点から）すべての粒子がスライドの表面に存在するかのように振る舞い、表のなかに報告されている感度は、表面に付着する粒子に対して想定される感度に近くなっている。
【表２７】
2005507489.tif 000034
実施例６．２２−ＢＳＡ塗布ガラス・スライドの表面に付着した６０ｎｍの金粒子
６０ｎｍの金粒子の一連の希釈溶液を形成し、各希釈溶液を３μｌずつ小スポットとしてＢＳＡ塗布スライドに付着させた。それらのスポットは、同一スライド上に並べて配置された。該スライドを高湿チャンバ内で６．５時間インキュベーションし、次いで無菌水で洗浄した。較正十字線を備えた接眼レンズを有する光学顕微鏡で、ＤＬＡＳＬＰＤの条件下で粒子計数を行うことによって各スポットにおける粒子密度を測定した。以下の表は、我々の結果を示す。
【表２８】
2005507489.tif 000035
６．５時間後、スライド上の各金含有領域に無菌水を静かに噴射することによってスライドを洗浄した。スライドを低温設定でヒート・ガンによって乾燥させた。乾燥したスライドを光学顕微鏡によりＤＬＡＳＬＰＤ条件下で観察し、顕微鏡接眼レンズの較正十字線を使用して各領域の粒子密度を測定して、平方十字線当たりの粒子数をカウントした。以下の表にその結果を示す。
【表２９】
2005507489.tif 000036
【表３０】
2005507489.tif 000037
実施例６．２３−６０ｎｍの金粒子の小液体スポットからの視覚強度検出に対する感度
３．４×１０−１２Ｍ（金濃度０．００５％）の６０ｎｍ金ゾルの希釈液を２つ調製し、各希釈液を２ｍＬずつガラス・スライドの個別的なスポットに付着させた。各スポットの直径は約４ｍｍ（面積＝６．２８×１０６ｍ２）であった。異なるスポットが、同じスライドの中央に並べて配置された。各スポットの粒子濃度および密度を以下の表に示す。
【表３１】
2005507489.tif 000038
裸眼で検出される散乱光強度から最も低い粒子密度を測定するために、浸漬油を利用してスライドをポロ・プリズムに密着させた。まだ液体の状態の各スポットを、ファイバーの末端に１０倍の対物レンズを備えたＢａｕｓｈ−Ｌｏｍｂ照明装置からの光で連続的に照明した。照明装置により生成したスポットは、直径が約４ｍｍであった。夜に、暗室で、０．０３８５まで観察することができたが、それは何とか観察できる程度であった。
【０７２４】
実施例６．２４−Ｉｍｍｕｌｏｎプラスチック・ミクロタイター・ウェルにおける異なる濃度の６０ｎｍ金粒子（懸濁物）のフォトダイオード検出に対する感度
それぞれ異なる６０ｎｍ金ゾルの希釈液をそれぞれ異なるイムロン・ウェルに仕込んだ（各ウェルに２００μｌずつ仕込んだ）。散乱光強度を測定するために、１０倍の対物レンズを装備したＬｅｉｃａ顕微鏡照明装置からの白色光でウェルの底部を照明した。ウェルの底部は、対物レンズから数ミリメートル離れていた。対物レンズからの光は、ウェルの中心に集まる光線を生成した。焦点における光線の直径は約５ｍｍであった。ウェルの側壁を通じて光を検出するように配置されたフォトダイオードによって散乱光を検出した（直角検出）。背景光の検出を制限するためにフォトダイオードの前方に配置された（直径約１ｍｍの）小さな穴を通じて散乱光を検出した。異なる金ゾル希釈液を含むウェルを互いに結合させ、各ウェルを照明および検出路に連続的に配置することができる。フォトダイオードの出力を流動モードで動作する演算増幅器で測定する。演算増幅器のフィードバック抵抗器は、増幅器の感度を測定する。フォトダイオードは、光起電力モードで動作する。６０ｎｍの金の希釈液を２組調整し、フォトダイオードで強度を測定した。
【０７２５】
ａ．第１組の希釈液
マスター溶液（３．８×１０−１１Ｍ）を２倍に希釈した。以下の読出し値を得た。演算増幅器のフィードバック・ループの５メグオーム抵抗器を用いて読出しを行った。
【表３２】
2005507489.tif 000039
ｂ．第２の希釈液
１１倍の希釈液（３．４×１０−１２Ｍ）を２倍に希釈した。結果を以下に示す。
【表３３】
2005507489.tif 000040
上記の結果は、ウェルにおいて、１．９×１０−１１Ｍから１×１０−１３Ｍの範囲の直径６０ｎｍの金粒子を検出できることを示している。上方レンジは拡張することが可能である。
【０７２６】
実施例６．２５−ＢＳＡ塗布ガラス・スライドに付着した６０ｎｍ金粒子を付着させ、視覚的に検出する（集積散乱光強度）ための再現性
０．００５％の金（６０ｎｍ）溶液の２倍希釈液をＢＳＡ塗布スライド上の５つのスポットのそれぞれに３μｌ付着させた。スライドを５分間インキュベーションし、次いで１５０ｍｌの希釈水を含むビーカに入れた。水によって未結合の金がスライドから除去された。次いで、我々の照明装置（白色光Ｓｐｅｃｔｒａ  Ｍｅｔｒｉｘ照明装置）でスポットを照明した。各スポットの金粒子はリング状で（すなわち、粒子はスポット内に均一に分布しておらず、リングに固定されていた）、緑色光を散乱し、暗室でも裸眼ではっきりと観察することができた。
【０７２７】
金ドットをインキュベーションしている間、金粒子スポット内の液体を撹拌するように指をスライドにそっと押しつける以外は、新たに塗布したＢＳＡに対してその実験を繰り返した。５分後、スライドをビーカ内の１５０ｍｌの無菌水に浸し、白色光Ｓｐｅｃｔｒａ  Ｍｅｔｒｉｘ照明装置を使用して、各スポットにより散乱される光を交互に観察した。照明装置からスライド上に直径約５ｍｍの光のスポットが生成された。散乱光を通じて、金ゾルが付着した金スポットをはっきりと観察することができた。スライドを水中に浸してスポットを観察したところ、スライド上の欠陥による散乱が低減された。どのスポットも緑色光を散乱し、視覚的な検出によって評価したのと同じ位の強度を有していた。小さな無光散乱スポット（暗スポット）が各スポットの中心に現れた。
【０７２８】
実施例６．２６−金粒子濃度が異なる６０ｎｍ金ゾルによって散乱される光の色
６つの８×５０ｍｍ（１．６ｍＬ）ポリスチレン管を噴射ボトルからの無菌水でリンスすることによって洗浄した。シェークすることによって余剰の水を各ポリスチレン管から除去したが、乾燥はしなかった。金粒子溶液（６０ｎｍ、０．００５％）を１、２、４、８、１６および３２倍に順次希釈した。それぞれの管には５００ｍｌの金粒子溶液が含まれていた。希釈された金ゾルはポリスチレン管のなかで安定していた（散乱光の色は変化しなかった）。凝集の形跡はなかった。それぞれの希釈液により散乱された光は以下の色を有していた。これらの観察に使用された金ゾルは、あらかじめ無菌水で数回にわたり洗浄されて、金粒子を不安定化させると思われる（金ゾルの形成に使用される）塩を除去したものである。
【表３４】
2005507489.tif 000041
実施例６．２７−ＢＳＡによる金粒子の安定化
１％ＮａＣｌによる凝集に対して金ゾルを安定化させるためには、０．００５％の６０ｎｍ金ゾル１ｍｌ当たり９００ｍｇのＢＳＡが必要であることがわかった。
【０７２９】
実施例６．２８−ＢＳＡ塗布ガラス・スライド上への高粒子密度での６０ｎｍ金粒子の付着
本実施例は、異なる表面密度（２５から１００個／μ２）の金粒子をガラス・スライドに付着させる方法を示す。これらのスポットを実施例３０および３１に使用して、裸眼、およびＤＬＡＳＬＰＤ法を用いた光学顕微鏡で観察される、これらのスポットから散乱する光（白色光照明）の強度、色および均質性を測定する。
【０７３０】
すべての金粒子が缶の底に沈殿するまで（約３０分間）、４ｍｌの６０ｎｍ金ゾル（０．００５％、３×１０１０個／ｍｌ）を最大速度で臨床遠心器により遠心分離した。上澄みを除去し、軟質ペレットを１、２および４倍に希釈した。軟質ペレットの粒子濃度は約３×１０１１個／ｍｌであったと推定される。各希釈液をＢＳＡ塗布ガラス・スライド上の個々のスポットに４ｍｌずつ付着させ、各スポットの液を室温で蒸発させた。各スポットに付着した粒子の数（×１の金ゾルは３×１０１１個／ｍｌの濃度を有していたと仮定する）が以下の表に示されている。６０ｎｍの粒子で達成可能な最大粒子密度（飽和単分子膜粒子）は３５４個／μ２であることに留意されたい。
【表３５】
2005507489.tif 000042
溶剤蒸発後、各スポットの外観を室内灯、およびＤＬＡＳＬＰＤ照明のもとで（裸眼による観察と同様にして）調べた。ＤＬＡＳＬＰＤ照明には、１０倍の対物焦点レンズを有し、対物レンズから約１０ｍｍの距離の小スポットに集中する細い光線を生成するＬｅｉｃａ顕微鏡照明装置を用いた。また、２．５倍、１０倍、２５倍および４０倍の対物レンズ、さらに追加的な１．２５倍、１．６倍および２倍の倍率を備えたＤＬＡＳＬＰＤ法を用いた光学顕微鏡法によってスポットを調べた。１０倍および２０倍の対物レンズでは一度に各スポットのわずかな領域しか観察できなかった。しかしながら、２．５倍の対物レンズでは、スポット全体を観察することができた。粒子表面密度を求めるために、顕微鏡を通じて観察される所定領域の粒子をカウントし、この数をその面積で割った。その面積は、スライド・マイクロメータで較正された顕微鏡の接眼レンズに配置された十字線で測定された。一例として、４０倍の対物レンズ、および（接眼レンズの前の）さらなる１．２５倍および２倍の倍率で粒子計数を行った場合は、粒子計数に使用した接眼レンズ十字線における平方単位は、それぞれ６．２５μ×６．２５μ（正方形の面積＝３９．１μ２）および１０μ×１０μ（面積＝１００μ２）であった。これらは、オブジェクト平面における面積である。
【０７３１】
実施例６．２９−空気中の高表面密度の金粒子スポットの観察
本例では、実施例６．２９に記載されたようにして調製した金粒子スポットをＤＬＡＳＬＰＤ照明を用いて視覚的かつ顕微鏡的に調べる。スポットは乾燥状態で、金粒子は空中に存在した。
【０７３２】
ａ．１倍希釈スポット
室内灯のもとでは、スポットは、直径１ｍｍ未満のより明るいスポットが中心に存在する暗い紫色の外観を有する。ＤＬＡＳＬＰＤ照明のもとでは、そのスポットは極めて均一な白色がかったオレンジ色の外観を有していた。そのスポットは高輝度であった。顕微鏡（１０倍の対物レンズ、追加倍率２倍、１２．５倍の接眼レンズ）におけるＤＬＡＳＬＰＤ条件下では、接眼レンズを通じて観察されるスポットは、非常に強いオレンジ色を有していた。単一粒子を容易に観察することができた。いくつかの粒子が極めて密に接していたり、さらには重なり合っているのを観察することができた。大多数の粒子はオレンジ色であるが、いくつかは緑色である。ほぼ顕微鏡の空間解像度より小さい距離だけ互いに離れた２つ以上の粒子は単一粒子に見える。粒子間の空間がそれらの光散乱特性を混乱させるほど密な場合は、粒子群は、単一粒子の色と異なる色の単一粒子のように見える。粒子密度が高くなると、理論的計算から、多くの粒子は、顕微鏡の解像度より小さい距離だけ離れることになる。スポットの外観は、１０倍または２０倍の対物レンズで観察した場合は、さほど大きく変化しなかった。スポットの外側（背景）に存在するスライド上の領域は、高輝度スポットに比べて非常に暗かった。２．５倍の対物レンズを用いると、スポット全体を観察することができた。それは、小さな緑色のリングを周囲に有する強いオレンジ色の外観を有していた。オレンジ色の領域では、色は極めて均一に見えたが、いくつかのパッチは他のパッチより明るく見えた。緑色のリングにおける粒子表面密度は、オレンジ色の領域における密度よりはるかに小さかった。
【０７３３】
ｂ．２倍希釈スポット
室内灯のもとでは、スポットは、約２ｍｍの濃い紫色のスポットを中心にした中程度の明るさの紫色の外側リングを有している。ＤＬＡＳＬＰＤ照明のもとでは、スポットは、極めて均一な白色がかった黄色の外観を有する。該スポットは、極めて高輝度であった。光学顕微鏡（１０倍および２０倍の対物レンズ、追加倍率２倍、１２．５倍の接眼レンズ）におけるＤＬＡＳＬＰＤ条件下では、接眼レンズを通じて観察されるスポットは極めて強いオレンジ色を有していたが、その色は１倍希釈スポットほど均一ではなかった。緑色がかった外観を有するパッチが存在する。非常に密接した粒子を観察することができた。大多数の粒子はオレンジ色であるが、緑色のパッチに極めて豊富に存在する緑色の粒子も存在する。スポットの外観は、１０倍または２０倍の対物レンズを用いて観察した場合は、さほどではなかった。スポットの外側の領域は、高輝度スポットに比べて非常に暗かった。２．５倍の対物レンズを用いると、スポット全体を観察することができた。それは、小さな緑色リングを周囲に有する強いオレンジ色の外観を有していた。オレンジ色の領域では、色は極めて均一に見えたが、いくつかのパッチは他のパッチより明るく見えた。この不均一性は、一部に、最適化されなかった照明システムの非均質性によるものである。
【０７３４】
ｃ．４倍希釈スポット
室内灯のもとでは、スポットは、小さな暗スポット（直径約１ｍｍ）が円の片側にずれた非常に明るい紫色を有していた。ＤＬＡＳＬＰＤ照明のもとでは、スポットは、極めて均一な白色がかった緑色の外観を有していた。スポットは極めて高輝度であった。光学顕微鏡（（１０倍の対物レンズ、追加倍率２倍、１２．５倍の接眼レンズ）におけるＤＬＡＳＬＰＤ条件下では、おそらく溶剤の蒸発が不均一なために極めて均一性に欠けていた。スポットの中央は、極めて強いオレンジ色またはラベンダ色を有していた。この中央領域では、粒子は極めて密接、あるいは重なり合っており、ほとんどの粒子がオレンジ色であるが、いくつかの粒子は緑色である。中央から離れると、スポットは、緑色の粒子が支配的で、いくつかの粒子はオレンジ色である緑がかった外観を有していた。スポットの中央から周辺に行くに従って、緑色と黄色が交互するリングが存在する。スポットの外側の領域（背景）は、高輝度スポットに比べて極めて暗かった。２．５倍の対物レンズを用いると、スポット全体を観察することができる。該スポットは、中央に向かって（直径約１．５ｍｍの）オレンジまたはラベンダ色のスポットを有する楕円の外観を有していた。これは、黄緑色と緑色が交互する領域の明るい円で囲まれていた。周囲の小さなリングは、はっきりした緑色のより低輝度（それでも強い）色を有していた。この周辺領域では、ほぼすべての粒子が緑色粒子で、４０倍の対物レンズ、追加倍率２倍でカウントすることが可能であった。緑色粒子の粒子表面密度は約２０個／３９．１μ２、または０．５個／μ２であった。極めて外側に近くなると、粒子が急激に減少し、我々のカウントでは７個／１００μ２、または０．０７個／μ２であった。このスポットにおける粒子の勾配により、約１個／μ２の計数限界まで粒子をカウントすることが可能になる。
【０７３５】
空気中の固定粒子についての結論
ａ．上述の手順により、小スポット（４ｍｍ）に高い表面密度で金粒子を付着させることが可能になる。付着層は、スポットを形成するのに使用する蒸発法に対して想定されるように、室内灯のもとで観察すると完全に均一ではない。
【０７３６】
ｂ．光学顕微鏡におけるＤＬＡＳＬＰＤ条件下では、１倍希釈スポットおよび２倍希釈スポットは極めて均一である。４倍希釈スポットでは、スポットはより不均一であった。
【０７３７】
ｃ．スポットの粒子密度が高すぎるため、有意義な粒子のカウントを行うことができない（粒子が接近しすぎていて単一粒子として分解するのが困難である）。しかしながら、４倍希釈スポットの周囲では、粒子をカウントすることができ、ここでの密度は約０．５個／μ２であった。この粒子密度は、我々の顕微鏡の解像度でカウントしうる最大粒子密度に近い。
【０７３８】
実施例６．３０−水中の高表面密度金粒子スポットに対する観察
実施例６．３０で使用したスライドをビーカ内の１５０ｍｌの無菌水に浸した。粒子はスライドから離脱していなかったようである。１０倍の対物レンズを備えた顕微鏡照明装置を使用して、浸水したスライドの金スポットを細い光線で個別的に照明することができた。空中から水に移行するに従ってスポットの色の変化はなかったようである（裸眼による観察）。水を入れたビーカからガラス・スライドを取り出し、カバー・ガラスで覆った。水の薄膜が金粒子を囲んだ。顕微鏡観察を行ったところ以下のようであった。
【０７３９】
ａ．１倍希釈スポット
２．５倍の対物レンズ、１．２５倍の追加倍率、および１２．５倍の接眼レンズを備えた光学顕微鏡を用いたＤＬＡＳＬＰＤ条件下で観察したところ、スポットは、極めて均一なオレンジ・ラベンダ色の外観を有していた。スポットの周囲は、明るい黄緑色の粒子を含んでいた。周囲の粒子は、１０倍から４０倍の対物レンズで容易に観察することができる。単一粒子を明るいオブジェクトとして容易に観察することができる極めて外側の薄いリングを除いて、粒子表面密度は、スポット周辺であってもスポット全体を通じて非常に高かった。
【０７４０】
ｂ．２倍希釈スポット
２．５倍の対物レンズおよび１．２５倍の追加倍率を使用して、１２．５倍の接眼レンズを通じてスポット全体を観察することができた。スポットは、全体的に非常に強い黄色を有し、極めて均一に見えた。スポットのほとんどは黄色であったが、周囲に向かって、黄緑色を呈していた。４０倍の対物レンズおよび１．２５倍の追加倍率を用いると、非常に高い表面密度の粒子を観察することができた。ほとんどの粒子は黄緑色である。いくつかの粒子は緑色または赤色を有する。粒子密度が急激に低下してゼロになる周囲（暗い背景）を除いて、スポットは極めて均一な強度を有していた。粒子表面密度が低い周囲では、暗い空間を間に挟んだ単一粒子を容易に観察し、計数することができる。
【０７４１】
ｃ．４倍希釈スポット
２．５倍の対物レンズおよび１．２５倍の追加倍率を用いてスポット全体を観察することができた。スポットは、非常に強い黄緑色を有し、色は、スポットが多くの緑色パッチを有する空気中での観察結果に比べて極めて均一であった。単一粒子は、４０倍の対物レンズと１．２５倍の追加倍率で容易に観察できた。水中の粒子は、空気中の粒子よりはるかに高輝度で明るい。周囲の粒子は緑色が支配的ではなかったが、水中では、たいていの粒子が黄緑色で、赤色粒子およびオレンジ色の粒子がいくつか存在していた。スポットのほとんどは、非常に強い黄色を有していた。４０倍の対物レンズで単一粒子を観察できるが、それらの粒子は非常に密度が高く、重なり合っている。スポットの最も高輝度の領域では、４０倍の対物レンズおよび２倍の追加倍率で観察された粒子は、密度が約２５個／３９．１μ２または約０．６個／μ２であった。顕微鏡解像度の限界のため、この数によって、真の粒子表面密度を表すことはできない。
【０７４２】
水に覆われた固定粒子についての結論
金スポットを水の中に入れると、その外観がより均一になると思われる。２倍希釈スポットおよび４倍希釈スポットは、（スライドがプリズムに配置され、浸漬油でプリズムに密着した）ＤＬＡＳＬＰＤ条件下の光学顕微鏡の照明を用いて裸眼で観察すると、どちらも黄色に見える。１倍希釈スポットは肉眼ではオレンジ色に見える。
【０７４３】
実施例６．３１−６０ｎｍの金−ＢＳＡ−ビオチン試薬の磁気ビーズへの結合
本実施例は、懸濁液中で光散乱強度を測定することによって金粒子の磁気ビーズへの特異的結合を検出、定量するとともに、ＤＬＡＳＬＰＤ条件下の光学顕微鏡によって磁気ビーズに結合した単一金粒子を検出する我々の能力を実証するものである。
【０７４４】
共有結合によりビオチン（ＢＳＡ−ビオチン−Ａｕ）で標識付けされたＢＳＡを６０ｎｍ金粒子に塗布した。０．１％ＢＳＡ溶液を含み５００μｌのリン酸緩衝塩溶液（ｐＨ７．４）を５つのミクロ遠心管のそれぞれに加えた。それぞれの管に０、１、２、３および４と標示した。金粒子濃度が３．８×１０−１１ＭのＢＳＡ−ビオチン−Ａｕの溶液を各管に加え、それぞれの管を振った。追加的な量のＢＳＡ−ビオチン−Ａｕ溶液を添加して、各管における金ＢＳＡ−ビオチン粒子の濃度を８×１０−１３Ｍとした。０．１％ＢＳＡおよび０．０２％ＮａＮ３を含有する燐酸緩衝塩（ＰＢＳ）（ｐＨ７．４）に溶解した、６．７×１０８個／ｍｌ（１０ｍｇ／ｍｌ）のＤｙｎａビーズ、または約１×１０−１２Ｍモル濃度のビーズを含む、下記の量（μｌ）のＤｙｎａビーズＭ２８０ストレプタビジン（ビーズの表面にストレプタビジンが共有結合した直径２．８μのビーズ）懸濁物を各遠心管に加えた。
【表３６】
2005507489.tif 000043
遠心管を室温で３０分間インキュベーションし、次いで遠心管０から１つずつＭＰＣ−Ｅ／Ｅ−１磁気粒子濃縮器内に配置して、溶液から磁気ビーズを分離した。２分後、遠心管を磁気分離器に入れたまま、上澄み液を注意深く除去した。上澄みを１ｍｌのミクロ培養管に入れた。遠心管５を磁気濃縮器のなかに５分間放置し、他の遠心管を２分間放置した。次いで、上澄みの散乱光強度を以下の設定によりＳｐｅｃｔｒａ  Ｍｅｔｒｉｘ光度計で測定した：抵抗体ＰＭアウト＝０．１メグオーム、励起側フィルター＝オレンジ・フィルターＣＳ  ３−６７、１０倍のニュートラル密度アテニュエータ＝アウト
以下の散乱光強度を測定した。
【表３７】
2005507489.tif 000044
磁気ビーズを含むそれぞれの遠心管に上澄みを戻し、さらに２時間インキュベーションした。２時間後、先述のように遠心管を処理し、上澄みに対する以下の散乱光強度を求めた。
【表３８】
2005507489.tif 000045
２時間の追加的なインキュベーションによって、磁気ビーズに結合する金ＢＳＡ−ビオチンの量が増えたわけではなかった。
【０７４５】
金粒子が結合した微量の磁気ビーズを顕微鏡ガラス・スライドに付着させ、カバー・ガラスで覆った。次いで、光学顕微鏡を用いたＤＬＡＳＬＰＤ条件下でスライドを調べた。磁気ビーズは、強く散乱するオブジェクトとして容易に観察できたが、ビーズ上の金粒子は、大きな磁気ビーズによる強い散乱のために、観察するのがより困難であった。しかしながら、水媒体を屈折率が１．４から１．５付近の浸液媒体に代えると、粒子をよりはっきりと観察することができた。照明光線を、スライドに垂直な線に対してより大きな角度で傾斜させると、金粒子をよりはっきりと観察することができた。
【０７４６】
実施例６．３２−直径４０ｎｍの核酸標識付け金（Ａｕ）粒子による核酸ハイブリダイゼーションの検出
１．化学活性ポリエチレン・グリコールアミン塗布Ａｕ粒子の調製
核酸をＡｕ粒子に結合させるための反応性アミン基を以下のように得た。実施例６．１２に記載されている手順を用いて、４０ｎｍＡｕ粒子にビス（ポリオキシエチレンビス［３−アミノ−２−ヒドロキシプロピル］）ポリエチレン化合物を塗布した。これにより、核酸を粒子に結合させるためのいくつかの化学活性アミン基を有するポリエチレン化合物の薄膜を有する直径４０ｎｍのＡｕ粒子が得られる。
【０７４７】
２．直径４０ｎｍのＡｕ粒子に結合する核酸の調製
ポリシチジル酸（ポリ（Ｃ））およびポリイノシン酸（ポリ（Ｉ））の単独重合体を以下のように化学的に修飾した。０．８ｍｇおよび１．３ｍｇのポリ（Ｉ）およびポリ（Ｃ）を別個の管に入れた。各々の管に、１−エチル−３、３−ジメチルアミノプロピルカーボジイミド（ＣＤＩ）の０．１Ｍイミジゾール緩衝液（ｐＨ８．５）を１．０ｍｌ加え、１時間インキュベーションした。次いで、核酸をエタノール沈殿によって沈殿させ、ハイブリダイゼーション緩衝液（２０ｍＭトリス−ＨＣＬ、１００ｍＭ  ＮａＣｌ、１ｍＭ  ＥＤＴＡ  ｐＨ７．６）に再懸濁させた。
【０７４８】
３．活性核酸の活性Ａｕ粒子への結合
ポリ（Ｉ）調製物とポリ（Ｃ）調製物の両方に対して同じプロトコルを用いた。５０μｌの核酸溶液に、２０μｌの４０ｎｍ−Ａｕ−ＰＥＧ活性粒子溶液、および１００μｌのＨｅｐｅｓ０．２Ｍ（ｐＨ８．０）を加え、５０℃で１時間インキュベーションした。反応後、ポリ（Ｃ）およびポリ（Ｉ）４０ｎｍＡｕ−核酸結合体を遠心分離によって回収し、洗浄し、ハイブリダイゼーション緩衝液に再懸濁させた。
【０７４９】
４．ハイブリダイゼーションの実験
核酸−４０ｎｍ金粒子結合体（粒子の重合体塗布面に核酸を共有結合させた直径４０ｎｍの金粒子）のハイブリダイゼーション特性を以下のように調べた。ＤＬＡＳＬＰＤ法を用いた光学顕微鏡を使用した。図９に示されるようなガラス・スライド−液体−カバー・ガラスの実験設定を用いた。微量のポリ（Ｃ）−Ａｕ粒子結合体調製物をスライドに滴下し、カバー・ガラスで覆った。微量の浸漬油を顕微鏡コンデンサに滴下し、次いでスライドをコンデンサの上面に配置した。１０倍の対物レンズを使用した。溶液は極めて均質で、ポリ（Ｃ）−Ａｕ粒子結合体が視野を浮遊するのを見ることができた。それらのブラウン運動は、核酸で標識づけられていない４０ｎｍのＡｕ粒子に対して先に観察したものより不活発であった。いくつかのポリ（Ｃ）−Ａｕ粒子は、ガラス・スライドの表面に付着していた。ほとんどが２から４のポリ（Ｃ）−Ａｕ粒子からなるいくつかのポリ（Ｃ）−Ａｕ粒子の凝集体が存在していた。これらの凝集構造体は、それらが視野を横切って移動するときは１つのユニットとして移動していた。数分間スライドを観察している間に、該スライドの表面に結合しているポリ（Ｃ）−Ａｕ粒子の粒子密度が増加しているのに気づいた。ポリ（Ｃ）−Ａｕ粒子からの散乱光の色は緑色であった。カバー・スライドを取り除き、次いでポリ（Ｃ）−Ａｕ液滴を含むスライドの湿った領域の隣に、微量のポリ（Ｉ）−Ａｕ調製物を滴下した。金属プローブを使用して、ポリ（Ｉ）−Ａｕ液滴から、ポリ（Ｃ）−Ａｕを含むスライドの湿った部分に液体のラインを引くことによって２つのスポット間の接触を築いた。次いで、カバー・スライドを上面に配置し、次いでスライドを顕微鏡に再び配置して観察した。経時的に、形成されるポリ（Ｉ）−Ａｕ−ポリ（Ｃ）−Ａｕ多粒子凝集体の数が増加するのを確認した。約２０分後に、スライドを走査し、単一粒子が非常に少なく、ほとんどの粒子がいくつかの粒子の凝集体の形をとり、その多くがガラス・スライドに付着しているのを確認した。それらの凝集体は、定まった形状を有し、すなわちこれらの粒子は集成しており、ある粒子はランダムに巻かれた糸のスプールのように見え、他の粒子は分枝網状体のように見えるといった特定の様式が存在するように思われた。これらの多重凝集体は、対照ポリ（Ｃ）−Ａｕスライドに対して観察したわずかな凝集体とは全く異なっていた。４０倍の対物レンズに切り換えたところ、いくつかの凝集体において、いくつかの粒子は緑色というより黄色を呈していた。次いで、ポリ（Ａｕ）−ポリ（Ｉ）−Ａｕ反応を含むスライドのカバー・ガラスを取り除き、微量の１０−５Ｍ臭化エチジウムをスライドに滴下して、カバー・ガラスで覆った。スライド上の粒子の凝集体から薄いオレンジ色が発せられていること、すなわち粒子の緑色および黄緑色は薄いオレンジ色の背景上に置かれていることを確認した。凝集体から離れた領域では、オレンジ色は確認されなかった。この薄いオレンジ色は、粒子凝集体付近または内部に核酸の二本鎖構造体が存在することを我々に示すものであった。我々はこれを、ポリ（Ｉ）−Ａｕ結合体に対するポリ（Ｃ）−Ａｕ結合体のハイブリダイゼーションと解釈している。このスライドを取り除いて、微量のポリ（Ｉ）−Ａｕを含む対照スライドを顕微鏡で観察した。対照ポリ（Ｃ）−Ａｕスライドと同様の観察を行ったが、このポリ（Ｉ）−Ａｕ調製物は、ポリ（Ｃ）−Ａｕ対照スライドと比較して約２倍の数の小凝集体を有しているように思われた。散乱光の色は緑色で、いくつかの凝集体は黄緑色であった。
【０７５０】
この特定の形式では、両方の相補鎖が金粒子で標識付けされた。相補鎖がハイブリダイズするにつれて、粒子凝集体が増えた。金または同様の粒子からの散乱光を検出することによって核酸の結合を検出することができる。また、２つ以上のＡｕ粒子が密接する場合に、散乱光の色が変化するようである。この散乱光の色の変化を結合事象の検出手段として利用することも可能である。Ａｕ粒子、または光を十分に散乱させる他の任意の粒子を多くの形式で使用して、分離または非分離分析形式において、核酸または他の任意のリガンド受容体対を検出できることに留意されたい。
【０７５１】
実施例６．３３−大形ポリスチレン・ビーズに対する結合金粒子の検出
ビオチンが塗布された直径約２ミクロンの微量の球状ポリスチレン粒子の溶液をガラス顕微鏡スライドに滴下し、ＤＬＡＳＬＰＤ条件下の光学顕微鏡で観察した。ポリスチレン粒子は、明白色光の点源として容易に観察された。次いで、ストレプタビジンが塗布された微量の６０ｎｍ金粒子調製物を微量のポリスチレン粒子に滴下し、この調製物を顕微鏡で観察した。明白色のポリスチレン粒子を観察することができ、ポリスチレン粒子を囲む薄い黄緑色の円光が確認された。溶液をスライドから蒸発させ、次いで微量の顕微鏡浸漬油を調製物に滴下し、次いで顕微鏡で観察した。単一金粒子、および黄緑色の金粒子の大きな円形リング領域を容易に見ることができた。ポリスチレン粒子は、黄緑色の円光またはリングで囲まれたほぼ暗色または黒色のスポットに見えた。この方法を用いて、固体粒状物、ならびにガラスまたは他のビーズのような小さな固体相、および生体細胞などの表面に対する結合金粒子または他の金属状粒子を検出できる。
【０７５２】
実施例６．３４−ポリエチレン化合物が塗布された金粒子の光散乱特性
クエン酸塩法で作製した直径約１００ｎｍの金粒子を使用した。この溶液の一部を個別的な容器に仕込み、他のサイトに記載した手順を用いてその粒子にポリエチレン・グリコール化合物（ＭＷ＝２０、０００）を塗布した。
【０７５３】
塗布された粒子と未塗布粒子との散乱光の比較を行うため、各溶液が薄い桃色がかった赤色を呈するまで試料を水で希釈した。Ｓｐｅｃｔｒａ  Ｍｅｔｒｉｘ光度計を使用して、試料に対する散乱光強度対入射波長分布データを収集した。
【０７５４】
これらの測定では、モノクロメータが光源と試料の間に配置された。散乱光データは、モノクロメータの設定を調節することにより、４００ｎｍから７００ｎｍまで１０ｎｍの間隔で収集された。１２ｎｍシリカ粒子を使用することによって作成された較正グラフを用い、波長の関数として、モノクロメータおよび光検出器の波長によるバラツキに対するデータの補正を行った。較正グラフを用いてデータを解析した。データを図１６に示す。
【０７５５】
それらのデータは、１００ｎｍの塗布および未塗布の金粒子は、同様の散乱光強度対入射波長分布を有することを示している。したがって、抗体、核酸、受容体、または同様の物質の如き多くの異なるタイプの高分子物質を、散乱光特性を大きく変化させることなく粒子の表面に塗布することが可能である。
【０７５６】
本明細書に記載したすべての特許および出版物は、本発明が係わる技術分野の当業者の技能レベルを表している。この開示のなかで引用したすべての参考文献は、各参考文献を参照によりそのすべてを個々に組み込むのと同じ程度に、参照により組み込まれる。
【０７５７】
本発明は、その目的を遂行し、記載された目的および利点、ならびにそこに固有の目的および利点を十分に獲得するように構成されていることを当業者なら容易に理解するであろう。ここでは好ましい実施形態を示すものとして本明細書に記載された粒子組成および粒径は例示的なものであって、本発明の範囲を限定することを意図するものではない。本発明の主旨の範囲内に含められ、請求の範囲によって定められる変更および他の使用法が存在することを当業者なら理解するであろう。
【０７５８】
本発明の範囲および主旨を逸脱することなく、様々な代替および改造が本発明に加えることができることを当業者なら容易に理解するであろう。例えば、粒子の様々な組成および粒径、ならびに検出方向および装置の使用は、すべて本発明の範囲に含められる。したがって、当該追加的な実施形態は、本発明および請求項の範囲に含められる。
【０７５９】
本明細書に例示的に示された発明は、本明細書に具体的に開示されていない要素や制限がなくても好適に実施することができる。したがって、例えば、本明細書の各事例において、「を含む」、「本質的に．．．から構成される」および［から構成される］という言葉は、いずれも他の２つの言葉のいずれかに置き換えることができる。採用された言葉および表現は、制限ではなく説明の言葉として用いられ、当該言葉および表現の使用において、示されたり記載された特徴と同等の特徴、またはその一部を排除することを意図するものではなく、請求される発明の範囲内で様々な改造が可能であることが認識される。したがって、本発明は、好ましい実施形態および随意の特徴によって具体的に開示されているが、当業者は、本明細書に開示されているコンセプトの改造および変更を行うことができ、当該改造および変更は、添付の請求項によって定められる本発明の範囲に含められるものと考えられる。
【０７６０】
ある整数値の範囲が何らかの特徴に関連づけて示される場合は、エンドポイントを含めて、その範囲の各整数構成要素およびすべての整数構成要素は、そうでないことが明確に示されていない限り、終点を含めて、その範囲内の任意の２つの異なる整数値をとることによって定められる小範囲として具体的かつ個別的に含められる。したがって、例えば、１から４の範囲は、１、２、３および４を個別的に指定することに相当し、例えば１から３や、２から４の小範囲を含む。
【０７６１】
加えて、発明の特徴または態様がマーカッシュ形式のグループまたは他の選択肢のグルーピングとして記載される場合は、それにより、マーカッシュ形式のグループまたは他のグループの任意の個別的な構成要素または小グループとしても本発明が示されることを当業者なら認識するであろう。例えば、選択肢Ａ、ＢおよびＣが存在する場合には、個別的にＡ、個別的にＢ、個別的にＣ、ＡおよびＢ、ＡおよびＣ、ＢおよびＣ、ならびにＡおよびＢおよびＣのすべてである可能性が含まれる。
【０７６２】
したがって、追加的な実施形態は、本発明の範囲内、かつ請求項の範囲内に含まれるものである。
【図面の簡単な説明】
【０７６３】
【図１】試料に対する下からの照明を示す図である。Ｌはレンズ；Ｄはレンズの直径；０は表面Ｓ上の検出領域；Ｃは、Ｌが光を集光する角度を示す円錐；ＬＢは照明光線である。
【図２】レンズの集光角度を示す図である。Ｄはレンズの直径；ｆは焦点長さ；Ｏは検出領域；θＨは平面的な集光円錐角度の半角である。
【図３】表面における反射および屈折を示すのに用いられる角度を定めた図である。Ｓは表面、ｎｉおよびｎｔは、それぞれ入射媒体および表面媒体の屈折率；ＲＦＲＢおよびＲＦＬＢは、それぞれ屈折光線および反射光線；ＩＢは入射光線；θｉ、θｒおよびθｔは光線の入射角、反射角および屈折角である。
【図４−１】図４Ａおよび図４Ｂは、様々な文献から採用したｎｉ＜ｎｔに対する光反射グラフである。
【図４−２】図４Ｃは、様々な文献から採用したｎｉ＜ｎｔに対する光反射グラフである。
【図５−１】図５Ａは、様々な文献から採用したｎｉ＞ｎｔに対する光反射グラフである。
【図５−２】図５Ｂは、様々な文献から採用したｎｉ＞ｎｔに対する光反射グラフである。
【図６】空気中の乾燥表面上の粒子の照明に伴う屈折および反射を示す図である。
【図７】ｎ２＝１．５＋ｎ３＝１に対してθｉ２とθｉ１をプロットしたグラフである（図６参照）。
【図８】表面の人工構造および粒子によって散乱した光の角度分布を示す図である。破線は粒子によって散乱した光を表し；矢印の付いた実線は白色光線、および表面の人工構造による散乱光の１つの光線で、円は、前方方向に散乱した光に対する強度範囲である。
【図９】顕微鏡スライド上に存在し、カバー・ガラスで覆われた水の薄膜内の試料を示す図である。照明光線は４つの媒体界面、すなわちＳ１（空気とガラス）；Ｓ２（ガラスと水）；Ｓ３（水とガラス）；Ｓ４（ガラスと空気）に遭遇する。粒子は、表面Ｓ２上の０に位置するか、または表面Ｓ２の上を自由に移動する。入射光は表面Ｓ１に衝突する。
【図１０】試料に対する下からの照明を示す図である。Ｌはレンズ；Ｃは集光円錐角である。
【図１１】プリズム構成を用いた照明（下からの照明）を示す図である。Ｓ１は光が入射するプリズムの表面；Ｓ２およびＳ３は、それぞれプラスチック基板の底面および上面である。
【図１２−１】図１２Ａおよび図１２Ｂは、それぞれポア・プリズム（１２Ａ）および等面プリズム（１２Ｂ）を示す図である。
【図１２−２】図１２Ｃおよび図１２Ｄは、ホーム・メード・プリズム（１２Ｃおよび１２Ｄ）を示す図である。
【図１２−３】図１２Ｅは、および平凸レンズを示す図である。
【図１３】ローダミン・プラスチック・ブロックを用いて観察した照明光線を示す図である。
【図１４】図１５の説明を目的とした表面および関連する平面を示す図である。Ｓ１は光透過性または光不透過性固体基板；ＳＰ１表面Ｓ１の平面の上に位置する三次元空間；ＳＰ２は、表面Ｓ１の平面の下に位置する三次元空間である。光散乱粒子または物質は、表面Ｓ１またはその付近のＳＰ１平面内に存在する。
【図１５−１】異なるＤＬＡＳＬＰＤ照明および検出法の概要を示す図である。
【図１５−２】異なるＤＬＡＳＬＰＤ照明および検出法の概要を示す図である。
【図１６】実験的に測定した光強度と、径が１００ｎｍの被覆および未被覆の金粒子に対する入射波長スペクトルとの関係を示す図である。
【図１７】図１７、１８及び１９は、非特異的な背景光のレベルを低減する様々な試料槽設計を示す図である。これらの試料槽は、液状試料と固定化試料との両方を試験することが可能である。図１７では、Ｓ１は光線が試料槽に衝突する表面を表しており、Ｓ２は、（固定化試料に対する）光散乱体質を含む表面を表す。Ｓ３は他の傾斜面を表している。表面Ｓ１およびＳ３は、照明角度に応じて、約２０°から７０°傾斜し、表面Ｓ１は、直角に対して０°の角度で光線がＳ１に衝突するような角度を有する必要がある。Ｓ４は、開口部を有する、または有さない光透過性の表面である。Ｓ５は、表面Ｓ２の反対面である。槽が閉鎖されている場合は（すなわち、Ｓ４が開口部を有さない固体面である場合は）、試料を導入し、かつ必要な場合は洗浄を行うために、表面の１つに小さな開口が設けられる。
【図１８】傾斜面が曲面に代えられていることを除いて、図１７と同様に設計された試料槽を示す図である。他のすべての点は図１７の設計と同じである。
【図１９】Ｓ１は、光線が試料槽に衝突する光透過性の平滑傾斜表面である。表面Ｓ１の面は、光線が０°でＳ１に衝突するような角度を有する必要がある。Ｓ２は、物質が固定化された場合に光散乱体質を含む表面である。Ｓ３は、他の曲面または傾斜表面である。Ｓ４は、閉鎖された試料槽に対する光透過性表面である。あるいは、Ｓ４は、試料の導入および洗浄ならびに検出のための様々な大きさおよび形状の開口部を有する。Ｓ５は、表面Ｓ２の反対面である。槽が閉鎖されている場合は、表面の１つに、試料の導入および／または洗浄のための小さな開口部が必要になる。
【図２０】粒子と偏光された光との相互作用を説明するのに用いられる座標系を示す図である。光は、ｙ軸に沿って進み、ｚ軸方向に偏光される。Ｄは散乱光強度の検出器である。γは観察方向である。θおよびφは、それぞれコア角および偏光角である。
【図２１】液体試料を分析するための計測器の概要を示す図である。フィラメントまたは放電灯からの光を、レンズＬ１で表されるレンズ・システムによって、モノクロメータの入口スリット上に集める。モノクロメータを出た単色光をレンズＬ２で集光し、レンズＬ３によって透明な試料キュベット（ＳＴ）の中心に集める。試料キュベットは、蛍光分子の溶液または光散乱粒子の懸濁液を含有する。試料キュベットは、その壁から反射された光が、下方に偏向し、光検出器から離れるような角度で傾斜する。試料によって散乱または放射された光は、試料キュベットおよび液体内容物の拡大画像を平面Ｍａに形成するレンズＬ４によって集光される。平面Ｍには、キュベットの中心の液体によって放射または散乱された光が光検出器に到達することを選択的に可能にするが、試料キュベットの側壁から反射または散乱された光から光検出器を遮蔽する小さな開口が配置される。液体内容物の中心のＭにおける拡大画像は、放射または散乱光が検出される傾斜試料キュベットの壁の屈折率効果によって、レンズＬ４の光軸から変位する。液体中央の変位画像が開口および光検出器に重なるように、レンズＬ４の光軸の片側に対して、光検出器および開口を配置する。光学フィルターおよび／または偏光子を照明光および散乱光の経路に導入するためのホルダー（Ｈ１およびＨ２）を設ける。光検出器の前方に光シャッタを配置する。光検出器が小さな感光領域を有する場合は、Ｍで開口を横切る光をその感光領域に集める。単色光を必要としない場合は、モノクロメータを容易に除去し、フィラメントまたは放電灯からの光をレンズＬ１、Ｌ２およびＬ３によって試料容器の中心に直接運ぶことが可能である。
【図２２】光散乱粒子の使用方法、および特定のＤＬＡＳＬＰＤ法の概要を示し、それにより特定の試験キットおよび装置を説明する図である。
【図２３】光散乱粒子の使用方法、および特定のＤＬＡＳＬＰＤ法の概要を示し、それにより特定の試験キットおよび装置を説明する図である。
【図２４】光散乱粒子の使用方法、および特定のＤＬＡＳＬＰＤ法の概要を示し、それにより特定の試験キットおよび装置を説明する図である。
【図２５】装置および分析展開手順の概要を示す図である。
【図２６−１】図２６Ａおよび図２６Ｂは、それぞれ径が１０ｎｍの球状の金および銀についての散乱光強度の計算値と入射波長分布の関係を示す図である。Ｌｋは波長；Ｃｓｃａは光散乱断面である。
【図２６−２】図２６Ｃおよび図２６Ｄは、それぞれ径が１０ｎｍの球状のセレニウムおよびポリスチレン粒子についての散乱光強度の計算値と入射波長分布の関係を示す図である。Ｌｋは波長；Ｃｓｃａは光散乱断面である。
【図２６−３】図２６Ｅおよび図２６Ｆは、それぞれ径が１０ｎｍの球状のアルミニウムおよび銅についての散乱光強度の計算値と入射波長分布の関係を示す図である。Ｌｋは波長；Ｃｓｃａは光散乱断面である。
【図２７】図２７Ａ、図２７Ｂ、図２７Ｃ、図２７Ｄ、図２７Ｅおよび図２７Ｆは、様々な粒径の金粒子についての散乱光強度の計算値と入射波長の関係を示す図である。Ａ、Ｂ、Ｃ、Ｄ、ＥおよびＦは、それぞれ径が１０、２０、４０、６０、８０および１００ｎｍの球状金粒子に対応する。ＲＥＬ  ＣＳＣＡは、相対的な光散乱断面；ＷＡＶＥ、ＮＭは波長である。
【図２８】球状の被覆粒子の図である。（１）は、ポリマー、結合剤、または粒子表面上の他の物質の被膜；（２）はコア粒子である。
【図２９】図２９Ａ、図２９Ｂおよび図２９Ｃは、ＭＬＳＰ（操作可能な光散乱粒子）混合組成物粒子の図である。Ａ（１）は、（２）所望の光散乱物質を塗布したコア磁性または強誘電物質；Ｂは、（３）磁性または強誘電物質を塗布した（４）光散乱物質のコア；Ｃは、（５）光散乱物質と（６）磁性または強誘電物質の混合物を示す。
【図３０】図３０Ａ、図３０Ｂおよび図３０Ｃは、それぞれ、配向性ＭＬＳＰ粒子に対するダイマー、テトラマーおよびより高次元の粒子構造体を示す図である。（１）は検出可能な光散乱粒子で、（２）は磁性または強誘電体粒子である。ライン（３）は、多粒子構造体において粒子を結合させる化学結合、イオン結合またはその他の結合である。
【図３１】検出された散乱光強度と、一連の径が異なる略球状金粒子についての粒子濃度との関係を示す図である。
【図３２】検出された散乱光強度と、固相に関連する径が約６０ｎｍの略球状金粒子についての粒子密度との関係を示す図である。
【図３３】光散乱粒子から散乱する光を検出するための装置の図である。照明源（１００）は、合焦レンズ（２００）および光導体（５００）を介して試料（４００）に照明光線（ＩＢ）を提供する。照明角度の調節、光線の合焦、および光導体の位置合わせによって、照明される試料内の領域の位置および大きさを確定する。試料ホルダー（３００）を用いて試料を所定位置に保持し、三次元の照明および検出光学素子に対して試料位置を調節する。照明光線が試料（４００）に入り、迷光または反射光（ＲＩＢ）がほとんどまたは全く集光光学素子（６００）に入り込まないように、配向される。試料についての所望の視野が得られるように、様々なレンズの組合せを変更することによって集光光学素子を調節する。集光光学素子を介して試料の放射光線（ＲＢＳ）を画像光検出器（７００）上に集める。画像光検出器の出力は、コンピュータ・スクリーンおよび／または記憶媒体へのデジタル化画像の転送を制御するマイクロプロセッサ・コントローラまたはコンピュータ（１０００）の一部となる、またはそれに取りつけられる光学的デジタイザ（８００）および画像プロセッサ（９００）に添付される。
【図３４】信号・粒子密度曲線を示す図で、特にデコンボリューションによって補正可能な例示的な曲線部を示す図である。
【図１】
2005507489.tif 000046
【図２】
2005507489.tif 000047
【図３】
2005507489.tif 000048
【図４−１】
2005507489.tif 000049
【図４−２】
2005507489.tif 000050
【図５−１】
2005507489.tif 000051
【図５−２】
2005507489.tif 000052
【図６】
2005507489.tif 000053
【図７】
2005507489.tif 000054
【図８】
2005507489.tif 000055
【図９】
2005507489.tif 000056
【図１０】
2005507489.tif 000057
【図１１】
2005507489.tif 000058
【図１２−１】
2005507489.tif 000059
【図１２−２】
2005507489.tif 000060
【図１２−３】
2005507489.tif 000061
【図１３】
2005507489.tif 000062
【図１４】
2005507489.tif 000063
【図１５−１】
2005507489.tif 000064
【図１５−２】
2005507489.tif 000065
【図１６】
2005507489.tif 000066
【図１７】
2005507489.tif 000067
【図１８】
2005507489.tif 000068
【図１９】
2005507489.tif 000069
【図２０】
2005507489.tif 000070
【図２１】
2005507489.tif 000071
【図２２】
2005507489.tif 000072
【図２３】
2005507489.tif 000073
【図２４】
2005507489.tif 000074
【図２５】
2005507489.tif 000075
【図２６−１】
2005507489.tif 000076
【図２６−２】
2005507489.tif 000077
【図２６−３】
2005507489.tif 000078
【図２７】
2005507489.tif 000079
【図２８】
2005507489.tif 000080
【図２９】
2005507489.tif 000081
【図３０】
2005507489.tif 000082
【図３１】
2005507489.tif 000083
【図３２】
2005507489.tif 000084
【図３３】
2005507489.tif 000085
【図３４】
2005507489.tif 000086
【国際公開パンフレット】
2005507489.tif 000087
2005507489.tif 000088
2005507489.tif 000089
2005507489.tif 000090
2005507489.tif 000091
2005507489.tif 000092
2005507489.tif 000093
2005507489.tif 000094
2005507489.tif 000095
2005507489.tif 000096
2005507489.tif 000097
2005507489.tif 000098
2005507489.tif 000099
2005507489.tif 000100
2005507489.tif 000101
2005507489.tif 000102
2005507489.tif 000103
2005507489.tif 000104
2005507489.tif 000105
2005507489.tif 000106
2005507489.tif 000107
2005507489.tif 000108
2005507489.tif 000109
2005507489.tif 000110
2005507489.tif 000111
2005507489.tif 000112
2005507489.tif 000113
2005507489.tif 000114
2005507489.tif 000115
2005507489.tif 000116
2005507489.tif 000117
2005507489.tif 000118
2005507489.tif 000119
2005507489.tif 000120
2005507489.tif 000121
2005507489.tif 000122
2005507489.tif 000123
2005507489.tif 000124
2005507489.tif 000125
2005507489.tif 000126
2005507489.tif 000127
2005507489.tif 000128
2005507489.tif 000129
2005507489.tif 000130
2005507489.tif 000131
2005507489.tif 000132
2005507489.tif 000133
2005507489.tif 000134
2005507489.tif 000135
2005507489.tif 000136
2005507489.tif 000137
2005507489.tif 000138
2005507489.tif 000139
2005507489.tif 000140
2005507489.tif 000141
2005507489.tif 000142
2005507489.tif 000143
2005507489.tif 000144
2005507489.tif 000145
2005507489.tif 000146
2005507489.tif 000147
2005507489.tif 000148
2005507489.tif 000149
2005507489.tif 000150
2005507489.tif 000151
2005507489.tif 000152
2005507489.tif 000153
2005507489.tif 000154
2005507489.tif 000155
2005507489.tif 000156
2005507489.tif 000157
2005507489.tif 000158
2005507489.tif 000159
2005507489.tif 000160
2005507489.tif 000161
2005507489.tif 000162
2005507489.tif 000163
2005507489.tif 000164
2005507489.tif 000165
2005507489.tif 000166
2005507489.tif 000167
2005507489.tif 000168
2005507489.tif 000169
2005507489.tif 000170
2005507489.tif 000171
2005507489.tif 000172
2005507489.tif 000173
2005507489.tif 000174
2005507489.tif 000175
2005507489.tif 000176
2005507489.tif 000177
2005507489.tif 000178
2005507489.tif 000179
2005507489.tif 000180
2005507489.tif 000181
2005507489.tif 000182
2005507489.tif 000183
2005507489.tif 000184
2005507489.tif 000185
2005507489.tif 000186
2005507489.tif 000187
2005507489.tif 000188
2005507489.tif 000189
2005507489.tif 000190
2005507489.tif 000191
2005507489.tif 000192
2005507489.tif 000193
2005507489.tif 000194
2005507489.tif 000195
2005507489.tif 000196
2005507489.tif 000197
2005507489.tif 000198
2005507489.tif 000199
2005507489.tif 000200
2005507489.tif 000201
2005507489.tif 000202
2005507489.tif 000203
2005507489.tif 000204
2005507489.tif 000205
2005507489.tif 000206
2005507489.tif 000207
2005507489.tif 000208
2005507489.tif 000209
2005507489.tif 000210
2005507489.tif 000211
2005507489.tif 000212
2005507489.tif 000213
2005507489.tif 000214
2005507489.tif 000215
2005507489.tif 000216
2005507489.tif 000217
2005507489.tif 000218
2005507489.tif 000219
2005507489.tif 000220
2005507489.tif 000221
2005507489.tif 000222
2005507489.tif 000223
2005507489.tif 000224
2005507489.tif 000225
2005507489.tif 000226
2005507489.tif 000227
2005507489.tif 000228
2005507489.tif 000229
2005507489.tif 000230
2005507489.tif 000231
2005507489.tif 000232
2005507489.tif 000233
2005507489.tif 000234
2005507489.tif 000235
2005507489.tif 000236
2005507489.tif 000237
2005507489.tif 000238
2005507489.tif 000239
2005507489.tif 000240
2005507489.tif 000241
2005507489.tif 000242
2005507489.tif 000243
2005507489.tif 000244
2005507489.tif 000245
2005507489.tif 000246
2005507489.tif 000247
2005507489.tif 000248
2005507489.tif 000249
2005507489.tif 000250
2005507489.tif 000251
2005507489.tif 000252
2005507489.tif 000253
2005507489.tif 000254
2005507489.tif 000255
2005507489.tif 000256
2005507489.tif 000257
2005507489.tif 000258
2005507489.tif 000259
2005507489.tif 000260
2005507489.tif 000261
2005507489.tif 000262
2005507489.tif 000263
2005507489.tif 000264
2005507489.tif 000265
2005507489.tif 000266
2005507489.tif 000267
2005507489.tif 000268
2005507489.tif 000269
2005507489.tif 000270
2005507489.tif 000271
2005507489.tif 000272
2005507489.tif 000273
2005507489.tif 000274
2005507489.tif 000275
2005507489.tif 000276
2005507489.tif 000277
2005507489.tif 000278
2005507489.tif 000279
2005507489.tif 000280
2005507489.tif 000281
2005507489.tif 000282
2005507489.tif 000283
2005507489.tif 000284
2005507489.tif 000285
2005507489.tif 000286
2005507489.tif 000287
2005507489.tif 000288
2005507489.tif 000289
2005507489.tif 000290
2005507489.tif 000291
2005507489.tif 000292
2005507489.tif 000293
2005507489.tif 000294
2005507489.tif 000295
2005507489.tif 000296
2005507489.tif 000297
2005507489.tif 000298
2005507489.tif 000299
2005507489.tif 000300
2005507489.tif 000301
2005507489.tif 000302
2005507489.tif 000303
2005507489.tif 000304
2005507489.tif 000305
2005507489.tif 000306
2005507489.tif 000307
2005507489.tif 000308
2005507489.tif 000309
2005507489.tif 000310
2005507489.tif 000311
2005507489.tif 000312
2005507489.tif 000313
2005507489.tif 000314
2005507489.tif 000315
2005507489.tif 000316
2005507489.tif 000317
2005507489.tif 000318
2005507489.tif 000319
2005507489.tif 000320
2005507489.tif 000321
2005507489.tif 000322
2005507489.tif 000323
2005507489.tif 000324
2005507489.tif 000325
2005507489.tif 000326
2005507489.tif 000327
2005507489.tif 000328
2005507489.tif 000329
2005507489.tif 000330
2005507489.tif 000331
2005507489.tif 000332
2005507489.tif 000333
2005507489.tif 000334
2005507489.tif 000335
2005507489.tif 000336
2005507489.tif 000337
2005507489.tif 000338
2005507489.tif 000339
2005507489.tif 000340
2005507489.tif 000341
2005507489.tif 000342
2005507489.tif 000343
2005507489.tif 000344
2005507489.tif 000345
2005507489.tif 000346
2005507489.tif 000347
2005507489.tif 000348
2005507489.tif 000349
2005507489.tif 000350
2005507489.tif 000351
2005507489.tif 000352
2005507489.tif 000353
2005507489.tif 000354
2005507489.tif 000355
2005507489.tif 000356
2005507489.tif 000357
2005507489.tif 000358
2005507489.tif 000359
2005507489.tif 000360
2005507489.tif 000361
2005507489.tif 000362
【国際公開パンフレット（コレクトバージョン）】
2005507489.tif 000363
【国際調査報告】
2005507489.tif 000364
2005507489.tif 000365
2005507489.tif 000366